(57)【要約】  互いに異なる変調方式で変調された第１の変調信号と第２の変調信号を同一周波数に同時に送信する送信方法であって、両信号に固定のプリコーディング行列を用いてプリコーディングするとともに、互いに異なるパワー変更を施し、かつ、第１の変調信号または第２の変調信号の少なくとも一方の位相を規則的に切り替えて送信することで、受信装置において、データの受信品質が向上する。
2012144206.tif 000002
【特許請求の範囲】
【請求項１】
複数のベースバンド信号から同一の周波数帯域かつ同一の時刻に送信される複数の信号を生成する信号生成方法であって、
第１の複数ビットから第１の変調方式に従って生成された第１のベースバンド信号ｓ１と第２の複数ビットから第２の変調方式に従って生成された第２のベースバンド信号ｓ２との両方に対して位相変更を行い、位相変更後の第１のベースバンド信号ｓ１’と位相変更後の第２のベースバンド信号ｓ２’とを生成し、
前記位相変更後の第１のベースバンド信号ｓ１’をu倍し、前記位相変更後の第２のベースバンド信号ｓ２’をｖ倍し、ｕとｖとは互いに異なる実数であり、
前記位相変更後の第１のベースバンド信号ｓ１’をu倍した信号と、前記位相変更後の第２のベースバンド信号ｓ２’をｖ倍した信号とに対して、所定の行列Ｆに応じた重み付け合成を行い、第１の重み付け合成信号ｚ１と第２の重み付け合成信号ｚ２を、前記同一の周波数帯域かつ同一の時刻に送信される複数の信号として生成し、
前記第１の重み付け合成信号ｚ１及び前記第２の重み付け合成信号ｚ２は、（ｚ１、ｚ２）T＝Ｆ（ｕ×ｓ１’、ｖ×ｓ２’）Tを満たし、
前記第１の変調方式は前記第２の変調方式と異なる、
信号生成方法。
【請求項２】
複数のベースバンド信号から同一の周波数帯域かつ同一の時刻に送信される複数の信号を生成する信号生成装置であって、
第１の複数ビットから第１の変調方式に従って生成された第１のベースバンド信号ｓ１と第２の複数ビットから第２の変調方式に従って生成された第２のベースバンド信号ｓ２との両方に対して位相変更を行い、位相変更後の第１のベースバンド信号ｓ１’と位相変更後の第２のベースバンド信号ｓ２’とを生成する位相変更部と、
前記位相変更後の第１のベースバンド信号ｓ１’をu倍し、前記位相変更後の第２のベースバンド信号ｓ２’をｖ倍し、ｕとｖとは互いに異なる実数であるパワー変更部と、
前記位相変更後の第１のベースバンド信号ｓ１’をu倍した信号と、前記位相変更後の第２のベースバンド信号ｓ２’をｖ倍した信号とに対して、所定の行列Ｆに応じた重み付け合成を行い、第１の重み付け合成信号ｚ１と第２の重み付け合成信号ｚ２を、前記同一の周波数帯域かつ同一の時刻に送信される複数の信号として生成する重み付け合成部とを備え、
前記第１の重み付け合成信号ｚ１及び前記第２の重み付け合成信号ｚ２は、（ｚ１、ｚ２）T＝Ｆ（ｕ×ｓ１’、ｖ×ｓ２’）Tを満たし、
前記第１の変調方式は前記第２の変調方式と異なる、
信号生成装置。
【発明の詳細な説明】
【技術分野】
【０００１】
（関連出願に関する言及）２０１１年４月９日に出願された日本国特許出願２０１１−０９３５４０号及び２０１１年６月２４に出願された日本国特許出願２０１１−１４０７４９号に含まれる、特許請求の範囲、明細書、図面及び要約書の開示内容はすべて本願に援用される。
本発明は、特にマルチアンテナを用いた通信を行う信号生成方法および信号生成装置に関する。
【背景技術】
【０００２】
従来、マルチアンテナを用いた通信方法として例えばＭＩＭＯ（Ｍｕｌｔｉｐｌｅ−Ｉｎｐｕｔ  Ｍｕｌｔｉｐｌｅ−Ｏｕｔｐｕｔ）と呼ばれる通信方法がある。ＭＩＭＯに代表されるマルチアンテナ通信では、複数系列の送信データをそれぞれ変調し、各変調信号を異なるアンテナから同時に送信することで、データの通信速度を高めるようになっている。【０００３】
図２３は、送信アンテナ数２、受信アンテナ数２、送信変調信号（送信ストリーム）数２のときの送受信装置の構成の一例を示している。送信装置では、符号化されたデータをインタリーブし、インタリーブ後のデータを変調し、周波数変換等を行い送信信号が生成され、送信信号はアンテナから送信される。このとき、送信アンテナからそれぞれ異なる変調信号が同一時刻に同一周波数に送信する方式が空間多重ＭＩＭＯ方式である。【０００４】
このとき、特許文献１では送信アンテナごとに異なるインタリーブパターンを具備する送信装置が提案されている。つまり、図２３の送信装置において２つのインタリーブ（πａ、πｂ）が互いに異なるインタリーブパターンを有していることになる。そして、受信装置において、非特許文献１、非特許文献２に示されているように、ソフト値を用いた検波方法（図２３におけるＭＩＭＯ  ｄｅｔｅｃｔｏｒ）を、反復して行うことによって、受信品質が向上することになる。【０００５】
ところで、無線通信における実伝搬環境のモデルとして、レイリーフェージング環境で代表されるＮＬＯＳ（ｎｏｎ−ｌｉｎｅ  ｏｆ  ｓｉｇｈｔ）環境、ライスフェージング環境で代表されるＬＯＳ（ｌｉｎｅ  ｏｆ  ｓｉｇｈｔ）環境が存在する。送信装置においてシングルの変調信号を送信し、受信装置において複数のアンテナで受信した信号に対して最大比合成を行い、最大比合成後の信号に対して復調、及び復号を行う場合、ＬＯＳ環境、特に、散乱波の受信電力に対する直接波の受信電力の大きさを示すライスファクタが大きい環境では、良好な受信品質を得ることができる。しかし、伝送方式（例えば、空間多重ＭＩＭＯ伝送方式）によっては、ライスファクタが大きくなると受信品質が劣化するという問題が発生する。（非特許文献３参照）
図２４の（Ａ）（Ｂ）は、レイリ−フェージング環境、及びライスファクタＫ＝３、１０、１６ｄＢのライスフェージング環境において、ＬＤＰＣ（ｌｏｗ−ｄｅｎｓｉｔｙ  ｐａｒｉｔｙ−ｃｈｅｃｋ）符号化されたデータを２×２（２アンテナ送信、２アンテナ受信）空間多重ＭＩＭＯ伝送した場合のＢＥＲ（Ｂｉｔ  Ｅｒｒｏｒ  Ｒａｔｅ）特性（縦軸：ＢＥＲ、横軸：ＳＮＲ（ｓｉｇｎａｌ−ｔｏ−ｎｏｉｓｅ  ｐｏｗｅｒ  ｒａｔｉｏ））のシミュレーション結果の一例を示している。図２４の（Ａ）は、反復検波を行わないＭａｘ−ｌｏｇ−ＡＰＰ（非特許文献１、非特許文献２参照）（ＡＰＰ：ａ  ｐｏｓｔｅｒｉｏｒ  ｐｒｏｂａｂｉｌｉｔｙ）のＢＥＲ特性、図２４の（Ｂ）は、反復検波を行ったＭａｘ−ｌｏｇ−ＡＰＰ（非特許文献１、非特許文献２参照）（反復回数５回）のＢＥＲ特性を示している。図２４（Ａ）（Ｂ）からわかるように、反復検波を行う、または行わないに関係なく、空間多重ＭＩＭＯシステムでは、ライスファクタが大きくなると受信品質が劣化することが確認できる。このことから、「空間多重ＭＩＭＯシステムでは、伝搬環境が安定的になると受信品質が劣化する」という従来のシングルの変調信号を送信するシステムにはない、空間多重ＭＩＭＯシステム固有の課題をもつことがわかる。【０００６】
放送やマルチキャスト通信は、いろいろな伝播環境に対応しなければならないサービスであり、ユーザが所持する受信機と放送局との間の電波伝搬環境はＬＯＳ環境であることは当然ありうる。前述の課題をもつ空間多重ＭＩＭＯシステムを、放送やマルチキャスト通信に用いた場合、受信機において、電波の受信電界強度は高いが、受信品質の劣化によりサービスを受けることができない、という現象が発生する可能性がある。つまり、空間多重ＭＩＭＯシステムを放送やマルチキャスト通信で用いるには、ＮＬＯＳ環境、及びＬＯＳ環境のいずれの場合においても、ある程度の受信品質が得られるＭＩＭＯ伝送方式の開発が望まれる。【０００７】
非特許文献８では、通信相手からのフィードバック情報からプリコーディングに用いるコードブック（プリコーディング行列（プリコーディングウェイト行列ともいう））を選択する方法について述べられているが、上記のように、放送やマルチキャスト通信のように、通信相手からのフィードバック情報が得られない状況において、プリコーディングを行う方法については全く記載されていない。【０００８】
一方、非特許文献４では、フィードバック情報が無い場合にも適用することができる、時間とともに、プリコーディング行列を切り替える方法について述べられている。この文献では、プリコーディングに用いる行列として、ユニタリ行列を用いること、また、ユニタリ行列をランダムに切り替えることについて述べられているが、上記で示したＬＯＳ環境での受信品質の劣化に対する適用方法については全く記載されていなく、単にランダムに切り替えることのみが記載されている。当然であるが、ＬＯＳ環境の受信品質の劣化を改善するためのプリコーディング方法、および、プリコーディング行列の構成方法に関する記述は一切されていない。
【先行技術文献】
【特許文献】
【０００９】
【特許文献１】国際公開第２００５／０５０８８５号
【非特許文献】
【００１０】
【非特許文献１】“Ａｃｈｉｅｖｉｎｇ  ｎｅａｒ−ｃａｐａｃｉｔｙ  ｏｎ  ａ  ｍｕｌｔｉｐｌｅ−ａｎｔｅｎｎａ  ｃｈａｎｎｅｌ”  ＩＥＥＥ  Ｔｒａｎｓａｃｔｉｏｎ  ｏｎ  ｃｏｍｍｕｎｉｃａｔｉｏｎｓ，  ｖｏｌ．５１，  ｎｏ．３，  ｐｐ．３８９−３９９，  Ｍａｒｃｈ  ２００３．
【非特許文献２】“Ｐｅｒｆｏｒｍａｎｃｅ  ａｎａｌｙｓｉｓ  ａｎｄ  ｄｅｓｉｇｎ  ｏｐｔｉｍｉｚａｔｉｏｎ  ｏｆ  ＬＤＰＣ−ｃｏｄｅｄ  ＭＩＭＯ  ＯＦＤＭ  ｓｙｓｔｅｍｓ”  ＩＥＥＥ  Ｔｒａｎｓ．  Ｓｉｇｎａｌ  Ｐｒｏｃｅｓｓｉｎｇ．，  ｖｏｌ．５２，  ｎｏ．２，  ｐｐ．３４８−３６１，  Ｆｅｂ．  ２００４．
【非特許文献３】“ＢＥＲ  ｐｅｒｆｏｒｍａｎｃｅ  ｅｖａｌｕａｔｉｏｎ  ｉｎ  ２ｘ２  ＭＩＭＯ  ｓｐａｔｉａｌ  ｍｕｌｔｉｐｌｅｘｉｎｇ  ｓｙｓｔｅｍｓ  ｕｎｄｅｒ  Ｒｉｃｉａｎ  ｆａｄｉｎｇ  ｃｈａｎｎｅｌｓ，”  ＩＥＩＣＥ  Ｔｒａｎｓ．  Ｆｕｎｄａｍｅｎｔａｌｓ，  ｖｏｌ．Ｅ９１−Ａ，  ｎｏ．１０，  ｐｐ．２７９８−２８０７，  Ｏｃｔ．  ２００８．
【非特許文献４】“Ｔｕｒｂｏ  ｓｐａｃｅ−ｔｉｍｅ  ｃｏｄｅｓ  ｗｉｔｈ  ｔｉｍｅ  ｖａｒｙｉｎｇ  ｌｉｎｅａｒ  ｔｒａｎｓｆｏｒｍａｔｉｏｎｓ，  ”ＩＥＥＥ  Ｔｒａｎｓ．  Ｗｉｒｅｌｅｓｓ  ｃｏｍｍｕｎｉｃａｔｉｏｎｓ，  ｖｏｌ．６，  ｎｏ．２，  ｐｐ．４８６−４９３，  Ｆｅｂ．  ２００７．
【非特許文献５】“Ｌｉｋｅｌｉｈｏｏｄ  ｆｕｎｃｔｉｏｎ  ｆｏｒ  ＱＲ−ＭＬＤ  ｓｕｉｔａｂｌｅ  ｆｏｒ  ｓｏｆｔ−ｄｅｃｉｓｉｏｎ  ｔｕｒｂｏ  ｄｅｃｏｄｉｎｇ  ａｎｄ  ｉｔｓ  ｐｅｒｆｏｒｍａｎｃｅ，”  ＩＥＩＣＥ  Ｔｒａｎｓ．  Ｃｏｍｍｕｎ．，  ｖｏｌ．Ｅ８８−Ｂ，  ｎｏ．１，  ｐｐ．４７−５７，  Ｊａｎ．  ２００４．
【非特許文献６】「Ｓｈａｎｎｏｎ限界への道標：“Ｐａｒａｌｌｅｌ  ｃｏｎｃａｔｅｎａｔｅｄ  （Ｔｕｒｂｏ）  ｃｏｄｉｎｇ”，  “Ｔｕｒｂｏ  （ｉｔｅｒａｔｉｖｅ）  ｄｅｃｏｄｉｎｇ”とその周辺」電子情報通信学会、信学技法ＩＴ９８−５１
【非特許文献７】“Ａｄｖａｎｃｅｄ  ｓｉｇｎａｌ  ｐｒｏｃｅｓｓｉｎｇ  ｆｏｒ  ＰＬＣｓ：  Ｗａｖｅｌｅｔ−ＯＦＤＭ，”  Ｐｒｏｃ．  ｏｆ  ＩＥＥＥ  Ｉｎｔｅｒｎａｔｉｏｎａｌ  ｓｙｍｐｏｓｉｕｍ  ｏｎ  ＩＳＰＬＣ  ２００８，  ｐｐ．１８７−１９２，  ２００８．
【非特許文献８】Ｄ．  Ｊ．  Ｌｏｖｅ，  ａｎｄ  Ｒ．  Ｗ．  ｈｅａｔｈ，  Ｊｒ．，  “Ｌｉｍｉｔｅｄ  ｆｅｅｄｂａｃｋ  ｕｎｉｔａｒｙ  ｐｒｅｃｏｄｉｎｇ  ｆｏｒ  ｓｐａｔｉａｌ  ｍｕｌｔｉｐｌｅｘｉｎｇ  ｓｙｓｔｅｍｓ，”  ＩＥＥＥ  Ｔｒａｎｓ．  Ｉｎｆ．  Ｔｈｅｏｒｙ，  ｖｏｌ．５１，  ｎｏ．８，  ｐｐ．２９６７−２９７６，  Ａｕｇ．  ２００５．
【非特許文献９】ＤＶＢ  Ｄｏｃｕｍｅｎｔ  Ａ１２２，  Ｆｒａｍｉｎｇ  ｓｔｒｕｃｔｕｒｅ，  ｃｈａｎｎｅｌ  ｃｏｄｉｎｇ  ａｎｄ  ｍｏｄｕｌａｔｉｏｎ  ｆｏｒ  ａ  ｓｅｃｏｎｄ  ｇｅｎｅｒａｔｉｏｎ  ｄｉｇｉｔａｌ  ｔｅｒｒｅｓｔｒｉａｌ  ｔｅｌｅｖｉｓｉｏｎ  ｂｒｏａｄｃａｓｔｉｎｇ  ｓｙｓｔｅ，ｍ  （ＤＶＢ−Ｔ２），  Ｊｕｎｅ  ２００８．
【非特許文献１０】Ｌ．  Ｖａｎｇｅｌｉｓｔａ，  Ｎ．  Ｂｅｎｖｅｎｕｔｏ，  ａｎｄ  Ｓ．  Ｔｏｍａｓｉｎ，  “Ｋｅｙ  ｔｅｃｈｎｏｌｏｇｉｅｓ  ｆｏｒ  ｎｅｘｔ−ｇｅｎｅｒａｔｉｏｎ  ｔｅｒｒｅｓｔｒｉａｌ  ｄｉｇｉｔａｌ  ｔｅｌｅｖｉｓｉｏｎ  ｓｔａｎｄａｒｄ  ＤＶＢ−Ｔ２，”  ＩＥＥＥ  Ｃｏｍｍｕｎ．  Ｍａｇａｚｉｎｅ，  ｖｏ．４７，  ｎｏ．１０，  ｐｐ．１４６−１５３，  Ｏｃｔ．  ２００９．
【非特許文献１１】Ｔ．  Ｏｈｇａｎｅ，  Ｔ．  Ｎｉｓｈｉｍｕｒａ，  ａｎｄ  Ｙ．  Ｏｇａｗａ，  “Ａｐｐｌｉｃａｔｉｏｎ  ｏｆ  ｓｐａｃｅ  ｄｉｖｉｓｉｏｎ  ｍｕｌｔｉｐｌｅｘｉｎｇ  ａｎｄ  ｔｈｏｓｅ  ｐｅｒｆｏｒｍａｎｃｅ  ｉｎ  ａ  ＭＩＭＯ  ｃｈａｎｎｅｌ，”  ＩＥＩＣＥ  Ｔｒａｎｓ．  Ｃｏｍｍｕｎ．，  ｖｏ．８８−Ｂ，  ｎｏ．５，  ｐｐ．１８４３−１８５１，  Ｍａｙ  ２００５．
【非特許文献１２】Ｒ．  Ｇ．  Ｇａｌｌａｇｅｒ，  “Ｌｏｗ−ｄｅｎｓｉｔｙ  ｐａｒｉｔｙ−ｃｈｅｃｋ  ｃｏｄｅｓ，”  ＩＲＥ  Ｔｒａｎｓ．  Ｉｎｆｏｒｍ．  Ｔｈｅｏｒｙ，  ＩＴ−８，  ｐｐ−２１−２８，  １９６２．
【非特許文献１３】Ｄ．  Ｊ．  Ｃ．  Ｍａｃｋａｙ，  “Ｇｏｏｄ  ｅｒｒｏｒ−ｃｏｒｒｅｃｔｉｎｇ  ｃｏｄｅｓ  ｂａｓｅｄ  ｏｎ  ｖｅｒｙ  ｓｐａｒｓｅ  ｍａｔｒｉｃｅｓ，”  ＩＥＥＥ  Ｔｒａｎｓ．  Ｉｎｆｏｒｍ．  Ｔｈｅｏｒｙ，  ｖｏｌ．４５，  ｎｏ．２，  ｐｐ３９９−４３１，  Ｍａｒｃｈ  １９９９．
【非特許文献１４】ＥＴＳＩ  ＥＮ  ３０２  ３０７，  “Ｓｅｃｏｎｄ  ｇｅｎｅｒａｔｉｏｎ  ｆｒａｍｉｎｇ  ｓｔｒｕｃｔｕｒｅ，  ｃｈａｎｎｅｌ  ｃｏｄｉｎｇ  ａｎｄ  ｍｏｄｕｌａｔｉｏｎ  ｓｙｓｔｅｍｓ  ｆｏｒ  ｂｒｏａｄｃａｓｔｉｎｇ，  ｉｎｔｅｒａｃｔｉｖｅ  ｓｅｒｖｉｃｅｓ，  ｎｅｗｓ  ｇａｔｈｅｒｉｎｇ  ａｎｄ  ｏｔｈｅｒ  ｂｒｏａｄｂａｎｄ  ｓａｔｅｌｌｉｔｅ  ａｐｐｌｉｃａｔｉｏｎｓ，  “  ｖ．１．１．２，  Ｊｕｎｅ  ２００６．
【非特許文献１５】Ｙ．−Ｌ．  Ｕｅｎｇ，  ａｎｄ  Ｃ．−Ｃ．  Ｃｈｅｎｇ，  “ａ  ｆａｓｔ−ｃｏｎｖｅｒｇｅｎｃｅ  ｄｅｃｏｄｉｎｇ  ｍｅｔｈｏｄ  ａｎｄ  ｍｅｍｏｒｙ−ｅｆｆｉｃｉｅｎｔ  ＶＬＳＩ  ｄｅｃｏｄｅｒ  ａｒｃｈｉｔｅｃｔｕｒｅ  ｆｏｒ  ｉｒｒｅｇｕｌａｒ  ＬＤＰＣ  ｃｏｄｅｓ  ｉｎ  ｔｈｅ  ＩＥＥＥ  ８０２．１６ｅ  ｓｔａｎｄａｒｄｓ，”  ＩＥＥＥ  ＶＴＣ−２００７  Ｆａｌｌ，  ｐｐ．１２５５−１２５９．
【非特許文献１６】Ｓ．Ｍ．Ａｌａｍｏｕｔｉ、  “Ａ  ｓｉｍｐｌｅ  ｔｒａｎｓｍｉｔ  ｄｉｖｅｒｓｉｔｙ  ｔｅｃｈｎｉｑｕｅ  ｆｏｒ  ｗｉｒｅｌｅｓｓ  ｃｏｍｍｕｎｉｃａｔｉｏｎｓ，”ＩＥＥＥ  Ｊ．  Ｓｅｌｅｃｔ．  Ａｒｅａｓ  Ｃｏｍｍｕｎ．，  ｖｏｌ．１６，  ｎｏ．８，  ｐｐ．１４５１−１４５８，  Ｏｃｔ  １９９８．
【非特許文献１７】Ｖ．  Ｔａｒｏｋｈ，  Ｈ．  Ｊａｆｒｋｈａｎｉ，  ａｎｄ  Ａ．Ｒ．Ｃａｌｄｅｒｂａｎｋ、  “Ｓｐａｃｅ−ｔｉｍｅ  ｂｌｏｃｋ  ｃｏｄｉｎｇ  ｆｏｒ  ｗｉｒｅｌｅｓｓ  ｃｏｍｍｕｎｉｃａｔｉｏｎｓ：  Ｐｅｒｆｏｒｍａｎｃｅ  ｒｅｓｕｌｔｓ、”ＩＥＥＥ  Ｊ．  Ｓｅｌｅｃｔ．  Ａｒｅａｓ  Ｃｏｍｍｕｎ．，  ｖｏｌ.１７，  ｎｏ．３，  no.３，  ｐｐ．４５１―４６０，  Ｍａｒｃｈ １９９９．
【発明の概要】
【発明が解決しようとする課題】
【００１１】
本発明は、ＬＯＳ環境における受信品質を改善することが可能なＭＩＭＯシステムを提供することを目的とする。
【課題を解決するための手段】
【００１２】
本発明に係る信号生成方法は、複数のベースバンド信号から同一の周波数帯域かつ同一の時刻に送信される複数の信号を生成する信号生成方法であって、第１の複数ビットから第１の変調方式に従って生成された第１のベースバンド信号ｓ１と第２の複数ビットから第２の変調方式に従って生成された第２のベースバンド信号ｓ２との両方に対して位相変更を行い、位相変更後の第１のベースバンド信号ｓ１’と位相変更後の第２のベースバンド信号ｓ２’とを生成し、前記位相変更後の第１のベースバンド信号ｓ１’をu倍し、前記位相変更後の第２のベースバンド信号ｓ２’をｖ倍し、ｕとｖとは互いに異なる実数であり、前記位相変更後の第１のベースバンド信号ｓ１’をu倍した信号と、前記位相変更後の第２のベースバンド信号ｓ２’をｖ倍した信号とに対して、所定の行列Ｆに応じた重み付け合成を行い、第１の重み付け合成信号ｚ１と第２の重み付け合成信号ｚ２を、前記同一の周波数帯域かつ同一の時刻に送信される複数の信号として生成し、前記第１の重み付け合成信号ｚ１及び前記第２の重み付け合成信号ｚ２は、（ｚ１、ｚ２）T＝Ｆ（ｕ×ｓ１’、ｖ×ｓ２’）Tを満たし、前記第１の変調方式は前記第２の変調方式と異なることを特徴とする。【００１３】
また、本発明に係る信号生成装置は、複数のベースバンド信号から同一の周波数帯域かつ同一の時刻に送信される複数の信号を生成する信号生成装置であって、第１の複数ビットから第１の変調方式に従って生成された第１のベースバンド信号ｓ１と第２の複数ビットから第２の変調方式に従って生成された第２のベースバンド信号ｓ２との両方に対して位相変更を行い、位相変更後の第１のベースバンド信号ｓ１’と位相変更後の第２のベースバンド信号ｓ２’とを生成する位相変更部と、前記位相変更後の第１のベースバンド信号ｓ１’をu倍し、前記位相変更後の第２のベースバンド信号ｓ２’をｖ倍し、ｕとｖとは互いに異なる実数であるパワー変更部と、前記位相変更後の第１のベースバンド信号ｓ１’をu倍した信号と、前記位相変更後の第２のベースバンド信号ｓ２’をｖ倍した信号とに対して、所定の行列Ｆに応じた重み付け合成を行い、第１の重み付け合成信号ｚ１と第２の重み付け合成信号ｚ２を、前記同一の周波数帯域かつ同一の時刻に送信される複数の信号として生成する重み付け合成部とを備え、前記第１の重み付け合成信号ｚ１及び前記第２の重み付け合成信号ｚ２は、（ｚ１、ｚ２）T＝Ｆ（ｕ×ｓ１’、ｖ×ｓ２’）Tを満たし、前記第１の変調方式は前記第２の変調方式と異なることを特徴とする。
【発明の効果】
【００１４】
このように本発明によれば、ＬＯＳ環境における受信品質の劣化を改善する信号生成方法、信号生成装置を提供することができるため、放送やマルチキャスト通信において見通し内のユーザに対して、品質の高いサービスを提供することができる。
【図面の簡単な説明】
【００１５】
【図１】空間多重ＭＩＭＯ伝送システムにおける送受信装置の構成の例
【図２】フレーム構成の一例
【図３】位相変更方法適用時の送信装置の構成の例
【図４】位相変更方法適用時の送信装置の構成の例
【図５】フレーム構成の例
【図６】位相変更方法の例
【図７】受信装置の構成例
【図８】受信装置の信号処理部の構成例
【図９】受信装置の信号処理部の構成例
【図１０】復号処理方法
【図１１】受信状態の例
【図１２】位相変更方法適用時の送信装置の構成の例
【図１３】位相変更方法適用時の送信装置の構成の例
【図１４】フレーム構成の例
【図１５】フレーム構成の例
【図１６】フレーム構成の例
【図１７】フレーム構成の例
【図１８】フレーム構成の例
【図１９】マッピング方法の一例
【図２０】マッピング方法の一例
【図２１】重み付け合成部の構成の例
【図２２】シンボルの並び換え方法の一例
【図２３】空間多重ＭＩＭＯ伝送システムにおける送受信装置の構成の例
【図２４】ＢＥＲ特性例
【図２５】位相変更方法の例
【図２６】位相変更方法の例
【図２７】位相変更方法の例
【図２８】位相変更方法の例
【図２９】位相変更方法の例
【図３０】高い受信品質が得られる変調信号のシンボル配置例
【図３１】高い受信品質が得られる変調信号のフレーム構成例
【図３２】高い受信品質が得られる変調信号のシンボル配置例
【図３３】高い受信品質が得られる変調信号のシンボル配置例
【図３４】ブロック符号を用いた場合の１つの符号化後のブロックに必要なシンボル数、スロット数の変化例
【図３５】ブロック符号を用いた場合の２つの符号化後のブロックに必要なシンボル数、スロット数の変化例
【図３６】デジタル放送用システムの全体構成図
【図３７】受信機の構成例を示すブロック図
【図３８】多重化データの構成を示す図
【図３９】各ストリームが多重化データにおいてどのように多重化されているかを模式的に示す図
【図４０】ＰＥＳパケット列に、ビデオストリームがどのように格納されているかを示す詳細図
【図４１】多重化データにおけるＴＳパケットとソースパケットの構造を示す図
【図４２】ＰＭＴのデータ構成を示す図
【図４３】多重化データ情報の内部構成を示す図
【図４４】ストリーム属性情報の内部構成を示す図
【図４５】映像表示、音声出力装置の構成図
【図４６】通信システムの構成の一例
【図４７】高い受信品質が得られる変調信号のシンボル配置例
【図４８】高い受信品質が得られる変調信号のシンボル配置例
【図４９】高い受信品質が得られる変調信号のシンボル配置例
【図５０】高い受信品質が得られる変調信号のシンボル配置例
【図５１】送信装置の構成の例
【図５２】送信装置の構成の例
【図５３】送信装置の構成の例
【図５４】送信装置の構成の例
【図５５】ベースバンド信号入れ替え部を示す図
【図５６】送信装置の構成の例
【図５７】分配部の動作の一例
【図５８】分配部の動作の別例
【図５９】基地局及び端末の関係を示す通信システムの一例
【図６０】送信信号の周波数割り当ての一例
【図６１】送信信号の周波数割り当ての一例
【図６２】基地局と、中継器と、端末の関係を示す通信システムの一例
【図６３】基地局からの送信信号の周波数割り当ての一例
【図６４】中継器からの送信信号の周波数割り当ての一例
【図６５】中継器の受信部と送信部の構成の一例
【図６６】基地局が送信する信号のデータフォーマットの一例
【図６７】送信装置の構成の例
【図６８】ベースバンド信号入れ替え部を示す図
【図６９】重み付け、ベースバンド信号の入れ替え、位相変更方法の一例
【図７０】ＯＦＤＭ方式を用いた送信装置の構成の例
【図７１】フレーム構成の例
【図７２】変調方式に応じたスロット数と位相変更値の例
【図７３】変調方式に応じたスロット数と位相変更値の例
【図７４】ＤＶＢ−Ｔ２規格における、放送局が送信する信号のフレーム構成の概要
【図７５】同一時刻に２種類以上の信号が存在する例
【図７６】送信装置の構成の例
【図７７】フレーム構成の例
【図７８】フレーム構成の例
【図７９】フレーム構成の例
【図８０】フレーム構成の例
【図８１】フレーム構成の例
【図８２】フレーム構成の例
【図８３】フレーム構成の例
【図８４】同一時刻に２種類以上の信号が存在する例
【図８５】送信装置の構成の例
【図８６】受信装置の構成の例
【図８７】受信装置の構成の例
【図８８】受信装置の構成の例
【図８９】フレーム構成の例
【図９０】フレーム構成の例
【図９１】フレーム構成の例
【図９２】フレーム構成の例
【図９３】フレーム構成の例
【図９４】時空間ブロック符号を用いたときのフレーム構成の例
【図９５】Ｉ−Ｑ平面における１６ＱＡＭの場合の信号点配置の例
【図９６】Ｉ−Ｑ平面におけるＱＰＳＫの場合の信号点配置の例
【図９７】受信装置が得た対数尤度比の絶対値を模式的に示す例
【図９８】受信装置が得る対数尤度比の絶対値の好適な例
【図９９】重み付け合成部に関連する信号処理部の構成の例
【図１００】重み付け合成部に関連する信号処理部の構成の例
【図１０１】Ｉ−Ｑ平面における６４ＱＡＭの場合の信号点配置の例
【図１０２】Ｉ−Ｑ平面における１６ＱＡＭの場合の信号点配置の例
【図１０３】サイクリックQディレイを適用する場合の信号生成部の構成の例
【図１０４】サイクリックQディレイを用いたときの、ｓ１（ｔ）、ｓ２（ｔ）の生成方法の第１の例
【図１０５】サイクリックQディレイを適用する場合の信号生成部の構成の例
【図１０６】サイクリックQディレイを適用する場合の信号生成部の構成の例
【図１０７】サイクリックQディレイを用いたときの、ｓ１（ｔ）、ｓ２（ｔ）の生成方法の第２の例
【図１０８】サイクリックQディレイを適用する場合の信号生成部の構成の例
【図１０９】サイクリックQディレイを適用する場合の信号生成部の構成の例
【発明を実施するための形態】
【００１６】
以下、本発明の実施の形態について図面を参照して詳細に説明する。
（実施の形態１）
本実施の形態の送信方法、送信装置、受信方法、受信装置について詳しく説明する。
【００１７】
本説明を行う前に、従来システムである空間多重ＭＩＭＯ伝送システムにおける、送信方法、復号方法の概要について説明する。
【００１８】
ＮｔｘＮｒ空間多重ＭＩＭＯシステムの構成を図１に示す。情報ベクトルｚは、符号化およびインタリーブが施される。そして、インタリーブの出力として、符号化後ビットのベクトルｕ＝（ｕ１，…，ｕＮｔ）が得られる。ただし、ｕｉ＝（ｕｉ１，…，ｕｉＭ）とする（Ｍ：シンボル当たりの送信ビット数）。送信ベクトルｓ＝（ｓ１，…，ｓＮｔ）Ｔとすると送信アンテナ＃ｉから送信信号ｓｉ＝ｍａｐ（ｕｉ）とあらわし、送信エネルギーを正規化するとＥ｛｜ｓｉ｜２｝＝Ｅｓ／Ｎｔとあらわされる（Ｅｓ：チャネル当たりの総エネルギー）。そして、受信ベクトルをｙ＝（ｙ１，…，ｙＮｒ）Ｔとすると、式（１）のようにあらわされる。
【００１９】
【数１】
2012144206.tif 000003
【００２０】
このとき、ＨＮｔＮｒはチャネル行列、ｎ＝（ｎ１，…，ｎＮｒ）Ｔはノイズベクトルであり、ｎｉは平均値０、分散σ２のｉ．ｉ．ｄ．複素ガウス雑音である。受信機で導入する送信シンボルと受信シンボルの関係から、受信ベクトルに関する確率は、式（２）のように多次元ガウス分布で与えることができる。
【００２１】
【数２】
2012144206.tif 000004
【００２２】
ここで、ｏｕｔｅｒ  ｓｏｆｔ−ｉｎ／ｓｏｆｔ−ｏｕｔデコーダとＭＩＭＯ検波からなる図１のような反復復号を行う受信機を考える。図１における対数尤度比のベクトル（Ｌ−ｖａｌｕｅ）は式（３）−（５）のようにあらわされる。
【００２３】
【数３】
2012144206.tif 000005
【００２４】
【数４】
2012144206.tif 000006
【００２５】
【数５】
2012144206.tif 000007
【００２６】
＜反復検波方法＞
ここでは、ＮｔｘＮｒ空間多重ＭＩＭＯシステムにおけるＭＩＭＯ信号の反復検波について述べる。
ｕｍｎの対数尤度比を式（６）のように定義する。
【００２７】
【数６】
2012144206.tif 000008
【００２８】
ベイズの定理より、式（６）は、式（７）のようにあらわすことができる。
【００２９】
【数７】
2012144206.tif 000009
【００３０】
ただし、Ｕｍｎ，±1＝｛ｕ｜ｕｍｎ＝±１｝とする。そして、ｌｎΣａｊ〜ｍａｘ  ｌｎ  ａｊで近似すると式（７）は式（８）のように近似することができる。なお、上の「〜」の記号は近似を意味する。
【００３１】
【数８】
2012144206.tif 000010
【００３２】
式（８）におけるＰ（ｕ｜ｕｍｎ）とｌｎ  Ｐ（ｕ｜ｕｍｎ）は以下のようにあらわされる。
【００３３】
【数９】
2012144206.tif 000011
【００３４】
【数１０】
2012144206.tif 000012
【００３５】
【数１１】
2012144206.tif 000013
【００３６】
ところで、式（２）で定義した式の対数確率は式（１２）のようにあらわされる。
【００３７】
【数１２】
2012144206.tif 000014
【００３８】
したがって、式（７），（１３）から、ＭＡＰ、または、ＡＰＰ（ａ  ｐｏｓｔｅｒｉｏｒｉ  ｐｒｏｂａｂｉｌｉｔｙ）では、事後のＬ−ｖａｌｕｅは、以下のようにあらわされる。
【００３９】
【数１３】
2012144206.tif 000015
【００４０】
以降では、反復ＡＰＰ復号と呼ぶ。また、式（８），（１２）から、Ｍａｘ−Ｌｏｇ近似に基づく対数尤度比（Ｍａｘ−Ｌｏｇ  ＡＰＰ）では、事後のＬ−ｖａｌｕｅは、以下のようにあらわされる。
【００４１】
【数１４】
2012144206.tif 000016
【００４２】
【数１５】
2012144206.tif 000017
【００４３】
以降では、反復Ｍａｘ−ｌｏｇ  ＡＰＰ復号と呼ぶ。そして、反復復号のシステムで必要とする外部情報は、式（１３）または（１４）から事前入力を減算することで、求めることができる。
＜システムモデル＞
図２３に、以降の説明につながるシステムの基本構成を示す。ここでは、２×２空間多重ＭＩＭＯシステムとし、ストリームＡ，Ｂではそれぞれにｏｕｔｅｒエンコーダがあり、２つのｏｕｔｅｒエンコーダは同一のＬＤＰＣ符号のエンコーダとする（ここではｏｕｔｅｒエンコーダとしてＬＤＰＣ符号のエンコーダを用いる構成を例に挙げて説明するが、ｏｕｔｅｒエンコーダが用いる誤り訂正符号はＬＤＰＣ符号に限ったものではなく、ターボ符号、畳み込み符号、ＬＤＰＣ畳み込み符号等の他の誤り訂正符号を用いても同様に実施することができる。また、ｏｕｔｅｒエンコーダは、送信アンテナごとに有する構成としているがこれに限ったものではなく、送信アンテナが複数であっても、ｏｕｔｅｒエンコーダは一つであってもよく、また、送信アンテナ数より多くのｏｕｔｅｒエンコーダを有していてもよい。）。そして、ストリームＡ，Ｂではそれぞれにインタリーバ（πａ，πｂ）がある。ここでは、変調方式を２ｈ−ＱＡＭとする（１シンボルでｈビットを送信することになる。）。
【００４４】
受信機では、上述のＭＩＭＯ信号の反復検波（反復ＡＰＰ（またはＭａｘ−ｌｏｇ  ＡＰＰ）復号）を行うものとする。そして、ＬＤＰＣ符号の復号としては、例えば、ｓｕｍ−ｐｒｏｄｕｃｔ復号を行うものとする。
【００４５】
図２はフレーム構成を示しており、インタリーブ後のシンボルの順番を記載している。このとき、以下の式のように（ｉａ，ｊａ），（ｉｂ，ｊｂ）をあらわすものとする。
【００４６】
【数１６】
2012144206.tif 000018
【００４７】
【数１７】
2012144206.tif 000019
【００４８】
このとき、ｉａ，ｉｂ：インタリーブ後のシンボルの順番、ｊａ，ｊｂ：変調方式におけるビット位置（ｊａ，ｊｂ＝１，・・・，ｈ）、πａ，πｂ：ストリームＡ，Ｂのインタリーバ、Ωａｉａ，ｊａ，Ωｂｉｂ，ｊｂ：ストリームＡ，Ｂのインタリーブ前のデータの順番、を示している。ただし、図２では、ｉａ＝ｉｂのときのフレーム構成を示している。
＜反復復号＞
ここでは、受信機におけるＬＤＰＣ符号の復号で用いるｓｕｍ−ｐｒｏｄｕｃｔ復号およびＭＩＭＯ信号の反復検波のアルゴリズムについて詳しく述べる。
【００４９】
ｓｕｍ−ｐｒｏｄｕｃｔ復号
２元ＭｘＮ行列Ｈ＝｛Ｈｍｎ｝を復号対象とするＬＤＰＣ符号の検査行列とする。集合［１，Ｎ］＝｛１，２，・・・，Ｎ｝の部分集合Ａ（ｍ），Ｂ（ｎ）を次式のように定義する。
【００５０】
【数１８】
2012144206.tif 000020
【００５１】
【数１９】
2012144206.tif 000021
【００５２】
このとき、Ａ（ｍ）は検査行列Ｈのｍ行目において、１である列インデックスの集合を意味し、Ｂ（ｎ）は検査行列Ｈのｎ行目において１である行インデックスの集合である。ｓｕｍ−ｐｒｏｄｕｃｔ復号のアルゴリズムは以下のとおりである。
Ｓｔｅｐ  Ａ・１（初期化）：Ｈｍｎ＝１を満たす全ての組（ｍ，ｎ）に対して事前値対数比βｍｎ＝０とする。ループ変数（反復回数）ｌｓｕｍ＝１とし、ループ最大回数をｌｓｕｍ，ｍａｘと設定する。
Ｓｔｅｐ  Ａ・２（行処理）：ｍ＝１，２，・・・，Ｍの順にＨｍｎ＝１を満たす全ての組（ｍ，ｎ）に対して、以下の更新式を用いて外部値対数比αｍｎを更新する。
【００５３】
【数２０】
2012144206.tif 000022
【００５４】
【数２１】
2012144206.tif 000023
【００５５】
【数２２】
2012144206.tif 000024
【００５６】
このとき、ｆはＧａｌｌａｇｅｒの関数である。そして、λｎの求め方については以降で詳しく説明する。
Ｓｔｅｐ  Ａ・３（列処理）：ｎ＝１，２，・・・，Ｎの順にＨｍｎ＝１を満たす全ての組（ｍ，ｎ）に対して、以下の更新式を用いて外部値対数比βｍｎを更新する。
【００５７】
【数２３】
2012144206.tif 000025
【００５８】
Ｓｔｅｐ  Ａ・４（対数尤度比の計算）：ｎ∈［１，Ｎ］について対数尤度比Ｌｎを以下のように求める。
【００５９】
【数２４】
2012144206.tif 000026
【００６０】
Ｓｔｅｐ  Ａ・５（反復回数のカウント）：もしｌｓｕｍ＜ｌｓｕｍ，ｍａｘならばｌｓｕｍをインクリメントして、ｓｔｅｐ  Ａ・２に戻る。ｌｓｕｍ＝ｌｓｕｍ，ｍａｘの場合、この回のｓｕｍ−ｐｒｏｄｕｃｔ復号は終了する。
【００６１】
以上が、１回のｓｕｍ−ｐｒｏｄｕｃｔ復号の動作である。その後、ＭＩＭＯ信号の反復検波が行われる。上述のｓｕｍ−ｐｒｏｄｕｃｔ復号の動作の説明で用いた変数ｍ，ｎ，αｍｎ，βｍｎ，λｎ，Ｌｎにおいて、ストリームＡにおける変数をｍａ，ｎａ，αａｍａｎａ，βａｍａｎａ，λｎａ，Ｌｎａ、ストリームＢにおける変数をｍｂ，ｎｂ，αｂｍｂｎｂ，βｂｍｂｎｂ，λｎｂ，Ｌｎｂであらわすものとする。
＜ＭＩＭＯ信号の反復検波＞
ここでは、ＭＩＭＯ信号の反復検波におけるλｎの求め方について詳しく説明する。
【００６２】
式（１）から、次式が成立する。
【００６３】
【数２５】
2012144206.tif 000027
【００６４】
図２のフレーム構成から、式（１６）（１７）から、以下の関係式が成立する。
【００６５】
【数２６】
2012144206.tif 000028
【００６６】
【数２７】
2012144206.tif 000029
【００６７】
このとき、ｎａ，ｎｂ∈［１，Ｎ］となる。以降では、ＭＩＭＯ信号の反復検波の反復回数ｋのときのλｎａ，Ｌｎａ，λｎｂ，Ｌｎｂをそれぞれλｋ，ｎａ，Ｌｋ，ｎａ，λｋ，ｎｂ，Ｌｋ，ｎｂとあらわすものとする。
【００６８】
Ｓｔｅｐ  Ｂ・１（初期検波；ｋ＝０）：初期検波のとき、λ0，ｎａ，λ0，ｎｂを以下のように求める。
反復ＡＰＰ復号のとき：
【００６９】
【数２８】
2012144206.tif 000030
【００７０】
反復Ｍａｘ−ｌｏｇ  ＡＰＰ復号のとき：
【００７１】
【数２９】
2012144206.tif 000031
【００７２】
【数３０】
2012144206.tif 000032
【００７３】
ただし、Ｘ＝ａ，ｂとする。そして、ＭＩＭＯ信号の反復検波の反復回数をｌｍｉｍｏ＝０とし、反復回数の最大回数をｌｍｉｍｏ，ｍａｘと設定する。
【００７４】
Ｓｔｅｐ  Ｂ・２（反復検波；反復回数ｋ）：反復回数ｋのときのλｋ，ｎａ，λｋ，ｎｂは、式（１１）（１３）−（１５）（１６）（１７）から式（３１）−（３４）のようにあらわされる。ただし、（Ｘ，Ｙ）＝（ａ，ｂ）（ｂ，ａ）となる。
反復ＡＰＰ復号のとき：
【００７５】
【数３１】
2012144206.tif 000033
【００７６】
【数３２】
2012144206.tif 000034
【００７７】
反復Ｍａｘ−ｌｏｇ  ＡＰＰ復号のとき：
【００７８】
【数３３】
2012144206.tif 000035
【００７９】
【数３４】
2012144206.tif 000036
【００８０】
Ｓｔｅｐ  Ｂ・３（反復回数のカウント、符号語推定）：もしｌｍｉｍｏ＜ｌｍｉｍｏ，ｍａｘならばｌｍｉｍｏをインクリメントして、ｓｔｅｐ  Ｂ・２に戻る。ｌｍｉｍｏ＝ｌｍｉｍｏ，ｍａｘの場合、推定符号語を以下のようにもとめる。
【００８１】
【数３５】
2012144206.tif 000037
【００８２】
ただし、Ｘ＝ａ，ｂとする。
【００８３】
図３は、本実施の形態における送信装置３００の構成の一例である。符号化部３０２Ａは、情報（データ）３０１Ａ、フレーム構成信号３１３を入力とし、フレーム構成信号３１３（符号化部３０２Ａがデータの誤り訂正符号化に使用する誤り訂正方式、符号化率、ブロック長等の情報が含まれており、フレーム構成信号３１３が指定した方式を用いることになる。また、誤り訂正方式は、切り替えても良い。）にしたがい、例えば、畳み込み符号、ＬＤＰＣ符号、ターボ符号等の誤り訂正符号化を行い、符号化後のデータ３０３Ａを出力する。
【００８４】
インタリーバ３０４Ａは、符号化後のデータ３０３Ａ、フレーム構成信号３１３を入力とし、インタリーブ、つまり、順番の並び替えを行い、インタリーブ後のデータ３０５Ａを出力する。（フレーム構成信号３１３に基づき、インタリーブの方法は、切り替えても良い。）
マッピング部３０６Ａは、インタリーブ後のデータ３０５Ａ、フレーム構成信号３１３を入力とし、ＱＰＳＫ（Ｑｕａｄｒａｔｕｒｅ  Ｐｈａｓｅ  Ｓｈｉｆｔ  Ｋｅｙｉｎｇ）、１６ＱＡＭ（１６  Ｑｕａｄｒａｔｕｒｅ  Ａｍｐｌｉｔｕｄｅ  Ｍｏｄｕｌａｔｉｏｎ）、６４ＱＡＭ（６４  Ｑｕａｄｒａｔｕｒｅ  Ａｍｐｌｉｔｕｄｅ  Ｍｏｄｕｌａｔｉｏｎ）等の変調を施し、ベースバンド信号３０７Ａを出力する。（フレーム構成信号３１３に基づき、変調方式は、切り替えても良い。）
図１９は、ＱＰＳＫ変調におけるベースバンド信号を構成する同相成分Ｉと直交成分ＱのＩＱ平面におけるマッピング方法の一例としている。例えば、図１９（Ａ）のように、入力データが「００」の場合、Ｉ＝１．０、Ｑ＝１．０が出力され、以下同様に、入力データが「０１」の場合、Ｉ＝―１．０、Ｑ＝１．０が出力され、・・・、が出力される。図１９（Ｂ）は、図１９（Ａ）とは異なるＱＰＳＫ変調のＩＱ平面におけるマッピング方法の例であり、図１９（Ｂ）が図１９（Ａ）と異なる点は、図１９（Ａ）における信号点が、原点を中心に回転させることで図１９（Ｂ）の信号点を得ることができる。このようなコンスタレーションの回転方法については、非特許文献９、非特許文献１０に示されており、また、非特許文献９、非特許文献１０に示されているCyclic Q Delayを適用してもよい。図１９とは別の例として、図２０に１６ＱＡＭのときのＩＱ平面における信号点配置を示しており、図１９（Ａ）に相当する例が図２０（Ａ）であり、図１９（Ｂ）に相当する例が図２０（Ｂ）となる。
【００８５】
符号化部３０２Ｂは、情報（データ）３０１Ｂ、フレーム構成信号３１３を入力とし、フレーム構成信号３１３（使用する誤り訂正方式、符号化率、ブロック長等の情報が含まれており、フレーム構成信号３１３が指定した方式を用いることになる。また、誤り訂正方式は、切り替えても良い。）にしたがい、例えば、畳み込み符号、ＬＤＰＣ符号、ターボ符号等の誤り訂正符号化を行い、符号化後のデータ３０３Ｂを出力する。
【００８６】
インタリーバ３０４Ｂは、符号化後のデータ３０３Ｂ、フレーム構成信号３１３を入力とし、インタリーブ、つまり、順番の並び替えを行い、インタリーブ後のデータ３０５Ｂを出力する。（フレーム構成信号３１３に基づき、インタリーブの方法は、切り替えても良い。）
マッピング部３０６Ｂは、インタリーブ後のデータ３０５Ｂ、フレーム構成信号３１３を入力とし、ＱＰＳＫ（Ｑｕａｄｒａｔｕｒｅ  Ｐｈａｓｅ  Ｓｈｉｆｔ  Ｋｅｙｉｎｇ）、１６ＱＡＭ（１６  Ｑｕａｄｒａｔｕｒｅ  Ａｍｐｌｉｔｕｄｅ  Ｍｏｄｕｌａｔｉｏｎ）、６４ＱＡＭ（６４  Ｑｕａｄｒａｔｕｒｅ  Ａｍｐｌｉｔｕｄｅ  Ｍｏｄｕｌａｔｉｏｎ）等の変調を施し、ベースバンド信号３０７Ｂを出力する。（フレーム構成信号３１３に基づき、変調方式は、切り替えても良い。）
信号処理方法情報生成部３１４は、フレーム構成信号３１３を入力とし、フレーム構成信号３１３に基づいた信号処理方法に関する情報３１５を出力する。なお、信号処理方法に関する情報３１５は、どのプリコーディング行列を固定的に用いるのかを指定する情報と、位相を変更する位相変更パターンの情報を含む。
【００８７】
重み付け合成部３０８Ａは、ベースバンド信号３０７Ａ、ベースバンド信号３０７Ｂ、信号処理方法に関する情報３１５を入力とし、信号処理方法に関する情報３１５に基づいて、ベースバンド信号３０７Ａおよびベースバンド信号３０７Ｂを重み付け合成し、重み付け合成後の信号３０９Ａを出力する。なお、重み付け合成の方法の詳細については、後で詳しく説明する。
【００８８】
無線部３１０Ａは、重み付け合成後の信号３０９Ａを入力とし、直交変調、帯域制限、周波数変換、増幅等の処理を施し、送信信号３１１Ａを出力し、送信信号３１１Ａは、アンテナ３１２Ａから電波として出力される。
【００８９】
重み付け合成部３０８Ｂは、ベースバンド信号３０７Ａ、ベースバンド信号３０７Ｂ、信号処理方法に関する情報３１５を入力とし、信号処理方法に関する情報３１５に基づいて、ベースバンド信号３０７Ａおよびベースバンド信号３０７Ｂを重み付け合成し、重み付け合成後の信号３１６Ｂを出力する。
【００９０】
図２１に重み付け合成部（３０８Ａ、３０８Ｂ）の構成を示す。図２１において点線で囲まれる領域が重み付け合成部となる。ベースバンド信号３０７Ａは、ｗ１１と乗算し、ｗ１１・ｓ１（ｔ）を生成し、ｗ２１と乗算し、ｗ２１・ｓ１（ｔ）を生成する。同様に、ベースバンド信号３０７Ｂは、ｗ１２と乗算し、ｗ１２・ｓ２（ｔ）を生成し、ｗ２２と乗算し、ｗ２２・ｓ２（ｔ）を生成する。次に、ｚ１（ｔ）＝ｗ１１・ｓ１（ｔ）＋ｗ１２・ｓ２（ｔ）、ｚ２（ｔ）＝ｗ２１・ｓ１（ｔ）＋ｗ２２・ｓ２（ｔ）を得る。このとき、ｓ１（ｔ）およびｓ２（ｔ）は、上記の説明からわかるように、ＢＰＳＫ（Binary Phase Shift Keying）、ＱＰＳＫ、８ＰＳＫ（8 Phase Shift Keying）、１６ＱＡＭ、３２ＱＡＭ（32 Quadrature Amplitude Modulation）、６４ＱＡＭ、２５６ＱＡＭ、１６ＡＰＳＫ（16 Amplitude Phase Shift Keying）等の変調方式のベースバンド信号となる。
【００９１】
ここで、両重み付け合成部は、固定のプリコーディング行列を用いて重み付けを実行するものとし、プリコーディング行列としては、一例として、下記式（３７）又は式（３８）の条件のもと、式（３６）を用いる方法がある。但し、これは一例であり、αの値は、式（３７）、式（３８）に限ったものではなく、別の値、例えば、αを１、としてもよい。
【００９２】
なお、プリコーディング行列は、
【００９３】
【数３６】
2012144206.tif 000038
【００９４】
但し、上記式（３６）において、αは、
【００９５】
【数３７】
2012144206.tif 000039
【００９６】
である。
【００９７】
あるいは、上記式（３６）において、αは、
【００９８】
【数３８】
2012144206.tif 000040
【００９９】
である。
【０１００】
なお、プリコーディング行列は、式（３６）に限ったものではなく、式（３９）に示すものを用いてもよい。
【０１０１】
【数３９】
2012144206.tif 000041
【０１０２】
この式（３９）において、ａ＝Ａｅｊδ１１、ｂ＝Ｂｅｊδ１２、ｃ＝Ｃｅｊδ２１、ｄ＝Ｄｅｊδ２２であらわされればよい。また、ａ、ｂ、ｃ、ｄのいずれか一つが「ゼロ」であってもよい。例えば、（１）ａがゼロであり、ｂ、ｃ、ｄはゼロでない、（２）ｂがゼロであり、ａ、ｃ、ｄはゼロでない、（３）ｃがゼロであり、ａ、ｂ、ｄはゼロでない、（４）ｄがゼロであり、ａ、ｂ、ｃはゼロでない、という構成であってもよい。
【０１０３】
なお、変調方式、誤り訂正符号、その符号化率のいずれかを変更した時は、使用するプリコーディング行列を設定、変更し、そのプリコーディング行列を固定的に使用してもよい。
【０１０４】
位相変更部３１７Ｂは、重み付け合成後の信号３１６Ｂ及び信号処理方法に関する情報３１５を入力とし、当該信号３１６Ｂの位相を規則的に変更して出力する。規則的に変更するとは、予め定められた周期（例えば、ｎ個のシンボル毎（ｎは１以上の整数）あるいは予め定められた時間毎）で、予め定められた位相変更パターンに従って位相を変更する。位相変更パターンの詳細については、下記実施の形態４において説明する。
【０１０５】
無線部３１０Ｂは、位相変更後の信号３０９Ｂを入力とし、直交変調、帯域制限、周波数変換、増幅等の処理を施し、送信信号３１１Ｂを出力し、送信信号３１１Ｂは、アンテナ３１２Ｂから電波として出力される。
【０１０６】
図４は、図３とは異なる送信装置４００の構成例を示している。図４において、図３と異なる部分について説明する。
【０１０７】
符号化部４０２は、情報（データ）４０１、フレーム構成信号３１３を入力とし、フレーム構成信号３１３に基づき、誤り訂正符号化を行い、符号化後のデータ４０２を出力する。
【０１０８】
分配部４０４は符号化後のデータ４０３を入力とし、分配し、データ４０５Ａおよびデータ４０５Ｂを出力する。なお、図４では、符号化部が一つの場合を記載したが、これに限ったものではなく、符号化部をｍ（ｍは１以上の整数）とし、各符号化部で作成された符号化データを分配部が、２系統のデータにわけて出力する場合についても、本発明は同様に実施することができる。
【０１０９】
図５は、本実施の形態における送信装置の時間軸におけるフレーム構成の一例を示している。シンボル５００＿１は、受信装置に、送信方法を通知するためのシンボルであり、例えば、データシンボルを伝送するために用いる誤り訂正方式、その符号化率の情報、データシンボルを伝送するために用いる変調方式の情報等を伝送する。
【０１１０】
シンボル５０１＿１は、送信装置が送信する変調信号ｚ１（ｔ）｛ただし、ｔは時間｝のチャネル変動を推定するためのシンボルである。シンボル５０２＿１は変調信号ｚ１（ｔ）が（時間軸における）シンボル番号ｕに送信するデータシンボル、シンボル５０３＿１は変調信号ｚ１（ｔ）がシンボル番号ｕ＋１に送信するデータシンボルである。
【０１１１】
シンボル５０１＿２は、送信装置が送信する変調信号ｚ２（ｔ）｛ただし、ｔは時間｝のチャネル変動を推定するためのシンボルである。シンボル５０２＿２は変調信号ｚ２（ｔ）がシンボル番号ｕに送信するデータシンボル、シンボル５０３＿２は変調信号ｚ２（ｔ）がシンボル番号ｕ＋１に送信するデータシンボルである。
【０１１２】
このとき、ｚ１（ｔ）におけるシンボルとｚ２（ｔ）におけるシンボルにおいて、同一時刻（同一時間）のシンボルは、同一（共通）の周波数を用いて、送信アンテナから送信されることになる。
【０１１３】
送信装置が送信する変調信号ｚ１（ｔ）と変調信号ｚ２（ｔ）、及び、受信装置における受信信号ｒ１（ｔ）、ｒ２（ｔ）の関係について説明する。
【０１１４】
図５において、５０４＃１、５０４＃２は送信装置における送信アンテナ、５０５＃１、５０５＃２は受信装置における受信アンテナを示しており、送信装置は、変調信号ｚ１（ｔ）を送信アンテナ５０４＃１、変調信号ｚ２（ｔ）を送信アンテナ５０４＃２から送信する。このとき、変調信号ｚ１（ｔ）および変調信号ｚ２（ｔ）は、同一（共通の）周波数（帯域）を占有しているものとする。送信装置の各送信アンテナと受信装置の各アンテナのチャネル変動をそれぞれｈ１１（ｔ）、ｈ１２（ｔ）、ｈ２１（ｔ）、ｈ２２（ｔ）とし、受信装置の受信アンテナ５０５＃１が受信した受信信号をｒ１（ｔ）、受信装置の受信アンテナ５０５＃２が受信した受信信号をｒ２（ｔ）とすると、以下の関係式が成立する。
【０１１５】
【数４０】
2012144206.tif 000042
【０１１６】
図６は、本実施の形態における重み付け方法（プリコーディング（Ｐｒｅｃｏｄｉｎｇ）方法）及び位相変更方法に関連する図であり、重み付け合成部６００は、図３の重み付け合成部３０８Ａと３０８Ｂの両者を統合した重み付け合成部である。図６に示すように、ストリームｓ１（ｔ）およびストリームｓ２（ｔ）は、図３のベースバンド信号３０７Ａおよび３０７Ｂに相当する、つまり、ＱＰＳＫ、１６ＱＡＭ、６４ＱＡＭなどの変調方式のマッピングにしたがったベースバンド信号の同相Ｉ成分、直交Ｑ成分となる。そして、図６のフレーム構成のようにストリームｓ１（ｔ）は、シンボル番号ｕの信号をｓ１（ｕ）、シンボル番号ｕ＋１の信号をｓ１（ｕ＋１）、・・・とあらわす。同様に、ストリームｓ２（ｔ）は、シンボル番号ｕの信号をｓ２（ｕ）、シンボル番号ｕ＋１の信号をｓ２（ｕ＋１）、・・・とあらわす。そして、重み付け合成部６００は、図３におけるベースバンド信号３０７Ａ（ｓ１（ｔ））および３０７Ｂ（ｓ２（ｔ））、信号処理方法に関する情報３１５を入力とし、信号処理方法に関する情報３１５にしたがった重み付けを施し、図３の重み付け合成後の信号３０９Ａ（ｚ１（ｔ））、３１６Ｂ（ｚ２’（ｔ））を出力する。位相変更部３１７Ｂは、重み付けされた信号３１６Ｂ（ｚ２’（ｔ））の位相を変更し、位相変更後の信号３０９Ｂ（ｚ２（ｔ））を出力する。
【０１１７】
このとき、ｚ１（ｔ）は、固定のプリコーディング行列Ｆにおける第１行のベクトルをＷ１＝（ｗ１１，ｗ１２）とすると、以下の式（４１）であらわすことができる。
【０１１８】
【数４１】
2012144206.tif 000043
【０１１９】
一方、ｚ２（ｔ）は、固定のプリコーディング行列Ｆにおける第２行のベクトルをＷ２＝（ｗ２１，ｗ２２）とし、位相変更部による位相変更式をｙ（ｔ）とすると、以下の式（４２）であらわすことができる。
【０１２０】
【数４２】
2012144206.tif 000044
【０１２１】
ここで、ｙ（ｔ）は、予め定められた方式に従って、位相を変更するための式であり、例えば、周期を４とすると、時刻ｕの位相変更式は、例えば、式（４３）であらわすことができる。
【０１２２】
【数４３】
2012144206.tif 000045
【０１２３】
同様に時刻ｕ＋１の位相変更式は、例えば、式（４４）であらわすことができる。
【０１２４】
【数４４】
2012144206.tif 000046
【０１２５】
即ち、時刻ｕ＋ｋの位相変更式は、式（４５）であらわすことができる。
【０１２６】
【数４５】
2012144206.tif 000047
【０１２７】
なお、式（４３）〜（４５）に示した規則的な位相変更例は一例に過ぎない。
【０１２８】
規則的な位相変更の周期は４に限ったものではない。この周期の数が多くなればその分だけ、受信装置の受信性能（より正確には誤り訂正性能）の向上を促すことができる可能性がある（周期が大きければよいというわけではないが、２のような小さい値は避ける方がよい可能性が高い。）。
【０１２９】
また、上記式（４３）〜（４５）で示した位相変更例では逐次所定の位相（上記式では、π／２ずつ）だけ回転させていく構成を示したが、同じ位相量だけ回転させるのではなくランダムに位相を変更することとしてもよい。例えば、ｙ（ｔ）は予め定められた周期に従って、式（４６）や式（４７）に示すような順に乗じる位相が変更されてもよい。位相の規則的な変更において重要となるのは、変調信号の位相が規則的に変更されることであり、変更される位相の度合いについては、なるべく均等になる、例えば、−πラジアンからπラジアンに対し、一様分布となるのが望ましいもののランダムであってもよい。
【０１３０】
【数４６】
2012144206.tif 000048
【０１３１】
【数４７】
2012144206.tif 000049
【０１３２】
このように、図６の重み付け合成部６００は、予め定められた固定のプリコーディングウェイトを用いてプリコーディングを実行し、位相変更部３１７Ｂは、入力された信号の位相を、その変更度合いを規則的に変えながら、変更する。
【０１３３】
ＬＯＳ環境では、特殊なプリコーディング行列を用いると、受信品質が大きく改善する可能性があるが、直接波の状況により、その特殊なプリコーディング行列は受信した際の直接波の位相、振幅成分により異なる。しかし、ＬＯＳ環境には、ある規則があり、この規則に従い送信信号の位相を規則的に変更すれば、データの受信品質が大きく改善する。本発明は、ＬＯＳ環境を改善する信号処理方法を提案している。
【０１３４】
図７は、本実施の形態における受信装置７００の構成の一例を示している。無線部７０３＿Ｘは、アンテナ７０１＿Ｘで受信された受信信号７０２＿Ｘを入力とし、周波数変換、直交復調等の処理を施し、ベースバンド信号７０４＿Ｘを出力する。
【０１３５】
送信装置で送信された変調信号ｚ１におけるチャネル変動推定部７０５＿１は、ベースバンド信号７０４＿Ｘを入力とし、図５におけるチャネル推定用のリファレンスシンボル５０１＿１を抽出し、式（４０）のｈ１１に相当する値を推定し、チャネル推定信号７０６＿１を出力する。
【０１３６】
送信装置で送信された変調信号ｚ２におけるチャネル変動推定部７０５＿２は、ベースバンド信号７０４＿Ｘを入力とし、図５におけるチャネル推定用のリファレンスシンボル５０１＿２を抽出し、式（４０）のｈ１２に相当する値を推定し、チャネル推定信号７０６＿２を出力する。
【０１３７】
無線部７０３＿Ｙは、アンテナ７０１＿Ｙで受信された受信信号７０２＿Ｙを入力とし、周波数変換、直交復調等の処理を施し、ベースバンド信号７０４＿Ｙを出力する。
【０１３８】
送信装置で送信された変調信号ｚ１におけるチャネル変動推定部７０７＿１は、ベースバンド信号７０４＿Ｙを入力とし、図５におけるチャネル推定用のリファレンスシンボル５０１＿１を抽出し、式（４０）のｈ２１に相当する値を推定し、チャネル推定信号７０８＿１を出力する。
【０１３９】
送信装置で送信された変調信号ｚ２におけるチャネル変動推定部７０７＿２は、ベースバンド信号７０４＿Ｙを入力とし、図５におけるチャネル推定用のリファレンスシンボル５０１＿２を抽出し、式（４０）のｈ２２に相当する値を推定し、チャネル推定信号７０８＿２を出力する。
【０１４０】
制御情報復号部７０９は、ベースバンド信号７０４＿Ｘおよび７０４＿Ｙを入力とし、図５の送信方法を通知するためのシンボル５００＿１を検出し、送信装置が通知した送信方法の情報に関する信号７１０を出力する。
【０１４１】
信号処理部７１１は、ベースバンド信号７０４＿Ｘ、７０４＿Ｙ、チャネル推定信号７０６＿１、７０６＿２、７０８＿１、７０８＿２、及び、送信装置が通知した送信方法の情報に関する信号７１０を入力とし、検波、復号を行い、受信データ７１２＿１および７１２＿２を出力する。
【０１４２】
次に、図７の信号処理部７１１の動作について詳しく説明する。図８は、本実施の形態における信号処理部７１１の構成の一例を示している。図８は、主にＩＮＮＥＲ  ＭＩＭＯ検波部とｓｏｆｔ−ｉｎ／ｓｏｆｔ−ｏｕｔデコーダ、係数生成部から構成されている。この構成における反復復号の方法については、非特許文献２、非特許文献３で詳細が述べられているが、非特許文献２、非特許文献３に記載されているＭＩＭＯ伝送方式は空間多重ＭＩＭＯ伝送方式であるが、本実施の形態における伝送方式は、時間とともに信号の位相を規則的に変更し、かつ、プリコーディング行列が使用されているＭＩＭＯ伝送方式である点が、非特許文献２、非特許文献３と異なる点である。式（３６）における（チャネル）行列をＨ（ｔ）、図６におけるプリコーディングウェイト行列をＦ（ここでプリコーディング行列は１の受信信号中においては変更されない固定のものである）、図６の位相変更部による位相変更式の行列をＹ（ｔ）（ここでＹ（ｔ）はｔによって変化する）、受信ベクトルをＲ（ｔ）＝（ｒ１（ｔ），ｒ２（ｔ））Ｔ、ストリームベクトルＳ（ｔ）＝（ｓ１（ｔ），ｓ２（ｔ））Ｔとすると以下の関係式が成立する。
【０１４３】
【数４８】
2012144206.tif 000050
【０１４４】
このとき、受信装置は、Ｈ（ｔ）×Ｙ（ｔ）×Ｆを得ることで、受信ベクトルＲ（ｔ）に対して非特許文献２、非特許文献３の復号方法を適用することができる。
【０１４５】
したがって、図８の係数生成部８１９は、送信装置が通知した送信方法の情報（用いた固定のプリコーディング行列及び位相を変更していた場合の位相変更パターンを特定するための情報）に関する信号８１８（図７の７１０に相当）を入力とし、信号処理方法の情報に関する信号８２０を出力する。
【０１４６】
ＩＮＮＥＲ  ＭＩＭＯ検波部８０３は、信号処理方法の情報に関する信号８２０を入力とし、この信号を利用して、式（４８）の関係を利用することで、反復検波・復号を行うことになるがその動作について説明する。
【０１４７】
図８に示す構成の信号処理部では、反復復号（反復検波）を行うため図１０に示すような処理方法を行う必要がある。初めに、変調信号（ストリーム）ｓ１の１符号語（または、１フレーム）、および、変調信号（ストリーム）ｓ２の１符号語（または、１フレーム）の復号を行う。その結果、ｓｏｆｔ−ｉｎ／ｓｏｆｔ−ｏｕｔデコーダから、変調信号（ストリーム）ｓ１の１符号語（または、１フレーム）、および、変調信号（ストリーム）ｓ２の１符号語（または、１フレーム）の各ビットの対数尤度比（ＬＬＲ：Ｌｏｇ−Ｌｉｋｅｌｉｈｏｏｄ  Ｒａｔｉｏ）が得られる。そして、そのＬＬＲを用いて再度、検波・復号が行われる。この操作が複数回行われる（この操作を反復復号（反復検波）と呼ぶ。）。以降では、１フレームにおける特定の時間のシンボルの対数尤度比（ＬＬＲ）の作成方法を中心に説明する。
【０１４８】
図８において、記憶部８１５は、ベースバンド信号８０１Ｘ（図７のベースバンド信号７０４＿Ｘに相当する。）、チャネル推定信号群８０２Ｘ（図７のチャネル推定信号７０６＿１、７０６＿２に相当する。）、ベースバンド信号８０１Ｙ（図７のベースバンド信号７０４＿Ｙに相当する。）、チャネル推定信号群８０２Ｙ（図７のチャネル推定信号７０８＿１、７０８＿２に相当する。）を入力とし、反復復号（反復検波）を実現するために、式（４８）におけるＨ（ｔ）×Ｙ（ｔ）×Ｆを実行（算出）し、算出した行列を変形チャネル信号群として記憶する。そして、記憶部８１５は、必要なときに上記信号を、ベースバンド信号８１６Ｘ、変形チャネル推定信号群８１７Ｘ、ベースバンド信号８１６Ｙ、変形チャネル推定信号群８１７Ｙとして出力する。
【０１４９】
その後の動作については、初期検波の場合と反復復号（反復検波）の場合を分けて説明する。
【０１５０】
＜初期検波の場合＞
ＩＮＮＥＲ  ＭＩＭＯ検波部８０３は、ベースバンド信号８０１Ｘ、チャネル推定信号群８０２Ｘ、ベースバンド信号８０１Ｙ、チャネル推定信号群８０２Ｙを入力とする。ここでは、変調信号（ストリーム）ｓ１、変調信号（ストリーム）ｓ２の変調方式が１６ＱＡＭとして説明する。
【０１５１】
ＩＮＮＥＲ  ＭＩＭＯ検波部８０３は、まず、チャネル推定信号群８０２Ｘ、チャネル推定信号群８０２ＹからＨ（ｔ）×Ｙ（ｔ）×Ｆを実行し、ベースバンド信号８０１Ｘに対応する候補信号点を求める。そのときの様子を図１１に示す。図１１において、●（黒丸）は、ＩＱ平面における候補信号点であり、変調方式が１６ＱＡＭのため、候補信号点は２５６個存在する。（ただし、図１１では、イメージ図を示しているため、２５６個の候補信号点全ては示していない。）ここで、変調信号ｓ１で伝送する４ビットをｂ０、ｂ１、ｂ２、ｂ３、変調信号ｓ２で伝送する４ビットをｂ４、ｂ５、ｂ６、ｂ７とすると、図１１において（ｂ０，ｂ１，ｂ２，ｂ３，ｂ４，ｂ５，ｂ６，ｂ７）に対応する候補信号点が存在することになる。そして、受信信号点１１０１（ベースバンド信号８０１Ｘに相当する。）と候補信号点それぞれとの２乗ユークリッド距離を求める。そして、それぞれの２乗ユークリッド距離をノイズの分散σ２で除算する。したがって、（ｂ０，ｂ１，ｂ２，ｂ３，ｂ４，ｂ５，ｂ６，ｂ７）に対応する候補信号点と受信信号点２乗ユークリッド距離をノイズの分散で除算した値をＥＸ（ｂ０，ｂ１，ｂ２，ｂ３，ｂ４，ｂ５，ｂ６，ｂ７）が求まることになる。なお、各ベースバンド信号、変調信号ｓ１、ｓ２は、複素信号である。
【０１５２】
同様に、チャネル推定信号群８０２Ｘ、チャネル推定信号群８０２ＹからＨ（ｔ）×Ｙ（ｔ）×Ｆを実行し、ベースバンド信号８０１Ｙに対応する候補信号点をもとめ、受信信号点（ベースバンド信号８０１Ｙに相当する。）との２乗ユークリッド距離を求め、この２乗ユークリッド距離をノイズの分散σ２で除算する。したがって、（ｂ０，ｂ１，ｂ２，ｂ３，ｂ４，ｂ５，ｂ６，ｂ７）に対応する候補信号点と受信信号点２乗ユークリッド距離をノイズの分散で除算した値をＥＹ（ｂ０，ｂ１，ｂ２，ｂ３，ｂ４，ｂ５，ｂ６，ｂ７）が求まることになる。
【０１５３】
そして、ＥＸ（ｂ０，ｂ１，ｂ２，ｂ３，ｂ４，ｂ５，ｂ６，ｂ７）＋ＥＹ（ｂ０，ｂ１，ｂ２，ｂ３，ｂ４，ｂ５，ｂ６，ｂ７）＝Ｅ（ｂ０，ｂ１，ｂ２，ｂ３，ｂ４，ｂ５，ｂ６，ｂ７）を求める。
【０１５４】
ＩＮＮＥＲ  ＭＩＭＯ検波部８０３は、Ｅ（ｂ０，ｂ１，ｂ２，ｂ３，ｂ４，ｂ５，ｂ６，ｂ７）を信号８０４として出力する。
【０１５５】
対数尤度算出部８０５Ａは、信号８０４を入力とし、ビットｂ０およびｂ１およびｂ２およびｂ３の対数尤度（ｌｏｇ  ｌｉｋｅｌｉｈｏｏｄ）を算出し、対数尤度信号８０６Ａを出力する。ただし、対数尤度の算出では、“１”のときの対数尤度および“０”のときの対数尤度が算出される。その算出方法は、式（２８）、式（２９）、式（３０）に示した通りであり、詳細については、非特許文献２、非特許文献３に示されている。
【０１５６】
同様に、対数尤度算出部８０５Ｂは、信号８０４を入力とし、ビットｂ４およびｂ５およびｂ６およびｂ７の対数尤度を算出し、対数尤度信号８０６Ｂを出力する。
【０１５７】
デインタリーバ（８０７Ａ）は、対数尤度信号８０６Ａを入力とし、インタリーバ（図３のインタリーバ（３０４Ａ））に対応するデインタリーブを行い、デインタリーブ後の対数尤度信号８０８Ａを出力する。
【０１５８】
同様に、デインタリーバ（８０７Ｂ）は、対数尤度信号８０６Ｂを入力とし、インタリーバ（図３のインタリーバ（３０４Ｂ））に対応するデインタリーブを行い、デインタリーブ後の対数尤度信号８０８Ｂを出力する。
【０１５９】
対数尤度比算出部８０９Ａは、デインタリーブ後の対数尤度信号８０８Ａを入力とし、図３の符号化器３０２Ａで符号化されたビットの対数尤度比（ＬＬＲ：Ｌｏｇ−Ｌｉｋｅｌｉｈｏｏｄ  Ｒａｔｉｏ）を算出し、対数尤度比信号８１０Ａを出力する。
【０１６０】
同様に、対数尤度比算出部８０９Ｂは、デインタリーブ後の対数尤度信号８０８Ｂを入力とし、図３の符号化器３０２Ｂで符号化されたビットの対数尤度比（ＬＬＲ：Ｌｏｇ−Ｌｉｋｅｌｉｈｏｏｄ  Ｒａｔｉｏ）を算出し、対数尤度比信号８１０Ｂを出力する。
【０１６１】
Ｓｏｆｔ−ｉｎ／ｓｏｆｔ−ｏｕｔデコーダ８１１Ａは、対数尤度比信号８１０Ａを入力とし、復号を行い、復号後の対数尤度比８１２Ａを出力する。
【０１６２】
同様に、Ｓｏｆｔ−ｉｎ／ｓｏｆｔ−ｏｕｔデコーダ８１１Ｂは、対数尤度比信号８１０Ｂを入力とし、復号を行い、復号後の対数尤度比８１２Ｂを出力する。
【０１６３】
＜反復復号（反復検波）の場合、反復回数ｋ＞
インタリーバ（８１３Ａ）は、ｋ−１回目のｓｏｆｔ−ｉｎ／ｓｏｆｔ−ｏｕｔデコードで得られた復号後の対数尤度比８１２Ａを入力とし、インタリーブを行い、インタリーブ後の対数尤度比８１４Ａを出力する。このとき、インタリーブ（８１３Ａ）のインタリーブのパターンは、図３のインタリーバ（３０４Ａ）のインタリーブパターンと同様である。
【０１６４】
インタリーバ（８１３Ｂ）は、ｋ−１回目のｓｏｆｔ−ｉｎ／ｓｏｆｔ−ｏｕｔデコードで得られた復号後の対数尤度比８１２Ｂを入力とし、インタリーブを行い、インタリーブ後の対数尤度比８１４Ｂを出力する。このとき、インタリーブ（８１３Ｂ）のインタリーブのパターンは、図３のインタリーバ（３０４Ｂ）のインタリーブパターンと同様である。
【０１６５】
ＩＮＮＥＲ  ＭＩＭＯ検波部８０３は、ベースバンド信号８１６Ｘ、変形チャネル推定信号群８１７Ｘ、ベースバンド信号８１６Ｙ、変形チャネル推定信号群８１７Ｙ、インタリーブ後の対数尤度比８１４Ａ、インタリーブ後の対数尤度比８１４Ｂを入力とする。ここで、ベースバンド信号８０１Ｘ、チャネル推定信号群８０２Ｘ、ベースバンド信号８０１Ｙ、チャネル推定信号群８０２Ｙではなく、ベースバンド信号８１６Ｘ、変形チャネル推定信号群８１７Ｘ、ベースバンド信号８１６Ｙ、変形チャネル推定信号群８１７Ｙを用いているのは、反復復号のため、遅延時間が発生しているためである。
【０１６６】
ＩＮＮＥＲ  ＭＩＭＯ検波部８０３の反復復号時の動作と、初期検波時の動作の異なる点は、インタリーブ後の対数尤度比８１４Ａ、インタリーブ後の対数尤度比８１４Ｂを信号処理の際に用いていることである。ＩＮＮＥＲ  ＭＩＭＯ検波部８０３は、まず、初期検波のときと同様に、Ｅ（ｂ０，ｂ１，ｂ２，ｂ３，ｂ４，ｂ５，ｂ６，ｂ７）を求める。加えて、インタリーブ後の対数尤度比８１４Ａ、インタリーブ後の対数尤度比８１４Ｂから、式（１１）、式（３２）に相当する係数を求める。そして、Ｅ（ｂ０，ｂ１，ｂ２，ｂ３，ｂ４，ｂ５，ｂ６，ｂ７）の値をこの求めた係数を用いて補正し、その値をＥ’（ｂ０，ｂ１，ｂ２，ｂ３，ｂ４，ｂ５，ｂ６，ｂ７）とし、信号８０４として出力する。
【０１６７】
対数尤度算出部８０５Ａは、信号８０４を入力とし、ビットｂ０およびｂ１およびｂ２およびｂ３の対数尤度（ｌｏｇ  ｌｉｋｅｌｉｈｏｏｄ）を算出し、対数尤度信号８０６Ａを出力する。ただし、対数尤度の算出では、“１”のときの対数尤度および“０”のときの対数尤度が算出される。その算出方法は、式（３１）、式（３２）、式（３３）、式（３４）、式（３５）に示した通りであり、非特許文献２、非特許文献３に示されている。
【０１６８】
同様に、対数尤度算出部８０５Ｂは、信号８０４を入力とし、ビットｂ４およびｂ５およびｂ６およびｂ７の対数尤度を算出し、対数尤度信号８０６Ｂを出力する。デインタリーバ以降の動作は、初期検波と同様である。
【０１６９】
なお、図８では、反復検波を行う場合の、信号処理部の構成について示したが、反復検波は必ずしも良好な受信品質を得る上で必須の構成ではなく、反復検波のみに必要とする構成部分、インタリーバ８１３Ａ、８１３Ｂを有していない構成でもよい。このとき、ＩＮＮＥＲ  ＭＩＭＯ検波部８０３は、反復的な検波を行わないことになる。
【０１７０】
そして、本実施の形態で重要な部分は、Ｈ（ｔ）×Ｙ（ｔ）×Ｆの演算を行うことである。なお、非特許文献５等に示されているように、ＱＲ分解を用いて初期検波、反復検波を行ってもよい。
【０１７１】
また、非特許文献１１に示されているように、Ｈ（ｔ）×Ｙ（ｔ）×Ｆに基づき、MMSE（Minimum Mean Square Error）、ZF（Zero Forcing）の線形演算を行い、初期検波を行ってもよい。
【０１７２】
図９は、図８と異なる信号処理部の構成であり、図４の送信装置が送信した変調信号のための信号処理部である。図８と異なる点は、ｓｏｆｔ−ｉｎ／ｓｏｆｔ−ｏｕｔデコーダの数であり、ｓｏｆｔ−ｉｎ／ｓｏｆｔ−ｏｕｔデコーダ９０１は、対数尤度比信号８１０Ａ、８１０Ｂを入力とし、復号を行い、復号後の対数尤度比９０２を出力する。分配部９０３は、復号後の対数尤度比９０２を入力とし、分配を行う。それ以外の部分については、図８と同様の動作となる。
【０１７３】
以上のように、本実施の形態のように、ＭＩＭＯ伝送システムの送信装置が複数アンテナから複数の変調信号を送信する際、プリコーディング行列を乗算するとともに、時間とともに位相を変更し、この位相の変更を規則的に行うことで、直接波が支配的なＬＯＳ環境において、従来の空間多重ＭＩＭＯ伝送を用いるときと比べ、受信装置におけるデータの受信品質が向上するという効果を得ることができる。
【０１７４】
本実施の形態において、特に、受信装置の構成については、アンテナ数を限定して、動作を説明したが、アンテナ数が増えても、同様に実施することができる。つまり、受信装置におけるアンテナ数は、本実施の形態の動作、効果に影響を与えるものではない。
【０１７５】
また、本実施の形態では、特にＬＤＰＣ符号を例に説明したがこれに限ったものではなく、また、復号方法についても、ｓｏｆｔ−ｉｎ／ｓｏｆｔ−ｏｕｔデコーダとして、ｓｕｍ−ｐｒｏｄｕｃｔ復号を例に限ったものではなく、他のｓｏｆｔ−ｉｎ／ｓｏｆｔ−ｏｕｔの復号方法、例えば、ＢＣＪＲアルゴリズム、ＳＯＶＡアルゴリズム、Ｍａｘ−ｌｏｇ−ＭＡＰアルゴリズムなどがある。詳細については、非特許文献６に示されている。
【０１７６】
また、本実施の形態では、シングルキャリア方式を例に説明したが、これに限ったものではなく、マルチキャリア伝送を行った場合でも同様に実施することができる。したがって、例えば、スペクトル拡散通信方式、ＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）方式、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）、ＳＣ−ＯＦＤＭ（Ｓｉｎｇｌｅ  Ｃａｒｒｉｅｒ  Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）方式、非特許文献７等で示されているウェーブレットＯＦＤＭ方式等を用いた場合についても同様に実施することができる。また、本実施の形態では、データシンボル以外のシンボル、例えば、パイロットシンボル（プリアンブル、ユニークワード等）、制御情報の伝送用のシンボルなどが、フレームにどのように配置されていてもよい。
【０１７７】
以下では、マルチキャリア方式の一例として、ＯＦＤＭ方式を用いたときの例を説明する。
【０１７８】
図１２は、ＯＦＤＭ方式を用いたときの送信装置の構成を示している。図１２において、図３と同様に動作するものについては、同一符号を付した。
【０１７９】
ＯＦＤＭ方式関連処理部１２０１Ａは、重み付け後の信号３０９Ａを入力とし、ＯＦＤＭ方式関連の処理を施し、送信信号１２０２Ａを出力する。同様に、ＯＦＤＭ方式関連処理部１２０１Ｂは、位相変更後の信号３０９Ｂを入力とし、送信信号１２０２Ｂを出力する。
【０１８０】
図１３は、図１２のＯＦＤＭ方式関連処理部１２０１Ａ、１２０１Ｂ以降の構成の一例を示しており、図１２の１２０１Ａから３１２Ａに関連する部分が、１３０１Ａから１３１０Ａであり、１２０１Ｂから３１２Ｂに関連する部分が１３０１Ｂから１３１０Ｂである。
【０１８１】
シリアルパラレル変換部１３０２Ａは、重み付け後の信号１３０１Ａ（図１２の重み付け後の信号３０９Ａに相当する）シリアルパラレル変換を行い、パラレル信号１３０３Ａを出力する。
【０１８２】
並び換え部１３０４Ａは、パラレル信号１３０３Ａを入力とし、並び換えを行い、並び換え後の信号１３０５Ａを出力する。なお、並び換えについては、後で詳しく述べる。
【０１８３】
逆高速フーリエ変換部１３０６Ａは、並び換え後の信号１３０５Ａを入力とし、逆高速フーリエ変換を施し、逆フーリエ変換後の信号１３０７Ａを出力する。
【０１８４】
無線部１３０８Ａは、逆フーリエ変換後の信号１３０７Ａを入力とし、周波数変換、増幅等の処理を行い、変調信号１３０９Ａを出力し、変調信号１３０９Ａはアンテナ１３１０Ａから電波として出力される。
【０１８５】
シリアルパラレル変換部１３０２Ｂは、重み付けされ位相が変更された後の信号１３０１Ｂ（図１２の位相変更後の信号３０９Ｂに相当する）に対し、シリアルパラレル変換を行い、パラレル信号１３０３Ｂを出力する。
【０１８６】
並び換え部１３０４Ｂは、パラレル信号１３０３Ｂを入力とし、並び換えを行い、並び換え後の信号１３０５Ｂを出力する。なお、並び換えについては、後で詳しく述べる。
【０１８７】
逆高速フーリエ変換部１３０６Ｂは、並び換え後の信号１３０５Ｂを入力とし、逆高速フーリエ変換を施し、逆フーリエ変換後の信号１３０７Ｂを出力する。
【０１８８】
無線部１３０８Ｂは、逆フーリエ変換後の信号１３０７Ｂを入力とし、周波数変換、増幅等の処理を行い、変調信号１３０９Ｂを出力し、変調信号１３０９Ｂはアンテナ１３１０Ｂから電波として出力される。
【０１８９】
図３の送信装置では、マルチキャリアを用いた伝送方式でないため、図６のように、４周期となるように位相を変更し、位相変更後のシンボルを時間軸方向に配置している。図１２に示すようなＯＦＤＭ方式のようなマルチキャリア伝送方式を用いている場合、当然、図３のようにプリコーディングし、位相を変更した後のシンボルを時間軸方向に配置し、それを各（サブ）キャリアごとに行う方式が考えられるが、マルチキャリア伝送方式の場合、周波数軸方向、または、周波数軸・時間軸両者を用いて配置する方法が考えられる。以降では、この点について説明する。
【０１９０】
図１４は、横軸周波数、縦軸時間における、図１３の並び替え部１３０１Ａ、１３０１Ｂにおけるシンボルの並び替え方法の一例を示しており、周波数軸は、（サブ）キャリア０から（サブ）キャリア９で構成されており、変調信号ｚ１とｚ２は、同一時刻（時間）に同一の周波数帯域を使用しており、図１４（Ａ）は変調信号ｚ１のシンボルの並び替え方法、図１４（Ｂ）は変調信号ｚ２のシンボルの並び替え方法を示している。シリアルパラレル変換部１３０２Ａが入力とする重み付けされた後の信号１３０１Ａのシンボルに対し、順番に、＃０、＃１、＃２、＃３、・・・と番号をふる。ここでは、周期４の場合を考えているので、＃０、＃１、＃２、＃３が一周期分となる。同様に考えると、＃４ｎ、＃４ｎ＋１、＃４ｎ＋２、＃４ｎ＋３（ｎは０以上の整数）が一周期分となる。
【０１９１】
このとき、図１４（ａ）のように、シンボル＃０、＃１、＃２、＃３、・・・をキャリア０から順番に配置し、シンボル＃０から＃９を時刻＄１に配置し、その後、シンボル＃１０から＃１９を時刻＄２に配置するというように規則的に配置するものとする。なお、変調信号ｚ１とｚ２は、複素信号である。
【０１９２】
同様に、シリアルパラレル変換部１３０２Ｂが入力とする重み付けされ位相が変更された後の信号１３０１Ｂのシンボルに対し、順番に、＃０、＃１、＃２、＃３、・・・と番号をふる。ここでは、周期４の場合を考えているので、＃０、＃１、＃２、＃３はそれぞれ異なる位相変更を行っていることになり、＃０、＃１、＃２、＃３が一周期分となる。同様に考えると、＃４ｎ、＃４ｎ＋１、＃４ｎ＋２、＃４ｎ＋３（ｎは０以上の整数）はそれぞれ異なる位相変更を行っていることになり、＃４ｎ、＃４ｎ＋１、＃４ｎ＋２、＃４ｎ＋３が一周期分となる。
【０１９３】
このとき、図１４（ｂ）のように、シンボル＃０、＃１、＃２、＃３、・・・をキャリア０から順番に配置し、シンボル＃０から＃９を時刻＄１に配置し、その後、シンボル＃１０から＃１９を時刻＄２に配置するというように規則的に配置するものとする。
【０１９４】
そして、図１４（Ｂ）に示すシンボル群１４０２は、図６に示す位相変更方法を用いたときの１周期分のシンボルであり、シンボル＃０は図６の時刻ｕの位相を用いたときのシンボルであり、シンボル＃１は図６の時刻ｕ＋１の位相を用いたときのシンボルであり、シンボル＃２は図６の時刻ｕ＋２の位相を用いたときのシンボルであり、シンボル＃３は図６の時刻ｕ＋３の位相を用いたときのシンボルである。したがって、シンボル＃ｘにおいて、ｘ  ｍｏｄ  ４が０（ｘを４で割ったときの余り、したがって、ｍｏｄ：modulo）のとき、シンボル＃ｘは図６の時刻ｕの位相を用いたときのシンボルであり、ｘ  ｍｏｄ  ４が１のとき、シンボル＃ｘは図６の時刻ｕ＋１の位相を用いたときのシンボルであり、ｘ  ｍｏｄ  ４が２のとき、シンボル＃ｘは図６の時刻ｕ＋２の位相を用いたときのシンボルであり、ｘ  ｍｏｄ  ４が３のとき、シンボル＃ｘは図６の時刻ｕ＋３の位相を用いたときのシンボルである。
【０１９５】
なお、本実施の形態においては、図１４（Ａ）に示す変調信号ｚ１は位相を変更されていない。
【０１９６】
このように、ＯＦＤＭ方式などのマルチキャリア伝送方式を用いた場合、シングルキャリア伝送のときとは異なり、シンボルを周波数軸方向に並べることができるという特徴を持つことになる。そして、シンボルの並べ方については、図１４のような並べ方に限ったものではない。他の例について、図１５、図１６を用いて説明する。
【０１９７】
図１５は、図１４とは異なる、横軸周波数、縦軸時間における、図１３の並び替え部１３０１Ａ、１３０１Ｂにおけるシンボルの並び替え方法の一例を示しており、図１５（Ａ）は変調信号ｚ１のシンボルの並び替え方法、図１５（Ｂ）は変調信号ｚ２のシンボルの並び替え方法を示している。図１５（Ａ）（Ｂ）が図１４と異なる点は、変調信号ｚ１のシンボルの並び替え方法と変調信号ｚ２のシンボルの並び替え方法が異なる点であり、図１５（Ｂ）では、シンボル＃０から＃５をキャリア４からキャリア９に配置し、シンボル＃６から＃９をキャリア０から３に配置し、その後、同様の規則で、シンボル＃１０から＃１９を各キャリアに配置する。このとき、図１４（Ｂ）と同様に、図１５（Ｂ）に示すシンボル群１５０２は、図６に示す位相変更方法を用いたときの１周期分のシンボルである。
【０１９８】
図１６は、図１４と異なる、横軸周波数、縦軸時間における、図１３の並び替え部１３０１Ａ、１３０１Ｂにおけるシンボルの並び替え方法の一例を示しており、図１６（Ａ）は変調信号ｚ１のシンボルの並び替え方法、図１６（Ｂ）は変調信号ｚ２のシンボルの並び替え方法を示している。図１６（Ａ）（Ｂ）が図１４と異なる点は、図１４では、シンボルをキャリアに順々に配置しているのに対し、図１６では、シンボルをキャリアに順々に配置していない点である。当然であるが、図１６において、図１５と同様に、変調信号ｚ１のシンボルの並び替え方法と変調信号ｚ２の並び替え方法を異なるようにしてもよい。
【０１９９】
図１７は、図１４〜１６とは異なる、横軸周波数、縦軸時間における、図１３の並び替え部１３０１Ａ、１３０１Ｂにおけるシンボルの並び替え方法の一例を示しており、図１７（Ａ）は変調信号ｚ１のシンボルの並び替え方法、図１７（Ｂ）は変調信号ｚ２のシンボルの並び替え方法を示している。図１４〜１６では、シンボルを周波数軸方向に並べているが、図１７ではシンボルを周波数、時間軸の両者を利用して配置している。
【０２００】
図６では、位相の変更を４スロットで切り替える場合の例を説明したが、ここでは、８スロットで切り替える場合を例に説明する。図１７に示すシンボル群１７０２は、位相変更方法を用いたときの１周期分のシンボル（したがって、８シンボル）であり、シンボル＃０は時刻ｕの位相を用いたときのシンボルであり、シンボル＃１は時刻ｕ＋１の位相を用いたときのシンボルであり、シンボル＃２は時刻ｕ＋２の位相を用いたときのシンボルであり、シンボル＃３は時刻ｕ＋３の位相を用いたときのシンボルであり、シンボル＃４は時刻ｕ＋４の位相を用いたときのシンボルであり、シンボル＃５は時刻ｕ＋５の位相を用いたときのシンボルであり、シンボル＃６は時刻ｕ＋６の位相を用いたときのシンボルであり、シンボル＃７は時刻ｕ＋７の位相を用いたときのシンボルである。したがって、シンボル＃ｘにおいて、ｘ  ｍｏｄ  ８が０のとき、シンボル＃ｘは時刻ｕの位相を用いたときのシンボルであり、ｘ  ｍｏｄ  ８が１のとき、シンボル＃ｘは時刻ｕ＋１の位相を用いたときのシンボルであり、ｘ  ｍｏｄ  ８が２のとき、シンボル＃ｘは時刻ｕ＋２の位相を用いたときのシンボルであり、ｘ  ｍｏｄ  ８が３のとき、シンボル＃ｘは時刻ｕ＋３の位相を用いたときのシンボルであり、ｘ  ｍｏｄ  ８が４のとき、シンボル＃ｘは時刻ｕ＋４の位相を用いたときのシンボルであり、ｘ  ｍｏｄ  ８が５のとき、シンボル＃ｘは時刻ｕ＋５の位相を用いたときのシンボルであり、ｘ  ｍｏｄ  ８が６のとき、シンボル＃ｘは時刻ｕ＋６の位相を用いたときのシンボルであり、ｘ  ｍｏｄ  ８が７のとき、シンボル＃ｘは時刻ｕ＋７の位相を用いたときのシンボルである。図１７のシンボルの並べ方では、時間軸方向に４スロット、周波数軸方向で２スロットの計４×２＝８スロットを用いて、１周期分のシンボルを配置しているが、このとき、１周期分のシンボルの数をｍ×ｎシンボル（つまり、乗じる位相はｍ×ｎ種類存在する。）１周期分のシンボルを配置するのに使用する周波数軸方向のスロット（キャリア数）をｎ、時間軸方向に使用するスロットをｍとすると、ｍ＞ｎとするとよい。これは、直接波の位相は、時間軸方向の変動は、周波数軸方向の変動と比較し、緩やかである。したがって、定常的な直接波の影響を小さくするために本実施の形態の規則的な位相の変更を行うので、位相の変更を行う周期では直接波の変動を小さくしたい。したがって、ｍ＞ｎとするとよい。また、以上の点を考慮すると、周波数軸方向のみ、または、時間軸方向のみにシンボルを並び替えるより、図１７のように周波数軸と時間軸の両者を用いて並び換えを行うほうが、直接波は定常的になる可能性が高く、本発明の効果を得やすいという効果が得られる。ただし、周波数軸方向に並べると、周波数軸の変動が急峻であるため、ダイバーシチゲインを得ることが出来る可能性があるので、必ずしも周波数軸と時間軸の両者を用いて並び換えを行う方法が最適な方法であるとは限らない。
【０２０１】
図１８は、図１７とは異なる、横軸周波数、縦軸時間における、図１３の並び替え部１３０１Ａ、１３０１Ｂにおけるシンボルの並び替え方法の一例を示しており、図１８（Ａ）は変調信号ｚ１のシンボルの並び替え方法、図１８（Ｂ）は変調信号ｚ２のシンボルの並び替え方法を示している。図１８は、図１７と同様、シンボルを周波数、時間軸の両者を利用して配置しているが、図１７と異なる点は、図１７では、周波数方向を優先し、その後、時間軸方向にシンボルを配置しているのに対し、図１８では、時間軸方向を優先し、その後、周波数軸方向にシンボルを配置している点である。図１８において、シンボル群１８０２は、位相変更方法を用いたときの１周期分のシンボルである。
【０２０２】
なお、図１７、図１８では、図１５と同様に、変調信号ｚ１のシンボルの配置方法と変調信号ｚ２のシンボル配置方法が異なるように配置しても同様に実施することができ、また、高い受信品質を得ることができるという効果を得ることができる。また、図１７、図１８において、図１６のようにシンボルを順々に配置していなくても、同様に実施することができ、また、高い受信品質を得ることができるという効果を得ることができる。
【０２０３】
図２２は、上記とは異なる、横軸周波数、縦軸時間における図１３の並び替え部１３０１Ａ、１３０Ｂにおけるシンボルの並び換え方法の一例を示している。図６の時刻ｕ〜ｕ＋３のような４スロットを用いて規則的に位相を変更する場合を考える。図２２において特徴的な点は、周波数軸方向にシンボルを順に並べているが、時間軸方向に進めた場合、サイクリックにｎ（図２２の例ではｎ＝１）シンボルサイクリックシフトさせている点である。図２２における周波数軸方向のシンボル群２２１０に示した４シンボルにおいて、図６の時刻ｕ〜ｕ＋３の位相の変更を行うものとする。
【０２０４】
このとき、＃０のシンボルでは時刻ｕの位相を用いた位相変更、＃１では時刻ｕ＋１の位相を用いた位相変更、＃２では時刻ｕ＋２の位相を用いた位相変更、時刻ｕ＋３の位相を用いた位相変更を行うものとする。
【０２０５】
周波数軸方向のシンボル群２２２０についても同様に、＃４のシンボルでは時刻ｕの位相を用いた位相変更、＃５では時刻ｕ＋１の位相を用いた位相変更、＃６では時刻ｕ＋２の位相を用いた位相変更、＃７では時刻ｕ＋３の位相を用いた位相変更を行うものとする。
【０２０６】
時間＄１のシンボルにおいて、上記のような位相の変更を行ったが、時間軸方向において、サイクリックシフトしているため、シンボル群２２０１、２２０２、２２０３、２２０４については以下のように位相の変更を行うことになる。
【０２０７】
時間軸方向のシンボル群２２０１では、＃０のシンボルでは時刻ｕの位相を用いた位相変更、＃９では時刻ｕ＋１の位相を用いた位相変更、＃１８では時刻ｕ＋２の位相を用いた位相変更、＃２７では時刻ｕ＋３の位相を用いた位相変更を行うものとする。
【０２０８】
時間軸方向のシンボル群２２０２では、＃２８のシンボルでは時刻ｕの位相を用いた位相変更、＃１では時刻ｕ＋１の位相を用いた位相変更、＃１０では時刻ｕ＋２の位相を用いた位相変更、＃１９では時刻ｕ＋３の位相を用いた位相変更を行うものとする。
【０２０９】
時間軸方向のシンボル群２２０３では、＃２０のシンボルでは時刻ｕの位相を用いた位相変更、＃２９では時刻ｕ＋１の位相を用いた位相変更、＃２では時刻ｕ＋２の位相を用いた位相変更、＃１１では時刻ｕ＋３の位相を用いた位相変更を行うものとする。
【０２１０】
時間軸方向のシンボル群２２０４では、＃１２のシンボルでは時刻ｕの位相を用いた位相変更、＃２１では時刻ｕ＋１の位相を用いた位相変更、＃３０では時刻ｕ＋２の位相を用いた位相変更、＃３では時刻ｕ＋３の位相を用いた位相変更を行うものとする。
【０２１１】
図２２においての特徴は、例えば＃１１のシンボルに着目した場合、同一時刻の周波数軸方向の両隣のシンボル（＃１０と＃１２）は、ともに＃１１とは異なる位相を用いて位相の変更を行っているとともに、＃１１のシンボルの同一キャリアの時間軸方向の両隣のシンボル（＃２と＃２０）は、ともに＃１１とは異なる位相を用いて位相の変更を行っていることである。そして、これは＃１１のシンボルに限ったものではなく、周波数軸方向および時間軸方向ともに両隣にシンボルが存在するシンボルすべてにおいて＃１１のシンボルと同様の特徴をもつことになる。これにより、効果的に位相を変更していることになり、直接波の定常的な状況に対する影響を受けづらくなるため、データの受信品質が改善される可能性が高くなる。
【０２１２】
図２２では、ｎ＝１として説明したが、これに限ったものではなく、ｎ＝３としても同様に実施することができる。また、図２２では、周波数軸にシンボルを並べ、時間が軸方向にすすむ場合、シンボルの配置の順番をサイクリックシフトするという特徴を持たせることで、上記の特徴を実現したが、シンボルをランダム（規則的であってもよい）に配置することで上記特徴を実現するような方法もある。
【０２１３】
（実施の形態２）
上記実施の形態１においては、重み付け合成された（固定のプリコーディング行列でプリコーディングされた）信号ｚ（ｔ）の位相を変更することとした。ここでは、上記実施の形態１と同等の効果を得られる位相変更方法の各種の実施形態について開示する。
【０２１４】
上記実施の形態において、図３及び図６に示すように、位相変更部３１７Ｂは、重み付け合成部６００からの一方の出力に対してのみ位相の変更を実行する構成となっている。
【０２１５】
しかしながら、位相の変更を実行するタイミングとしては、重み付け合成部６００によるプリコーディングの前に実行することとしてもよく、送信装置は、図６に示した構成に代えて、図２５に示すように、位相変更部３１７Ｂを重み付け合成部６００の前段に設ける構成としてもよい。
【０２１６】
この場合、位相変更部３１７Ｂは、選択した変調方式のマッピングにしたがったベースバンド信号ｓ２（ｔ）に対して規則的な位相の変更を実行して、ｓ２’（ｔ）＝ｓ２（ｔ）ｙ（ｔ）（但し、ｙ（ｔ）はｔにより変更される）を出力し、重み付け合成部６００は、ｓ２’（ｔ）に対してプリコーディングを実行して、ｚ２（ｔ）（＝Ｗ２ｓ２’（ｔ））（式（４２）参照）を出力し、これを送信する構成としてもよい。
【０２１７】
また、位相の変更は、両変調信号ｓ１（ｔ）、ｓ２（ｔ）の双方に対して実行してもよく、送信装置は、図６に示した構成に代えて、図２６に示すように、重み付け合成部６００の両方の出力に対して位相変更部を設ける構成をとってもよい。
【０２１８】
位相変更部３１７Ａは、位相変更部３１７Ｂと同様に入力された信号の位相を規則的に変更するものであり、重み付け合成部からのプリコーディングされた信号ｚ１’（ｔ）の位相を変更し、位相を変更した信号ｚ１（ｔ）を送信部に出力する。
【０２１９】
ただし、位相変更部３１７Ａ及び位相変更部３１７Ｂは互いに位相を変更する位相の度合いは、同じタイミングにおいては、図２６に示すような位相の変更を行う。（ただし、以下は一つの例であり、位相の変更方法はこれに限ったものではない。）時刻ｕにおいて、図２６の位相変更部３１７Aは、ｚ１（ｔ）＝ｙ１（ｔ）ｚ１’（ｔ）となるように、また、位相変更部３１７Ｂは、ｚ２（ｔ）＝ｙ２（ｔ）ｚ２’（ｔ）となるように、位相の変更を行う。例えば、図２６に示すように、時刻ｕにおいて、ｙ１（ｕ）＝ｅｊ０、ｙ２（ｕ）＝ｅ−ｊπ／２、時刻ｕ＋１において、ｙ１（ｕ＋１）＝ｅｊπ／４、ｙ２（ｕ＋１）＝ｅ−ｊ３π／４、・・・、時刻ｕ＋ｋにおいて、ｙ１（ｕ＋ｋ）＝ｅｊｋπ／４、ｙ２（ｕ＋ｋ）＝ｅｊ（−ｋπ／４−π／２）、として位相の変更を行う。なお、位相を規則的に変更する周期は、位相変更部３１７Ａと位相変更部３１７Ｂとで同じであってもよいし、異なるものであってもよい。
【０２２０】
また、上述したとおり、位相を変更するタイミングは、重み付け合成部によるプリコーディングの実行前であってもよく、送信装置は、図２６に示す構成に代えて、図２７に示す構成としてもよい。
【０２２１】
両変調信号の位相を規則的に変更する場合には、それぞれの送信信号には、例えば制御情報として、それぞれの位相変更パターンの情報が含まれることとし、受信装置は、この制御情報を得ることで、送信装置が規則的に切り替えた位相変更方法、つまり、位相変更パターンを知ることができ、これにより、正しい復調（検波）を実行することが可能となる。
【０２２２】
次に、図６、図２５の構成の変形例について図２８、図２９を用いて説明する。図２８が図６と異なる点は、位相変更ON/OFFに関する情報２８００が存在する点、および、位相変更をｚ１’（ｔ）、ｚ２’（ｔ）のいずれかに位相変更を行う（同一時刻、または、同一周波数で、位相変更をｚ１’（ｔ）、ｚ２’（ｔ）のいずれかに対し施す。）点である。したがって、位相変更をｚ１’（ｔ）、ｚ２’（ｔ）のいずれかに位相変更を行うことになるため、図２８の位相変更部３１７A、位相変更部３１７Ｂは、位相変更を行う（ON）場合と位相変更を行わない（OFF）場合がある。このON/OFFに関する制御情報が、位相変更ON/OFFに関する情報２８００となる。この位相変更ON/OFFに関する情報２８００は、図３に示す信号処理方法情報生成部３１４から出力される。
【０２２３】
図２８の位相変更部３１７Aは、ｚ１（ｔ）＝ｙ１（ｔ）ｚ１’（ｔ）となるように、また、位相変更部３１７Ｂは、ｚ２（ｔ）＝ｙ２（ｔ）ｚ２’（ｔ）となるように、位相の変更を行うことになる。
【０２２４】
このとき、例えば、ｚ１’（ｔ）は、周期４で位相変更を行うものとする。（このとき、ｚ２’（ｔ）は位相変更を行わない。）したがって、時刻ｕにおいて、ｙ１（ｕ）＝ｅｊ０、ｙ２（ｕ）＝１、時刻ｕ＋１において、ｙ１（ｕ＋１）＝ｅｊπ／２、ｙ２（ｕ＋１）＝１、時刻ｕ＋２において、ｙ１（ｕ＋２）＝ｅｊπ、ｙ２（ｕ＋２）＝１、時刻ｕ＋３において、ｙ１（ｕ＋３）＝ｅｊ３π／２、ｙ２（ｕ＋３）＝１とするものとする。
【０２２５】
次に、例えば、ｚ２’（ｔ）は、周期４で位相変更を行うものとする。（このとき、ｚ１’（ｔ）は位相変更を行わない。）したがって、時刻ｕ＋４において、ｙ１（ｕ＋４）＝１、ｙ２（ｕ＋４）＝ｅｊ０、時刻ｕ＋５において、ｙ１（ｕ＋５）＝１、ｙ２（ｕ＋５）＝ｅｊπ／２、時刻ｕ＋６において、ｙ１（ｕ＋６）＝１、ｙ２（ｕ＋６）＝ｅｊπ、時刻ｕ＋７において、ｙ１（ｕ＋７）＝１、ｙ２（ｕ＋７）＝ｅｊ３π／２とするものとする。
【０２２６】
したがって、上記の例では、
時刻８ｋのとき、ｙ１（８ｋ）＝ｅｊ０、ｙ２（８ｋ）＝１、
時刻８ｋ＋１のとき、ｙ１（８ｋ＋１）＝ｅｊπ／２、ｙ２（８ｋ＋１）＝１、
時刻８ｋ＋２のとき、ｙ１（８ｋ＋２）＝ｅｊπ、ｙ２（８ｋ＋２）＝１、
時刻８ｋ＋３のとき、ｙ１（８ｋ＋３）＝ｅｊ３π／２、ｙ２（８ｋ＋３）＝１、
時刻８ｋ＋４のとき、ｙ１（８ｋ＋４）＝１、ｙ２（８ｋ＋４）＝ｅｊ０、
時刻８ｋ＋５のとき、ｙ１（８ｋ＋５）＝１、ｙ２（８ｋ＋５）＝ｅｊπ／２、
時刻８ｋ＋６のとき、ｙ１（８ｋ＋６）＝１、ｙ２（８ｋ＋６）＝ｅｊπ、
時刻８ｋ＋７のとき、ｙ１（８ｋ＋７）＝１、ｙ２（８ｋ＋７）＝ｅｊ３π／２
となる。
【０２２７】
上述のように、ｚ１’（ｔ）のみ位相変更する時間とｚ２’（ｔ）のみ位相を変更する時間とが存在するようにする。また、ｚ１’（ｔ）のみ位相変更する時間とｚ２’（ｔ）のみ位相を変更する時間とで、位相変更の周期を構成する。なお、上述では、ｚ１’（ｔ）のみ位相変更を行う場合の周期とｚ２’（ｔ）のみ位相変更を行う場合の周期を同一にしているが、これに限ったものではなく、ｚ１’（ｔ）のみ位相変更を行う場合の周期とｚ２’（ｔ）のみ位相変更を行う場合の周期が異なっていてもよい。また、上述の例では、ｚ１’（ｔ）を４周期で位相変更を行った後にｚ２’（ｔ）を４周期で位相変更を行うように説明しているが、これに限ったものではなく、ｚ１’（ｔ）の位相変更とｚ２’（ｔ）の位相変更の順番をどのようにしてもよい（例えば、ｚ１’（ｔ）の位相変更とｚ２’（ｔ）の位相変更を交互に行っても良いし、ある規則にしたがった順番でもよいし、順番はランダムであってもよい。）
図２９の位相変更部３１７Ａは、ｓ１’（ｔ）＝ｙ１（ｔ）ｓ１（ｔ）となるように、また、位相変更部３１７Ｂは、ｓ２’（ｔ）＝ｙ２（ｔ）ｓ２（ｔ）となるように、位相の変更を行うことになる。
【０２２８】
このとき、例えば、ｓ１（ｔ）は、周期４で位相変更を行うものとする。（このとき、ｓ２（ｔ）は位相変更を行わない。）したがって、時刻ｕにおいて、ｙ１（ｕ）＝ｅｊ０、ｙ２（ｕ）＝１、時刻ｕ＋１において、ｙ１（ｕ＋１）＝ｅｊπ／２、ｙ２（ｕ＋１）＝１、時刻ｕ＋２において、ｙ１（ｕ＋２）＝ｅｊπ、ｙ２（ｕ＋２）＝１、時刻ｕ＋３において、ｙ１（ｕ＋３）＝ｅｊ３π／２、ｙ２（ｕ＋３）＝１とするものとする。
【０２２９】
次に、例えば、ｓ２（ｔ）は、周期４で位相変更を行うものとする。（このとき、ｓ１（ｔ）は位相変更を行わない。）したがって、時刻ｕ＋４において、ｙ１（ｕ＋４）＝１、ｙ２（ｕ＋４）＝ｅｊ０、時刻ｕ＋５において、ｙ１（ｕ＋５）＝１、ｙ２（ｕ＋５）＝ｅｊπ／２、時刻ｕ＋６において、ｙ１（ｕ＋６）＝１、ｙ２（ｕ＋６）＝ｅｊπ、時刻ｕ＋７において、ｙ１（ｕ＋７）＝１、ｙ２（ｕ＋７）＝ｅｊ３π／２とするものとする。
【０２３０】
したがって、上記の例では、
時刻８ｋのとき、ｙ１（８ｋ）＝ｅｊ０、ｙ２（８ｋ）＝１、
時刻８ｋ＋１のとき、ｙ１（８ｋ＋１）＝ｅｊπ／２、ｙ２（８ｋ＋１）＝１、
時刻８ｋ＋２のとき、ｙ１（８ｋ＋２）＝ｅｊπ、ｙ２（８ｋ＋２）＝１、
時刻８ｋ＋３のとき、ｙ１（８ｋ＋３）＝ｅｊ３π／２、ｙ２（８ｋ＋３）＝１、
時刻８ｋ＋４のとき、ｙ１（８ｋ＋４）＝１、ｙ２（８ｋ＋４）＝ｅｊ０、
時刻８ｋ＋５のとき、ｙ１（８ｋ＋５）＝１、ｙ２（８ｋ＋５）＝ｅｊπ／２、
時刻８ｋ＋６のとき、ｙ１（８ｋ＋６）＝１、ｙ２（８ｋ＋６）＝ｅｊπ、
時刻８ｋ＋７のとき、ｙ１（８ｋ＋７）＝１、ｙ２（８ｋ＋７）＝ｅｊ３π／２
となる。
【０２３１】
上述のように、ｓ１（ｔ）のみ位相変更する時間とｓ２（ｔ）のみ位相を変更する時間とが存在するようにする。また、ｓ１（ｔ）のみ位相変更する時間とｓ２（ｔ）のみ位相を変更する時間とで、位相変更の周期を構成する。なお、上述では、ｓ１（ｔ）のみ位相変更を行う場合の周期とｓ２（ｔ）のみ位相変更を行う場合の周期を同一にしているが、これに限ったものではなく、ｓ１（ｔ）のみ位相変更を行う場合の周期とｓ２（ｔ）のみ位相変更を行う場合の周期が異なっていてもよい。また、上述の例では、ｓ１（ｔ）を４周期で位相変更を行った後にｓ２（ｔ）を４周期で位相変更を行うように説明しているが、これに限ったものではなく、ｓ１（ｔ）の位相変更とｓ２（ｔ）の位相変更の順番をどのようにしてもよい（例えば、ｓ１（ｔ）の位相変更とｓ２（ｔ）の位相変更を交互に行っても良いし、ある規則にしたがった順番でもよいし、順番はランダムであってもよい。）
これによって、受信装置側における送信信号ｚ１（ｔ）及びｚ２（ｔ）を受信したときのそれぞれの受信状態を均等にすることができるとともに、受信した信号ｚ１（ｔ）及びｚ２（ｔ）それぞれのシンボルにおいて位相が周期的に切り替えられることにより、誤り訂正復号後の誤り訂正能力を向上させることができるので、ＬＯＳ環境における受信品質を向上させることができる。
【０２３２】
以上、実施の形態２に示した構成でも、上記実施の形態１と同様の効果を得ることができる。
【０２３３】
本実施の形態では、シングルキャリア方式を例、つまり、位相変更を時間軸に対して行う場合について説明したが、これに限ったものではなく、マルチキャリア伝送を行った場合でも同様に実施することができる。したがって、例えば、スペクトル拡散通信方式、ＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）方式、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）、ＳＣ−ＯＦＤＭ（Ｓｉｎｇｌｅ  Ｃａｒｒｉｅｒ  Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）方式、非特許文献７等で示されているウェーブレットＯＦＤＭ方式等を用いた場合についても同様に実施することができる。前述したように、本実施の形態では、位相変更を行う説明として、時間ｔ軸方向で位相変更を行う場合で説明したが、実施の形態１と同様に、周波数軸方向に位相変更を行う、つまり、本実施の形態において、ｔ方向での位相変更の説明において、ｔをｆ（ｆ：周波数（（サブ）キャリア））に置き換えて、考えることで、本実施の形態で説明した位相変更方法を、周波数方向に位相変更ことに適用することができることになる。また、本実施の形態の位相変更方法は、実施の形態１の説明と同様に、時間−周波数方向に対する位相変更に対して、適用することも可能である。
【０２３４】
したがって、図６、図２５、図２６、図２７では時間軸方向で位相変更を行う場合を示しているが、図６、図２５、図２６、図２７において、時間ｔをキャリアｆに置き換えて考えることで、周波数方向での位相変更を行うことに相当し、時間ｔを時間ｔ、周波数ｆ、つまり（ｔ）を（ｔ、ｆ）に置き換えて考えることで、時間周波数のブロックで位相変更を行うことに相当する。
【０２３５】
そして、本実施の形態では、データシンボル以外のシンボル、例えば、パイロットシンボル（プリアンブル、ユニークワード等）、制御情報の伝送用のシンボルなどが、フレームにどのように配置されていてもよい。
【０２３６】
（実施の形態３）
上記実施の形態１及び２においては、位相を規則的に変更することとした。本実施の形態３においては、送信装置から見て、各所に点在することになる受信装置において、受信装置がどこに配置されていても、各受信装置が良好なデータの受信品質を得るための手法について開示する。
【０２３７】
本実施の形態３においては、位相を変更して得られる信号のシンボル配置を説明する。
【０２３８】
図３１は、規則的に位相を変更する送信方式において、ＯＦＤＭ方式のようなマルチキャリア方式を用いたときの、時間−周波数軸における信号の一部のシンボルのフレーム構成の一例を示している。
【０２３９】
はじめに、実施の形態１で説明した、２つのプリコーディング後のベースバンド信号のうち、一方のベースバンド信号（図６参照）に位相変更を行った場合の例で説明する。
【０２４０】
（なお、図６では時間軸方向で位相変更を行う場合を示しているが、図６において、時間ｔをキャリアｆに置き換えて考えることで、周波数方向での位相変更を行うことに相当し、時間ｔを時間ｔ、周波数ｆ、つまり（ｔ）を（ｔ、ｆ）に置き換えて考えることで、時間周波数のブロックで位相変更を行うことに相当する。）
図３１は、図１２に示した位相変更部３１７Ｂの入力である変調信号ｚ２’のフレーム構成を示しており、１つの四角がシンボル（ただし、プリコーディングを行っているため、ｓ１とｓ２の両者の信号を含んでいるのが通常であるが、プリコーディング行列の構成次第では、ｓ１とｓ２の一方の信号のみであることもある。）を示している。
【０２４１】
ここで、図３１のキャリア２、時刻＄２のシンボル３１００について着目する。なお、ここではキャリアと記載しているが、サブキャリアと呼称することもある。
【０２４２】
キャリア２において、時刻＄２に時間的に最も隣接するシンボル、つまりキャリア２の時刻＄１のシンボル３１０３と時刻＄３のシンボル３１０１のそれぞれのチャネル状態は、キャリア２、時刻＄２のシンボル３１００のチャネル状態と、非常に相関が高い。
【０２４３】
同様に時刻＄２において、周波数軸方向でキャリア２に最も隣接している周波数のシンボル、即ち、キャリア１、時刻＄２のシンボル３１０４と時刻＄２、キャリア３のシンボル３１０４とのチャネル状態は、ともに、キャリア２、時刻＄２のシンボル３１００のチャネル状態と、非常に相関が高い。
【０２４４】
上述したように、シンボル３１０１、３１０２、３１０３、３１０４のそれぞれのチャネル状態は、シンボル３１００のチャネル状態との相関が非常に高い。
【０２４５】
本明細書において、規則的に位相を変更する送信方法において、乗じる位相として、Ｎ種類の位相（但し、Ｎは２以上の整数）を用意しているものとする。図３１に示したシンボルには、例えば、「ｅｊ０」という記載を付しているが、これは、このシンボルにおける図６における信号ｚ２’に対し、「ｅｊ０」が乗じられて位相が変更されたことを意味する。つまり、図３１の各シンボルに記載している値は、式（４２）におけるｙ（ｔ）、および、実施の形態２で説明したｚ２（ｔ）＝ｙ２（ｔ）ｚ２’（ｔ）におけるｙ２（ｔ）の値となる。
【０２４６】
本実施の形態においては、この周波数軸方向で隣接しあうシンボル及び／又は時間軸方向で隣接しあうシンボルのチャネル状態の相関性が高いことを利用して受信装置側において、高いデータの受信品質が得られる位相が変更されたシンボルのシンボル配置を開示する。
【０２４７】
この受信側で高いデータの受信品質が得られる条件として、＜条件＃１＞、＜条件＃２＞が考えられる。
【０２４８】
＜条件＃１＞
図６のように、プリコーディング後のベースバンド信号ｚ２’に対し、規則的に位相を変更する送信方法において、ＯＦＤＭのようなマルチキャリア伝送方式を用いている場合、時間Ｘ・キャリアＹがデータ伝送用のシンボル（以下、データシンボルと呼称する）であり、時間軸方向で隣接するシンボル、即ち、時間Ｘ−１・キャリアＹおよび時間Ｘ＋１・キャリアＹがいずれもデータシンボルであり、これら３つのデータシンボルに対応するプリコーディング後のベースバンド信号ｚ２’、つまり、時間Ｘ・キャリアＹ、時間Ｘ−１・キャリアＹおよび時間Ｘ＋１・キャリアＹにおけるそれぞれのプリコーディング後のベースバンド信号ｚ２’では、いずれも異なる位相変更が行われる。
【０２４９】
＜条件＃２＞
図６のように、プリコーディング後のベースバンド信号ｚ２’に対し、規則的に位相を変更する送信方法において、ＯＦＤＭのようなマルチキャリア伝送方式を用いている場合、時間Ｘ・キャリアＹがデータ伝送用のシンボル（以下、データシンボルと呼称する）であり、周波数軸方向で隣接するシンボル、即ち、時間Ｘ・キャリアＹ−１および時間Ｘ・キャリアＹ＋１がいずれもデータシンボルである場合、これら３つのデータシンボルに対応するプリコーディング後のベースバンド信号ｚ２’、つまり、時間Ｘ・キャリアＹ、時間Ｘ・キャリアＹ−１および時間Ｘ・キャリアＹ＋１におけるそれぞれのプリコーディング後のベースバンド信号ｚ２’では、いずれも異なる位相変更が行われる。
【０２５０】
そして、＜条件＃１＞を満たすデータシンボルが存在するとよい。同様に、＜条件２＞を満たすデータシンボルが存在するとよい。
【０２５１】
この＜条件＃１＞＜条件＃２＞が導出される理由は以下の通りである。
【０２５２】
送信信号においてあるシンボル（以降、シンボルＡと呼称する）があり、当該シンボルＡに時間的に隣接したシンボルそれぞれのチャネル状態は、上述したとおり、シンボルＡのチャネル状態との相関が高い。
【０２５３】
したがって、時間的に隣接した３シンボルで、異なる位相を用いていると、ＬＯＳ環境において、シンボルＡが劣悪な受信品質（ＳＮＲとしては高い受信品質を得ているものの、直接波の位相関係が劣悪な状況であるため受信品質が悪い状態）であっても、残りのシンボルＡに隣接する２シンボルでは、良好な受信品質を得ることができる可能性が非常に高く、その結果、誤り訂正復号後は良好な受信品質を得ることができる。
【０２５４】
同様に、送信信号においてあるシンボル（以降、シンボルＡと呼称する）があり、このシンボルＡに周波数的に隣接したシンボルそれぞれのチャネル状態は、上述したとおり、シンボルＡのチャネル状態との相関が高い。
【０２５５】
したがって、周波数的に隣接した３シンボルで、異なる位相を用いていると、ＬＯＳ環境において、シンボルＡが劣悪な受信品質（ＳＮＲとしては高い受信品質を得ているものの、直接波の位相関係が劣悪な状況であるため受信品質が悪い状態）であっても、残りのシンボルＡに隣接する２シンボルでは、良好な受信品質を得ることができる可能性が非常に高く、その結果、誤り訂正復号後は良好な受信品質を得ることができる。
【０２５６】
また、＜条件＃１＞と＜条件＃２＞を組み合わせると、受信装置において、より、データの受信品質を向上させることができる可能性がある。したがって、以下の＜条件＃３＞を導くことができる。
【０２５７】
＜条件＃３＞
図６のように、プリコーディング後のベースバンド信号ｚ２’に対し、規則的に位相を変更する送信方法において、ＯＦＤＭのようなマルチキャリア伝送方式を用いている場合、時間Ｘ・キャリアＹがデータ伝送用のシンボル（以下、データシンボルと呼称する）であり、時間軸方向で隣接するシンボル、即ち、時間Ｘ−１・キャリアＹおよび時間Ｘ＋１・キャリアＹがいずれもデータシンボルであり、かつ、周波数軸方向で隣接するシンボル、即ち、時間Ｘ・キャリアＹ−１および時間Ｘ・キャリアＹ＋１がいずれもデータシンボルである場合、これら５つのデータシンボルに対応するプリコーディング後のベースバンド信号ｚ２’、つまり、時間Ｘ・キャリアＹおよび時間Ｘ−１・キャリアＹおよび時間Ｘ＋１・キャリアＹおよび時間Ｘ・キャリアＹ−１および時間Ｘ・キャリアＹ＋１におけるそれぞれのプリコーディング後のベースバンド信号ｚ２’では、いずれも異なる位相変更が行われる。
【０２５８】
ここで、「異なる位相変更」について、補足を行う。位相変更は、０ラジアンから２πラジアンで定義されることになる。例えば、時間Ｘ・キャリアＹにおいて、図６のプリコーディング後のベースバンド信号ｚ２’に対して施す位相変更をｅｊθX,Y、時間Ｘ−１・キャリアＹにおいて、図６のプリコーディング後のベースバンド信号ｚ２’に対して施す位相変更をｅｊθX−１,Y、時間Ｘ＋１・キャリアＹにおいて、図６のプリコーディング後のベースバンド信号ｚ２’に対して施す位相変更をｅｊθX＋１,Yとすると、０ラジアン≦θX,Y＜２π、０ラジアン≦θX−１,Y＜２π、０ラジアン≦θX＋１,Y＜２πとなる。したがって、＜条件＃１＞では、θX,Y≠θX−１,YかつθX,Y≠θX＋１,YかつθX＋１,Y≠θX−１,Yが成立することになる。同様に考えると、＜条件＃２＞では、θX,Y≠θX,Y−１かつθX,Y≠θX,Y＋１かつθX,Y−１≠θX−１,Y＋１が成立することになり、＜条件＃３＞では、θX,Y≠θX−１,YかつθX,Y≠θX＋１,YかつθX,Y≠θX,Y−１かつθX,Y≠θX,Y＋１かつθX−１,Y≠θX＋１,YかつθX−１,Y≠θX,Y−１かつθX−１,Y≠θX,Y＋１かつθX＋１,Y≠θX,Y−１かつθX＋１,Y≠θX,Y＋１かつθX,Y−１≠θX,Y＋１が成立することになる。
【０２５９】
そして、＜条件＃３＞を満たすデータシンボルが存在するとよい。
【０２６０】
図３１は＜条件＃３＞の例であり、シンボルＡに該当するシンボル３１００に相当する図６のプリコーディング後のベースバンド信号ｚ２’に乗じられている位相と、そのシンボル３１００に時間的に隣接するシンボル３１０１に相当する図６のプリコーディング後のベースバンド信号ｚ２’、３１０３に相当する図６のプリコーディング後のベースバンド信号ｚ２’に乗じられている位相と、周波数的に隣接するシンボル３１０２に相当する図６のプリコーディング後のベースバンド信号ｚ２’、３１０４に相当する図６のプリコーディング後のベースバンド信号ｚ２’に乗じられている位相が互いに異なるように配されており、これによって、受信側においてシンボル３１００の受信品質が劣悪であろうとも、その隣接するシンボルの受信品質は非常に高くなるため、誤り訂正復号後の高い受信品質を確保できる。
【０２６１】
この条件のもとで、位相を変更して得られるシンボルの配置例を図３２に示す。
【０２６２】
図３２を見ればわかるように、いずれのデータシンボルにおいても、その位相が周波数軸方向及び時間軸方向の双方において隣接しあうシンボルに対して変更された位相の度合いは互いに異なる位相変更量となっている。このようにすることで、受信装置における誤り訂正能力を更に向上させることができる。
【０２６３】
つまり、図３２では、時間軸方向で隣接するシンボルにデータシンボルが存在していた場合、＜条件＃１＞がすべてのX、すべてのYで成立している。
【０２６４】
同様に、図３２では、周波数方向で隣接するシンボルにデータシンボルが存在していた場合、＜条件＃２＞がすべてのX、すべてのYで成立している。
【０２６５】
同様に、図３２では、周波数方向で隣接するシンボルにデータシンボルが存在し、かつ、時間軸方向で隣接するシンボルにデータシンボルが存在していた場合、＜条件＃３＞がすべてのX、すべてのYで成立している。
【０２６６】
次に、実施の形態２で説明した、２つのプリコーディング後のベースバンド信号に位相変更を行った場合（図２６参照）の例で説明する。
【０２６７】
図２６のように、プリコーディング後のベースバンド信号ｚ１’、および、プリコーディング後のベースバンド信号ｚ２’の両者に位相変更を与える場合、位相変更方法について、いくつかの方法がある。その点について、詳しく説明する。
【０２６８】
方法１として、プリコーディング後のベースバンド信号ｚ２’の位相変更は、前述のように、図３２のように位相変更を行うものとする。図３２において、プリコーディング後のベースバンド信号ｚ２’の位相変更は周期１０としている。しかし、前述で述べたように、＜条件＃１＞＜条件＃２＞＜条件＃３＞を満たすようにするために、（サブ）キャリア１で、プリコーディング後のベースバンド信号ｚ２’に施す位相変更を時間とともに変更している。（図３２では、このような変更をほどこしているが、周期１０をとし、別の位相変更方法であってもよい）そして、プリコーディング後のベースバンド信号ｚ１’の位相変更は、図３３のように、プリコーディング後のベースバンド信号ｚ２’の位相変更は周期１０の１周期分の位相変更する値は一定とする。図３３では、（プリコーディング後のベースバンド信号ｚ２’の位相変更の）１周期分を含む時刻＄１において、プリコーディング後のベースバンド信号ｚ１’の位相変更の値は、ｅｊ０としており、次の（プリコーディング後のベースバンド信号ｚ２’の位相変更の）１周期分を含む時刻＄２において、プリコーディング後のベースバンド信号ｚ１’の位相変更の値は、ｅｊπ／９としており、・・・、としている。
【０２６９】
なお、図３３に示したシンボルには、例えば、「ｅｊ０」という記載を付しているが、これは、このシンボルにおける図２６における信号ｚ１’に対し、「ｅｊ０」が乗じられて位相が変更されたことを意味する。つまり、図３３の各シンボルに記載している値は、実施の形態２で説明したｚ１（ｔ）＝ｙ１（ｔ）ｚ１’（ｔ）におけるｙ１（ｔ）の値となる。
【０２７０】
プリコーディング後のベースバンド信号ｚ１’の位相変更は、図３３ように、プリコーディング後のベースバンド信号ｚ２’の位相変更は周期１０の１周期分の位相変更する値は一定とし、位相変更する値は、１周期分の番号とともに変更するようにする。（上述のように、図３３では、第１の１周期分では、ｅｊ０とし、第２の１周期分ではｅｊπ／９、・・・としている。）
以上のようにすることで、プリコーディング後のベースバンド信号ｚ２’の位相変更は周期１０であるが、プリコーディング後のベースバンド信号ｚ１’の位相変更とプリコーディング後のベースバンド信号ｚ２’の位相変更の両者を考慮したときの周期は１０より大きくすることができるという効果を得ることができる。これにより、受信装置のデータの受信品質が向上する可能性がある。
【０２７１】
方法２として、プリコーディング後のベースバンド信号ｚ２’の位相変更は、前述のように、図３２のように位相変更を行うものとする。図３２において、プリコーディング後のベースバンド信号ｚ２’の位相変更は周期１０としている。しかし、前述で述べたように、＜条件＃１＞＜条件＃２＞＜条件＃３＞を満たすようにするために、（サブ）キャリア１で、プリコーディング後のベースバンド信号ｚ２’に施す位相変更を時間とともに変更している。（図３２では、このような変更をほどこしているが、周期１０をとし、別の位相変更方法であってもよい）そして、プリコーディング後のベースバンド信号ｚ１’の位相変更は、図３０に示すように、プリコーディング後のベースバンド信号ｚ２’の位相変更は周期１０とは異なる周期３での位相変更を行う。
【０２７２】
なお、図３０に示したシンボルには、例えば、「ｅｊ０」という記載を付しているが、これは、このシンボルにおける図２６における信号ｚ１’に対し、「ｅｊ０」が乗じられて位相が変更されたことを意味する。つまり、図３０の各シンボルに記載している値は、実施の形態２で説明したｚ１（ｔ）＝ｙ１（ｔ）ｚ１’（ｔ）におけるｙ１（ｔ）の値となる。
【０２７３】
以上のようにすることで、プリコーディング後のベースバンド信号ｚ２’の位相変更は周期１０であるが、プリコーディング後のベースバンド信号ｚ１’の位相変更とプリコーディング後のベースバンド信号ｚ２’の位相変更の両者を考慮したときの周期は３０となりプリコーディング後のベースバンド信号ｚ１’の位相変更とプリコーディング後のベースバンド信号ｚ２’の位相変更の両者を考慮したときの周期を１０より大きくすることができるという効果を得ることができる。これにより、受信装置のデータの受信品質が向上する可能性がある。方法２の一つの有効な方法としては、プリコーディング後のベースバンド信号ｚ１’の位相変更の周期をNとし、プリコーディング後のベースバンド信号ｚ２’の位相変更の周期をMとしたとき、特に、NとMが互いに素の関係であると、プリコーディング後のベースバンド信号ｚ１’の位相変更とプリコーディング後のベースバンド信号ｚ２’の位相変更の両者を考慮したときの周期はN×Mと容易に大きな周期に設定することができるという利点があるが、NとMが互いに素の関係でも、周期を大きくすることは可能である。
【０２７４】
なお、本実施の形態３の位相変更方法は一例であり、これに限ったものではなく、実施の形態１、実施の形態２で説明したように、周波数軸方向で位相変更を行ったり、時間軸方向で位相変更を行ったり、時間−周波数のブロックで位相変更を行っても同様に、受信装置におけるデータの受信品質を向上させることができるという効果を持つことになる。
【０２７５】
上記で説明したフレーム構成以外にも、データシンボル間にパイロットシンボル（ＳＰ（Scattered Pilot））や制御情報を伝送するシンボルなどが挿入されることも考えられる。この場合の位相変更について詳しく説明する。
【０２７６】
図４７は、変調信号（プリコーディング後のベースバンド信号）ｚ１またはｚ１’および変調信号（プリコーディング後のベースバンド信号）ｚ２’の時間―周波数軸におけるフレーム構成を示しており、図４７(a)は、変調信号（プリコーディング後のベースバンド信号）ｚ１またはｚ１’ の時間―周波数軸におけるフレーム構成、図４７(b)は、変調信号（プリコーディング後のベースバンド信号）ｚ２’の時間―周波数軸におけるフレーム構成である。図４７において、４７０１はパイロットシンボル、４７０２はデータシンボルを示しており、データシンボル４７０２は、プリコーディングまたはプリコーディングと位相変更を施したシンボルとなる。
【０２７７】
図４７は、図６のように、プリコーディング後のベースバンド信号ｚ２’に対し、位相変更を行う場合のシンボル配置を示している（プリコーディング後のベースバンド信号ｚ１には位相変更を行わない）。（なお、図６では時間軸方向で位相変更を行う場合を示しているが、図６において、時間ｔをキャリアｆに置き換えて考えることで、周波数方向での位相変更を行うことに相当し、時間ｔを時間ｔ、周波数ｆ、つまり（ｔ）を（ｔ、ｆ）に置き換えて考えることで、時間周波数のブロックで位相変更を行うことに相当する。）したがって、図４７のプリコーディング後のベースバンド信号ｚ２’のシンボルに記載されている数値は、位相の変更値を示している。なお、図４７のプリコーディング後のベースバンド信号ｚ１’（ｚ１）のシンボルは、位相変更を行わないので、数値を記載していない。
【０２７８】
図４７において重要な点は、プリコーディング後のベースバンド信号ｚ２’に対する位相変更は、データシンボル、つまり、プリコーディングを施したシンボルに対して施している点である。（ここで、シンボルと記載しているが、ここで記載しているシンボルには、プリコーディングが施されているため、ｓ１のシンボルとｓ２のシンボルの両者を含んでいることになる。）したがって、ｚ２’に挿入されたパイロットシンボルに対しては、位相変更を施さないことになる。
【０２７９】
図４８は、変調信号（プリコーディング後のベースバンド信号）ｚ１またはｚ１’および変調信号（プリコーディング後のベースバンド信号）ｚ２’の時間―周波数軸におけるフレーム構成を示しており、図４８(a)は、変調信号（プリコーディング後のベースバンド信号）ｚ１またはｚ１’ の時間―周波数軸におけるフレーム構成、図４８(b)は、変調信号（プリコーディング後のベースバンド信号）ｚ２’の時間―周波数軸におけるフレーム構成である。図４８において、４７０１はパイロットシンボル、４７０２はデータシンボルを示しており、データシンボル４７０２は、プリコーディングと位相変更を施したシンボルとなる。
【０２８０】
図４８は、図２６のように、プリコーディング後のベースバンド信号ｚ１’およびプリコーディング後のベースバンド信号ｚ２’に対し、位相変更を行う場合のシンボル配置を示している。（なお、図２６では時間軸方向で位相変更を行う場合を示しているが、図２６において、時間ｔをキャリアｆに置き換えて考えることで、周波数方向での位相変更を行うことに相当し、時間ｔを時間ｔ、周波数ｆ、つまり（ｔ）を（ｔ、ｆ）に置き換えて考えることで、時間周波数のブロックで位相変更を行うことに相当する。）したがって、図４８のプリコーディング後のベースバンド信号ｚ１’およびプリコーディング後のベースバンド信号ｚ２’のシンボルに記載されている数値は、位相の変更値を示している。
【０２８１】
図４８において重要な点は、プリコーディング後のベースバンド信号ｚ１’に対する位相変更は、データシンボル、つまり、プリコーディングを施したシンボルに対して施している、また、プリコーディング後のベースバンド信号ｚ２’に対する位相変更は、データシンボル、つまり、プリコーディングを施したシンボルに対して施している点である。（ここで、シンボルと記載しているが、ここで記載しているシンボルには、プリコーディングが施されているため、ｓ１のシンボルとｓ２のシンボルの両者を含んでいることになる。）したがって、ｚ１’に挿入されたパイロットシンボルに対しては、位相変更を施さず、また、ｚ２’に挿入されたパイロットシンボルに対しては、位相変更を施さないことになる。
【０２８２】
図４９は、変調信号（プリコーディング後のベースバンド信号）ｚ１またはｚ１’および変調信号（プリコーディング後のベースバンド信号）ｚ２’の時間―周波数軸におけるフレーム構成を示しており、図４９(a)は、変調信号（プリコーディング後のベースバンド信号）ｚ１またはｚ１’ の時間―周波数軸におけるフレーム構成、図４９(b)は、変調信号（プリコーディング後のベースバンド信号）ｚ２’の時間―周波数軸におけるフレーム構成である。図４９において、４７０１はパイロットシンボル、４７０２はデータシンボル、４９０１はヌルシンボルであり、ベースバンド信号の同相成分I=0であり、直交成分Q=０となる。このとき、データシンボル４７０２は、プリコーディングまたはプリコーディングと位相変更を施したシンボルとなる。図４９と図４７の違いは、データシンボル以外のシンボルの構成方法であり、変調信号ｚ１’でパイロットシンボルが挿入されている時間とキャリアにおいて、変調信号ｚ２’はヌルシンボルとなっており、逆に、変調信号ｚ２’でパイロットシンボルが挿入されている時間とキャリアにおいて、変調信号ｚ１’はヌルシンボルとなっている点である。
【０２８３】
図４９は、図６のように、プリコーディング後のベースバンド信号ｚ２’に対し、位相変更を行う場合のシンボル配置を示している（プリコーディング後のベースバンド信号ｚ１には位相変更を行わない）。（なお、図６では時間軸方向で位相変更を行う場合を示しているが、図６において、時間ｔをキャリアｆに置き換えて考えることで、周波数方向での位相変更を行うことに相当し、時間ｔを時間ｔ、周波数ｆ、つまり（ｔ）を（ｔ、ｆ）に置き換えて考えることで、時間周波数のブロックで位相変更を行うことに相当する。）したがって、図４９のプリコーディング後のベースバンド信号ｚ２’のシンボルに記載されている数値は、位相の変更値を示している。なお、図４９のプリコーディング後のベースバンド信号ｚ１’（ｚ１）のシンボルは、位相変更を行わないので、数値を記載していない。
【０２８４】
図４９において重要な点は、プリコーディング後のベースバンド信号ｚ２’に対する位相変更は、データシンボル、つまり、プリコーディングを施したシンボルに対して施している点である。（ここで、シンボルと記載しているが、ここで記載しているシンボルには、プリコーディングが施されているため、ｓ１のシンボルとｓ２のシンボルの両者を含んでいることになる。）したがって、ｚ２’に挿入されたパイロットシンボルに対しては、位相変更を施さないことになる。
【０２８５】
図５０は、変調信号（プリコーディング後のベースバンド信号）ｚ１またはｚ１’および変調信号（プリコーディング後のベースバンド信号）ｚ２’の時間―周波数軸におけるフレーム構成を示しており、図５０(a)は、変調信号（プリコーディング後のベースバンド信号）ｚ１またはｚ１’ の時間―周波数軸におけるフレーム構成、図５０(b)は、変調信号（プリコーディング後のベースバンド信号）ｚ２’の時間―周波数軸におけるフレーム構成である。図５０において、４７０１はパイロットシンボル、４７０２はデータシンボル、４９０１はヌルシンボルであり、ベースバンド信号の同相成分I=0であり、直交成分Q=０となる。このとき、データシンボル４７０２は、プリコーディングまたはプリコーディングと位相変更を施したシンボルとなる。図５０と図４８の違いは、データシンボル以外のシンボルの構成方法であり、変調信号ｚ１’でパイロットシンボルが挿入されている時間とキャリアにおいて、変調信号ｚ２’はヌルシンボルとなっており、逆に、変調信号ｚ２’でパイロットシンボルが挿入されている時間とキャリアにおいて、変調信号ｚ１’はヌルシンボルとなっている点である。
【０２８６】
図５０は、図２６のように、プリコーディング後のベースバンド信号ｚ１’およびプリコーディング後のベースバンド信号ｚ２’に対し、位相変更を行う場合のシンボル配置を示している。（なお、図２６では時間軸方向で位相変更を行う場合を示しているが、図２６において、時間ｔをキャリアｆに置き換えて考えることで、周波数方向での位相変更を行うことに相当し、時間ｔを時間ｔ、周波数ｆ、つまり（ｔ）を（ｔ、ｆ）に置き換えて考えることで、時間周波数のブロックで位相変更を行うことに相当する。）したがって、図５０のプリコーディング後のベースバンド信号ｚ１’およびプリコーディング後のベースバンド信号ｚ２’のシンボルに記載されている数値は、位相の変更値を示している。
【０２８７】
図５０において重要な点は、プリコーディング後のベースバンド信号ｚ１’に対する位相変更は、データシンボル、つまり、プリコーディングを施したシンボルに対して施している、また、プリコーディング後のベースバンド信号ｚ２’に対する位相変更は、データシンボル、つまり、プリコーディングを施したシンボルに対して施している点である。（ここで、シンボルと記載しているが、ここで記載しているシンボルには、プリコーディングが施されているため、ｓ１のシンボルとｓ２のシンボルの両者を含んでいることになる。）したがって、ｚ１’に挿入されたパイロットシンボルに対しては、位相変更を施さず、また、ｚ２’に挿入されたパイロットシンボルに対しては、位相変更を施さないことになる。
【０２８８】
図５１は、図４７、図４９のフレーム構成の変調信号を生成し、送信する送信装置の構成の一例を示しており、図４と同様に動作するものについては、同一符号を付している。
【０２８９】
図５１において、重み付け合成部３０８Ａ、３０８Ｂ、および、位相変更部３１７Ｂは、フレーム構成信号３１３がデータシンボルであるタイミングを示しているときのみ動作することになる。
【０２９０】
図５１のパイロットシンボル（ヌルシンボル生成を兼ねるものとする）生成部５１０１は、フレーム構成信号３１３がパイロットシンボル（かつヌルシンボル）であることをしめしていた場合、パイロットシンボルのベースバンド信号５１０２Ａ、および５１０２Ｂを出力する。
【０２９１】
図４７から図５０のフレーム構成では示していなかったが、プリコーディング（および、位相回転を施さない）を施さない、例えば、１アンテナから変調信号を送信する方式、（この場合、もう一方のアンテナからは信号を伝送しないことになる）、または、時空間符号（特に時空間ブロック符号）を用いた伝送方式を用いて制御情報シンボルを送信する場合、制御情報シンボル５１０４は、制御情報５１０３、フレーム構成信号３１３を入力とし、フレーム構成信号３１３が制御情報シンボルであることを示している場合、制御情報シンボルのベースバンド信号５１０２Ａ、５１０２Ｂを出力する。
【０２９２】
図５１の無線部３１０Ａ、３１０Ｂは、入力となる複数のベースバンド信号のうち、フレーム構成信号３１３に基づき、複数のベースバンド信号から、所望のベースバンド信号を選択する。そして、OFDM関連の信号処理を施し、フレーム構成にしたがった変調信号３１１Ａ、３１１Ｂをそれぞれ出力する。
【０２９３】
図５２は、図４８、図５０のフレーム構成の変調信号を生成し、送信する送信装置の構成の一例を示しており、図４、図５１と同様に動作するものについては、同一符号を付している。図５１に対して追加した位相変更部３１７Aは、フレーム構成信号３１３がデータシンボルであるタイミングを示しているときのみ動作することになる。その他については、図５１と同様の動作となる。
【０２９４】
図５３は、図５１とは異なる送信装置の構成方法である。以降では異なる点について説明する。位相変更部３１７Ｂは、図５３のように、複数のベースバンド信号を入力とする。そして、フレーム構成信号３１３が、データシンボルであることを示していた場合、位相変更部３１７Ｂは、プリコーディング後のベースバンド信号３１６Bに対し、位相変更を施す。そして、フレーム構成信号３１３が、パイロットシンボル（またはヌルシンボル）、または、制御情報シンボルであることを示していた場合、位相変更部３１７Ｂは、位相変更の動作を停止し、各シンボルのベースバンド信号をそのまま出力する。（解釈としては、「ｅｊ０」に相当する位相回転を強制的に行っていると考えればよい。）
選択部５３０１は、複数のベースバンド信号を入力とし、フレーム構成信号３１３が示したシンボルのベースバンド信号を選択し、出力する。
【０２９５】
図５４は、図５２とは異なる送信装置の構成方法である。以降では異なる点について説明する。位相変更部３１７Ｂは、図５４のように、複数のベースバンド信号を入力とする。そして、フレーム構成信号３１３が、データシンボルであることを示していた場合、位相変更部３１７Ｂは、プリコーディング後のベースバンド信号３１６Bに対し、位相変更を施す。そして、フレーム構成信号３１３が、パイロットシンボル（またはヌルシンボル）、または、制御情報シンボルであることを示していた場合、位相変更部３１７Ｂは、位相変更の動作を停止し、各シンボルのベースバンド信号をそのまま出力する。（解釈としては、「ｅｊ０」に相当する位相回転を強制的に行っていると考えればよい。）
同様に、位相変更部５２０１は、図５４のように、複数のベースバンド信号を入力とする。そして、フレーム構成信号３１３が、データシンボルであることを示していた場合、位相変更部５２０１は、プリコーディング後のベースバンド信号３０９Ａに対し、位相変更を施す。そして、フレーム構成信号３１３が、パイロットシンボル（またはヌルシンボル）、または、制御情報シンボルであることを示していた場合、位相変更部５２０１は、位相変更の動作を停止し、各シンボルのベースバンド信号をそのまま出力する。（解釈としては、「ｅｊ０」に相当する位相回転を強制的に行っていると考えればよい。）
上述の説明では、パイロットシンボルと制御シンボルとデータシンボルを例に説明したが、これに限ったものではなく、プリコーディングとは異なる伝送方法、例えば、１アンテナ送信、時空間ブロック符号を用いた伝送方式、等を用いて伝送するシンボルであれば、同様に、位相変更を与えない、ということが重要となり、これとは逆に、プリコーディングを行ったシンボルに対しては、位相変更を行うことが本発明では重要なこととなる。
【０２９６】
したがって、時間−周波数軸におけるフレーム構成におけるすべてのシンボルで位相変更が行われるわけではなく、プリコーディングを行った信号のみに位相変更を与える点が、本発明の特徴となる。
【０２９７】
（実施の形態４）
上記実施の形態１及び２においては、位相を規則的に変更すること、実施の形態３においては、隣り合うシンボルの位相の変更の度合いを異ならせることを開示した。
【０２９８】
本実施の形態４では、位相変更方法が、送信装置が使用する変調方式、誤り訂正符号の符号化率により、異なっていてもよいことを示す。
【０２９９】
以下の表１には、送信装置が設定した各種設定パラメータに応じて設定する位相変更方法の一例を示している。
【０３００】
【表１】
2012144206.tif 000051
【０３０１】
表１における＃１は上記実施の形態１の変調信号ｓ１（送信装置が設定した変調方式のベースバンド信号ｓ１）、＃２は変調信号ｓ２（送信装置が設定した変調方式のベースバンド信号ｓ２）を意味する。表１における符号化率の列は、#1, #2の変調方式に対し、誤り訂正符号の設定した符号化率を示している。表１における位相変更パターンの列は、実施の形態１から実施の形態３で説明したように、プリコーディング後のベースバンド信号ｚ１（ｚ１’）、ｚ２（ｚ２’）に対して施す位相変更方法を示しており、位相変更パターンをＡ、Ｂ、Ｃ、Ｄ、Ｅ、・・・というように定めているが、これは、実際には、位相を変更する度合いの変化を示す情報であり、例えば、上記式（４６）や式（４７）に示すような変更パターンを示すものとする。なお、表１における位相変更パターンの例において「‐」と記載しているが、これは、位相変更を行わないことを意味している。
【０３０２】
なお、表１に示した変調方式や符号化率の組み合わせは、一例であり、表１に示す変調方式以外の変調方式（例えば、１２８ＱＡＭや２５６ＱＡＭ等）や、符号化率（例えば、７／８等）が含まれてもよい。また、実施の形態１で示したように、誤り訂正符号は、ｓ１、ｓ２別々に設定してもよい（なお、表１の場合は、図４のように、一つの誤り訂正符号の符号化を施している場合としている。）。また、同じ変調方式及び符号化率に、互いに異なる複数の位相変更パターンを対応付けることとしてもよい。送信装置は、各位相変更パターンを示す情報を受信装置に対して送信し、受信装置は当該情報と表１を参照することによって位相変更パターンを特定し、復調、および、復号を実行することとなる。なお、変調方式、および、誤り訂正方式に対し、位相変更パターンが一意に決定する場合、送信装置は、変調方式と誤り訂正方式の情報を受信装置に送信すれば、受信装置は、その情報を得ることで、位相変更パターンを知ることができるので、この場合は、位相変更パターンの情報は必ずしも必要としない。
【０３０３】
実施の形態１から実施の形態３では、プリコーディング後のベースバンド信号に対し、位相変更を行う場合について説明したが、位相のみでなく、振幅を位相変更と同様に周期をもって規則的に変更することも可能である。したがって、当該表１に、規則的に変調信号の振幅を変更する振幅変更パターンも対応させてもよい。この場合、送信装置には、図３や図４の重み付け合成部３０８Ａの後に振幅を変更する振幅変更部、また、重み付け合成部３０８Ｂの後に、振幅を変更する振幅変更部を備えればよい。なお、プリコーディング後のベースバンド信号ｚ１（ｔ）、ｚ２（ｔ）の一方に対し、振幅変更を施しても良いし（この場合、重み付け合成部３０８Ａ、３０８Ｂのいずれかの後に振幅変更部を備えればよい。）、両方に対し、振幅変更を施してもよい。
【０３０４】
更に、上記表１においては示していないが、位相を規則的に変更するのではなく、マッピング部により規則的にマッピング方法を変更する構成としてもよい。
【０３０５】
即ち、変調信号ｓ１（ｔ）のマッピング方式を１６ＱＡＭ、変調信号ｓ２（ｔ）のマッピング方式を１６ＱＡＭであったものを、例えば、変調信号ｓ２（ｔ）に適用するマッピング方式を規則的に、１６ＱＡＭ→１６ＡＰＳＫ（16 Amplitude Phase Shift Keying）→I-Q平面において１６ＱＡＭ、１６ＡＰＳＫとは異なる信号点配置となる第１のマッピング方法→I-Q平面において１６ＱＡＭ、１６ＡＰＳＫとは異なる信号点配置となる第２のマッピング方法→・・・というように変更することで、上述してきたように位相を規則的に変更する場合と同様に、受信装置において、データの受信品質を向上する効果を得ることができる。
【０３０６】
また、本発明は、位相を規則的に変更する方法、マッピング方法を規則的に変更する方法、振幅を変更する方法のいずれかの組み合わせであってもよく、また、その全てを考慮にいれて送信信号を送信する構成としてもよい。
【０３０７】
本実施の形態では、シングルキャリア方式、マルチキャリア伝送いずれの場合でも実施することができる。したがって、例えば、スペクトル拡散通信方式、ＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）方式、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）、ＳＣ−ＯＦＤＭ（Ｓｉｎｇｌｅ  Ｃａｒｒｉｅｒ  Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）方式、非特許文献７等で示されているウェーブレットＯＦＤＭ方式等を用いた場合についても実施することができる。前述したように、本実施の形態では、位相変更、振幅変更、マッピング変更を行う説明として、時間ｔ軸方向で位相変更、振幅変更、マッピング変更を行う場合で説明したが、実施の形態１と同様に、周波数軸方向に位相変更を行うときと同様に、つまり、本実施の形態において、ｔ方向での位相変更、振幅変更、マッピング変更の説明において、ｔをｆ（ｆ：周波数（（サブ）キャリア））に置き換えて、考えることで、本実施の形態で説明した位相変更、振幅変更、マッピング変更を、周波数方向に位相変更、振幅変更、マッピング変更ことに適用することができることになる。また、本実施の形態の位相変更、振幅変更、マッピング変更方法は、実施の形態１の説明と同様に、時間−周波数方向に対する位相変更、振幅変更、マッピング変更に対して、適用することも可能である。
【０３０８】
そして、本実施の形態では、データシンボル以外のシンボル、例えば、パイロットシンボル（プリアンブル、ユニークワード等）、制御情報の伝送用のシンボルなどが、フレームにどのように配置されていてもよい。
【０３０９】
（実施の形態Ａ１）
本実施の形態では、非特許文献１２〜非特許文献１５に示されているように、ＱＣ（Quasi Cyclic）ＬＤＰＣ（Low-Density Parity-Check）符号（ＱＣ−ＬＤＰＣ符号でない、ＬＤＰＣ符号であってもよい）、ＬＤＰＣ符号とＢＣＨ符号（Bose-Chaudhuri-Hocquenghem code）の連接符号、テイルバイティングを用いたターボ符号またはDuo-Binary Turbo Code等のブロック符号を用いたときの規則的に位相を変更する方法について詳しく説明する。ここでは、一例として、ｓ１、ｓ２の２つのストリームを送信する場合を例に説明する。ただし、ブロック符号を用いて符号化を行った際、制御情報等が必要でないとき、符号化後のブロックを構成するビット数は、ブロック符号を構成するビット数（ただし、この中に、以下で記載するような制御情報等が含まれていてもよい。）と一致する。ブロック符号を用いて符号化を行った際、制御情報等（例えば、ＣＲＣ（cyclic redundancy check）、伝送パラメータ等）が必要であるとき、符号化後のブロックを構成するビット数は、ブロック符号を構成するビット数と制御情報等のビット数の和であることもある。
【０３１０】
図３４は、ブロック符号を用いたとき、１つの符号化後のブロックに必要なシンボル数、スロット数の変化を示した図である。図３４は、例えば、図４の送信装置に示したように、ｓ１、ｓ２の２つのストリームを送信し、かつ、送信装置が、１つの符号化器を有している場合の「ブロック符号を用いたとき、１つの符号化後のブロックに必要なシンボル数、スロット数の変化を示した図」である。（このとき、伝送方式としては、シングルキャリア伝送、ＯＦＤＭのようなマルチキャリア伝送、いずれを用いてもよい。）
図３４に示すように、ブロック符号における１つの符号化後のブロックを構成するビット数を６０００ビットであるとする。この６０００ビットを送信するためには、変調方式がＱＰＳＫのとき３０００シンボル、１６ＱＡＭのとき１５００シンボル、６４ＱＡＭのとき１０００シンボルが必要となる。
【０３１１】
そして、図４の送信装置では、２つのストリームを同時に送信することになるため、変調方式がＱＰＳＫのとき、前述の３０００シンボルは、ｓ１に１５００シンボル、ｓ２に１５００シンボル割り当てられることになるため、ｓ１で送信する１５００シンボルとｓ２で送信する１５００シンボルを送信するために１５００スロット（ここでは「スロット」と名付ける。）が必要となる。
【０３１２】
同様に考えると、変調方式が１６ＱＡＭのとき、１つの符号化後のブロックを構成するすべてのビットを送信するために７５０スロットが必要となり、変調方式が６４ＱＡＭのとき、１ブロックを構成するすべてのビットを送信するために５００スロットが必要となる。
【０３１３】
次に、規則的に位相を変更する方法において、上述で定義したスロットと乗じる位相との関係について説明する。
【０３１４】
ここでは、規則的に位相を変更する方法のために用意する位相変更値（または、位相変更セット）の数を５とする。つまり、図４の送信装置の位相変更部のために、５つの位相変更値（または、位相変更セット）を用意するものとする（実施の形態１から実施の形態４における「周期」となる）（図６のように、プリコーディング後のベースバンド信号ｚ２’のみに位相変更を行う場合、周期５の位相変更を行うためには、５つの位相変更値を用意すればよい。また、図２６のように、プリコーディング後のベースバンド信号ｚ１’およびｚ２’の両者に対し位相変更を行う場合、１スロットのために、２つの位相変更値が必要となる。この２つの位相変更値を位相変更セットとよぶ。したがって、この場合、周期５の位相変更を行うためには、５つの位相変更セットを用意すればよい）。この５つの位相変更値（または、位相変更セット）をPHASE[0], PHASE[1], PHASE[2],PHASE[3], PHASE[4]とあらわすものとする。
【０３１５】
変調方式がＱＰＳＫのとき、１つの符号化後のブロックを構成するビット数６０００ビットを送信するための上記で述べた１５００スロットにおいて、位相PHASE[0]を使用するスロットが３００スロット、位相PHASE[1]を使用するスロットが３００スロット、位相PHASE[2]を使用するスロットが３００スロット、位相PHASE[3]を使用するスロットが３００スロット、位相PHASE[4]を使用するスロットが３００スロットである必要がある。これは、使用する位相にかたよりがあると、多くの数を使用した位相の影響が大きく、受信装置において、この影響に依存したデータの受信品質となるからである。
【０３１６】
同様に、変調方式が１６ＱＡＭのとき、１つの符号化後のブロックを構成するビット数６０００ビットを送信するための上記で述べた７５０スロットにおいて、位相PHASE[0]を使用するスロットが１５０スロット、位相PHASE[1]を使用するスロットが１５０スロット、位相PHASE[2]を使用するスロットが１５０スロット、位相PHASE[3]を使用するスロットが１５０スロット、位相PHASE[4]を使用するスロットが１５０スロットである必要がある。
【０３１７】
同様に、変調方式が６４ＱＡＭのとき、１つの符号化後のブロックを構成するビット数６０００ビットを送信するための上記で述べた５００スロットにおいて、位相PHASE[0]を使用するスロットが１００スロット、位相PHASE[1]を使用するスロットが１００スロット、位相PHASE[2]を使用するスロットが１００スロット、位相PHASE[3]を使用するスロットが１００スロット、位相PHASE[4]を使用するスロットが１００スロットである必要がある。
【０３１８】
以上のように、規則的に位相を変更する方法において、用意する位相変更値（または、位相変更セット）をＮ個（Ｎ個の異なる位相をPHASE[0], PHASE[1], PHASE[2],・・・, PHASE[N-2] , PHASE[N-1]とあらわすものとする）としたとき、１つの符号化後のブロックを構成するビットをすべて送信する際に、位相PHASE[0]を使用するスロット数をＫ０, 位相PHASE[1]を使用するスロット数をＫ１、位相PHASE[i]を使用するスロット数をＫi（i=0,1,2,・・・,N-1（ｉは０以上Ｎ−１以下の整数））、 位相PHASE[N-1] を使用するスロット数をＫN-1としたとき、
＜条件＃Ａ０１＞
Ｋ０＝Ｋ１＝・・・＝Ｋi＝・・・＝ＫN-1、つまり、Ｋa＝Ｋb、（for∀a、∀b、ただし、a, b=0,1,2,・・・,N-1（ａは０以上Ｎ−１以下の整数、ｂは０以上Ｎ−１以下の整数）、a≠b）
であるとよい。
【０３１９】
そして、通信システムが、複数の変調方式をサポートしており、サポートしている変調方式から選択して使用する場合、サポートしている変調方式において、＜条件＃Ａ０１＞が成立するとよいことになる。
【０３２０】
しかし、複数の変調方式をサポートしている場合、各変調方式により１シンボルで送信することができるビット数が異なるのが一般的であり（場合によっては、同一となることもあり得る。）、場合によっては、＜条件＃Ａ０１＞を満たすことができない変調方式が存在することもある。この場合、＜条件＃Ａ０１＞にかわり、以下の条件を満たすとよい。
【０３２１】
＜条件＃Ａ０２＞
ＫaとＫbの差は０または１、つまり、｜Ｋa―Ｋb｜は０または１
（for∀a、∀b、ただし、a, b=0,1,2,・・・,N-1（ａは０以上Ｎ−１以下の整数、ｂは０以上Ｎ−１以下の整数）、a≠b）
図３５は、ブロック符号を用いたとき、２つの符号化後のブロックに必要なシンボル数、スロット数の変化を示した図である。図３５は、図３の送信装置および図１２の送信装置に示したように、ｓ１、ｓ２の２つのストリームを送信し、かつ、送信装置が、２つの符号化器を有している場合の「ブロック符号を用いたとき、１つの符号化後のブロックに必要なシンボル数、スロット数の変化を示した図」である。（このとき、伝送方式としては、シングルキャリア伝送、ＯＦＤＭのようなマルチキャリア伝送、いずれを用いてもよい。）
図３５に示すように、ブロック符号における１つの符号化後のブロックを構成するビット数を６０００ビットであるとする。この６０００ビットを送信するためには、変調方式がＱＰＳＫのとき３０００シンボル、１６ＱＡＭのとき１５００シンボル、６４ＱＡＭのとき１０００シンボルが必要となる。
【０３２２】
そして、図３の送信装置および図１２の送信装置では、２つのストリームを同時に送信することになり、また、２つの符号化器が存在するため、２つのストリームでは、異なる符号ブロックを伝送することになる。したがって、変調方式がＱＰＳＫのとき、ｓ１、ｓ２により、２つの符号化ブロックが同一区間内で送信されることから、例えば、ｓ１により第１の符号化後のブロックが送信され、ｓ２により、第２の符号化ブロックが送信されることになるので、第１、第２の符号化後のブロックを送信するために３０００スロットが必要となる。
【０３２３】
同様に考えると、変調方式が１６ＱＡＭのとき、２つの符号化後のブロックを構成するすべてのビットを送信するために１５００スロットが必要となり、変調方式が６４ＱＡＭのとき、２つの符号化後のブロックを構成するすべてのビットを送信するために１０００スロットが必要となる。
【０３２４】
次に、規則的に位相を変更する方法において、上述で定義したスロットと乗じる位相との関係について説明する。
【０３２５】
ここでは、規則的に位相を変更する方法のために用意する位相変更値（または、位相変更セット）の数を５とする。つまり、図３および図１２の送信装置の位相変更部のために、５つの位相変更値（または、位相変更セット）を用意するものとする（実施の形態１から実施の形態４における「周期」となる）（図６のように、プリコーディング後のベースバンド信号ｚ２’のみに位相変更を行う場合、周期５の位相変更を行うためには、５つの位相変更値を用意すればよい。また、図２６のように、プリコーディング後のベースバンド信号ｚ１’およびｚ２’の両者に対し位相変更を行う場合、１スロットのために、２つの位相変更値が必要となる。この２つの位相変更値を位相変更セットとよぶ。したがって、この場合、周期５の位相変更を行うためには、５つの位相変更セットを用意すればよい）。この５つの位相変更値（または、位相変更セット）をPHASE[0], PHASE[1], PHASE[2],PHASE[3], PHASE[4]とあらわすものとする。
【０３２６】
変調方式がＱＰＳＫのとき、２つの符号化後のブロックを構成するビット数６０００×２ビットを送信するための上記で述べた３０００スロットにおいて、位相PHASE[0]を使用するスロットが６００スロット、位相PHASE[1]を使用するスロットが６００スロット、位相PHASE[2]を使用するスロットが６００スロット、位相PHASE[3]を使用するスロットが６００スロット、位相PHASE[4]を使用するスロットが６００スロットである必要がある。これは、使用する位相にかたよりがあると、多くの数を使用した位相の影響が大きく、受信装置において、この影響に依存したデータの受信品質となるからである。
【０３２７】
また、第１の符号化ブロックを送信するために、位相PHASE[0]を使用するスロットが６００回、位相PHASE[1]を使用するスロットが６００回、位相PHASE[2]を使用するスロットが６００回、位相PHASE[3]を使用するスロットが６００回、位相PHASE[4]を使用するスロットが６００回である必要があり、また、第２の符号化ブロックを送信するために、位相PHASE[0]を使用するスロットが６００回、位相PHASE[1]を使用するスロットが６００回、位相PHASE[2]を使用するスロットが６００回、位相PHASE[3]を使用するスロットが６００回、位相PHASE[4]を使用するスロットが６００回であるとよい。
【０３２８】
同様に、変調方式が１６ＱＡＭのとき、２つの符号化後のブロックを構成するビット数６０００×２ビットを送信するための上記で述べた１５００スロットにおいて、位相PHASE[0]を使用するスロットが３００スロット、位相PHASE[1]を使用するスロットが３００スロット、位相PHASE[2]を使用するスロットが３００スロット、位相PHASE[3]を使用するスロットが３００スロット、位相PHASE[4]を使用するスロットが３００スロットである必要がある。
【０３２９】
また、第１の符号化ブロックを送信するために、位相PHASE[0]を使用するスロットが３００回、位相PHASE[1]を使用するスロットが３００回、位相PHASE[2]を使用するスロットが３００回、位相PHASE[3]を使用するスロットが３００回、位相PHASE[4]を使用するスロットが３００回である必要があり、また、第２の符号化ブロックを送信するために、位相PHASE[0]を使用するスロットが３００回、位相PHASE[1]を使用するスロットが３００回、位相PHASE[2]を使用するスロットが３００回、位相PHASE[3]を使用するスロットが３００回、位相PHASE[4]を使用するスロットが３００回であるとよい。
【０３３０】
同様に、変調方式が６４ＱＡＭのとき、２つの符号化後のブロックを構成するビット数６０００×２ビットを送信するための上記で述べた１０００スロットにおいて、位相PHASE[0]を使用するスロットが２００スロット、位相PHASE[1]を使用するスロットが２００スロット、位相PHASE[2]を使用するスロットが２００スロット、位相PHASE[3]を使用するスロットが２００スロット、位相PHASE[4]を使用するスロットが２００スロットである必要がある。
【０３３１】
また、第１の符号化ブロックを送信するために、位相PHASE[0]を使用するスロットが２００回、位相PHASE[1]を使用するスロットが２００回、位相PHASE[2]を使用するスロットが２００回、位相PHASE[3]を使用するスロットが２００回、位相PHASE[4]を使用するスロットが２００回である必要があり、また、第２の符号化ブロックを送信するために、位相PHASE[0]を使用するスロットが２００回、位相PHASE[1]を使用するスロットが２００回、位相PHASE[2]を使用するスロットが２００回、位相PHASE[3]を使用するスロットが２００回、位相PHASE[4]を使用するスロットが２００回であるとよい。
【０３３２】
以上のように、規則的に位相を変更する方法において、用意する位相変更値（または、位相変更セット）をPHASE[0], PHASE[1], PHASE[2],・・・, PHASE[N-2] , PHASE[N-1]とあらわすものとする）としたとき、２つの符号化後のブロックを構成するビットをすべて送信する際に、位相PHASE[0]を使用するスロット数をＫ０, 位相PHASE[1]を使用するスロット数をＫ１、位相PHASE[i]を使用するスロット数をＫi（i=0,1,2,・・・,N-1（ｉは０以上Ｎ−１以下の整数））、 位相PHASE[N-1] を使用するスロット数をＫN-1としたとき、
＜条件＃Ａ０３＞
Ｋ０＝Ｋ１＝・・・＝Ｋi＝・・・＝ＫN-1、つまり、Ｋa＝Ｋb、（for∀a、∀b、ただし、a, b=0,1,2,・・・,N-1（ａは０以上Ｎ−１以下の整数、ｂは０以上Ｎ−１以下の整数）、a≠b）
であり、第１の符号化後のブロックを構成するビットをすべて送信する際に、位相PHASE[0]を使用する回数をＫ０，１, 位相PHASE[1]を使用する回数をＫ１，１、位相PHASE[i]を使用する回数をＫi，１（i=0,1,2,・・・,N-1（ｉは０以上Ｎ−１以下の整数））、 位相PHASE[N-1] を使用する回数をＫN-1，１としたとき、
＜条件＃Ａ０４＞
Ｋ０，１＝Ｋ１，１＝・・・＝Ｋi，１＝・・・＝ＫN-1，１、つまり、Ｋa，１＝Ｋb，１、（for∀a、∀b、ただし、a, b=0,1,2,・・・,N-1（ａは０以上Ｎ−１以下の整数、ｂは０以上Ｎ−１以下の整数）、a≠b）
であり、第２の符号化後のブロックを構成するビットをすべて送信する際に、位相PHASE[0]を使用する回数をＫ０，２, 位相PHASE[1]を使用する回数をＫ１，２、位相PHASE[i]を使用する回数をＫi，２（i=0,1,2,・・・,N-1（ｉは０以上Ｎ−１以下の整数））、 位相PHASE[N-1] を使用する回数をＫN-1，２としたとき、
＜条件＃Ａ０５＞
Ｋ０，２＝Ｋ１，２＝・・・＝Ｋi，２＝・・・＝ＫN-1，２、つまり、Ｋa，２＝Ｋb，２、（for∀a、∀b、ただし、a, b=0,1,2,・・・,N-1（ａは０以上Ｎ−１以下の整数、ｂは０以上Ｎ−１以下の整数）、a≠b）
であるとよい。
【０３３３】
そして、通信システムが、複数の変調方式をサポートしており、サポートしている変調方式から選択して使用する場合、サポートしている変調方式において、＜条件＃Ａ０３＞＜条件＃Ａ０４＞＜条件＃Ａ０５＞が成立するとよいことになる。
【０３３４】
しかし、複数の変調方式をサポートしている場合、各変調方式により１シンボルで送信することができるビット数が異なるのが一般的であり（場合によっては、同一となることもあり得る。）、場合によっては、＜条件＃Ａ０３＞＜条件＃Ａ０４＞＜条件＃Ａ０５＞を満たすことができない変調方式が存在することもある。この場合、＜条件＃Ａ０３＞＜条件＃Ａ０４＞＜条件＃Ａ０５＞にかわり、以下の条件を満たすとよい。
【０３３５】
＜条件＃Ａ０６＞
ＫaとＫbの差は０または１、つまり、｜Ｋa―Ｋb｜は０または１
（for∀a、∀b、ただし、a, b=0,1,2,・・・,N-1（ａは０以上Ｎ−１以下の整数、ｂは０以上Ｎ−１以下の整数）、a≠b）
＜条件＃Ａ０７＞
Ｋa，１とＫb，１の差は０または１、つまり、｜Ｋa，１―Ｋb，１｜は０または１
（for∀a、∀b、ただし、a, b=0,1,2,・・・,N-1（ａは０以上Ｎ−１以下の整数、ｂは０以上Ｎ−１以下の整数）、a≠b）
＜条件＃Ａ０８＞
Ｋa，２とＫb，２の差は０または１、つまり、｜Ｋa，２―Ｋb，２｜は０または１
（for∀a、∀b、ただし、a, b=0,1,2,・・・,N-1（ａは０以上Ｎ−１以下の整数、ｂは０以上Ｎ−１以下の整数）、a≠b）
以上のように、符号化後のブロックと乗じる位相の関係付けを行うことで、符号化ブロックを伝送するために使用する位相にかたよりがなくなるため、受信装置において、データの受信品質が向上するという効果を得ることができる。
【０３３６】
本実施の形態では、規則的に位相を変更する方法において、周期Nの位相変更方法のためには、N個の位相変更値（または、位相変更セット）が必要となる。このとき、N個の位相変更値（または、位相変更セット）として、PHASE[0]、PHASE[1]、PHASE[2]、・・・、PHASE[N-2]、PHASE[N-1]を用意することになるが、周波数軸方向にPHASE[0]、PHASE[1]、PHASE[2]、・・・、PHASE[N-2]、PHASE[N-1]の順に並べる方法もあるが、必ずしもこれに限ったものではなく、N個の位相変更値（または、位相変更セット）PHASE[0]、PHASE[1]、PHASE[2]、・・・、PHASE[N-2]、PHASE[N-1]を実施の形態１と同様に、時間軸、周波数―時間軸のブロックに対し、シンボルを配置することで、位相を変更することもできる。なお、周期Nの位相変更方法として説明しているが、N個の位相変更値（または、位相変更セット）をランダムに用いるようにしても同様の効果を得ることができる、つまり、必ずしも、規則的な周期を持つようにN個の位相変更値（または、位相変更セット）を用いる必要はないが、上記で説明した条件を満たすことは、受信装置において、高いデータの受信品質を得る上では、重要となる。
【０３３７】
また、空間多重ＭＩＭＯ伝送方式、プリコーディング行列が固定のＭＩＭＯ伝送方式、時空間ブロック符号化方式、１ストリームのみ送信、規則的に位相を変更する方法（実施の形態１から実施の形態４で説明した送信方法）のモードが存在し、送信装置（放送局、基地局）は、これらのモードから、いずれかの送信方法を選択することができるようにしてもよい。
【０３３８】
なお、空間多重ＭＩＭＯ伝送方式とは、非特許文献３に示されているように、選択した変調方式でマッピングした信号ｓ１、ｓ２をそれぞれ異なるアンテナから送信する方法であり、プリコーディング行列が固定のＭＩＭＯ伝送方式とは、実施の形態１から実施の形態４において、プリコーディングのみを行う（位相変更を行わない）方式である。また、時空間ブロック符号化方式とは、非特許文献９、１６、１７に示されている伝送方式である。１ストリームのみ送信とは、選択した変調方式でマッピングした信号ｓ１の信号を所定の処理を行いアンテナから送信する方法である。
【０３３９】
また、ＯＦＤＭのようなマルチキャリアの伝送方式を用いており、複数のキャリアで構成された第１キャリア群、複数のキャリアで構成された第１キャリア群とは異なる第２キャリア群、・・・というように複数のキャリア群でマルチキャリア伝送を実現しており、キャリア群ごとに、空間多重ＭＩＭＯ伝送方式、プリコーディング行列が固定のＭＩＭＯ伝送方式、時空間ブロック符号化方式、１ストリームのみ送信、規則的に位相を変更する方法のいずれかに設定してもよく、
特に、規則的に位相を変更する方法を選択した（サブ）キャリア群では、本実施の形態を実施するとよい。
【０３４０】
なお、一方のプリコーディング後のベースバンド信号に対し、位相変更を行う場合、例えば、PHASE[i]の位相変更値を「Xラジアン」とした場合、図３、図４、図６、図１２、図２５、図２９、図５１、図５３における位相変更部において、ｅｊXをプリコーディング後のベースバンド信号ｚ２’に乗算することになる。そして、両者のプリコーディング後のベースバンド信号に対し、位相変更を行う場合、例えば、PHASE[i]の位相変更セットを「Xラジアン」および「Yラジアン」とした場合、図２６、図２７、図２８、図５２、図５４における位相変更部において、ｅｊXをプリコーディング後のベースバンド信号ｚ２’に乗算することになり、ｅｊYをプリコーディング後のベースバンド信号ｚ１’に乗算することになる。
【０３４１】
（実施の形態Ｂ１）
以下では、上記各実施の形態で示した送信方法及び受信方法の応用例とそれを用いたシステムの構成例を説明する。
【０３４２】
図３６は、上記実施の形態で示した送信方法及び受信方法を実行する装置を含むシステムの構成例を示す図である。上記各実施の形態で示した送信方法及び受信方法は、図３６に示すような放送局と、テレビ（テレビジョン）３６１１、ＤＶＤレコーダ３６１２、ＳＴＢ（Set Top Box）３６１３、コンピュータ３６２０、車載のテレビ３６４１及び携帯電話３６３０等の様々な種類の受信機を含むデジタル放送用システム３６００において実施される。具体的には、放送局３６０１が、映像データや音声データ等が多重化された多重化データを上記各実施の形態で示した送信方法を用いて所定の伝送帯域に送信する。
【０３４３】
放送局３６０１から送信された信号は、各受信機に内蔵された、または外部に設置され当該受信機と接続されたアンテナ（例えば、アンテナ３６６０、３６４０）で受信される。各受信機は、アンテナにおいて受信された信号を上記各実施の形態で示した受信方法を用いて復調し、多重化データを取得する。これにより、デジタル放送用システム３６００は、上記各実施の形態で説明した本願発明の効果を得ることができる。
【０３４４】
ここで、多重化データに含まれる映像データは、例えばＭＰＥＧ（Ｍｏｖｉｎｇ  Ｐｉｃｔｕｒｅ  Ｅｘｐｅｒｔｓ  Ｇｒｏｕｐ）２、ＭＰＥＧ４−ＡＶＣ（Ａｄｖａｎｃｅｄ  Ｖｉｄｅｏ  Ｃｏｄｉｎｇ）、ＶＣ−１などの規格に準拠した動画符号化方法を用いて符号化されている。また、多重化データに含まれる音声データは例えばドルビーＡＣ（Ａｕｄｉｏ  Ｃｏｄｉｎｇ）−３、Ｄｏｌｂｙ  Ｄｉｇｉｔａｌ  Ｐｌｕｓ、ＭＬＰ（Ｍｅｒｉｄｉａｎ  Ｌｏｓｓｌｅｓｓ  Ｐａｃｋｉｎｇ）、ＤＴＳ（Ｄｉｇｉｔａｌ  Ｔｈｅａｔｅｒ  Ｓｙｓｔｅｍｓ）、ＤＴＳ−ＨＤ、リニアＰＣＭ（Ｐｕｌｓｅ  Ｃｏｄｉｎｇ  Ｍｏｄｕｌａｔｉｏｎ）等の音声符号化方法で符号化されている。
【０３４５】
図３７は、上記各実施の形態で説明した受信方法を実施する受信機７９００の構成の一例を示す図である。図３７に示す受信機３７００は、図３６に示したテレビ（テレビジョン）３６１１、ＤＶＤレコーダ３６１２、ＳＴＢ（Set Top Box）３６１３、コンピュータ３６２０、車載のテレビ３６４１及び携帯電話３６３０等が備える構成に相当する。受信機３７００は、アンテナ３７６０で受信された高周波信号をベースバンド信号に変換するチューナ３７０１と、周波数変換されたベースバンド信号を復調して多重化データを取得する復調部３７０２とを備える。上記各実施の形態で示した受信方法は復調部３７０２において実施され、これにより上記各実施の形態で説明した本願発明の効果を得ることができる。
【０３４６】
また、受信機３７００は、復調部３７０２で得られた多重化データから映像データと音声データとを分離するストリーム入出力部３７２０と、分離された映像データに対応する動画像復号方法を用いて映像データを映像信号に復号し、分離された音声データに対応する音声復号方法を用いて音声データを音声信号に復号する信号処理部３７０４と、復号された音声信号を出力するスピーカ等の音声出力部３７０６と、復号された映像信号を表示するディスプレイ等の映像表示部３７０７とを有する。
【０３４７】
例えば、ユーザは、リモコン（リモートコントローラ）３７５０を用いて、選局したチャネル（選局した（テレビ）番組、選局した音声放送）の情報を操作入力部３７１０に送信する。すると、受信機３７００は、アンテナ３７６０で受信した受信信号において、選局したチャネルに相当する信号を復調、誤り訂正復号等の処理を行い、受信データを得ることになる。このとき、受信機３７００は、選局したチャネルに相当する信号に含まれる伝送方法（上記の実施の形態で述べた伝送方式、変調方式、誤り訂正方式等）（これについては、図５、図４１に記載のとおりである。）の情報を含む制御シンボルの情報を得ることで、受信動作、復調方法、誤り訂正復号等の方法を正しく設定することで、放送局（基地局）で送信したデータシンボルに含まれるデータを得ることが可能となる。上述では、ユーザは、リモコン３７５０によって、チャネルを選局する例を説明したが、受信機３７００が搭載している選局キーを用いて、チャネルを選局しても、上記と同様の動作となる。
【０３４８】
上記の構成により、ユーザは、受信機３７００が上記各実施の形態で示した受信方法により受信した番組を視聴することができる。
【０３４９】
また、本実施の形態の受信機３７００は、復調部３７０２で復調し、誤り訂正の復号を行うことで得られた多重化データ（場合によっては、復調部３７０２で復調されて得られる信号に対して誤り訂正復号を行わないこともある。また、受信機３７００は、誤り訂正復号後に他の信号処理が施されることもある。以降について、同様の表現を行っている部分についても、この点は同様である。）に含まれるデータ、または、そのデータに相当するデータ（例えば、データを圧縮することによって得られたデータ）や、動画、音声を加工して得られたデータを、磁気ディスク、光ディスク、不揮発性の半導体メモリ等の記録メディアに記録する記録部（ドライブ）３７０８を備える。ここで光ディスクとは、例えばＤＶＤ（Ｄｉｇｉｔａｌ  Ｖｅｒｓａｔｉｌｅ  Ｄｉｓｃ）やＢＤ（Ｂｌｕ−ｒａｙ  Ｄｉｓｃ）等の、レーザ光を用いて情報の記憶と読み出しがなされる記録メディアである。磁気ディスクとは、例えばＦＤ（Ｆｌｏｐｐｙ  Ｄｉｓｋ）（登録商標）やハードディスク（Ｈａｒｄ  Ｄｉｓｋ）等の、磁束を用いて磁性体を磁化することにより情報を記憶する記録メディアである。不揮発性の半導体メモリとは、例えばフラッシュメモリや強誘電体メモリ（Ｆｅｒｒｏｅｌｅｃｔｒｉｃ  Ｒａｎｄｏｍ  Ａｃｃｅｓｓ  Ｍｅｍｏｒｙ）等の、半導体素子により構成された記録メディアであり、フラッシュメモリを用いたＳＤカードやＦｌａｓｈ  ＳＳＤ（Ｓｏｌｉｄ  Ｓｔａｔｅ  Ｄｒｉｖｅ）などが挙げられる。なお、ここで挙げた記録メディアの種類はあくまでその一例であり、上記の記録メディア以外の記録メディアを用いて記録を行っても良いことは言うまでもない。
【０３５０】
上記の構成により、ユーザは、受信機３７００が上記各実施の形態で示した受信方法により受信した番組を記録して保存し、番組の放送されている時間以降の任意の時間に記録されたデータを読み出して視聴することが可能になる。
【０３５１】
なお、上記の説明では、受信機３７００は、復調部３７０２で復調し、誤り訂正の復号を行うことで得られた多重化データを記録部３７０８で記録するとしたが、多重化データに含まれるデータのうち一部のデータを抽出して記録しても良い。例えば、復調部３７０２で復調し、誤り訂正の復号を行うことで得られた多重化データに映像データや音声データ以外のデータ放送サービスのコンテンツ等が含まれる場合、記録部３７０８は、復調部３７０２で復調された多重化データから映像データや音声データを抽出して多重した新しい多重化データを記録しても良い。また、記録部３７０８は、復調部３７０２で復調し、誤り訂正の復号を行うことで得られた多重化データに含まれる映像データ及び音声データのうち、どちらか一方のみを多重した新しい多重化データを記録しても良い。そして、上記で述べた多重化データに含まれるデータ放送サービスのコンテンツを記録部３７０８は、記録してもよい。
【０３５２】
さらには、テレビ、記録装置（例えば、ＤＶＤレコーダ、Ｂｌｕ−ｒａｙレコーダ、ＨＤＤレコーダ、ＳＤカード等）、携帯電話に、本発明で説明した受信機３７００が搭載されている場合、復調部３７０２で復調し、誤り訂正の復号を行うことで得られた多重化データに、テレビや記録装置を動作させるのに使用するソフトウェアの欠陥（バグ）を修正するためのデータや個人情報や記録したデータの流出を防ぐためのソフトウェアの欠陥（バグ）を修正するためのデータが含まれている場合、これらのデータをインストールすることで、テレビや記録装置のソフトウェアの欠陥を修正してもよい。そして、データに、受信機３７００のソフトウェアの欠陥（バグ）を修正するためのデータが含まれていた場合、このデータにより、受信機３７００の欠陥を修正することもできる。これにより、受信機３７００が搭載されているテレビ、記録装置、携帯電話が、より安定的の動作させることが可能となる。
【０３５３】
ここで、復調部３７０２で復調し、誤り訂正の復号を行うことで得られた多重化データに含まれる複数のデータから一部のデータを抽出して多重する処理は、例えばストリーム入出力部３７０３で行われる。具体的には、ストリーム入出力部３７０３が、図示していないＣＰＵ等の制御部からの指示により、復調部３７０２で復調された多重化データを映像データ、音声データ、データ放送サービスのコンテンツ等の複数のデータに分離し、分離後のデータから指定されたデータのみを抽出して多重し、新しい多重化データを生成する。なお、分離後のデータからどのデータを抽出するかについては、例えばユーザが決定してもよいし、記録メディアの種類毎に予め決められていてもよい。
【０３５４】
上記の構成により、受信機３７００は記録された番組を視聴する際に必要なデータのみを抽出して記録することができるので、記録するデータのデータサイズを削減することができる。
【０３５５】
また、上記の説明では、記録部３７０８は、復調部３７０２で復調し、誤り訂正の復号を行うことで得られた多重化データを記録するとしたが、復調部３７０２で復調し、誤り訂正の復号を行うことで得られた多重化データに含まれる映像データを、当該映像データよりもデータサイズまたはビットレートが低くなるよう、当該映像データに施された動画像符号化方法とは異なる動画像符号化方法で符号化された映像データに変換し、変換後の映像データを多重した新しい多重化データを記録してもよい。このとき、元の映像データに施された動画像符号化方法と変換後の映像データに施された動画像符号化方法とは、互いに異なる規格に準拠していてもよいし、同じ規格に準拠して符号化時に使用するパラメータのみが異なっていてもよい。同様に、記録部３７０８は、復調部３７０２で復調し、誤り訂正の復号を行うことで得られた多重化データに含まれる音声データを、当該音声データよりもデータサイズまたはビットレートが低くなるよう、当該音声データに施された音声符号化方法とは異なる音声符号化方法で符号化された音声データに変換し、変換後の音声データを多重した新しい多重化データを記録してもよい。
【０３５６】
ここで、復調部３７０２で復調し、誤り訂正の復号を行うことで得られた多重化データに含まれる映像データや音声データをデータサイズまたはビットレートが異なる映像データや音声データに変換する処理は、例えばストリーム入出力部３７０３及び信号処理部３７０４で行われる。具体的には、ストリーム入出力部３７０３が、ＣＰＵ等の制御部からの指示により、復調部３７０２で復調し、誤り訂正の復号を行うことで得られた多重化データを映像データ、音声データ、データ放送サービスのコンテンツ等の複数のデータに分離する。信号処理部３７０４は、制御部からの指示により、分離後の映像データを当該映像データに施された動画像符号化方法とは異なる動画像符号化方法で符号化された映像データに変換する処理、及び分離後の音声データを当該音声データに施された音声符号化方法とは異なる音声符号化方法で符号化された音声データに変換する処理を行う。ストリーム入出力部３７０３は、制御部からの指示により、変換後の映像データと変換後の音声データとを多重し、新しい多重化データを生成する。なお、信号処理部３７０４は制御部からの指示に応じて、映像データと音声データのうちいずれか一方に対してのみ変換の処理を行っても良いし、両方に対して変換の処理を行っても良い。また、変換後の映像データ及び音声データのデータサイズまたはビットレートは、ユーザが決定してもよいし、記録メディアの種類毎に予め決められていてもよい。
【０３５７】
上記の構成により、受信機３７００は、記録メディアに記録可能なデータサイズや記録部３７０８がデータの記録または読み出しを行う速度に合わせて映像データや音声データのデータサイズまたはビットレートを変更して記録することができる。これにより、記録メディアに記録可能なデータサイズが復調部３７０２で復調し、誤り訂正の復号を行うことで得られた多重化データのデータサイズよりも小さい場合や、記録部がデータの記録または読み出しを行う速度が復調部３７０２で復調された多重化データのビットレートよりも低い場合でも記録部が番組を記録することが可能となるので、ユーザは番組の放送されている時間以降の任意の時間に記録されたデータを読み出して視聴することが可能になる。
【０３５８】
また、受信機３７００は、復調部３７０２で復調された多重化データを外部機器に対して通信媒体３７３０を介して送信するストリーム出力ＩＦ（Ｉｎｔｅｒｆａｃｅ：インターフェース）３７０９を備える。ストリーム出力ＩＦ３７０９の一例としては、Ｗｉ−Ｆｉ（登録商標）（ＩＥＥＥ８０２．１１ａ、ＩＥＥＥ８０２．１１ｂ、ＩＥＥＥ８０２．１１ｇ、ＩＥＥＥ８０２．１１ｎ等）、ＷｉＧｉＧ、ＷｉｒｅｌｅｓｓＨＤ、Ｂｌｕｅｔｏｏｔｈ（登録商標）、Ｚｉｇｂｅｅ（登録商標）等の無線通信規格に準拠した無線通信方法を用いて変調した多重化データを、無線媒体（通信媒体３７３０に相当）を介して外部機器に送信する無線通信装置が挙げられる。また、ストリーム出力ＩＦ３７０９は、イーサネット（登録商標）やＵＳＢ（Ｕｎｉｖｅｒｓａｌ  Ｓｅｒｉａｌ  Ｂｕｓ）、ＰＬＣ（Ｐｏｗｅｒ  Ｌｉｎｅ  Ｃｏｍｍｕｎｉｃａｔｉｏｎ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）等の有線通信規格に準拠した通信方法を用いて変調された多重化データを当該ストリーム出力ＩＦ３７０９に接続された有線伝送路（通信媒体３７３０に相当）を介して外部機器に送信する有線通信装置であってもよい。
【０３５９】
上記の構成により、ユーザは、受信機３７００が上記各実施の形態で示した受信方法により受信した多重化データを外部機器で利用することができる。ここでいう多重化データの利用とは、ユーザが外部機器を用いて多重化データをリアルタイムで視聴することや、外部機器に備えられた記録部で多重化データを記録すること、外部機器からさらに別の外部機器に対して多重化データを送信すること等を含む。
【０３６０】
なお、上記の説明では、受信機３７００は、復調部３７０２で復調し、誤り訂正の復号を行うことで得られた多重化データをストリーム出力ＩＦ３７０９が出力するとしたが、多重化データに含まれるデータのうち一部のデータを抽出して出力しても良い。例えば、復調部３７０２で復調し、誤り訂正の復号を行うことで得られた多重化データに映像データや音声データ以外のデータ放送サービスのコンテンツ等が含まれる場合、ストリーム出力ＩＦ３７０９は、復調部３７０２で復調し、誤り訂正の復号を行うことで得られた多重化データから映像データや音声データを抽出して多重した新しい多重化データを出力しても良い。また、ストリーム出力ＩＦ３７０９は、復調部３７０２で復調された多重化データに含まれる映像データ及び音声データのうち、どちらか一方のみを多重した新しい多重化データを出力しても良い。
【０３６１】
ここで、復調部３７０２で復調し、誤り訂正の復号を行うことで得られた多重化データに含まれる複数のデータから一部のデータを抽出して多重する処理は、例えばストリーム入出力部３７０３で行われる。具体的には、ストリーム入出力部３７０３が、図示していないＣＰＵ（Ｃｅｎｔｒａｌ  Ｐｒｏｃｅｓｓｉｎｇ  Ｕｎｉｔ）等の制御部からの指示により、復調部３７０２で復調された多重化データを映像データ、音声データ、データ放送サービスのコンテンツ等の複数のデータに分離し、分離後のデータから指定されたデータのみを抽出して多重し、新しい多重化データを生成する。なお、分離後のデータからどのデータを抽出するかについては、例えばユーザが決定してもよいし、ストリーム出力ＩＦ３７０９の種類毎に予め決められていてもよい。
【０３６２】
上記の構成により、受信機３７００は外部機器が必要なデータのみを抽出して出力することができるので、多重化データの出力により消費される通信帯域を削減することができる。
【０３６３】
また、上記の説明では、ストリーム出力ＩＦ３７０９は、復調部３７０２で復調し、誤り訂正の復号を行うことで得られた多重化データを出力するとしたが、復調部３７０２で復調し、誤り訂正の復号を行うことで得られた多重化データに含まれる映像データを、当該映像データよりもデータサイズまたはビットレートが低くなるよう、当該映像データに施された動画像符号化方法とは異なる動画像符号化方法で符号化された映像データに変換し、変換後の映像データを多重した新しい多重化データを出力してもよい。このとき、元の映像データに施された動画像符号化方法と変換後の映像データに施された動画像符号化方法とは、互いに異なる規格に準拠していてもよいし、同じ規格に準拠して符号化時に使用するパラメータのみが異なっていてもよい。同様に、ストリーム出力ＩＦ３７０９は、復調部３７０２で復調し、誤り訂正の復号を行うことで得られた多重化データに含まれる音声データを、当該音声データよりもデータサイズまたはビットレートが低くなるよう、当該音声データに施された音声符号化方法とは異なる音声符号化方法で符号化された音声データに変換し、変換後の音声データを多重した新しい多重化データを出力してもよい。
【０３６４】
ここで、復調部３７０２で復調し、誤り訂正の復号を行うことで得られた多重化データに含まれる映像データや音声データをデータサイズまたはビットレートが異なる映像データや音声データに変換する処理は、例えばストリーム入出力部３７０３及び信号処理部３７０４で行われる。具体的には、ストリーム入出力部３７０３が、制御部からの指示により、復調部３７０２で復調し、誤り訂正の復号を行うことで得られた多重化データを映像データ、音声データ、データ放送サービスのコンテンツ等の複数のデータに分離する。信号処理部３７０４は、制御部からの指示により、分離後の映像データを当該映像データに施された動画像符号化方法とは異なる動画像符号化方法で符号化された映像データに変換する処理、及び分離後の音声データを当該音声データに施された音声符号化方法とは異なる音声符号化方法で符号化された音声データに変換する処理を行う。ストリーム入出力部３７０３は、制御部からの指示により、変換後の映像データと変換後の音声データとを多重し、新しい多重化データを生成する。なお、信号処理部３７０４は制御部からの指示に応じて、映像データと音声データのうちいずれか一方に対してのみ変換の処理を行っても良いし、両方に対して変換の処理を行っても良い。また、変換後の映像データ及び音声データのデータサイズまたはビットレートは、ユーザが決定してもよいし、ストリーム出力ＩＦ３７０９の種類毎に予め決められていてもよい。
【０３６５】
上記の構成により、受信機３７００は、外部機器との間の通信速度に合わせて映像データや音声データのビットレートを変更して出力することができる。これにより、外部機器との間の通信速度が、復調部３７０２で復調し、誤り訂正の復号を行うことで得られた多重化データのビットレートよりも低い場合でもストリーム出力ＩＦから外部機器新しい多重化データを出力することが可能となるので、ユーザは他の通信装置において新しい多重化データを利用することが可能になる。
【０３６６】
また、受信機３７００は、外部機器に対して信号処理部３７０４で復号された映像信号及び音声信号を外部の通信媒体に対して出力するＡＶ（Ａｕｄｉｏ  ａｎｄ  Ｖｉｓｕａｌ）出力ＩＦ（Ｉｎｔｅｒｆａｃｅ）３７１１を備える。ＡＶ出力ＩＦ３７１１の一例としては、Ｗｉ−Ｆｉ（登録商標）（ＩＥＥＥ８０２．１１ａ、ＩＥＥＥ８０２．１１ｂ、ＩＥＥＥ８０２．１１ｇ、ＩＥＥＥ８０２．１１ｎ等）、ＷｉＧｉＧ、ＷｉｒｅｌｅｓｓＨＤ、Ｂｌｕｅｔｏｏｔｈ（登録商標）、Ｚｉｇｂｅｅ（登録商標）等の無線通信規格に準拠した無線通信方法を用いて変調した映像信号及び音声信号を、無線媒体を介して外部機器に送信する無線通信装置が挙げられる。また、ストリーム出力ＩＦ３７０９は、イーサネット（登録商標）やＵＳＢ、ＰＬＣ、ＨＤＭＩ等の有線通信規格に準拠した通信方法を用いて変調された映像信号及び音声信号を当該ストリーム出力ＩＦ３７０９に接続された有線伝送路を介して外部機器に送信する有線通信装置であってもよい。また、ストリーム出力ＩＦ３７０９は、映像信号及び音声信号をアナログ信号のまま出力するケーブルを接続する端子であってもよい。
【０３６７】
上記の構成により、ユーザは、信号処理部３７０４で復号された映像信号及び音声信号を外部機器で利用することができる。
【０３６８】
さらに、受信機３７００は、ユーザ操作の入力を受け付ける操作入力部３７１０を備える。受信機３７００は、ユーザの操作に応じて操作入力部３７１０に入力される制御信号に基づいて、電源のＯＮ／ＯＦＦの切り替えや、受信するチャネルの切り替え、字幕表示の有無や表示する言語の切り替え、音声出力部３７０６から出力される音量の変更等の様々な動作の切り替えや、受信可能なチャネルの設定等の設定の変更を行う。
【０３６９】
また、受信機３７００は、当該受信機３７００で受信中の信号の受信品質を示すアンテナレベルを表示する機能を備えていてもよい。ここで、アンテナレベルとは、例えば受信機３７００が受信した信号のＲＳＳＩ（Ｒｅｃｅｉｖｅｄ  Ｓｉｇｎａｌ  Ｓｔｒｅｎｇｔｈ  Ｉｎｄｉｃａｔｉｏｎ、Ｒｅｃｅｉｖｅｄ  Ｓｉｇｎａｌ  Ｓｔｒｅｎｇｔｈ  Ｉｎｄｉｃａｔｏｒ、受信信号強度）、受信電界強度、Ｃ／Ｎ（Ｃａｒｒｉｅｒ−ｔｏ−ｎｏｉｓｅ  ｐｏｗｅｒ  ｒａｔｉｏ）、ＢＥＲ（Ｂｉｔ  Ｅｒｒｏｒ  Ｒａｔｅ：ビットエラー率）、パケットエラー率、フレームエラー率、チャネル状態情報（Ｃｈａｎｎｅｌ  Ｓｔａｔｅ  Ｉｎｆｏｒｍａｔｉｏｎ）等に基づいて算出される受信品質を示す指標であり、信号レベル、信号の優劣を示す信号である。この場合、復調部３７０２は受信した信号のＲＳＳＩ、受信電界強度、Ｃ／Ｎ、ＢＥＲ、パケットエラー率、フレームエラー率、チャネル状態情報等を測定する受信品質測定部を備え、受信機３７００はユーザの操作に応じてアンテナレベル（信号レベル、信号の優劣を示す信号）をユーザが識別可能な形式で映像表示部３７０７に表示する。アンテナレベル（信号レベル、信号の優劣を示す信号）の表示形式は、ＲＳＳＩ、受信電界強度、Ｃ／Ｎ、ＢＥＲ、パケットエラー率、フレームエラー率、チャネル状態情報等に応じた数値を表示するものであっても良いし、ＲＳＳＩ、受信電界強度、Ｃ／Ｎ、ＢＥＲ、パケットエラー率、フレームエラー率、チャネル状態情報等に応じて異なる画像を表示するようなものであっても良い。また、受信機３７００は、上記各実施の形態で示した受信方法を用いて受信して分離された複数のストリームｓ１、ｓ２、・・・毎に求めた複数のアンテナレベル（信号レベル、信号の優劣を示す信号）を表示しても良いし、複数のストリームｓ１、ｓ２、・・・から求めた１つのアンテナレベル（信号レベル、信号の優劣を示す信号）を表示しても良い。また、番組を構成する映像データや音声データが階層伝送方式を用いて送信されている場合は、階層毎に信号のレベル（信号の優劣を示す信号）を示しても可能である。
【０３７０】
上記の構成により、ユーザは上記各実施の形態で示した受信方法を用いて受信する場合のアンテナレベル（信号レベル、信号の優劣を示す信号）を数値的に、または、視覚的に把握することができる。
【０３７１】
なお、上記の説明では受信機３７００が、音声出力部３７０６、映像表示部３７０７、記録部３７０８、ストリーム出力ＩＦ３７０９、及びＡＶ出力ＩＦ３７１１を備えている場合を例に挙げて説明したが、これらの構成の全てを備えている必要はない。受信機３７００が上記の構成のうち少なくともいずれか一つを備えていれば、ユーザは復調部３７０２で復調し、誤り訂正の復号を行うことで得られた多重化データを利用することができるため、各受信機はその用途に合わせて上記の構成を任意に組み合わせて備えていれば良い。
（多重化データ）
次に、多重化データの構造の一例について詳細に説明する。放送に用いられるデータ構造としてはＭＰＥＧ２−トランスポートストリーム（ＴＳ）が一般的であり、ここではＭＰＥＧ２−ＴＳを例に挙げて説明する。しかし、上記各実施の形態で示した送信方法及び受信方法で伝送される多重化データのデータ構造はＭＰＥＧ２−ＴＳに限られず、他のいかなるデータ構造であっても上記の各実施の形態で説明した効果を得られることは言うまでもない。
【０３７２】
図３８は、多重化データの構成の一例を示す図である。図３８に示すように多重化データは、各サービスで現在提供されている番組（ｐｒｏｇｒａｍまたはその一部であるｅｖｅｎｔ）を構成する要素である、例えばビデオストリーム、オーディオストリーム、プレゼンテーショングラフィックスストリーム（ＰＧ）、インタラクティブグラファイックスストリーム（ＩＧ）などのエレメンタリーストリームのうち、１つ以上を多重化することで得られる。多重化データで提供されている番組が映画の場合、ビデオストリームは映画の主映像および副映像を、オーディオストリームは映画の主音声部分と当該主音声とミキシングする副音声を、プレゼンテーショングラフィックスストリームとは映画の字幕をそれぞれ示している。ここで主映像とは画面に表示される通常の映像を示し、副映像とは主映像の中に小さな画面で表示する映像（例えば、映画のあらすじを示したテキストデータの映像など）のことである。また、インタラクティブグラフィックスストリームは、画面上にＧＵＩ部品を配置することにより作成される対話画面を示している。
【０３７３】
多重化データに含まれる各ストリームは、各ストリームに割り当てられた識別子であるＰＩＤによって識別される。例えば、映画の映像に利用するビデオストリームには０ｘ１０１１が、オーディオストリームには０ｘ１１００から０ｘ１１１Ｆまでが、プレゼンテーショングラフィックスには０ｘ１２００から０ｘ１２１Ｆまでが、インタラクティブグラフィックスストリームには０ｘ１４００から０ｘ１４１Ｆまでが、映画の副映像に利用するビデオストリームには０ｘ１Ｂ００から０ｘ１Ｂ１Ｆまで、主音声とミキシングする副音声に利用するオーディオストリームには０ｘ１Ａ００から０ｘ１Ａ１Ｆが、それぞれ割り当てられている。
【０３７４】
図３９は、多重化データがどのように多重化されているかの一例を模式的に示す図である。まず、複数のビデオフレームからなるビデオストリーム３９０１、複数のオーディオフレームからなるオーディオストリーム３９０４を、それぞれＰＥＳパケット列３９０２および３９０５に変換し、ＴＳパケット３９０３および３９０６に変換する。同じくプレゼンテーショングラフィックスストリーム３９１１およびインタラクティブグラフィックス３９１４のデータをそれぞれＰＥＳパケット列３９１２および３９１５に変換し、さらにＴＳパケット３９１３および３９１６に変換する。多重化データ３９１７はこれらのＴＳパケット（３９０３、３９０６、３９１３、３９１６）を１本のストリームに多重化することで構成される。
【０３７５】
図４０は、ＰＥＳパケット列に、ビデオストリームがどのように格納されるかをさらに詳しく示している。図４０における第１段目はビデオストリームのビデオフレーム列を示す。第２段目は、ＰＥＳパケット列を示す。図４０の矢印ｙｙ１，ｙｙ２，ｙｙ３，ｙｙ４に示すように、ビデオストリームにおける複数のＶｉｄｅｏ  Ｐｒｅｓｅｎｔａｔｉｏｎ  ＵｎｉｔであるＩピクチャ、Ｂピクチャ、Ｐピクチャは、ピクチャ毎に分割され、ＰＥＳパケットのペイロードに格納される。各ＰＥＳパケットはＰＥＳヘッダを持ち、ＰＥＳヘッダには、ピクチャの表示時刻であるＰＴＳ（Ｐｒｅｓｅｎｔａｔｉｏｎ  Ｔｉｍｅ−Ｓｔａｍｐ）やピクチャの復号時刻であるＤＴＳ（Ｄｅｃｏｄｉｎｇ  Ｔｉｍｅ−Ｓｔａｍｐ）が格納される。
【０３７６】
図４１は、多重化データに最終的に書き込まれるＴＳパケットの形式を示している。ＴＳパケットは、ストリームを識別するＰＩＤなどの情報を持つ４ＢｙｔｅのＴＳヘッダとデータを格納する１８４ＢｙｔｅのＴＳペイロードから構成される１８８Ｂｙｔｅ固定長のパケットであり、上記ＰＥＳパケットは分割されＴＳペイロードに格納される。ＢＤ−ＲＯＭの場合、ＴＳパケットには、４ＢｙｔｅのＴＰ＿Ｅｘｔｒａ＿Ｈｅａｄｅｒが付与され、１９２Ｂｙｔｅのソースパケットを構成し、多重化データに書き込まれる。ＴＰ＿Ｅｘｔｒａ＿ＨｅａｄｅｒにはＡＴＳ（Ａｒｒｉｖａｌ＿Ｔｉｍｅ＿Ｓｔａｍｐ）などの情報が記載される。ＡＴＳは当該ＴＳパケットのデコーダのＰＩＤフィルタへの転送開始時刻を示す。多重化データには図４１下段に示すようにソースパケットが並ぶこととなり、多重化データの先頭からインクリメントする番号はＳＰＮ（ソースパケットナンバー）と呼ばれる。
【０３７７】
また、多重化データに含まれるＴＳパケットには、ビデオストリーム、オーディオストリーム、プレゼンテーショングラフィックスストリームなどの各ストリーム以外にもＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、ＰＣＲ（Ｐｒｏｇｒａｍ  Ｃｌｏｃｋ  Ｒｅｆｅｒｅｎｃｅ）などがある。ＰＡＴは多重化データ中に利用されるＰＭＴのＰＩＤが何であるかを示し、ＰＡＴ自体のＰＩＤは０で登録される。ＰＭＴは、多重化データ中に含まれる映像・音声・字幕などの各ストリームのＰＩＤと各ＰＩＤに対応するストリームの属性情報（フレームレート、アスペクト比など）を持ち、また多重化データに関する各種ディスクリプタを持つ。ディスクリプタには多重化データのコピーを許可・不許可を指示するコピーコントロール情報などがある。ＰＣＲは、ＡＴＳの時間軸であるＡＴＣ（Ａｒｒｉｖａｌ  Ｔｉｍｅ  Ｃｌｏｃｋ）とＰＴＳ・ＤＴＳの時間軸であるＳＴＣ（Ｓｙｓｔｅｍ  Ｔｉｍｅ  Ｃｌｏｃｋ）の同期を取るために、そのＰＣＲパケットがデコーダに転送されるＡＴＳに対応するＳＴＣ時間の情報を持つ。
【０３７８】
図４２は、ＰＭＴのデータ構造を詳しく説明する図である。ＰＭＴの先頭には、そのＰＭＴに含まれるデータの長さなどを記したＰＭＴヘッダが配置される。その後ろには、多重化データに関するディスクリプタが複数配置される。上記コピーコントロール情報などが、ディスクリプタとして記載される。ディスクリプタの後には、多重化データに含まれる各ストリームに関するストリーム情報が複数配置される。ストリーム情報は、ストリームの圧縮コーデックなどを識別するためのストリームタイプ、ストリームのＰＩＤ、ストリームの属性情報（フレームレート、アスペクト比など）が記載されたストリームディスクリプタから構成される。ストリームディスクリプタは多重化データに存在するストリームの数だけ存在する。
【０３７９】
記録媒体などに記録する場合には、上記多重化データは、多重化データ情報ファイルと共に記録される。
【０３８０】
図４３は、その多重化データ情報ファイルの構成を示す図である。多重化データ情報ファイルは、図４３に示すように多重化データの管理情報であり、多重化データと１対１に対応し、多重化データ情報、ストリーム属性情報とエントリマップから構成される。
【０３８１】
多重化データ情報は図４３に示すようにシステムレート、再生開始時刻、再生終了時刻から構成されている。システムレートは多重化データの、後述するシステムターゲットデコーダのＰＩＤフィルタへの最大転送レートを示す。多重化データ中に含まれるＡＴＳの間隔はシステムレート以下になるように設定されている。再生開始時刻は多重化データの先頭のビデオフレームのＰＴＳであり、再生終了時刻は多重化データの終端のビデオフレームのＰＴＳに１フレーム分の再生間隔を足したものが設定される。
【０３８２】
図４４は、多重化データ情報ファイルに含まれるストリーム属性情報の構成を示す図である。ストリーム属性情報は図４４に示すように、多重化データに含まれる各ストリームについての属性情報が、ＰＩＤ毎に登録される。属性情報はビデオストリーム、オーディオストリーム、プレゼンテーショングラフィックスストリーム、インタラクティブグラフィックスストリーム毎に異なる情報を持つ。ビデオストリーム属性情報は、そのビデオストリームがどのような圧縮コーデックで圧縮されたか、ビデオストリームを構成する個々のピクチャデータの解像度がどれだけであるか、アスペクト比はどれだけであるか、フレームレートはどれだけであるかなどの情報を持つ。オーディオストリーム属性情報は、そのオーディオストリームがどのような圧縮コーデックで圧縮されたか、そのオーディオストリームに含まれるチャンネル数は何であるか、何の言語に対応するか、サンプリング周波数がどれだけであるかなどの情報を持つ。これらの情報は、プレーヤが再生する前のデコーダの初期化などに利用される。
【０３８３】
本実施の形態においては、上記多重化データのうち、ＰＭＴに含まれるストリームタイプを利用する。また、記録媒体に多重化データが記録されている場合には、多重化データ情報に含まれる、ビデオストリーム属性情報を利用する。具体的には、上記各実施の形態で示した動画像符号化方法または装置において、ＰＭＴに含まれるストリームタイプ、または、ビデオストリーム属性情報に対し、上記各実施の形態で示した動画像符号化方法または装置によって生成された映像データであることを示す固有の情報を設定するステップまたは手段を設ける。この構成により、上記各実施の形態で示した動画像符号化方法または装置によって生成した映像データと、他の規格に準拠する映像データとを識別することが可能になる。
【０３８４】
図４５は、放送局（基地局）から送信された、映像および音声のデータ、または、データ放送のためのデータを含む変調信号を受信する受信装置４５０４を含む映像音声出力装置４５００の構成の一例を示している。なお、受信装置４５０４の構成は、図３７の受信装置３７００に相当する。映像音声出力装置４５００には、例えば、ＯＳ（Operating System：オペレーティングシステム）が搭載されており、また、インターネットに接続するための通信装置４５０６（例えば、無線ＬＡＮ（Local Area Network）やイーザーネットのための通信装置）が搭載されている。これにより、映像を表示する部分４５０１では、映像および音声のデータ、または、データ放送のためのデータにおける映像４５０２、および、インターネット上で提供されるハイパーテキスト（World Wide Web（ワールド ワイド  ウェブ：WWW））４５０３を同時に表示することが可能となる。そして、リモコン（携帯電話やキーボードであってもよい）４５０７を操作することにより、データ放送のためのデータにおける映像４５０２、インターネット上で提供されるハイパーテキスト４５０３のいずれかを選択し、動作を変更することになる。例えば、インターネット上で提供されるハイパーテキスト４５０３が選択された場合、表示しているWWWのサイトを、リモコンを操作することにより、変更することになる。また、映像および音声のデータ、または、データ放送のためのデータにおける映像４５０２が選択されている場合、リモコン４５０７により、選局したチャネル（選局した（テレビ）番組、選局した音声放送）の情報を送信する。すると、ＩＦ４５０５は、リモコンで送信された情報を取得し、受信装置４５０４は、選局したチャネルに相当する信号を復調、誤り訂正復号等の処理を行い、受信データを得ることになる。このとき、受信装置４５０４は、選局したチャネルに相当する信号に含まれる伝送方法（これについては、図５に記載のとおりである。）の情報を含む制御シンボルの情報を得ることで、受信動作、復調方法、誤り訂正復号等の方法を正しく設定することで、放送局（基地局）で送信したデータシンボルに含まれるデータを得ることが可能となる。上述では、ユーザは、リモコン４５０７によって、チャネルを選局する例を説明したが、映像音声出力装置４５００が搭載している選局キーを用いて、チャネルを選局しても、上記と同様の動作となる。
【０３８５】
また、インターネットを用い、映像音声出力装置４５００を操作してもよい。例えば、他のインターネット接続している端末から、映像音声出力装置４５００に対し、録画（記憶）の予約を行う。（したがって、映像音声出力装置４５００は、図３７のように、記録部３７０８を有していることになる。）そして、録画を開始する前に、チャネルを選局することになり、受信装置４５０４は、選局したチャネルに相当する信号を復調、誤り訂正復号等の処理を行い、受信データを得ることになる。このとき、受信装置４５０４は、選局したチャネルに相当する信号に含まれる伝送方法（上記の実施の形態で述べた伝送方式、変調方式、誤り訂正方式等）（これについては、図５に記載のとおりである。）の情報を含む制御シンボルの情報を得ることで、受信動作、復調方法、誤り訂正復号等の方法を正しく設定することで、放送局（基地局）で送信したデータシンボルに含まれるデータを得ることが可能となる。
【０３８６】
（その他補足）
本明細書において、送信装置を具備しているのは、例えば、放送局、基地局、アクセスポイント、端末、携帯電話（ｍｏｂｉｌｅ  ｐｈｏｎｅ）等の通信・放送機器であることが考えられ、このとき、受信装置を具備しているのは、テレビ、ラジオ、端末、パーソナルコンピュータ、携帯電話、アクセスポイント、基地局等の通信機器であることが考えられる。また、本発明における送信装置、受信装置は、通信機能を有している機器であって、その機器が、テレビ、ラジオ、パーソナルコンピュータ、携帯電話等のアプリケーションを実行するための装置に何らかのインターフェース（例えば、ＵＳＢ）を介して接続できるような形態であることも考えられる。
【０３８７】
また、本実施の形態では、データシンボル以外のシンボル、例えば、パイロットシンボル（パイロットシンボルをプリアンブル、ユニークワード、ポストアンブル、リファレンスシンボル、スキャッタードパイロット等と呼んでもよい。）、制御情報用のシンボルなどが、フレームにどのように配置されていてもよい。そして、ここでは、パイロットシンボル、制御情報用のシンボルと名付けているが、どのような名付け方を行ってもよく、機能自身が重要となっている。
【０３８８】
パイロットシンボルは、例えば、送受信機において、ＰＳＫ変調を用いて変調した既知のシンボル（または、受信機が同期をとることによって、受信機は、送信機が送信したシンボルを知ることができてもよい。）であればよく、受信機は、このシンボルを用いて、周波数同期、時間同期、（各変調信号の）チャネル推定（ＣＳＩ（Ｃｈａｎｎｅｌ  Ｓｔａｔｅ  Ｉｎｆｏｒｍａｔｉｏｎ）の推定）、信号の検出等を行うことになる。
【０３８９】
また、制御情報用のシンボルは、（アプリケーション等の）データ以外の通信を実現するための、通信相手に伝送する必要がある情報（例えば、通信に用いている変調方式・誤り訂正符号化方式・誤り訂正符号化方式の符号化率、上位レイヤーでの設定情報等）を伝送するためのシンボルである。
【０３９０】
なお、本発明はすべての実施の形態に限定されず、種々変更して実施することが可能である。例えば、上記実施の形態では、通信装置として行う場合について説明しているが、これに限られるものではなく、この通信方法をソフトウェアとして行うことも可能である。
【０３９１】
また、上記では、２つの変調信号を２つのアンテナから送信する方法における位相変更方法について説明したが、これに限ったものではなく、４つのマッピング後の信号に対し、プリコーディングを行うとともに位相を変更して、４つの変調信号を生成し、４つのアンテナから送信する方法、つまり、Ｎ個のマッピング後の信号に対し、プリコーディングを行い、Ｎ個の変調信号を生成し、Ｎ個のアンテナから送信する方法においても同様に位相を規則的に変更する、位相変更方法としても同様に実施することができる。
【０３９２】
また、上記実施の形態に示したシステム例では、２つの変調信号を２つのアンテナから送信し、それぞれを２つのアンテナで受信するＭＩＭＯ方式の通信システムを開示したが、本発明は、当然にＭＩＳＯ（Multiple Input Single Output）方式の通信システムにも適用できる。ＭＩＳＯ方式の場合、受信装置は、図７に示す構成のうち、アンテナ７０１＿Ｙ、無線部７０３＿Ｙ、変調信号ｚ１のチャネル変動推定部７０７＿１、変調信号ｚ２のチャネル変動推定部７０７＿２がない構成となるが、この場合であっても、上記実施の形態１に示した処理を実行することで、ｒ１、ｒ２それぞれを推定することができる。なお、同一周波数帯、同一時間において、送信された複数の信号を１つのアンテナで受信して復号できることは周知のことであり、本明細書においては、信号処理部における送信側で変更された位相を戻すための処理が従来技術に追加される処理となる。
【０３９３】
また、本発明の説明で示したシステム例では、２つの変調信号を２つのアンテナから送信し、それぞれを２つのアンテナで受信するＭＩＭＯ方式の通信システムを開示したが、本発明は、当然にＭＩＳＯ（Multiple Input Single Output）方式の通信システムにも適用できる。ＭＩＳＯ方式の場合、送信装置において、プリコーディングと位相変更を適用している点は、これまでの説明のとおりである。一方で、受信装置は、図７に示す構成のうち、アンテナ７０１＿Ｙ、無線部７０３＿Ｙ、変調信号ｚ１のチャネル変動推定部７０７＿１、変調信号ｚ２のチャネル変動推定部７０７＿２がない構成となるが、この場合であっても、本明細書の中で示した処理を実行することで、送信装置が送信したデータを推定することができる。なお、同一周波数帯、同一時間において、送信された複数の信号を１つのアンテナで受信して復号できることは周知のこと（１アンテナ受信において、ML演算等（Max-log APP等）の処理を施せばよい。）であり、本発明では、図７の信号処理部７１１において、送信側で用いたプリコーディングと位相変更を考慮した復調（検波）を行えばよいことになる。
【０３９４】
本明細書では、「プリコーディング」「プリコーディングウェイト」「プリコーディング行列」等の用語を用いているが、呼び方自身は、どのようなものでもよく（例えば、コードブック（codebook）と呼んでもよい。）、本発明では、その信号処理自身が重要となる。
【０３９５】
また、本明細書では、送信方法としてＯＦＤＭ方式を用いた場合を中心に説明したが、これに限ったものではなく、ＯＦＤＭ方式以外のマルチキャリア方式、シングルキャリア方式を用いた場合にも同様に実施することは可能である。このとき、スペクトル拡散通信方式を用いていてもよい。なお、シングルキャリア方式を用いている場合、位相変更は時間軸方向で位相変更が行われることになる。
【０３９６】
また、本明細書において、受信装置で、ML演算、APP、Max-log APP、ZF、MMSE等を用いて説明しているが、この結果、送信装置が送信したデータの各ビットの軟判定結果（対数尤度、対数尤度比）や硬判定結果（「０」または「１」）を得ることになるが、これらを総称して、検波、復調、検出、推定、分離と呼んでもよい。
【０３９７】
ストリームｓ１（ｔ）、ｓ２（ｔ）（ｓ１（ｉ）、ｓ２（ｉ））により、異なるデータを伝送してもよいし、同一のデータを伝送してもよい。
【０３９８】
また、２ストリームのベースバンド信号ｓ１（ｉ）、ｓ２（ｉ）（ただし、ｉは、（時間、または、周波数（キャリア）の）順番をあらわす）に対し、規則的な位相変更およびプリコーディングを行い（順番はどちらが先であってもよい）生成された、両者の信号処理後のベースバンド信号ｚ１（ｉ）、ｚ２（ｉ）において、両者の信号処理後のベースバンド信号ｚ１（ｉ）の同相Ｉ成分をＩ１（ｉ）、直交成分をＱ１（ｉ）とし、両者の信号処理後のベースバンド信号ｚ２（ｉ）の同相Ｉ成分をＩ２（ｉ）、直交成分をＱ２（ｉ）とする。このとき、ベースバンド成分の入れ替えを行い、
・入れ替え後のベースバンド信号ｒ１（ｉ）の同相成分をＩ１（ｉ）、直交成分をＱ２（ｉ）、入れ替え後のベースバンド信号ｒ２（ｉ）の同相成分をＩ２（ｉ）、直交成分をＱ１（ｉ）
とし、入れ替え後のベースバンド信号ｒ１（ｉ）に相当する変調信号を送信アンテナ１、入れ替え後のベースバンド信号ｒ２（ｉ）に相当する変調信号を送信アンテナ２から、同一時刻に同一周波数を用いて送信する、というように、入れ替え後のベースバンド信号ｒ１（ｉ）に相当する変調信号と入れ替え後のベースバンド信号ｒ２（ｉ）を異なるアンテナから、同一時刻に同一周波数を用いて送信するとしてもよい。また、
・入れ替え後のベースバンド信号ｒ１（ｉ）の同相成分をＩ１（ｉ）、直交成分をI２（ｉ）、入れ替え後のベースバンド信号ｒ２（ｉ）の同相成分をＱ１（ｉ）、直交成分をＱ２（ｉ）
・入れ替え後のベースバンド信号ｒ１（ｉ）の同相成分をＩ２（ｉ）、直交成分をI１（ｉ）、入れ替え後のベースバンド信号ｒ２（ｉ）の同相成分をＱ１（ｉ）、直交成分をＱ２（ｉ）
・入れ替え後のベースバンド信号ｒ１（ｉ）の同相成分をＩ１（ｉ）、直交成分をI２（ｉ）、入れ替え後のベースバンド信号ｒ２（ｉ）の同相成分をＱ２（ｉ）、直交成分をＱ１（ｉ）
・入れ替え後のベースバンド信号ｒ１（ｉ）の同相成分をＩ２（ｉ）、直交成分をI１（ｉ）、入れ替え後のベースバンド信号ｒ２（ｉ）の同相成分をＱ２（ｉ）、直交成分をＱ１（ｉ）
・入れ替え後のベースバンド信号ｒ１（ｉ）の同相成分をＩ１（ｉ）、直交成分をＱ２（ｉ）、入れ替え後のベースバンド信号ｒ２（ｉ）の同相成分をＱ１（ｉ）、直交成分をＩ２（ｉ）
・入れ替え後のベースバンド信号ｒ１（ｉ）の同相成分をＱ２（ｉ）、直交成分をＩ１（ｉ）、入れ替え後のベースバンド信号ｒ２（ｉ）の同相成分をＩ２（ｉ）、直交成分をＱ１（ｉ）
・入れ替え後のベースバンド信号ｒ１（ｉ）の同相成分をＱ２（ｉ）、直交成分をＩ１（ｉ）、入れ替え後のベースバンド信号ｒ２（ｉ）の同相成分をＱ１（ｉ）、直交成分をＩ２（ｉ）
・入れ替え後のベースバンド信号ｒ２（ｉ）の同相成分をＩ１（ｉ）、直交成分をI２（ｉ）、入れ替え後のベースバンド信号ｒ１（ｉ）の同相成分をＱ１（ｉ）、直交成分をＱ２（ｉ）
・入れ替え後のベースバンド信号ｒ２（ｉ）の同相成分をＩ２（ｉ）、直交成分をI１（ｉ）、入れ替え後のベースバンド信号ｒ１（ｉ）の同相成分をＱ１（ｉ）、直交成分をＱ２（ｉ）
・入れ替え後のベースバンド信号ｒ２（ｉ）の同相成分をＩ１（ｉ）、直交成分をI２（ｉ）、入れ替え後のベースバンド信号ｒ１（ｉ）の同相成分をＱ２（ｉ）、直交成分をＱ１（ｉ）
・入れ替え後のベースバンド信号ｒ２（ｉ）の同相成分をＩ２（ｉ）、直交成分をI１（ｉ）、入れ替え後のベースバンド信号ｒ１（ｉ）の同相成分をＱ２（ｉ）、直交成分をＱ１（ｉ）
・入れ替え後のベースバンド信号ｒ２（ｉ）の同相成分をＩ１（ｉ）、直交成分をＱ２（ｉ）、入れ替え後のベースバンド信号ｒ１（ｉ）の同相成分をＩ２（ｉ）、直交成分をＱ１（ｉ）
・入れ替え後のベースバンド信号ｒ２（ｉ）の同相成分をＩ１（ｉ）、直交成分をＱ２（ｉ）、入れ替え後のベースバンド信号ｒ１（ｉ）の同相成分をＱ１（ｉ）、直交成分をＩ２（ｉ）
・入れ替え後のベースバンド信号ｒ２（ｉ）の同相成分をＱ２（ｉ）、直交成分をＩ１（ｉ）、入れ替え後のベースバンド信号ｒ１（ｉ）の同相成分をＩ２（ｉ）、直交成分をＱ１（ｉ）
・入れ替え後のベースバンド信号ｒ２（ｉ）の同相成分をＱ２（ｉ）、直交成分をＩ１（ｉ）、入れ替え後のベースバンド信号ｒ１（ｉ）の同相成分をＱ１（ｉ）、直交成分をＩ２（ｉ）
としてもよい。また、上述では、２ストリームの信号に対し両者の信号処理を行い、両者の信号処理後の信号の同相成分と直交成分の入れ替えについて説明したが、これに限ったものではなく、２ストリームより多い信号に対し両者の信号処理後を行い、両者の信号処理後の信号の同相成分と直交成分の入れ替えを行うことも可能である。
【０３９９】
また、上記の例では、同一時刻（同一周波数（（サブ）キャリア））のベースバンド信号の入れ替えを説明しているが、同一時刻のベースバンド信号の入れ替えでなくてもよい。例として、以下のように記述することができる
・入れ替え後のベースバンド信号ｒ１（ｉ）の同相成分をＩ１（ｉ＋ｖ）、直交成分をＱ２（ｉ＋ｗ）、入れ替え後のベースバンド信号ｒ２（ｉ）の同相成分をＩ２（ｉ＋ｗ）、直交成分をＱ１（ｉ＋ｖ）
・入れ替え後のベースバンド信号ｒ１（ｉ）の同相成分をＩ１（ｉ＋ｖ）、直交成分をI２（ｉ＋ｗ）、入れ替え後のベースバンド信号ｒ２（ｉ）の同相成分をＱ１（ｉ＋ｖ）、直交成分をＱ２（ｉ＋ｗ）
・入れ替え後のベースバンド信号ｒ１（ｉ）の同相成分をＩ２（ｉ＋ｗ）、直交成分をI１（ｉ＋ｖ）、入れ替え後のベースバンド信号ｒ２（ｉ）の同相成分をＱ１（ｉ＋ｖ）、直交成分をＱ２（ｉ＋ｗ）
・入れ替え後のベースバンド信号ｒ１（ｉ）の同相成分をＩ１（ｉ＋ｖ）、直交成分をI２（ｉ＋ｗ）、入れ替え後のベースバンド信号ｒ２（ｉ）の同相成分をＱ２（ｉ＋ｗ）、直交成分をＱ１（ｉ＋ｖ）
・入れ替え後のベースバンド信号ｒ１（ｉ）の同相成分をＩ２（ｉ＋ｗ）、直交成分をI１（ｉ＋ｖ）、入れ替え後のベースバンド信号ｒ２（ｉ）の同相成分をＱ２（ｉ＋ｗ）、直交成分をＱ１（ｉ＋ｖ）
・入れ替え後のベースバンド信号ｒ１（ｉ）の同相成分をＩ１（ｉ＋ｖ）、直交成分をＱ２（ｉ＋ｗ）、入れ替え後のベースバンド信号ｒ２（ｉ）の同相成分をＱ１（ｉ＋ｖ）、直交成分をＩ２（ｉ＋ｗ）
・入れ替え後のベースバンド信号ｒ１（ｉ）の同相成分をＱ２（ｉ＋ｗ）、直交成分をＩ１（ｉ＋ｖ）、入れ替え後のベースバンド信号ｒ２（ｉ）の同相成分をＩ２（ｉ＋ｗ）、直交成分をＱ１（ｉ＋ｖ）
・入れ替え後のベースバンド信号ｒ１（ｉ）の同相成分をＱ２（ｉ＋ｗ）、直交成分をＩ１（ｉ＋ｖ）、入れ替え後のベースバンド信号ｒ２（ｉ）の同相成分をＱ１（ｉ＋ｖ）、直交成分をＩ２（ｉ＋ｗ）
・入れ替え後のベースバンド信号ｒ２（ｉ）の同相成分をＩ１（ｉ＋ｖ）、直交成分をI２（ｉ＋ｗ）、入れ替え後のベースバンド信号ｒ１（ｉ）の同相成分をＱ１（ｉ＋ｖ）、直交成分をＱ２（ｉ＋ｗ）
・入れ替え後のベースバンド信号ｒ２（ｉ）の同相成分をＩ２（ｉ＋ｗ）、直交成分をI１（ｉ＋ｖ）、入れ替え後のベースバンド信号ｒ１（ｉ）の同相成分をＱ１（ｉ＋ｖ）、直交成分をＱ２（ｉ＋ｗ）
・入れ替え後のベースバンド信号ｒ２（ｉ）の同相成分をＩ１（ｉ＋ｖ）、直交成分をI２（ｉ＋ｗ）、入れ替え後のベースバンド信号ｒ１（ｉ）の同相成分をＱ２（ｉ＋ｗ）、直交成分をＱ１（ｉ＋ｖ）
・入れ替え後のベースバンド信号ｒ２（ｉ）の同相成分をＩ２（ｉ＋ｗ）、直交成分をI１（ｉ＋ｖ）、入れ替え後のベースバンド信号ｒ１（ｉ）の同相成分をＱ２（ｉ＋ｗ）、直交成分をＱ１（ｉ＋ｖ）
・入れ替え後のベースバンド信号ｒ２（ｉ）の同相成分をＩ１（ｉ＋ｖ）、直交成分をＱ２（ｉ＋ｗ）、入れ替え後のベースバンド信号ｒ１（ｉ）の同相成分をＩ２（ｉ＋ｗ）、直交成分をＱ１（ｉ＋ｖ）
・入れ替え後のベースバンド信号ｒ２（ｉ）の同相成分をＩ１（ｉ＋ｖ）、直交成分をＱ２（ｉ＋ｗ）、入れ替え後のベースバンド信号ｒ１（ｉ）の同相成分をＱ１（ｉ＋ｖ）、直交成分をＩ２（ｉ＋ｗ）
・入れ替え後のベースバンド信号ｒ２（ｉ）の同相成分をＱ２（ｉ＋ｗ）、直交成分をＩ１（ｉ＋ｖ）、入れ替え後のベースバンド信号ｒ１（ｉ）の同相成分をＩ２（ｉ＋ｗ）、直交成分をＱ１（ｉ＋ｖ）
・入れ替え後のベースバンド信号ｒ２（ｉ）の同相成分をＱ２（ｉ＋ｗ）、直交成分をＩ１（ｉ＋ｖ）、入れ替え後のベースバンド信号ｒ１（ｉ）の同相成分をＱ１（ｉ＋ｖ）、直交成分をＩ２（ｉ＋ｗ）
図５５は、上記の記載を説明するためのベースバンド信号入れ替え部５５０２を示す図である。図５５に示すように、両者の信号処理後のベースバンド信号ｚ１（ｉ）５５０１＿１、ｚ２（ｉ）５５０１＿２において、両者の信号処理後のベースバンド信号ｚ１（ｉ）５５０１＿１の同相Ｉ成分をＩ１（ｉ）、直交成分をＱ１（ｉ）とし、両者の信号処理後のベースバンド信号ｚ２（ｉ）５５０１＿２の同相Ｉ成分をＩ２（ｉ）、直交成分をＱ２（ｉ）とする。そして、入れ替え後のベースバンド信号ｒ１（ｉ）５５０３＿１の同相成分をＩｒ１（ｉ）、直交成分をＱｒ１（ｉ）、入れ替え後のベースバンド信号ｒ２（ｉ）５５０３＿２の同相成分をＩｒ２（ｉ）、直交成分をＱｒ２（ｉ）とすると、入れ替え後のベースバンド信号ｒ１（ｉ）５５０３＿１の同相成分Ｉｒ１（ｉ）、直交成分Ｑｒ１（ｉ）、入れ替え後のベースバンド信号ｒ２（ｉ）５５０３＿２の同相成分Ｉｒ２（ｉ）、直交成分をＱｒ２（ｉ）は上述で説明したいずれかであらわされるものとする。なお、この例では、同一時刻（同一周波数（（サブ）キャリア））の両者の信号処理後のベースバンド信号の入れ替えについて説明したが、上述のように、異なる時刻（異なる周波数（（サブ）キャリア））の両者の信号処理後のベースバンド信号の入れ替えであってもよい。
【０４００】
送信装置の送信アンテナ、受信装置の受信アンテナ、共に、図面で記載されている１つのアンテナは、複数のアンテナにより構成されていても良い。
【０４０１】
本明細書において、「∀」は全称記号（universal quantifier）をあらわしており、「∃」は存在記号（existential quantifier）をあらわしている。
【０４０２】
また、本明細書において、複素平面における、例えば、偏角のような、位相の単位は、「ラジアン（radian）」としている。
【０４０３】
複素平面を利用すると、複素数の極座標による表示として極形式で表示できる。複素数 z = a + ｊb （ａ、ｂはともに実数であり、ｊは虚数単位である）に、複素平面上の点 (ａ, ｂ) を対応させたとき、この点が極座標で[r, θ] とあらわされるなら、
ａ＝ｒ×ｃｏｓθ、
ｂ＝ｒ×ｓｉｎθ
【０４０４】
【数４９】
2012144206.tif 000052
【０４０５】
が成り立ち、r は z の絶対値 (r = |z|) であり、θ が偏角 (argument)となる。そして、z = a + ｊbは、ｒｅｊθとあらわされる。
【０４０６】
本発明の説明において、ベースバンド信号、ｓ１、ｓ２、ｚ１、ｚ２は複素信号となるが、複素信号とは、同相信号をＩ、直交信号をQとしたとき、複素信号はＩ + ｊQ（ｊは虚数単位）とあらわされることになる。このとき、Ｉがゼロとなってもよいし、Ｑがゼロとなってもよい。
【０４０７】
本明細書で説明した位相変更方法を用いた放送システムの一例を図４６に示す。図４６において、映像符号化部４６０１は、映像を入力とし、映像符号化を行い、映像符号化後のデータ４６０２を出力する。音声符号化部４６０３は、音声を入力とし、音声符号化を行い、音声符号化後のデータ４６０４を出力する。データ符号化部４６０５は、データを入力とし、データの符号化（例えば、データ圧縮）を行い、データ符号化後のデータ４６０６を出力する。これらをまとめて、情報源符号化部４６００とする。
【０４０８】
送信部４６０７は、映像符号化後のデータ４６０２、音声符号化後のデータ４６０４、データ符号化後のデータ４６０６を入力とし、これらのデータのいずれか、または、これらのデータ全てを送信データとし、誤り訂正符号化、変調、プリコーディング、位相変更等の処理（例えば、図３の送信装置における信号処理）を施し、送信信号４６０８＿１から４６０８＿Ｎを出力する。そして、送信信号４６０８＿１から４６０８＿Ｎはそれぞれアンテナ４６０９＿１から４６０９＿Ｎにより、電波として送信される。
【０４０９】
受信部４６１２は、アンテナ４６１０＿１から４６１０＿Ｍで受信した受信信号４６１１＿１から４６１１＿Ｍを入力とし、周波数変換、位相変更、プリコーディングのデコード、対数尤度比算出、誤り訂正復号等の処理（例えば、図７の受信装置における処理）を施し、受信データ４６１３、４６１５、４６１７を出力する。情報源復号部４６１９は、受信データ４６１３、４６１５、４６１７を入力とし、映像復号化部４６１４は、受信データ４６１３を入力とし、映像用の復号を行い、映像信号を出力し、映像は、テレビ、ディスプレーに表示される。また、音声復号化部４６１６は、受信データ４６１５を入力とし。音声用の復号を行い、音声信号を出力し、音声は、スピーカーから流れる。また、データ復号化部４６１８は、受信データ４６１７を入力とし、データ用の復号を行い、データの情報を出力する。
【０４１０】
また、本発明の説明を行っている実施の形態において、以前にも説明したようにＯＦＤＭ方式のようなマルチキャリア伝送方式において、送信装置が保有している符号化器の数は、いくつであってもよい。したがって、例えば、図４のように、送信装置が、符号化器を１つ具備し、出力を分配する方法を、ＯＦＤＭ方式のようなマルチキャリア伝送方式にも適用することも当然可能である。このとき、図４の無線部３１０Ａ、３１０Ｂを図１２のＯＦＤＭ方式関連処理部１３０１Ａ、１３０１Ｂに置き換えればよいことになる。このとき、ＯＦＤＭ方式関連処理部の説明は、実施の形態１のとおりである。
【０４１１】
また、実施の形態１において、プリコーディング行列の例として、式（３６）を与えたが、これとは別にプリコーディング行列として以下の式を用いる方法が考えられる。
【０４１２】
【数５０】
2012144206.tif 000053
【０４１３】
なお、プリコーディング式（３６）、式(５０)において、αの値として、式（３７）、式（３８）を設定することを記載したが、これに限ったものではなく、α＝１と設定すると、簡単なプリコーディング行列となるので、この値も有効な値の一つである。
【０４１４】
また、実施の形態Ａ１において、図３、図４、図６、図１２、図２５、図２９、図５１、図５３における位相変更部において、周期Ｎのための位相変更値(図３、図４、図６、図１２、図２５、図２９、図５１、図５３では、一方のベースバンド信号にのみ、位相変更を与えることになるので、位相変更値となる。)として、PHASE[i]（i=0,1,2,・・・,N-2,N-1（ｉは０以上Ｎ−１以下の整数）と表現した。そして、本明細書において、一方のプリコーディング後のベースバンド信号に対し、位相変更を行う場合（つまり、図３、図４、図６、図１２、図２５、図２９、図５１、図５３）、図３、図４、図６、図１２、図２５、図２９、図５１、図５３において、プリコーディング後のベースバンド信号ｚ２’のみに位相変更を与えている。このとき、PHASE[k]を以下のように与える。
【０４１５】
【数５１】
2012144206.tif 000054
【０４１６】
このとき、k=0,1,2,・・・,N-2,N-1（ｋは０以上Ｎ−１以下の整数）とする。そして、Ｎ=5, 7, 9, 11, 15とすると受信装置において、良好なデータの受信品質を得ることができる。
【０４１７】
また、本明細書では、２つの変調信号を複数のアンテナで送信する場合における位相変更方法について詳しく説明したが、これに限ったものでは、なく、３つ以上の変調方式のマッピングを行ったベースバンド信号に対し、プリコーディング、位相変更を行い、プリコーディング、位相変更後のベースバンド信号に対し、所定の処理を行い、複数のアンテナから送信する場合についても、同様に実施することができる。
【０４１８】
なお、例えば、上記通信方法を実行するプログラムを予めＲＯＭ（Ｒｅａｄ  Ｏｎｌｙ  Ｍｅｍｏｒｙ）に格納しておき、そのプログラムをＣＰＵ（Ｃｅｎｔｒａｌ  Ｐｒｏｃｅｓｓｏｒ  Ｕｎｉｔ）によって動作させるようにしても良い。
【０４１９】
また、上記通信方法を実行するプログラムをコンピュータで読み取り可能な記憶媒体に格納し、記憶媒体に格納されたプログラムをコンピュータのＲＡＭ（Ｒａｎｄｏｍ  Ａｃｃｅｓｓ  Ｍｅｍｏｒｙ）に記録して、コンピュータをそのプログラムにしたがって動作させるようにしても良い。
【０４２０】
そして、上記の各実施の形態などの各構成は、典型的には集積回路であるＬＳＩ（Ｌａｒｇｅ  Ｓｃａｌｅ  Ｉｎｔｅｇｒａｔｉｏｎ）として実現されてもよい。これらは、個別に１チップ化されてもよいし、各実施の形態の全ての構成または一部の構成を含むように１チップ化されてもよい。  ここでは、ＬＳＩとしたが、集積度の違いにより、ＩＣ（Ｉｎｔｅｇｒａｔｅｄ  Ｃｉｒｃｕｉｔ）、システムＬＳＩ、スーパーＬＳＩ、ウルトラＬＳＩと呼称されることもある。また、集積回路化の手法はＬＳＩに限られるものではなく、専用回路または汎用プロセッサで実現しても良い。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用しても良い。
【０４２１】
さらに、半導体技術の進歩又は派生する別技術によりＬＳＩに置き換わる集積回路化の技術が登場すれば、当然、その技術を用いて機能ブロックの集積化を行っても良い。バイオ技術の適用等が可能性としてあり得る。
【０４２２】
（実施の形態Ｃ１）
本実施の形態では、実施の形態１で、送信パラメータを変更した際、使用するプリコーディング行列を切り替える場合について説明したが、本実施の形態では、その詳細の例について、上述の（その他の補足）で述べたように、送信パラメータとして、ストリームｓ１（ｔ）、ｓ２（ｔ）において、異なるデータを伝送する場合と同一のデータを伝送する場合で切り替えるときに、使用するプリコーディング行列を切り替える方法、および、これに伴う位相変更方法について説明する。
【０４２３】
本実施の形態の例では、異なる２つの送信アンテナからそれぞれ変調信号を送信する場合、それぞれの変調信号において同一のデータを含んでいる場合と、それぞれの変調信号において異なるデータを送信する場合を切り替えるときについて説明する。
【０４２４】
図５６は、前述のように送信方法を切り替える場合の送信装置の構成の一例を示している。図５６において、図５４と同様に動作するものについては同一符号を付している。図５６において、分配部４０４は、フレーム構成信号３１３を入力としていることが、図５４と異なる点となる。分配部４０４の動作について、図５７を用いて説明する。
【０４２５】
図５７に、同一データを送信する場合と異なるデータを送信する場合の分配部４０４の動作を示している。図５７に示すように、符号化後のデータをｘ１、ｘ２、ｘ３、ｘ４、ｘ５、ｘ６、・・・とすると、同一データを送信する場合、分配後のデータ４０５Ａは、ｘ１、ｘ２、ｘ３、ｘ４、ｘ５、ｘ６、・・・とあらわされ、同様に、分配後のデータ４０５Ｂは、ｘ１、ｘ２、ｘ３、ｘ４、ｘ５、ｘ６、・・・とあらわされる。
【０４２６】
一方、異なるデータを送信する場合、分配後のデータ４０５Ａは、ｘ１、ｘ３、ｘ５、ｘ７、ｘ９、・・・とあらわされ、分配後のデータ４０５Ｂは、ｘ２、ｘ４、ｘ６、ｘ８、ｘ１０、・・・とあらわされる。
【０４２７】
なお、分配部４０４は、入力信号であるフレーム構成信号３１３により、送信モードが、同一データを送信する場合、異なるデータを送信する場合を判断することになる。
【０４２８】
上記の別の方法としては、図５８のように、同一データ送信を行う場合、分配部４０４は、分配後のデータ４０５Ａとしてｘ１、ｘ２、ｘ３、ｘ４、ｘ５、ｘ６、・・・を出力し、分配後のデータ４０５Ｂには、出力を行わない。したがって、フレーム構成信号３１３が、「同一データ送信」を示している場合、分配部４０４の動作は上述のとおりであり、また、図５６におけるインタリーバ３０４Ｂ、マッピング部３０６Ｂは動作しないことになる。そして、図５６におけるマッピング部３０６Ａの出力であるベースバンド信号３０７Ａのみが有効となり、重み付け合成部３０８Ａおよび３０８Ｂの両者の入力信号となる。
【０４２９】
本実施の形態において、一つの特徴となる点は、送信モードを、同一データを送信する場合と異なるデータを送信する場合の切り替えを行う場合に、プリコーディング行列を切り替える点である。実施の形態１の式（３６）、式（３９）で示したように、ｗ１１、ｗ１２、ｗ２１、ｗ２２で構成される行列であらわした場合、同一データを送信する場合のプリコーディング行列は、以下のようにあらわすとよい。
【０４３０】
【数５２】
2012144206.tif 000055
【０４３１】
式（５２）において、ａは実数とする（ａは複素数であってもよいが、プリコーディングにより、入力するベースバンド信号に位相変更を与えることになるので、回路規模がなるべく大きく、複雑にならないようにすることを考慮すると、実数であったほうがよい。）また、ａが１の場合、重み付け合成部３０８Ａ、３０８Ｂは、重み付け合成の動作をせずに、入力信号をそのまま出力することになる。
【０４３２】
したがって、「同一データを送信する」場合、重み付け合成部３０８Ａ、３０８Ｂの出力信号となる、重み付け合成後のベースバンド信号３０９Ａと重み付け合成後のベースバンド信号３１６Ｂは同一の信号となる。
【０４３３】
そして、位相変更部５２０１は、フレーム構成信号３１３が「同一データを送信する」であることを示している場合、重み付け合成後のベースバンド信号３０９Ａに位相変更を施し、位相変更後のベースバンド信号５２０２を出力する。そして、位相変更部３１７Ｂは、フレーム構成信号３１３が「同一データを送信する」であることを示している場合、重み付け合成後のベースバンド信号３１６Ｂに位相変更を施し、位相変更後のベースバンド信号３０９Ｂを出力する。なお、位相変更部５２０１で施す位相変更をｅｊＡ（ｔ）（または、ｅｊＡ（ｆ）または、ｅｊＡ（ｔ、ｆ））（ただし、ｔは時間、ｆは周波数）とし（したがって、ｅｊＡ（ｔ）（または、ｅｊＡ（ｆ）または、ｅｊＡ（ｔ、ｆ））は、入力されたベースバンド信号に乗算する値である。）、位相変更部３１７Ｂで施す位相変更をｅｊＢ（ｔ）（または、ｅｊＢ（ｆ）または、ｅｊＢ（ｔ、ｆ））（ただし、ｔは時間、ｆは周波数）とすると（したがって、ｅｊＢ（ｔ）（または、ｅｊＢ（ｆ）または、ｅｊＢ（ｔ、ｆ））は、入力されたベースバンド信号に乗算する値である。）、以下の条件を満たすことが重要となる。
【０４３４】
【数５３】
2012144206.tif 000056
【０４３５】
このようにすることで、送信信号は、マルチパスの影響を軽減することができるため、受信装置において、データの受信品質を向上させることができる。（ただし、位相変更は、重み付け合成後のベースバンド信号３０９Ａと重み付け合成後のベースバンド信号３１６Ｂのうち、一方のみに行う構成としてもよい。）
なお、図５６において、位相変更後のベースバンド信号５２０２は、ＯＦＤＭを用いている場合、ＩＦＦＴ、周波数変換等の処理を施し、送信アンテナから送信される。（図１３参照）（したがって、位相変更後のベースバンド信号５２０２は、図１３の信号１３０１Ａであると考えればよい。）同様に、位相変更後のベースバンド信号３０９Ｂは、ＯＦＤＭを用いている場合、ＩＦＦＴ、周波数変換等の処理を施し、送信アンテナから送信される。（図１３参照）（したがって、位相変更後のベースバンド信号３０９Ｂは、図１３の信号１３０１Ｂであると考えればよい。）
一方、送信モードとして、「異なるデータを送信する」が選択されている場合、実施の形態１で示したように、式（３６）、式（３９）、式（５０）のいずれかであらわされるものとする。このとき、図５６の位相変更部５２０１、３１７Ｂは、「同一のデータを送信」する場合とは異なる位相変更方法を行うことが重要となる。特に、この場合、実施の形態１で述べたように、例えば、位相変更部５２０１は位相変更を行い、位相変更部３１７Ｂは位相変更を行わない、または、位相変更部５２０１は位相変更を行わず、位相変更部３１７Ｂは位相変更を行う、というように、２つの位相変更部のうち、いずれか一方のみ位相変更を行う、というようにすれば、ＬＯＳ環境、ＮＬＯＳ環境の両者で、受信装置は、良好なデータの受信品質を得ることができる。
【０４３６】
なお、送信モードとして、「異なるデータを送信する」が選択されている場合、プリコーディング行列として、式（５２）を用いてもよいが、式（３６）、式（５０）、または、式（３９）であらわされ、かつ、式（５２）と異なるプリコーディング行列を用いると、受信装置において、特に、ＬＯＳ環境におけるデータの受信品質をさらに向上させることができる可能性がある。
【０４３７】
また、本実施の形態は、送信方法としてＯＦＤＭ方式を用いた場合を例に説明したが、これに限ったものではなく、ＯＦＤＭ方式以外のマルチキャリア方式、シングルキャリア方式を用いた場合にも同様に実施することは可能である。このとき、スペクトル拡散通信方式を用いていてもよい。なお、シングルキャリア方式を用いている場合、位相変更は時間軸方向で位相変更が行われることになる。
【０４３８】
なお、実施の形態３で説明したように、「異なるデータを送信する」送信方法の場合、データシンボルのみに対し、位相変更を行うものとした。しかし、本実施の形態において説明した「同一データを送信する」の送信方法のとき、位相変更は、データシンボルに限らず、送信信号の送信フレームに挿入されているパイロットシンボルや制御シンボル等のシンボルに対しても位相変更を行うことになる。（ただし、パイロットシンボルや制御シンボル等のシンボルに対しても位相変更を行わないようにしてもよいが、ダイバーシチゲインを得るためには、位相変更を行うとよい。）
（実施の形態Ｃ２）
本実施の形態では、実施の形態Ｃ１を応用した基地局の構成方法について説明する。
【０４３９】
図５９に基地局（放送局）と端末の関係を示している。端末Ｐ（５９０７）は、基地局Ａ（５９０２Ａ）のアンテナ５９０４Ａから送信された送信信号５９０３Ａとアンテナ５９０６Ａから送信された送信信号５９０５Ａを受信し、所定の処理を行い、受信データを得ているものとする。
【０４４０】
端末Ｑ（５９０８）は、基地局Ａ（５９０２Ａ）のアンテナ５９０４Ａから送信された送信信号５９０３Ａと基地局Ｂ（５９０２Ｂ）のアンテナ５９０４Ｂから送信された送信信号５９０３Ｂを受信し、所定の処理を行い、受信データを得ているものとする。
【０４４１】
図６０および図６１は、基地局Ａ（５９０２Ａ）がアンテナ５９０４Ａ、アンテナ５９０６Ａから送信する送信信号５９０３Ａ、送信信号５９０５Ａの周波数割り当て、および、基地局Ｂ（５９０２Ｂ）がアンテナ５９０４Ｂ、アンテナ５９０６Ｂから送信する送信信号５９０３Ｂ、送信信号５９０５Ｂの周波数割り当て、を示している。図６０、図６１における図では、横軸を周波数、縦軸を送信パワーとする。
【０４４２】
図６０に示すように、基地局Ａ（５９０２Ａ）が送信する送信信号５９０３Ａ、送信信号５９０５Ａ、および、基地局Ｂ（５９０２Ｂ）が送信する送信信号５９０３Ｂ、送信信号５９０５Ｂは少なくとも周波数帯域Ｘと周波数帯域Ｙを使用しており、周波数帯域Ｘを用いて、第１のチャネルのデータの伝送を行っており、また、周波数帯域Ｙを用いて、第２のチャネルのデータの伝送を行っているものとする。
【０４４３】
したがって、端末Ｐ（５９０７）は、基地局Ａ（５９０２Ａ）のアンテナ５９０４Ａから送信された送信信号５９０３Ａとアンテナ５９０６Ａから送信された送信信号５９０５Ａを受信し、周波数帯域Ｘを抽出し、所定の処理を行い、第１のチャネルのデータを得ることになる。そして、端末Ｑ（５９０８）は、基地局Ａ（５９０２Ａ）のアンテナ５９０４Ａから送信された送信信号５９０３Ａと基地局Ｂ（５９０２Ｂ）のアンテナ５９０４Ｂから送信された送信信号５９０３Ｂを受信し、周波数帯域Ｙを抽出し、所定の処理を行い、第２のチャネルのデータを得ることになる。
【０４４４】
このときの基地局Ａ（５９０２Ａ）および基地局Ｂ（５９０２Ｂ）の構成および動作について説明する。
【０４４５】
基地局Ａ（５９０２Ａ）および基地局Ｂ（５９０２Ｂ）いずれも、実施の形態Ｃ１で説明したように、図５６および図１３で構成された送信装置を具備している。そして、基地局Ａ（５９０２Ａ）は、図６０のように送信する場合、周波数帯域Ｘにおいては、実施の形態Ｃ１で説明したように、異なる２つの変調信号を生成し（プリコーディング、位相変更を行う）、２つの変調信号をそれぞれ図５９のアンテナ５９０４Ａおよび５９０６Ａから送信する。周波数帯域Ｙにおいては、基地局Ａ（５９０２Ａ）は、図５６において、インタリーバ３０４Ａ、マッピング部３０６Ａ、重み付け合成部３０８Ａ、位相変更部５２０１を動作させ、変調信号５２０２を生成し、変調信号５２０２に相当する送信信号を図１３のアンテナ１３１０Ａ、つまり、図５９のアンテナ５９０４Ａから送信する。同様に、基地局Ｂ（５９０２Ｂ）は、図５６において、インタリーバ３０４Ａ、マッピング部３０６Ａ、重み付け合成部３０８Ａ、位相変更部５２０１を動作させ、変調信号５２０２を生成し、変調信号５２０２に相当する送信信号を図１３のアンテナ１３１０Ａ、つまり、図５９のアンテナ５９０４Ｂから送信する。
【０４４６】
なお、周波数帯域Ｙの符号化後のデータの作成については、図５６のように、基地局が個別に符号化後のデータを生成してもよいが、いずれかの基地局で作成した符号化後のデータを、別の基地局に転送してもよい。また、別の方法としては、変調信号をいずれかの基地局が生成し、生成した変調信号を、別の基地局に渡すような構成としてもよい。
【０４４７】
また、図５９において、信号５９０１は、送信モード（「同一のデータを送信」または「異なるデータを送信」）に関する情報を含んでいることになり、基地局は、この信号を取得することで、各周波数帯域における変調信号の生成方法を切り替えることになる。ここでは、信号５９０１は、図５９のように他の機器あるいはネットワークから入力しているが、例えば、基地局Ａ（５９０２Ａ）がマスタ局となり、基地局Ｂ（５９０２Ｂ）に信号５９０１に相当する信号をわたすようにしてもよい。
【０４４８】
以上の説明のように、基地局が「異なるデータを送信」する場合、その送信方法に適した、プリコーディング行列、および、位相変更方法を設定し、変調信号を生成することになる。
【０４４９】
一方、「同一のデータを送信」する場合、２つの基地局がそれぞれ、変調信号を生成し、送信することになる。このとき、各基地局は、一つのアンテナから送信するための変調信号を生成することは、２つの基地局を併せて考えた場合、２つの基地局で、式（５２）のプリコーディング行列を設定したことに相当する。なお、位相変更方法については、実施の形態Ｃ１で説明したとおりであり、例えば、（数５３）の条件を満たすとよい。
【０４５０】
また、周波数帯域Ｘと周波数帯域Ｙは時間とともに、送信する方法を変更してもよい。したがって、図６１のように、時間が経過し、図６０のような周波数割り当てから図６１のような周波数割り当てに変更してもよい。
【０４５１】
本実施の形態のようにすることで、「同一のデータを送信」「異なるデータを送信」いずれの場合についても、受信装置において、データの受信品質を向上させることができるという効果を得ることができるとともに、送信装置において、位相変更部の共有化を行うことができるという利点がある。
【０４５２】
また、本実施の形態は、送信方法としてＯＦＤＭ方式を用いた場合を例に説明したが、これに限ったものではなく、ＯＦＤＭ方式以外のマルチキャリア方式、シングルキャリア方式を用いた場合にも同様に実施することは可能である。このとき、スペクトル拡散通信方式を用いていてもよい。なお、シングルキャリア方式を用いている場合、位相変更は時間軸方向で位相変更が行われることになる。
【０４５３】
なお、実施の形態３で説明したように、「異なるデータを送信する」送信方法の場合、データシンボルのみに対し、位相変更を行うものとした。しかし、本実施の形態において説明した「同一データを送信する」の送信方法のとき、位相変更は、データシンボルに限らず、送信信号の送信フレームに挿入されているパイロットシンボルや制御シンボル等のシンボルに対しても位相変更を行うことになる。（ただし、パイロットシンボルや制御シンボル等のシンボルに対しても位相変更を行わないようにしてもよいが、ダイバーシチゲインを得るためには、位相変更を行うとよい。）
（実施の形態Ｃ３）
本実施の形態では、実施の形態Ｃ１を応用した中継器の構成方法について説明する。なお、中継器は、中継局と呼称されることもある。
【０４５４】
図６２に、基地局（放送局）、中継器と端末の関係を示している。基地局６２０１は、図６３に示すように、少なくとも周波数帯域Ｘと周波数帯域Ｙの変調信号を送信する。基地局６２０１は、アンテナ６２０２Ａおよびアンテナ６２０２Ｂからそれぞれ変調信号を送信する。このときの送信方法については、図６３を用いて後に説明する。
【０４５５】
中継器Ａ（６２０３Ａ）は、受信アンテナ６２０４Ａで受信した受信信号６２０５Ａ、および、受信アンテナ６２０６Ａで受信した受信信号６２０７Ａを復調等の処理を施し、受信データを得る。そして、その受信データを端末に伝送するため、送信処理を施し、変調信号６２０９Ａおよび、６２１１Ａを生成し、それぞれ、アンテナ６２１０Ａおよび６２１２Ａから送信する。
【０４５６】
同様に、中継器Ｂ（６２０３Ｂ）は、受信アンテナ６２０４Ｂで受信した受信信号６２０５Ｂ、および、受信アンテナ６２０６Ｂで受信した受信信号６２０７Ｂを復調等の処理を施し、受信データを得る。そして、その受信データを端末に伝送するため、送信処理を施し、変調信号６２０９Ｂおよび６２１１Ｂを生成し、それぞれ、アンテナ６２１０Ｂおよび６２１２Ｂから送信する。なお、ここでは、中継器Ｂ（６２０３Ｂ）は、マスタ中継器であるとし、制御信号６２０８を出力し、中継器Ａ（６２０３Ａ）は、この信号を入力とする。なお、必ずしも、マスタ中継器を設ける必要はなく、基地局６２０１が、中継器Ａ（６２０３Ａ）、中継器Ｂ（６２０３Ｂ）に個別に制御情報を伝送することとしてもよい。
【０４５７】
端末Ｐ（５９０７）は、中継器Ａ（６２０３Ａ）が送信した変調信号を受信し、データを得ることになる。端末Ｑ（５９０８）は、中継器Ａ（６２０３Ａ）および中継器Ｂ（６２０３Ｂ）が送信した信号を受信し、データを得ることになる。端末Ｒ（６２１３）は、中継器Ｂ（６２０３Ｂ）が送信した変調信号を受信し、データを得ることになる。
【０４５８】
図６３は、基地局が送信する送信信号のうち、アンテナ６２０２Ａから送信する変調信号の周波数割り当て、および、アンテナ６２０２Ｂから送信する変調信号の周波数割り当て、を示している。図６３において、横軸を周波数、縦軸を送信パワーとする。
【０４５９】
図６３に示すように、アンテナ６２０２Ａから送信する変調信号、および、アンテナ６２０２Ｂから送信する変調信号は少なくとも周波数帯域Ｘと周波数帯域Ｙを使用しており、周波数帯域Ｘを用いて、第１のチャネルのデータの伝送を行っており、また、周波数帯域Ｙを用いて、第１のチャネルとは異なる第２のチャネルのデータの伝送を行っているものとする。
【０４６０】
そして、第１のチャネルのデータは、実施の形態Ｃ１で説明したように、周波数帯域Ｘを用いて、「異なるデータを送信」するモードで、伝送する。したがって、図６３に示すように、アンテナ６２０２Ａから送信する変調信号、および、アンテナ６２０２Ｂから送信する変調信号は、周波数帯域Ｘの成分を含んでいることになる。そして、周波数帯域Ｘの成分は、中継器Ａおよび中継器Ｂで受信されることになる。したがって、周波数帯域Ｘの変調信号は、実施の形態１、実施の形態Ｃ１で説明したように、マッピング後の信号に対し、プリコーディング（重み付け合成）、および、位相変更が施されることになる。
【０４６１】
第２のチャネルのデータは、図６３では、図６２のアンテナ６２０２Ａから送信される周波数帯域Ｙの成分によりデータが伝送される。そして、周波数帯域Ｙの成分は、中継器Ａおよび中継器Ｂで受信されることになる。
【０４６２】
図６４は、中継器Ａ、中継器Ｂが送信する送信信号のうち、中継器Ａのアンテナ６２１０Ａから送信する変調信号６２０９Ａ、アンテナ６２１２Ａから送信する変調信号６２１１Ａの周波数割り当て、および、中継器Ｂのアンテナ６２１０Ｂから送信する変調信号６２０９Ｂ、アンテナ６２１２Ｂから送信する変調信号６２１１Ｂの周波数割り当て、を示している。図６４において、横軸を周波数、縦軸を送信パワーとする。
【０４６３】
図６４に示すように、アンテナ６２１０Ａから送信する変調信号６２０９Ａ、および、アンテナ６２１２Ａから送信する変調信号６２１１Ａは少なくとも周波数帯域Ｘと周波数帯域Ｙを使用しており、また、アンテナ６２１０Ｂから送信する変調信号６２０９Ｂ、および、アンテナ６２１２Ｂから送信する変調信号６２１１Ｂは少なくとも周波数帯域Ｘと周波数帯域Ｙを使用しており、周波数帯域Ｘを用いて、第１のチャネルのデータの伝送を行っており、また、周波数帯域Ｙを用いて、第２のチャネルのデータの伝送を行っているものとする。
【０４６４】
そして、第１のチャネルのデータは、実施の形態Ｃ１で説明したように、周波数帯域Ｘを用いて、「異なるデータを送信」するモードで、伝送する。したがって、図６４に示すように、アンテナ６２１０Ａから送信する変調信号６２０９Ａ、および、アンテナ６２１２Ａから送信する変調信号６２１１Ａは、周波数帯域Ｘの成分を含んでいることになる。そして、周波数帯域Ｘの成分は、端末Ｐで受信されることになる。同様に、図６４に示すように、アンテナ６２１０Ｂから送信する変調信号６２０９Ｂ、および、アンテナ６２１２Ｂから送信する変調信号６２１１Ｂは、周波数帯域Ｘの成分を含んでいることになる。そして、周波数帯域Ｘの成分は、端末Ｒで受信されることになる。したがって、周波数帯域Ｘの変調信号は、実施の形態１、実施の形態Ｃ１で説明したように、マッピング後の信号に対し、プリコーディング（重み付け合成）、および、位相変更が施されることになる。
【０４６５】
第２のチャネルのデータは、図６４では、図６２の中継器Ａ（６２０３Ａ）のアンテナ６２１０Ａおよび中継器Ｂ（６２０３Ｂ）のアンテナ６２１０Ｂから送信される変調信号の周波数帯域Ｙの成分を用いて、伝送されることになる。このとき、図６２の中継器Ａ（６２０３Ａ）のアンテナ６２１０Ａから送信される変調信号６２０９Ａの周波数帯域Ｙの成分および中継器Ｂ（６２０３Ｂ）のアンテナ６２１０Ｂから送信される変調信号６２０９Ｂの周波数帯域Ｙの成分により、実施の形態Ｃ１で説明した「同一データを送信する」送信モードを使用することになる。そして、周波数帯域Ｙの成分は、端末Ｑで受信されることになる。
【０４６６】
次に、図６２における中継器Ａ（６２０３Ａ）と中継器Ｂ（６２０３Ｂ）の構成を、図６５を用いて説明する。
【０４６７】
図６５は、中継器の受信部と送信部の構成の一例を示しており、図５６と同様に動作するものについては、同一符号を付した。受信部６２０３Ｘは、受信アンテナ６５０１ａで受信した受信信号６５０２ａ、および、受信アンテナ６５０１ｂで受信した受信信号６５０２ｂを入力とし、周波数帯域Ｘの成分に対し、信号処理（信号の分離または合成、誤り訂正復号等の処理）を施し、基地局が周波数帯域Ｘを用いて伝送したデータ６２０４Ｘを得て、これを分配部４０４に出力するとともに、制御情報に含まれる送信方法の情報を得（中継器が送信する際の送信方法の情報も得る）、フレーム構成信号３１３を出力する。
【０４６８】
なお、受信部６２０３Ｘ以降は、周波数帯域Ｘで送信するための変調信号を生成するための処理部となる。また、受信部については、図６５で示しているように、周波数帯域Ｘの受信部のみだけではなく、他の周波数帯域の受信部を他に具備しており、各受信部では、その周波数帯域を用いて送信するための変調信号を生成するための処理部を具備することになる。
【０４６９】
分配部４０４の動作の概要は、実施の形態Ｃ２で述べた基地局における分配部の動作と同様になる。
【０４７０】
中継器Ａ（６２０３Ａ）と中継器Ｂ（６２０３Ｂ）は、図６４のように送信する場合、周波数帯域Ｘにおいては、実施の形態Ｃ１で説明したように、異なる２つの変調信号を生成し（プリコーディング、位相変更を行う）、２つの変調信号をそれぞれ、中継器Ａ（６２０３Ａ）は図６２のアンテナ６２１０Ａおよび６２１２Ａから、中継器Ｂ（６２０３Ｂ）は図６２のアンテナ６２１０Ｂおよび６２１２Ｂから送信する。
【０４７１】
周波数帯域Ｙにおいては、中継器Ａ（６２０３Ａ）は、図６５において、周波数帯域Ｘに関連する信号処理部６５００に対応する周波数帯域Ｙに関連する処理部６５００において（６５００は、周波数帯域Ｘ関連の信号処理部であるが、周波数帯域Ｙについても同様の信号処理部を具備するので、６５００内の付加した番号で説明する。）、インタリーバ３０４Ａ、マッピング部３０６Ａ、重み付け合成部３０８Ａ、位相変更部５２０１を動作させ、変調信号５２０２を生成し、変調信号５２０２に相当する送信信号を図１３のアンテナ１３１０Ａ、つまり、図６２のアンテナ６２１０Ａから送信する。同様に、中継器Ｂ（６２０３Ｂ）は、図６２において、周波数帯域Ｙにおける、インタリーバ３０４Ａ、マッピング部３０６Ａ、重み付け合成部３０８Ａ、位相変更部５２０１を動作させ、変調信号５２０２を生成し、変調信号５２０２に相当する送信信号を図１３のアンテナ１３１０Ａ、つまり、図６２のアンテナ６２１０Ｂから送信する。
【０４７２】
なお、基地局は、図６６に示すように（図６６は、基地局が送信する変調信号のフレーム構成であり、横軸時間、縦軸周波数である。）、送信方法に関する情報６６０１、中継器が施す位相変更に関する情報６６０２、データシンボル６６０３を送信し、中継器は、送信方法に関する情報６６０１、中継器が施す位相変更に関する情報６６０２を得ることで、送信信号に施す、位相変更の方法を決定することができる。また、図６６における中継器が施す位相変更に関する情報６６０２が、基地局が送信した信号に含まれていない場合は、図６２に示すように、中継器Ｂ（６２０３Ｂ）がマスタとなり、中継器Ａ（６２０３Ａ）に位相変更方法の指示をしてもよい。
【０４７３】
以上の説明のように、中継器が「異なるデータを送信」する場合、その送信方法に適した、プリコーディング行列、および、位相変更方法を設定し、変調信号を生成することになる。
【０４７４】
一方、「同一のデータを送信」する場合、２つの中継器がそれぞれ、変調信号を生成し、送信することになる。このとき、各中継器は、一つのアンテナから送信するための変調信号を生成することは、２つの中継器を併せて考えた場合、２つの中継器で、式（５２）のプリコーディング行列を設定したことに相当する。なお、位相変更方法については、実施の形態Ｃ１で説明したとおりであり、例えば、（数５３）の条件を満たすとよい。
【０４７５】
また、実施の形態Ｃ１で説明したように、周波数帯域Ｘのように、基地局、中継器ともに、２つのアンテナからそれぞれ変調信号を送信し、２つのアンテナから、同一のデータを送信するようにしてもよい。このときの基地局及び中継器の動作については実施の形態Ｃ１で説明したとおりである。
【０４７６】
本実施の形態のようにすることで、「同一のデータを送信」「異なるデータを送信」いずれの場合についても、受信装置において、データの受信品質を向上させることができるという効果を得ることができるとともに、送信装置において、位相変更部の共有化を行うことができるという利点がある。
【０４７７】
また、本実施の形態は、送信方法としてＯＦＤＭ方式を用いた場合を例に説明したが、これに限ったものではなく、ＯＦＤＭ方式以外のマルチキャリア方式、シングルキャリア方式を用いた場合にも同様に実施することは可能である。このとき、スペクトル拡散通信方式を用いていてもよい。なお、シングルキャリア方式を用いている場合、位相変更は時間軸方向で位相変更が行われることになる。
【０４７８】
なお、実施の形態３で説明したように、「異なるデータを送信する」送信方法の場合、データシンボルのみに対し、位相変更を行うものとした。しかし、本実施の形態において説明した「同一データを送信する」の送信方法のとき、位相変更は、データシンボルに限らず、送信信号の送信フレームに挿入されているパイロットシンボルや制御シンボル等のシンボルに対しても位相変更を行うことになる。（ただし、パイロットシンボルや制御シンボル等のシンボルに対しても位相変更を行わないようにしてもよいが、ダイバーシチゲインを得るためには、位相変更を行うとよい。）
（実施の形態Ｃ４）
本実施の形態では、「実施の形態１」、「その他補足」で説明した位相変更方法とは異なる位相変更方法について説明する。
【０４７９】
実施の形態１において、プリコーディング行列の例として、式（３６）を与え、その他補足において、プリコーディング行列の例として、式（５０）を与えた。そして、実施の形態Ａ１において、図３、図４、図６、図１２、図２５、図２９、図５１、図５３における位相変更部において、周期Ｎのための位相変更値(図３、図４、図６、図１２、図２５、図２９、図５１、図５３では、一方のベースバンド信号にのみ、位相変更を与えることになるので、位相変更値となる。)として、PHASE[i]（i=0,1,2,・・・,N-2,N-1（ｉは０以上Ｎ−１以下の整数））と表現した。そして、本明細書において、一方のプリコーディング後のベースバンド信号に対し、位相変更を行う場合（つまり、図３、図４、図６、図１２、図２５、図２９、図５１、図５３）、図３、図４、図６、図１２、図２５、図２９、図５１、図５３において、プリコーディング後のベースバンド信号ｚ２’のみに位相変更を与えている。このとき、PHASE[k]を以下のように与える。
【０４８０】
【数５４】
2012144206.tif 000057
【０４８１】
このとき、k=0,1,2,・・・,N-2,N-1（ｋは０以上Ｎ−１以下の整数）とする。
【０４８２】
このようにすると、受信装置において、特に、電波伝搬環境が、ＬＯＳ環境のとき、データの受信品質が向上するという効果を得ることができる。これは、ＬＯＳ環境において、位相変更を行わなかった場合、定常的な位相関係であったものが、位相変更を行うことで、位相関係の変更が行われ、これにより、バースト的に伝搬環境が悪い状況が回避されるからである。また、式（５４）とは別の方法として、PHASE[k]を以下のように与えてもよい。
【０４８３】
【数５５】
2012144206.tif 000058
【０４８４】
このとき、k=0,1,2,・・・,N-2,N-1（ｋは０以上Ｎ−１以下の整数）とする。
【０４８５】
また、別の位相変更方法として、PHASE[k]を以下のように与えてもよい。
【０４８６】
【数５６】
2012144206.tif 000059
【０４８７】
このとき、k=0,1,2,・・・,N-2,N-1（ｋは０以上Ｎ−１以下の整数）とし、Ｚは固定値とする。
【０４８８】
また、別の位相変更方法として、PHASE[k]を以下のように与えてもよい。
【０４８９】
【数５７】
2012144206.tif 000060
【０４９０】
このとき、k=0,1,2,・・・,N-2,N-1（ｋは０以上Ｎ−１以下の整数）とし、Ｚは固定値とする。
【０４９１】
以上のように、本実施の形態のような位相変更を行うことで、受信装置は、良好な受信品質を得ることができる可能性が高くなる、という効果を得ることができる。
【０４９２】
本実施の形態の位相変更は、シングルキャリア方式への適用に限ったものではなく、マルチキャリア伝送の場合も適用することができる。したがって、例えば、スペクトル拡散通信方式、ＯＦＤＭ方式、ＳＣ−ＦＤＭＡ、ＳＣ−ＯＦＤＭ方式、非特許文献７等で示されているウェーブレットＯＦＤＭ方式等を用いた場合についても同様に実施することができる。前述したように、本実施の形態では、位相変更を行う説明として、時間ｔ軸方向で位相変更を行う場合があるが、実施の形態１と同様に、周波数軸方向に位相変更を行うときと同様に、つまり、本実施の形態において、ｔ方向での位相変更の説明において、ｔをｆ（ｆ：周波数（（サブ）キャリア））に置き換えて、考えることで、本実施の形態で説明した位相変更変更を、周波数方向に位相変更に適用することができることになる。また、本実施の形態の位相変更方法は、実施の形態１の説明と同様に、時間−周波数方向に対する位相変更に対して、適用することも可能である。また、本実施の形態で説明した位相変更方法は、実施の形態Ａ１で示した内容を満たすと、受信装置において、良好なデータ品質を得ることができる可能性が高い。
【０４９３】
（実施の形態Ｃ５）
本実施の形態では、「実施の形態１」、「その他補足」、「実施の形態Ｃ４」で説明した位相変更方法とは異なる位相変更方法について説明する。
【０４９４】
実施の形態１において、プリコーディング行列の例として、式（３６）を与え、その他補足において、プリコーディング行列の例として、式（５０）を与えた。そして、実施の形態Ａ１において、図３、図４、図６、図１２、図２５、図２９、図５１、図５３における位相変更部において、周期Ｎのための位相変更値(図３、図４、図６、図１２、図２５、図２９、図５１、図５３では、一方のベースバンド信号にのみ、位相変更を与えることになるので、位相変更値となる。)として、PHASE[i]（i=0,1,2,・・・,N-2,N-1（ｉは０以上Ｎ−１以下の整数））と表現した。そして、本明細書において、一方のプリコーディング後のベースバンド信号に対し、位相変更を行う場合（つまり、図３、図４、図６、図１２、図２５、図２９、図５１、図５３）、図３、図４、図６、図１２、図２５、図２９、図５１、図５３において、プリコーディング後のベースバンド信号ｚ２’のみに位相変更を与えている。
【０４９５】
本実施の形態における位相変更方法の特徴的な点は、周期N=2n+1とあらわされる点である。そして、周期N=2n+1を実現するために用意する異なる位相変更値は、n+1個となる。そして、n+1個の異なる位相変更値のうち、n個の位相変更値は、1周期内で、それぞれ2回用いられ、1個の位相変更値は、1回用いられることで、周期N=2n+1が実現される。以下では、このときの位相変更値について詳しく説明する。
【０４９６】
周期N=2n+1の規則的に位相変更値を切り替える位相変更方法を実現するために必要となるn+1個の異なる位相変更値をPHASE[0], PHASE[1],・・・, PHASE[i],・・・, PHASE[n-1], PHASE[n]とする（i=0,1,2,・・・,n-2,n-1,n（ｉは０以上ｎ以下の整数）））。このとき、n+1個の異なる位相変更値PHASE[0], PHASE[1],・・・, PHASE[i],・・・, PHASE[n-1], PHASE[n]の例を以下のようにあらわす。
【０４９７】
【数５８】
2012144206.tif 000061
【０４９８】
このとき、k=0,1,2,・・・,n-2,n-1,n（ｋは０以上ｎ以下の整数）とする。式（５８）のn+1個の異なる位相変更値PHASE[0], PHASE[1],・・・, PHASE[i],・・・, PHASE[n-1], PHASE[n]において、PHASE[0]を1回用い、かつ、PHASE[1]〜PHASE[n]をそれぞれ2回用いる（PHASE[1]を2回用い、PHASE[2]を2回用い、・・・、PHASE[n-1]を2回用い、PHASE[n]を2回用いる）ことで、周期N=2n+1の規則的に位相変更値を切り替える位相変更方法とすることで、少ない位相変更値で規則的に位相変更値を切り替える位相変更方法を実現することができ、受信装置は、良好なデータの受信品質を得ることができる。用意する位相変更値が少ないため、送信装置、受信装置の効果を削減できる効果を得ることができる。以上のように、受信装置において、特に、電波伝搬環境が、ＬＯＳ環境のとき、データの受信品質が向上するという効果を得ることができる。これは、ＬＯＳ環境において、位相変更を行わなかった場合、定常的な位相関係であったものが、位相変更を行うことで、位相関係の変更が行われ、これにより、バースト的に伝搬環境が悪い状況が回避されるからである。また、式（５８）とは別の方法として、PHASE[k]を以下のように与えてもよい。
【０４９９】
【数５９】
2012144206.tif 000062
【０５００】
このとき、k=0,1,2,・・・,n-2,n-1,n（ｋは０以上ｎ以下の整数）とする。
【０５０１】
式（５９）のn+1個の異なる位相変更値PHASE[0], PHASE[1],・・・, PHASE[i],・・・, PHASE[n-1], PHASE[n]において、PHASE[0]を1回用い、かつ、PHASE[1]〜PHASE[n]をそれぞれ2回用いる（PHASE[1]を2回用い、PHASE[2]を2回用い、・・・、PHASE[n-1]を2回用い、PHASE[n]を2回用いる）ことで、周期N=2n+1の規則的に位相変更値を切り替える位相変更方法とすることで、少ない位相変更値で規則的に位相変更値を切り替える位相変更方法を実現することができ、受信装置は、良好なデータの受信品質を得ることができる。用意する位相変更値が少ないため、送信装置、受信装置の効果を削減できる効果を得ることができる。
【０５０２】
また、別の方法として、PHASE[k]を以下のように与えてもよい。
【０５０３】
【数６０】
2012144206.tif 000063
【０５０４】
このとき、k=0,1,2,・・・,n-2,n-1,n（ｋは０以上ｎ以下の整数）とし、Ｚは固定値とする。
【０５０５】
式（６０）のn+1個の異なる位相変更値PHASE[0], PHASE[1],・・・, PHASE[i],・・・, PHASE[n-1], PHASE[n]において、PHASE[0]を1回用い、かつ、PHASE[1]〜PHASE[n]をそれぞれ2回用いる（PHASE[1]を2回用い、PHASE[2]を2回用い、・・・、PHASE[n-1]を2回用い、PHASE[n]を2回用いる）ことで、周期N=2n+1の規則的に位相変更値を切り替える位相変更方法とすることで、少ない位相変更値で規則的に位相変更値を切り替える位相変更方法を実現することができ、受信装置は、良好なデータの受信品質を得ることができる。用意する位相変更値が少ないため、送信装置、受信装置の効果を削減できる効果を得ることができる。
【０５０６】
また、別の方法として、PHASE[k]を以下のように与えてもよい。
【０５０７】
【数６１】
2012144206.tif 000064
【０５０８】
このとき、k=0,1,2,・・・,n-2,n-1,n（ｋは０以上ｎ以下の整数）とし、Ｚは固定値とする。
【０５０９】
式（６１）のn+1個の異なる位相変更値PHASE[0], PHASE[1],・・・, PHASE[i],・・・, PHASE[n-1], PHASE[n]において、PHASE[0]を1回用い、かつ、PHASE[1]〜PHASE[n]をそれぞれ2回用いる（PHASE[1]を2回用い、PHASE[2]を2回用い、・・・、PHASE[n-1]を2回用い、PHASE[n]を2回用いる）ことで、周期N=2n+1の規則的に位相変更値を切り替える位相変更方法とすることで、少ない位相変更値で規則的に位相変更値を切り替える位相変更方法を実現することができ、受信装置は、良好なデータの受信品質を得ることができる。用意する位相変更値が少ないため、送信装置、受信装置の効果を削減できる効果を得ることができる。
【０５１０】
以上のように、本実施の形態のような位相変更を行うことで、受信装置は、良好な受信品質を得ることができる可能性が高くなる、という効果を得ることができる。
【０５１１】
本実施の形態の位相変更は、シングルキャリア方式をへの適用に限ったものではなく、マルチキャリア伝送の場合も適用することができる。したがって、例えば、スペクトル拡散通信方式、ＯＦＤＭ方式、ＳＣ−ＦＤＭＡ、ＳＣ−ＯＦＤＭ方式、非特許文献７等で示されているウェーブレットＯＦＤＭ方式等を用いた場合についても同様に実施することができる。前述したように、本実施の形態では、位相変更を行う説明として、時間ｔ軸方向で位相変更を行う場合があるが、実施の形態１と同様に、周波数軸方向に位相変更を行うときと同様に、つまり、本実施の形態において、ｔ方向での位相変更の説明において、ｔをｆ（ｆ：周波数（（サブ）キャリア））に置き換えて、考えることで、本実施の形態で説明した位相変更変更を、周波数方向に位相変更に適用することができることになる。また、本実施の形態の位相変更方法は、実施の形態１の説明と同様に、時間−周波数方向に対する位相変更に対して、適用することも可能である。
【０５１２】
（実施の形態Ｃ６）
本実施の形態では、非特許文献１２〜非特許文献１５に示されているように、ＱＣ（Quasi Cyclic）ＬＤＰＣ（Low-Density Parity-Check）符号（ただし、ＱＣ−ＬＤＰＣ符号でないＬＤＰＣ（ブロック）符号であってもよい）、ＬＤＰＣ符号とＢＣＨ符号（Bose-Chaudhuri-Hocquenghem code）の連接符号等のブロック符号、ターボ符号またはDuo-Binary Turbo Code等のブロック符号を用いたときの、特に、実施の形態Ｃ５で述べた規則的に位相変更値を切り替える位相変更方法を用いたときについて詳しく説明する。ここでは、一例として、ｓ１、ｓ２の２つのストリームを送信する場合を例に説明する。ただし、ブロック符号を用いて符号化を行った際、制御情報等が必要でないとき、符号化後のブロックを構成するビット数は、ブロック符号を構成するビット数（ただし、この中に、以下で記載するような制御情報等が含まれていてもよい。）と一致する。ブロック符号を用いて符号化を行った際、制御情報等（例えば、ＣＲＣ（cyclic redundancy check）、伝送パラメータ等）が必要であるとき、符号化後のブロックを構成するビット数は、ブロック符号を構成するビット数と制御情報等のビット数の和であることもある。
【０５１３】
図３４は、ブロック符号を用いたとき、１つの符号化後のブロックに必要なシンボル数、スロット数の変化を示した図である。図３４は、例えば、図４の送信装置に示したように、ｓ１、ｓ２の２つのストリームを送信し、かつ、送信装置が、１つの符号化器を有している場合の「ブロック符号を用いたとき、１つの符号化後のブロックに必要なシンボル数、スロット数の変化を示した図」である。（このとき、伝送方式としては、シングルキャリア伝送、ＯＦＤＭのようなマルチキャリア伝送、いずれを用いてもよい。）
図３４に示すように、ブロック符号における１つの符号化後のブロックを構成するビット数を６０００ビットであるとする。この６０００ビットを送信するためには、変調方式がＱＰＳＫのとき３０００シンボル、１６ＱＡＭのとき１５００シンボル、６４ＱＡＭのとき１０００シンボルが必要となる。
【０５１４】
そして、図４の送信装置では、２つのストリームを同時に送信することになるため、変調方式がＱＰＳＫのとき、前述の３０００シンボルは、ｓ１に１５００シンボル、ｓ２に１５００シンボル割り当てられることになるため、ｓ１で送信する１５００シンボルとｓ２で送信する１５００シンボルを送信するために１５００スロット（ここでは「スロット」と名付ける。）が必要となる。
【０５１５】
同様に考えると、変調方式が１６ＱＡＭのとき、１つの符号化後のブロックを構成するすべてのビットを送信するために７５０スロットが必要となり、変調方式が６４ＱＡＭのとき、１ブロックを構成するすべてのビットを送信するために５００スロットが必要となる。
【０５１６】
次に、規則的に位相を変更する方法において、上述で定義したスロットと位相との関係について説明する。
【０５１７】
ここでは、周期５の規則的に位相を変更する方法のために用意する位相変更値（または、位相変更セット）の数を５とする。つまり、図４の送信装置の位相変更部のために、周期５のための５つの位相変更値（または、位相変更セット）を用意するものとする。ただし、実施の形態Ｃ５で述べたように、異なる位相変更値は３つ存在することになる。したがって、周期５のための５つの位相変更値の中には、同一の位相変更値が存在することになる。（図６のように、プリコーディング後のベースバンド信号ｚ２’のみに位相変更を行う場合、周期５の位相変更を行うためには、５つの位相変更値を用意すればよい。また、図２６のように、プリコーディング後のベースバンド信号ｚ１’およびｚ２’の両者に対し位相変更を行う場合、１スロットのために、２つの位相変更値が必要となる。この２つの位相変更値を位相変更セットとよぶ。したがって、この場合、周期５の位相変更を行うためには、５つの位相変更セットを用意すればよい）。周期５のための５つの位相変更値（または、位相変更セット）をP[0], P[1], P [2], P [3], P [4]とあらわすものとする。
【０５１８】
次に、規則的に位相を変更する方法において、上述で定義したスロットと位相の関係について説明する。
【０５１９】
変調方式がＱＰＳＫのとき、１つの符号化後のブロックを構成するビット数６０００ビットを送信するための上記で述べた１５００スロットにおいて、位相変更値P[0]を使用するスロットが３００スロット、位相変更値P[1]を使用するスロットが３００スロット、位相変更値P[2]を使用するスロットが３００スロット、位相変更値P[3]を使用するスロットが３００スロット、位相変更値P[4]を使用するスロットが３００スロットである必要がある。これは、使用する位相変更値にかたよりがあると、多くの数を使用した位相変更値の影響が大きいデータの受信品質となるからである。
【０５２０】
同様に、変調方式が１６ＱＡＭのとき、１つの符号化後のブロックを構成するビット数６０００ビットを送信するための上記で述べた７５０スロットにおいて、位相変更値P[0]を使用するスロットが１５０スロット、位相変更値P[1]を使用するスロットが１５０スロット、位相変更値P[2]を使用するスロットが１５０スロット、位相変更値P[3]を使用するスロットが１５０スロット、位相変更値P[4]を使用するスロットが１５０スロットである必要がある。
【０５２１】
同様に、変調方式が６４ＱＡＭのとき、１つの符号化後のブロックを構成するビット数６０００ビットを送信するための上記で述べた５００スロットにおいて、位相変更値P[0]を使用するスロットが１００スロット、位相変更値P[1]を使用するスロットが１００スロット、位相変更値P[2]を使用するスロットが１００スロット、位相変更値P[3]を使用するスロットが１００スロット、位相変更値P[4]を使用するスロットが１００スロットである必要がある。
【０５２２】
以上のように、実施の形態Ｃ５で述べた規則的に位相変更値を切り替える位相変更方法において、周期N=2n+1を実現するための位相変更値P[0], P[1],・・・, P[2n-1], P[2n]（ただし、P[0], P[1],・・・, P[2n-1], P[2n]は、PHASE[0]、PHASE[1]、PHASE[2]、・・・、PHASE[n-1]、PHASE[n]で構成されている。（実施の形態Ｃ５参照））としたとき、１つの符号化後のブロックを構成するビットをすべて送信する際に、位相変更値P[0]を使用するスロット数をＫ０, 位相変更値P[1]を使用するスロット数をＫ１、位相変更値P[i]を使用するスロット数をＫi（i=0,1,2,・・・,2n-1,2n（ｉは０以上２ｎ以下の整数））、 位相変更値P[2n] を使用するスロット数をＫ2nとしたとき、
＜条件＃Ｃ０１＞
Ｋ０＝Ｋ１＝・・・＝Ｋi＝・・・＝Ｋ2n、つまり、Ｋa＝Ｋb、（for∀a、∀b、ただし、a, b=0,1,2,・・・, 2n-1,2n（ａは０以上２ｎ以下の整数、ｂは０以上２ｎ以下の整数）、a≠b）
であるとよい。
【０５２３】
実施の形態Ｃ５で述べた規則的に位相変更値を切り替える位相変更方法において、周期N=2n+1を実現するための異なる位相変更値PHASE[0]、PHASE[1]、PHASE[2]、・・・、PHASE[n-1]、PHASE[n]において、１つの符号化後のブロックを構成するビットをすべて送信する際に、位相変更値PHASE[0]を使用するスロット数をＧ０, 位相変更値PHASE[1]を使用するスロット数をＧ１、位相変更値PHASE[i]を使用するスロット数をＧi（i=0,1,2,・・・,n-1,n（ｉは０以上ｎ以下の整数））、 位相変更値PHASE[n] を使用するスロット数をＧnとしたとき、＜条件＃Ｃ０１＞は、以下のようにあらわすことができる。
【０５２４】
＜条件＃Ｃ０２＞
２×Ｇ０＝Ｇ１＝・・・＝Ｇi＝・・・＝Ｇn、つまり、２×Ｇ０＝Ｇａ、（for∀a、ただし、a =1,2,・・・, n-1,n（ａは１以上ｎ以下の整数））
そして、通信システムが、複数の変調方式をサポートしており、サポートしている変調方式から選択して使用する場合、サポートしている変調方式において、＜条件＃Ｃ０１＞（＜条件＃Ｃ０２＞）が成立するとよいことになる。
【０５２５】
しかし、複数の変調方式をサポートしている場合、各変調方式により１シンボルで送信することができるビット数が異なるのが一般的であり（場合によっては、同一となることもあり得る。）、場合によっては、＜条件＃Ｃ０１＞（＜条件＃Ｃ０２＞）を満たすことができない変調方式が存在することもある。この場合、＜条件＃Ｃ０１＞にかわり、以下の条件を満たすとよい。
【０５２６】
＜条件＃Ｃ０３＞
ＫaとＫbの差は０または１、つまり、｜Ｋa―Ｋb｜は０または１
（for∀a、∀b、ただし、a, b=0,1,2,・・・, 2n-1,2n（ａは０以上２ｎ以下の整数、ｂは０以上２ｎ以下の整数）、a≠b）
＜条件＃Ｃ０３＞を別の表現にすると、以下の条件となる。
【０５２７】
＜条件＃Ｃ０４＞
ＧaとＧbの差は０または１または２、つまり、｜Ｇa―Ｇb｜は０または１または２
（for∀a、∀b、ただし、a, b=1,2,・・・, n-1,n（ａは１以上ｎ以下の整数、ｂは１以上ｎ以下の整数）、a≠b）
および
２×Ｇ０とＧａの差は０または１または２、つまり、｜２×Ｇ０―Ｇａ｜は０または１または２
（for∀a、ただし、a =1,2,・・・, n-1,n（ａは１以上ｎ以下の整数））
図３５は、ブロック符号を用いたとき、２つの符号化後のブロックに必要なシンボル数、スロット数の変化を示した図である。図３５は、図３の送信装置および図１２の送信装置に示したように、ｓ１、ｓ２の２つのストリームを送信し、かつ、送信装置が、２つの符号化器を有している場合の「ブロック符号を用いたとき、１つの符号化後のブロックに必要なシンボル数、スロット数の変化を示した図」である。（このとき、伝送方式としては、シングルキャリア伝送、ＯＦＤＭのようなマルチキャリア伝送、いずれを用いてもよい。）
図３５に示すように、ブロック符号における１つの符号化後のブロックを構成するビット数を６０００ビットであるとする。この６０００ビットを送信するためには、変調方式がＱＰＳＫのとき３０００シンボル、１６ＱＡＭのとき１５００シンボル、６４ＱＡＭのとき１０００シンボルが必要となる。
【０５２８】
そして、図３の送信装置および図１２の送信装置では、２つのストリームを同時に送信することになり、また、２つの符号化器が存在するため、２つのストリームでは、異なる符号ブロックを伝送することになる。したがって、変調方式がＱＰＳＫのとき、ｓ１、ｓ２により、２つの符号化ブロックが同一区間内で送信されることから、例えば、ｓ１により第１の符号化後のブロックが送信され、ｓ２により、第２の符号化ブロックが送信されることになるので、第１、第２の符号化後のブロックを送信するために３０００スロットが必要となる。
【０５２９】
同様に考えると、変調方式が１６ＱＡＭのとき、２つの符号化後のブロックを構成するすべてのビットを送信するために１５００スロットが必要となり、変調方式が６４ＱＡＭのとき、２ブロックを構成するすべてのビットを送信するために１０００スロットが必要となる。
【０５３０】
次に、規則的に位相を変更する方法において、上述で定義したスロットと位相との関係について説明する。
【０５３１】
ここでは、周期５の規則的に位相を変更する方法のために用意する位相変更値（または、位相変更セット）の数を５とする。つまり、図４の送信装置の位相変更部のために、周期５のための５つの位相変更値（または、位相変更セット）を用意するものとする。ただし、実施の形態Ｃ５で述べたように、異なる位相変更値は３つ存在することになる。したがって、周期５のための５つの位相変更値の中には、同一の位相変更値が存在することになる。（図６のように、プリコーディング後のベースバンド信号ｚ２’のみに位相変更を行う場合、周期５の位相変更を行うためには、５つの位相変更値を用意すればよい。また、図２６のように、プリコーディング後のベースバンド信号ｚ１’およびｚ２’の両者に対し位相変更を行う場合、１スロットのために、２つの位相変更値が必要となる。この２つの位相変更値を位相変更セットとよぶ。したがって、この場合、周期５の位相変更を行うためには、５つの位相変更セットを用意すればよい）。周期５のための５つの位相変更値（または、位相変更セット）をP[0], P[1], P [2], P [3], P [4]とあらわすものとする。
【０５３２】
変調方式がＱＰＳＫのとき、２つの符号化後のブロックを構成するビット数６０００×２ビットを送信するための上記で述べた３０００スロットにおいて、位相変更値P[0]を使用するスロットが６００スロット、位相変更値P[1]を使用するスロットが６００スロット、位相変更値P[2]を使用するスロットが６００スロット、位相変更値P[3]を使用するスロットが６００スロット、位相変更値P[4]を使用するスロットが６００スロットである必要がある。これは、使用する位相変更値にかたよりがあると、多くの数を使用した位相変更値の影響が大きいデータの受信品質となるからである。
【０５３３】
また、第１の符号化ブロックを送信するために、位相変更値P[0]を使用するスロットが６００回、位相変更値P[1]を使用するスロットが６００回、位相変更値P[2]を使用するスロットが６００回、位相変更値P[3]を使用するスロットが６００回、プ位相変更値P[4]を使用するスロットが６００回である必要があり、また、第２の符号化ブロックを送信するために、位相変更値P[0]を使用するスロットが６００回、位相変更値P[1]を使用するスロットが６００回、位相変更値P[2]を使用するスロットが６００回、位相変更値P[3]を使用するスロットが６００回、位相変更値P[4]を使用するスロットが６００回であるとよい。
【０５３４】
同様に、変調方式が１６ＱＡＭのとき、２つの符号化後のブロックを構成するビット数６０００×２ビットを送信するための上記で述べた１５００スロットにおいて、位相変更値P[0]を使用するスロットが３００スロット、位相変更値P[1]を使用するスロットが３００スロット、位相変更値P[2]を使用するスロットが３００スロット、位相変更値P[3]を使用するスロットが３００スロット、位相変更値P[4]を使用するスロットが３００スロットである必要がある。
【０５３５】
また、第１の符号化ブロックを送信するために、位相変更値P[0]を使用するスロットが３００回、位相変更値P[1]を使用するスロットが３００回、位相変更値P[2]を使用するスロットが３００回、位相変更値P[3]を使用するスロットが３００回、位相変更値P[4]を使用するスロットが３００回である必要があり、また、第２の符号化ブロックを送信するために、位相変更値P[0]を使用するスロットが３００回、位相変更値P[1]を使用するスロットが３００回、位相変更値P[2]を使用するスロットが３００回、位相変更値P[3]を使用するスロットが３００回、位相変更値P[4]を使用するスロットが３００回であるとよい。
【０５３６】
同様に、変調方式が６４ＱＡＭのとき、２つの符号化後のブロックを構成するビット数６０００×２ビットを送信するための上記で述べた１０００スロットにおいて、位相変更値P[0]を使用するスロットが２００スロット、位相変更値P[1]を使用するスロットが２００スロット、位相変更値P[2]を使用するスロットが２００スロット、位相変更値P[3]を使用するスロットが２００スロット、位相変更値P[4]を使用するスロットが２００スロットである必要がある。
【０５３７】
また、第１の符号化ブロックを送信するために、位相変更値P[0]を使用するスロットが２００回、位相変更値P[1]を使用するスロットが２００回、位相変更値P[2]を使用するスロットが２００回、位相変更値P[3]を使用するスロットが２００回、位相変更値P[4]を使用するスロットが２００回である必要があり、また、第２の符号化ブロックを送信するために、位相変更値P[0]を使用するスロットが２００回、位相変更値P[1]を使用するスロットが２００回、位相変更値P[2]を使用するスロットが２００回、位相変更値P[3]を使用するスロットが２００回、位相変更値P[4]を使用するスロットが２００回であるとよい。
【０５３８】
以上のように、実施の形態Ｃ５で述べた規則的に位相変更値を切り替える位相変更方法において、周期N=2n+1を実現するための位相変更値P[0], P[1],・・・, P[2n-1], P[2n]（ただし、P[0], P[1],・・・, P[2n-1], P[2n]は、PHASE[0]、PHASE[1]、PHASE[2]、・・・、PHASE[n-1]、PHASE[n]で構成されている。（実施の形態Ｃ５参照））としたとき、２つの符号化後のブロックを構成するビットをすべて送信する際に、位相変更値P[0]を使用するスロット数をＫ０, 位相変更値P[1]を使用するスロット数をＫ１、位相変更値P[i]を使用するスロット数をＫi（i=0,1,2,・・・,2n-1,2n（ｉは０以上２ｎ以下の整数））、位相変更値P[2n] を使用するスロット数をＫ2nとしたとき、
＜条件＃Ｃ０５＞
Ｋ０＝Ｋ１＝・・・＝Ｋi＝・・・＝Ｋ2n、つまり、Ｋa＝Ｋb、（for∀a、∀b、ただし、a, b=0,1,2,・・・, 2n-1,2n（ａは０以上２ｎ以下の整数、ｂは０以上２ｎ以下の整数）、a≠b）
であり、第１の符号化後のブロックを構成するビットをすべて送信する際に、位相変更値P[0]を使用する回数をＫ０，１, 位相変更値P[1]を使用する回数をＫ１，１、位相変更値P[i]を使用する回数をＫi，１（i=0,1,2,・・・,2n-1,2n（ｉは０以上２ｎ以下の整数））、位相変更値P[2n] を使用する回数をＫ2n，１としたとき、
＜条件＃Ｃ０６＞
Ｋ０，１＝Ｋ１，１＝・・・＝Ｋｉ，１＝・・・＝Ｋ2n，１、つまり、Ｋa，１＝Ｋb，１、（for∀a、∀b、ただし、a, b=0,1,2,・・・, 2n-1,2n（ａは０以上２ｎ以下の整数、ｂは０以上２ｎ以下の整数）、a≠b）
であり、第２の符号化後のブロックを構成するビットをすべて送信する際に、位相変更値P[0]を使用する回数をＫ０，２, 位相変更値P[1]を使用する回数をＫ１，２、位相変更値P[i]を使用する回数をＫi，２（i=0,1,2,・・・,2n-1,2n（ｉは０以上２ｎ以下の整数））、 位相変更値P[2n] を使用する回数をＫ2n，２としたとき、
＜条件＃Ｃ０７＞
Ｋ０，２＝Ｋ１，２＝・・・＝Ｋi，２＝・・・＝Ｋ2n，２、つまり、Ｋa，２＝Ｋb，２、（for∀a、∀b、ただし、a, b=0,1,2,・・・, 2n-1,2n（ａは０以上２ｎ以下の整数、ｂは０以上２ｎ以下の整数）、a≠b）
であるとよい。
【０５３９】
実施の形態Ｃ５で述べた規則的に位相変更値を切り替える位相変更方法において、周期N=2n+1を実現するための異なる位相変更値PHASE[0]、PHASE[1]、PHASE[2]、・・・、PHASE[n-1]、PHASE[n]において、２つの符号化後のブロックを構成するビットをすべて送信する際に、位相変更値PHASE[0]を使用するスロット数をＧ０, 位相変更値PHASE[1]を使用するスロット数をＧ１、位相変更値PHASE[i]を使用するスロット数をＧi（i=0,1,2,・・・,n-1,n）、 位相変更値PHASE[n] を使用するスロット数をＧnとしたとき、＜条件＃Ｃ０５＞は、以下のようにあらわすことができる。
【０５４０】
＜条件＃Ｃ０８＞
２×Ｇ０＝Ｇ１＝・・・＝Ｇi＝・・・＝Ｇn、つまり、２×Ｇ０＝Ｇａ、（for∀a、ただし、a =1,2,・・・, n-1,n（ａは１以上ｎ以下の整数））
であり、第１の符号化後のブロックを構成するビットをすべて送信する際に、位相変更値PHASE[0]を使用する回数をＧ０，１, 位相変更値PHASE[1]を使用する回数をＫ１，１、位相変更値PHASE[i]を使用する回数をＧi，１（i=0,1,2,・・・,n-1,n（ｉは０以上ｎ以下の整数））、位相変更値PHASE[n] を使用する回数をＧn，１としたとき、
＜条件＃Ｃ０９＞
２×Ｇ０，１＝Ｇ１，１＝・・・＝Ｇi，１＝・・・＝Ｇn，１、つまり、２×Ｇ０，１＝Ｇａ，１、（for∀a、ただし、a =1,2,・・・, n-1,n（ａは１以上ｎ以下の整数））
であり、第２の符号化後のブロックを構成するビットをすべて送信する際に、位相変更値PHASE[0]を使用する回数をＧ０，２, 位相変更値PHASE[1]を使用する回数をＧ１，２、位相変更値PHASE[i]を使用する回数をＧi，２（i=0,1,2,・・・,n-1,n（ｉは０以上ｎ以下の整数））、位相変更値PHASE[n]  を使用する回数をＧn，２としたとき、
＜条件＃Ｃ１０＞
２×Ｇ０，２＝Ｇ１，２＝・・・＝Ｇi，２＝・・・＝Ｇn，２、つまり、２×Ｇ０，２＝Ｇａ，２、（for∀a、ただし、a =1,2,・・・, n-1,n（ａは１以上ｎ以下の整数））
であるとよい。
【０５４１】
そして、通信システムが、複数の変調方式をサポートしており、サポートしている変調方式から選択して使用する場合、サポートしている変調方式において、＜条件＃Ｃ０５＞＜条件＃Ｃ０６＞＜条件＃Ｃ０７＞（＜条件＃Ｃ０８＞＜条件＃Ｃ０９＞＜条件＃Ｃ１０＞）が成立するとよいことになる。
【０５４２】
しかし、複数の変調方式をサポートしている場合、各変調方式により１シンボルで送信することができるビット数が異なるのが一般的であり（場合によっては、同一となることもあり得る。）、場合によっては、＜条件＃Ｃ０５＞＜条件＃Ｃ０６＞＜条件＃Ｃ０７＞（＜条件＃Ｃ０８＞＜条件＃Ｃ０９＞＜条件＃Ｃ１０＞）を満たすことができない変調方式が存在することもある。この場合、＜条件＃Ｃ０５＞＜条件＃Ｃ０６＞＜条件＃Ｃ０７＞にかわり、以下の条件を満たすとよい。
【０５４３】
＜条件＃Ｃ１１＞
ＫaとＫbの差は０または１、つまり、｜Ｋa―Ｋb｜は０または１
（for∀a、∀b、ただし、a, b=0,1,2,・・・, 2n-1,2n（ａは０以上２ｎ以下の整数、ｂは０以上２ｎ以下の整数）、a≠b）
＜条件＃Ｃ１２＞
Ｋa，１とＫb，１の差は０または１、つまり、｜Ｋa，１―Ｋb，１｜は０または１
（for∀a、∀b、ただし、a, b=0,1,2,・・・, 2n-1,2n（ａは０以上２ｎ以下の整数、ｂは０以上２ｎ以下の整数）、a≠b）
＜条件＃Ｃ１３＞
Ｋa，２とＫb，２の差は０または１、つまり、｜Ｋa，２―Ｋb，２｜は０または１
（for∀a、∀b、ただし、a, b=0,1,2,・・・, 2n-1,2n（ａは０以上２ｎ以下の整数、ｂは０以上２ｎ以下の整数）、a≠b）
＜条件＃Ｃ１１＞＜条件＃Ｃ１２＞＜条件＃Ｃ１３＞を別の表現にすると、以下の条件となる。
【０５４４】
＜条件＃Ｃ１４＞
ＧaとＧbの差は０または１または２、つまり、｜Ｇa―Ｇb｜は０または１または２
（for∀a、∀b、ただし、a, b=1,2,・・・, n-1,n（ａは１以上ｎ以下の整数、ｂは１以上ｎ以下の整数）、a≠b）
および
２×Ｇ０とＧａの差は０または１または２、つまり、｜２×Ｇ０―Ｇａ｜は０または１または２
（for∀a、ただし、a =1,2,・・・, n-1,n（ａは１以上ｎ以下の整数））
＜条件＃Ｃ１５＞
Ｇa，１とＧb，１の差は０または１または２、つまり、｜Ｇa，１―Ｇb，１｜は０または１または２
（for∀a、∀b、ただし、a, b=1,2,・・・, n-1,n（ａは１以上ｎ以下の整数、ｂは１以上ｎ以下の整数）、a≠b）
および
２×Ｇ０，１とＧａ，１の差は０または１または２、つまり、｜２×Ｇ０，１―Ｇａ，１｜は０または１または２
（for∀a、ただし、a =1,2,・・・, n-1,n（ａは、１以上ｎ以下の整数））
＜条件＃Ｃ１６＞
Ｇa，２とＧb，２の差は０または１または２、つまり、｜Ｇa，２―Ｇb，２｜は０または１または２
（for∀a、∀b、ただし、a, b=1,2,・・・, n-1,n（ａは１以上ｎ以下の整数、ｂは１以上ｎ以下の整数）、a≠b）
および
２×Ｇ０，２とＧａ，２の差は０または１または２、つまり、｜２×Ｇ０，２―Ｇａ，２｜は０または１または２
（for∀a、ただし、a =1,2,・・・, n-1,n（ａは、１以上ｎ以下の整数））
以上のように、符号化後のブロックと位相変更値の関係付けを行うことで、符号化ブロックを伝送するために使用する位相変更値にかたよりがなくなるため、受信装置において、データの受信品質が向上するという効果を得ることができる。
【０５４５】
本実施の形態では、規則的に位相を変更する方法において、周期Nの位相変更方法のためには、N個の位相変更値（または、位相変更セット）が必要となる。このとき、N個の位相変更値（または、位相変更セット）として、P[0]、P[1]、P[2]、・・・、P[N-2]、P [N-1]を用意することになるが、周波数軸方向にP[0]、P[1]、P[2]、・・・、P[N-2]、P [N-1]の順に並べる方法もあるが、必ずしもこれに限ったものではなく、N個の位相変更値（または、位相変更セット）P[0]、P[1]、P[2]、・・・、P[N-2]、P [N-1]を実施の形態１と同様に、時間軸、周波数―時間軸のブロックに対し、シンボルを配置することで、位相を変更することもできる。なお、周期Nの位相変更方法として説明しているが、N個の位相変更値（または、位相変更セット）をランダムに用いるようにしても同様の効果を得ることができる、つまり、必ずしも、規則的な周期を持つようにN個の位相変更値（または、位相変更セット）を用いる必要はないが、上記で説明した条件を満たすことは、受信装置において、高いデータの受信品質を得る上では、重要となる。
【０５４６】
また、空間多重ＭＩＭＯ伝送方式、プリコーディング行列が固定のＭＩＭＯ伝送方式、時空間ブロック符号化方式、１ストリームのみ送信、規則的に位相を変更する方法のモードが存在し、送信装置（放送局、基地局）は、これらのモードから、いずれかの送信方法を選択することができるようにしてもよい。
【０５４７】
なお、空間多重MIMO伝送方式とは、非特許文献３に示されているように、選択した変調方式でマッピングした信号ｓ１、ｓ２をそれぞれ異なるアンテナから送信する方法であり、プリコーディング行列が固定のＭＩＭＯ伝送方式とは、プリコーディングのみを行う（位相変更を行わない）方式である。また、時空間ブロック符号化方式とは、非特許文献９、１６、１７に示されている伝送方式である。１ストリームのみ送信とは、選択した変調方式でマッピングした信号ｓ１の信号を所定の処理を行いアンテナから送信する方法である。
【０５４８】
また、ＯＦＤＭのようなマルチキャリアの伝送方式を用いており、複数のキャリアで構成された第１キャリア群、複数のキャリアで構成された第１キャリア群とは異なる第２キャリア群、・・・というように複数のキャリア群でマルチキャリア伝送を実現しており、キャリア群ごとに、空間多重ＭＩＭＯ伝送方式、プリコーディング行列が固定のＭＩＭＯ伝送方式、時空間ブロック符号化方式、１ストリームのみ送信、規則的に位相を変更する方法のいずれかに設定してもよく、特に、規則的に位相を変更する方法を選択した（サブ）キャリア群では、本実施の形態を実施するとよい。
【０５４９】
なお、一方のプリコーディング後のベースバンド信号に対し、位相変更を行う場合、例えば、P[i]の位相変更値を「Xラジアン」とした場合、図３、図４、図６、図１２、図２５、図２９、図５１、図５３における位相変更部において、ｅｊXをプリコーディング後のベースバンド信号ｚ２’に乗算することになる。そして、両者のプリコーディング後のベースバンド信号に対し、位相変更を行う場合、例えば、P[i]の位相変更セットを「Xラジアン」および「Yラジアン」とした場合、図２６、図２７、図２８、図５２、図５４における位相変更部において、ｅｊXをプリコーディング後のベースバンド信号ｚ２’に乗算することになり、ｅｊYをプリコーディング後のベースバンド信号ｚ１’に乗算することになる。
【０５５０】
（実施の形態Ｃ７）
本実施の形態では、非特許文献１２〜非特許文献１５に示されているように、ＱＣ（Quasi Cyclic）ＬＤＰＣ（Low-Density Parity-Check）符号（ただし、ＱＣ−ＬＤＰＣ符号でないＬＤＰＣ（ブロック）符号であってもよい）、ＬＤＰＣ符号とＢＣＨ符号（Bose-Chaudhuri-Hocquenghem code）の連接符号等のブロック符号、ターボ符号またはDuo-Binary Turbo Code等のブロック符号を用いたときの、実施の形態Ａ１、実施の形態Ｃ６を一般化させた場合について説明する。ここでは、一例として、ｓ１、ｓ２の２つのストリームを送信する場合を例に説明する。ただし、ブロック符号を用いて符号化を行った際、制御情報等が必要でないとき、符号化後のブロックを構成するビット数は、ブロック符号を構成するビット数（ただし、この中に、以下で記載するような制御情報等が含まれていてもよい。）と一致する。ブロック符号を用いて符号化を行った際、制御情報等（例えば、ＣＲＣ（cyclic redundancy check）、伝送パラメータ等）が必要であるとき、符号化後のブロックを構成するビット数は、ブロック符号を構成するビット数と制御情報等のビット数の和であることもある。
【０５５１】
図３４は、ブロック符号を用いたとき、１つの符号化後のブロックに必要なシンボル数、スロット数の変化を示した図である。図３４は、例えば、図４の送信装置に示したように、ｓ１、ｓ２の２つのストリームを送信し、かつ、送信装置が、１つの符号化器を有している場合の「ブロック符号を用いたとき、１つの符号化後のブロックに必要なシンボル数、スロット数の変化を示した図」である。（このとき、伝送方式としては、シングルキャリア伝送、ＯＦＤＭのようなマルチキャリア伝送、いずれを用いてもよい。）
図３４に示すように、ブロック符号における１つの符号化後のブロックを構成するビット数を６０００ビットであるとする。この６０００ビットを送信するためには、変調方式がＱＰＳＫのとき３０００シンボル、１６ＱＡＭのとき１５００シンボル、６４ＱＡＭのとき１０００シンボルが必要となる。
【０５５２】
そして、図４の送信装置では、２つのストリームを同時に送信することになるため、変調方式がＱＰＳＫのとき、前述の３０００シンボルは、ｓ１に１５００シンボル、ｓ２に１５００シンボル割り当てられることになるため、ｓ１で送信する１５００シンボルとｓ２で送信する１５００シンボルを送信するために１５００スロット（ここでは「スロット」と名付ける。）が必要となる。
【０５５３】
同様に考えると、変調方式が１６ＱＡＭのとき、１つの符号化後のブロックを構成するすべてのビットを送信するために７５０スロットが必要となり、変調方式が６４ＱＡＭのとき、１ブロックを構成するすべてのビットを送信するために５００スロットが必要となる。
【０５５４】
次に、規則的に位相を変更する方法において、上述で定義したスロットと位相との関係について説明する。
【０５５５】
ここでは、周期５の規則的に位相を変更する方法のために用意する位相変更値（または、位相変更セット）の数を５とする。周期５の規則的に位相を変更する方法のために用意する位相変更値（または、位相変更セット）をP[0], P[1], P[2], P[3], P[4]とする。ただし、P[0], P[1], P[2], P[3], P[4]には、少なくとも２つ以上の異なる位相変更値が含まれていればよい（P[0], P[1], P[2], P[3], P[4]に同一の位相変更値が含まれていてもよい。）。（図６のように、プリコーディング後のベースバンド信号ｚ２’のみに位相変更を行う場合、周期５の位相変更を行うためには、５つの位相変更値を用意すればよい。また、図２６のように、プリコーディング後のベースバンド信号ｚ１’およびｚ２’の両者に対し位相変更を行う場合、１スロットのために、２つの位相変更値が必要となる。この２つの位相変更値を位相変更セットとよぶ。したがって、この場合、周期５の位相変更を行うためには、５つの位相変更セットを用意すればよい）。
【０５５６】
変調方式がＱＰＳＫのとき、１つの符号化後のブロックを構成するビット数６０００ビットを送信するための上記で述べた１５００スロットにおいて、位相変更値P[0]を使用するスロットが３００スロット、位相変更値P[1]を使用するスロットが３００スロット、位相変更値P[2]を使用するスロットが３００スロット、位相変更値P[3]を使用するスロットが３００スロット、位相変更値P[4]を使用するスロットが３００スロットである必要がある。これは、使用する位相変更値にかたよりがあると、多くの数を使用した位相変更値の影響が大きいデータの受信品質となるからである。
【０５５７】
同様に、変調方式が１６ＱＡＭのとき、１つの符号化後のブロックを構成するビット数６０００ビットを送信するための上記で述べた７５０スロットにおいて、位相変更値P[0]を使用するスロットが１５０スロット、位相変更値P[1]を使用するスロットが１５０スロット、位相変更値P[2]を使用するスロットが１５０スロット、位相変更値P[3]を使用するスロットが１５０スロット、位相変更値P[4]を使用するスロットが１５０スロットである必要がある。
【０５５８】
同様に、変調方式が６４ＱＡＭのとき、１つの符号化後のブロックを構成するビット数６０００ビットを送信するための上記で述べた５００スロットにおいて、位相変更値P[0]を使用するスロットが１００スロット、位相変更値P[1]を使用するスロットが１００スロット、位相変更値P[2]を使用するスロットが１００スロット、位相変更値P[3]を使用するスロットが１００スロット、位相変更値P[4]を使用するスロットが１００スロットである必要がある。
【０５５９】
以上のように、周期Nの規則的に位相変更値を切り替える位相変更方法における位相変更値P[0], P[1],・・・, P[N-2] , P[N-1]とあらわすものとする。ただし、P[0], P[1],・・・, P[N-2] , P[N-1]は少なくとも２つ以上の異なる位相変更値で構成されているものとする。（P[0], P[1],・・・, P[N-2] , P[N-1]に同一の位相変更値が含まれていてもよい。）１つの符号化後のブロックを構成するビットをすべて送信する際に、位相変更値P[0]を使用するスロット数をＫ０, 位相変更値P[1]を使用するスロット数をＫ１、位相変更値P[i]を使用するスロット数をＫi（i=0,1,2,・・・,N-1（ｉは０以上Ｎ−１以下の整数））、位相変更値P[N-1] を使用するスロット数をＫN-1としたとき、
＜条件＃Ｃ１７＞
Ｋ０＝Ｋ１＝・・・＝Ｋi＝・・・＝ＫN-1、つまり、Ｋa＝Ｋb、（for∀a、∀b、ただし、a, b=0,1,2,・・・,N-1（ａは０以上Ｎ−１以下の整数、ｂは０以上Ｎ−１以下の整数）、a≠b）
であるとよい。
【０５６０】
そして、通信システムが、複数の変調方式をサポートしており、サポートしている変調方式から選択して使用する場合、サポートしている変調方式において、＜条件＃Ｃ１７＞が成立するとよいことになる。
【０５６１】
しかし、複数の変調方式をサポートしている場合、各変調方式により１シンボルで送信することができるビット数が異なるのが一般的であり（場合によっては、同一となることもあり得る。）、場合によっては、＜条件＃Ｃ１７＞を満たすことができない変調方式が存在することもある。この場合、＜条件＃Ｃ１７＞にかわり、以下の条件を満たすとよい。
【０５６２】
＜条件＃Ｃ１８＞
ＫaとＫbの差は０または１、つまり、｜Ｋa―Ｋb｜は０または１
（for∀a、∀b、ただし、a, b=0,1,2,・・・,N-1（ａは０以上Ｎ−１以下の整数、ｂは０以上Ｎ−１以下の整数）、a≠b）
図３５は、ブロック符号を用いたとき、２つの符号化後のブロックに必要なシンボル数、スロット数の変化を示した図である。図３５は、図３の送信装置および図１２の送信装置に示したように、ｓ１、ｓ２の２つのストリームを送信し、かつ、送信装置が、２つの符号化器を有している場合の「ブロック符号を用いたとき、１つの符号化後のブロックに必要なシンボル数、スロット数の変化を示した図」である。（このとき、伝送方式としては、シングルキャリア伝送、ＯＦＤＭのようなマルチキャリア伝送、いずれを用いてもよい。）
図３５に示すように、ブロック符号における１つの符号化後のブロックを構成するビット数を６０００ビットであるとする。この６０００ビットを送信するためには、変調方式がＱＰＳＫのとき３０００シンボル、１６ＱＡＭのとき１５００シンボル、６４ＱＡＭのとき１０００シンボルが必要となる。
【０５６３】
そして、図３の送信装置および図１２の送信装置では、２つのストリームを同時に送信することになり、また、２つの符号化器が存在するため、２つのストリームでは、異なる符号ブロックを伝送することになる。したがって、変調方式がＱＰＳＫのとき、ｓ１、ｓ２により、２つの符号化ブロックが同一区間内で送信されることから、例えば、ｓ１により第１の符号化後のブロックが送信され、ｓ２により、第２の符号化ブロックが送信されることになるので、第１、第２の符号化後のブロックを送信するために３０００スロットが必要となる。
【０５６４】
同様に考えると、変調方式が１６ＱＡＭのとき、２つの符号化後のブロックを構成するすべてのビットを送信するために１５００スロットが必要となり、変調方式が６４ＱＡＭのとき、２ブロックを構成するすべてのビットを送信するために１０００スロットが必要となる。
【０５６５】
次に、規則的に位相を変更する方法において、上述で定義したスロットと位相との関係について説明する。
【０５６６】
ここでは、周期５の規則的に位相を変更する方法のために用意する位相変更値（または、位相変更セット）の数を５とする。つまり、図４の送信装置の位相変更部のために、周期５のための５つの位相変更値（または、位相変更セット）P[0], P[1], P[2],P[3], P[4]を用意するものとする。ただし、P[0], P[1], P[2],P[3], P[4]には、少なくとも２つ以上の異なる位相変更値が含まれていればよい（P[0], P[1], P[2],P[3], P[4]に同一の位相変更値が含まれていてもよい。）。（図６のように、プリコーディング後のベースバンド信号ｚ２’のみに位相変更を行う場合、周期５の位相変更を行うためには、５つの位相変更値を用意すればよい。また、図２６のように、プリコーディング後のベースバンド信号ｚ１’およびｚ２’の両者に対し位相変更を行う場合、１スロットのために、２つの位相変更値が必要となる。この２つの位相変更値を位相変更セットとよぶ。したがって、この場合、周期５の位相変更を行うためには、５つの位相変更セットを用意すればよい）。周期５のための５つの位相変更値（または、位相変更セット）をP[0], P[1], P [2], P [3], P [4]とあらわすものとする。
【０５６７】
変調方式がＱＰＳＫのとき、２つの符号化後のブロックを構成するビット数６０００×２ビットを送信するための上記で述べた３０００スロットにおいて、位相変更値P[0]を使用するスロットが６００スロット、位相変更値P[1]を使用するスロットが６００スロット、位相変更値P[2]を使用するスロットが６００スロット、位相変更値P[3]を使用するスロットが６００スロット、位相変更値P[4]を使用するスロットが６００スロットである必要がある。これは、使用する位相変更値にかたよりがあると、多くの数を使用した位相変更値の影響が大きいデータの受信品質となるからである。
【０５６８】
また、第１の符号化ブロックを送信するために、位相変更値P[0]を使用するスロットが６００回、位相変更値P[1]を使用するスロットが６００回、位相変更値P[2]を使用するスロットが６００回、位相変更値P[3]を使用するスロットが６００回、プ位相変更値P[4]を使用するスロットが６００回である必要があり、また、第２の符号化ブロックを送信するために、位相変更値P[0]を使用するスロットが６００回、位相変更値P[1]を使用するスロットが６００回、位相変更値P[2]を使用するスロットが６００回、位相変更値P[3]を使用するスロットが６００回、位相変更値P[4]を使用するスロットが６００回であるとよい。
【０５６９】
同様に、変調方式が１６ＱＡＭのとき、２つの符号化後のブロックを構成するビット数６０００×２ビットを送信するための上記で述べた１５００スロットにおいて、位相変更値P[0]を使用するスロットが３００スロット、位相変更値P[1]を使用するスロットが３００スロット、位相変更値P[2]を使用するスロットが３００スロット、位相変更値P[3]を使用するスロットが３００スロット、位相変更値P[4]を使用するスロットが３００スロットである必要がある。
【０５７０】
また、第１の符号化ブロックを送信するために、位相変更値P[0]を使用するスロットが３００回、位相変更値P[1]を使用するスロットが３００回、位相変更値P[2]を使用するスロットが３００回、位相変更値P[3]を使用するスロットが３００回、位相変更値P[4]を使用するスロットが３００回である必要があり、また、第２の符号化ブロックを送信するために、位相変更値P[0]を使用するスロットが３００回、位相変更値P[1]を使用するスロットが３００回、位相変更値P[2]を使用するスロットが３００回、位相変更値P[3]を使用するスロットが３００回、位相変更値P[4]を使用するスロットが３００回であるとよい。
【０５７１】
同様に、変調方式が６４ＱＡＭのとき、２つの符号化後のブロックを構成するビット数６０００×２ビットを送信するための上記で述べた１０００スロットにおいて、位相変更値P[0]を使用するスロットが２００スロット、位相変更値P[1]を使用するスロットが２００スロット、位相変更値P[2]を使用するスロットが２００スロット、位相変更値P[3]を使用するスロットが２００スロット、位相変更値P[4]を使用するスロットが２００スロットである必要がある。
【０５７２】
また、第１の符号化ブロックを送信するために、位相変更値P[0]を使用するスロットが２００回、位相変更値P[1]を使用するスロットが２００回、位相変更値P[2]を使用するスロットが２００回、位相変更値P[3]を使用するスロットが２００回、位相変更値P[4]を使用するスロットが２００回である必要があり、また、第２の符号化ブロックを送信するために、位相変更値P[0]を使用するスロットが２００回、位相変更値P[1]を使用するスロットが２００回、位相変更値P[2]を使用するスロットが２００回、位相変更値P[3]を使用するスロットが２００回、位相変更値P[4]を使用するスロットが２００回であるとよい。
【０５７３】
以上のように、周期Nの規則的に位相変更値を切り替える位相変更方法における位相変更値をP[0], P[1], P[2],・・・, P[N-2] , P[N-1]とあらわすものとする。ただし、P[0], P[1], P[2],・・・, P[N-2] , P[N-1]は少なくとも２つ以上の異なる位相変更値で構成されているものとする。（P[0], P[1], P[2],・・・, P[N-2] , P[N-1]に同一の位相変更値が含まれていてもよい。）２つの符号化後のブロックを構成するビットをすべて送信する際に、位相変更値P[0]を使用するスロット数をＫ０, 位相変更値P[1]を使用するスロット数をＫ１、位相変更値P[i]を使用するスロット数をＫi（i=0,1,2,・・・,N-1（ｉは０以上Ｎ−１以下の整数））、位相変更値P[N-1] を使用するスロット数をＫN-1としたとき、
＜条件＃Ｃ１９＞
Ｋ０＝Ｋ１＝・・・＝Ｋi＝・・・＝ＫN-1、つまり、Ｋa＝Ｋb、（for∀a、∀b、ただし、a, b=0,1,2,・・・,N-1（ａは０以上Ｎ−１以下の整数、ｂは０以上Ｎ−１以下の整数）、a≠b）
であり、第１の符号化後のブロックを構成するビットをすべて送信する際に、位相変更値P[0]を使用する回数をＫ０，１, 位相変更値P[1]を使用する回数をＫ１，１、位相変更値P[i]を使用する回数をＫi，１（i=0,1,2,・・・,N-1（ｉは０以上Ｎ−１以下の整数））、位相変更値P[N-1] を使用する回数をＫN-1，１としたとき、
＜条件＃Ｃ２０＞
Ｋ０，１＝Ｋ１，１＝・・・＝Ｋi，１＝・・・＝ＫN-1，１、つまり、Ｋa，１＝Ｋb，１、（for∀a、∀b、ただし、a, b=0,1,2,・・・,N-1（ａは０以上Ｎ−１以下の整数、ｂは０以上Ｎ−１以下の整数）、a≠b）
であり、第２の符号化後のブロックを構成するビットをすべて送信する際に、位相変更値P[0]を使用する回数をＫ０，２, 位相変更値P[1]を使用する回数をＫ１，２、位相変更値P[i]を使用する回数をＫi，２（i=0,1,2,・・・,N-1（ｉは０以上Ｎ−１以下の整数））、位相変更値P[N-1] を使用する回数をＫN-1，２としたとき、
＜条件＃Ｃ２１＞
Ｋ０，２＝Ｋ１，２＝・・・＝Ｋi，２＝・・・＝ＫN-1，２、つまり、Ｋa，２＝Ｋb，２、（for∀a、∀b、ただし、a, b=0,1,2,・・・,N-1（ａは０以上Ｎ−１以下の整数、ｂは０以上Ｎ−１以下の整数）、a≠b）
であるとよい。
【０５７４】
そして、通信システムが、複数の変調方式をサポートしており、サポートしている変調方式から選択して使用する場合、サポートしている変調方式において、＜条件＃Ｃ１９＞＜条件＃Ｃ２０＞＜条件＃Ｃ２１＞が成立するとよいことになる。
【０５７５】
しかし、複数の変調方式をサポートしている場合、各変調方式により１シンボルで送信することができるビット数が異なるのが一般的であり（場合によっては、同一となることもあり得る。）、場合によっては、＜条件＃Ｃ１９＞＜条件＃Ｃ２０＞＜条件＃Ｃ２１＞を満たすことができない変調方式が存在することもある。この場合、＜条件＃Ｃ１９＞＜条件＃Ｃ２０＞＜条件＃Ｃ２１＞にかわり、以下の条件を満たすとよい。
【０５７６】
＜条件＃Ｃ２２＞
ＫaとＫbの差は０または１、つまり、｜Ｋa―Ｋb｜は０または１
（for∀a、∀b、ただし、a, b=0,1,2,・・・,N-1（ａは０以上Ｎ−１以下の整数、ｂは０以上Ｎ−１以下の整数）、a≠b）
＜条件＃Ｃ２３＞
Ｋa，１とＫb，１の差は０または１、つまり、｜Ｋa，１―Ｋb，１｜は０または１
（for∀a、∀b、ただし、a, b=0,1,2,・・・,N-1（ａは０以上Ｎ−１以下の整数、ｂは０以上Ｎ−１以下の整数）、a≠b）
＜条件＃Ｃ２４＞
Ｋa，２とＫb，２の差は０または１、つまり、｜Ｋa，２―Ｋb，２｜は０または１
（for∀a、∀b、ただし、a, b=0,1,2,・・・,N-1（ａは０以上Ｎ−１以下の整数、ｂは０以上Ｎ−１以下の整数）、a≠b）
以上のように、符号化後のブロックと位相変更値の関係付けを行うことで、符号化ブロックを伝送するために使用する位相変更値にかたよりがなくなるため、受信装置において、データの受信品質が向上するという効果を得ることができる。
【０５７７】
本実施の形態では、規則的に位相を変更する方法において、周期Nの位相変更方法のためには、N個の位相変更値（または、位相変更セット）が必要となる。このとき、N個の位相変更値（または、位相変更セット）として、P[0]、P[1]、P[2]、・・・、P[N-2]、P [N-1]を用意することになるが、周波数軸方向にP[0]、P[1]、P[2]、・・・、P[N-2]、P [N-1]の順に並べる方法もあるが、必ずしもこれに限ったものではなく、N個の位相変更値（または、位相変更セット）P[0]、P[1]、P[2]、・・・、P[N-2]、P [N-1]を実施の形態１と同様に、時間軸、周波数―時間軸のブロックに対し、シンボルを配置することで、位相を変更することもできる。なお、周期Nの位相変更方法として説明しているが、N個の位相変更値（または、位相変更セット）をランダムに用いるようにしても同様の効果を得ることができる、つまり、必ずしも、規則的な周期を持つようにN個の位相変更値（または、位相変更セット）を用いる必要はないが、上記で説明した条件を満たすことは、受信装置において、高いデータの受信品質を得る上では、重要となる。
【０５７８】
また、空間多重ＭＩＭＯ伝送方式、プリコーディング行列が固定のＭＩＭＯ伝送方式、時空間ブロック符号化方式、１ストリームのみ送信、規則的に位相を変更する方法のモードが存在し、送信装置（放送局、基地局）は、これらのモードから、いずれかの送信方法を選択することができるようにしてもよい。
【０５７９】
なお、空間多重ＭＩＭＯ伝送方式とは、非特許文献３に示されているように、選択した変調方式でマッピングした信号ｓ１、ｓ２をそれぞれ異なるアンテナから送信する方法であり、プリコーディング行列が固定のＭＩＭＯ伝送方式とは、プリコーディングのみを行う（位相変更を行わない）方式である。また、時空間ブロック符号化方式とは、非特許文献９、１６、１７に示されている伝送方式である。１ストリームのみ送信とは、選択した変調方式でマッピングした信号ｓ１の信号を所定の処理を行いアンテナから送信する方法である。
【０５８０】
また、ＯＦＤＭのようなマルチキャリアの伝送方式を用いており、複数のキャリアで構成された第１キャリア群、複数のキャリアで構成された第１キャリア群とは異なる第２キャリア群、・・・というように複数のキャリア群でマルチキャリア伝送を実現しており、キャリア群ごとに、空間多重ＭＩＭＯ伝送方式、プリコーディング行列が固定のＭＩＭＯ伝送方式、時空間ブロック符号化方式、１ストリームのみ送信、規則的に位相を変更する方法のいずれかに設定してもよく、特に、規則的に位相を変更する方法を選択した（サブ）キャリア群では、本実施の形態を実施するとよい。
【０５８１】
なお、一方のプリコーディング後のベースバンド信号に対し、位相変更を行う場合、例えば、P[i]の位相変更値を「Xラジアン」とした場合、図３、図４、図６、図１２、図２５、図２９、図５１、図５３における位相変更部において、ｅｊXをプリコーディング後のベースバンド信号ｚ２’に乗算することになる。そして、両者のプリコーディング後のベースバンド信号に対し、位相変更を行う場合、例えば、P[i]の位相変更セットを「Xラジアン」および「Yラジアン」とした場合、図２６、図２７、図２８、図５２、図５４における位相変更部において、ｅｊXをプリコーディング後のベースバンド信号ｚ２’に乗算することになり、ｅｊYをプリコーディング後のベースバンド信号ｚ１’に乗算することになる。
【０５８２】
（実施の形態Ｄ１）
本実施の形態では、まず、実施の形態１の変形例について説明する。図６７は、本実施の形態における送信装置の構成の一例であり、図３と同様に動作するものについては、同一符号を付しており、また、以降では、図３での説明と同様に動作素部部分については、説明を省略する。そして、図６７が図３と異なる点は、重み付け合成部の直後にベースバンド信号入れ替え部６７０２が挿入されている部分である。したがって、以降では、ベースバンド信号入れ替え部６７０２周辺の動作の動作を中心に説明を行う。
【０５８３】
図２１に重み付け合成部（３０８Ａ、３０８Ｂ）の構成を示す。図２１において点線で囲まれる領域が重み付け合成部となる。ベースバンド信号３０７Ａは、ｗ１１と乗算し、ｗ１１・ｓ１（ｔ）を生成し、ｗ２１と乗算し、ｗ２１・ｓ１（ｔ）を生成する。同様に、ベースバンド信号３０７Ｂは、ｗ１２と乗算し、ｗ１２・ｓ２（ｔ）を生成し、ｗ２２と乗算し、ｗ２２・ｓ２（ｔ）を生成する。次に、ｚ１（ｔ）＝ｗ１１・ｓ１（ｔ）＋ｗ１２・ｓ２（ｔ）、ｚ２（ｔ）＝ｗ２１・ｓ１（ｔ）＋ｗ２２・ｓ２（ｔ）を得る。このとき、ｓ１（ｔ）およびｓ２（ｔ）は、実施の形態１の説明からわかるように、ＢＰＳＫ（Binary Phase Shift Keying）、ＱＰＳＫ、８ＰＳＫ（8 Phase Shift Keying）、１６ＱＡＭ、３２ＱＡＭ（32  Quadrature Amplitude Modulation）、６４ＱＡＭ、２５６ＱＡＭ、１６ＡＰＳＫ（16 Amplitude Phase Shift Keying）等の変調方式のベースバンド信号となる。ここで、両重み付け合成部は、固定のプリコーディング行列を用いて重み付けを実行するものとし、プリコーディング行列としては、一例として、下記、式（６３）又は式（６４）の条件のもと、式（６２）を用いる方法がある。ただし、これは一例であり、αの値は、式（６３）、式（６４）に限ったものではなく、別の値、例えば、αを１、としてもよいし、αは０であってもよい（αは０以上の実数であってよいし、αは虚数でもよい。）。
【０５８４】
なお、プリコーディング行列は、
【０５８５】
【数６２】
2012144206.tif 000065
【０５８６】
但し、上記式（６２）において、αは、
【０５８７】
【数６３】
2012144206.tif 000066
【０５８８】
である。
【０５８９】
あるいは、上記式（６２）において、αは、
【０５９０】
【数６４】
2012144206.tif 000067
【０５９１】
である。
【０５９２】
また、プリコーディング行列は、式（６２）に限ったものではなく、
【０５９３】
【数６５】
2012144206.tif 000068
【０５９４】
ａ＝Ａｅｊδ１１、ｂ＝Ｂｅｊδ１２、ｃ＝Ｃｅｊδ２１、ｄ＝Ｄｅｊδ２２であらわされればよい。また、ａ、ｂ、ｃ、ｄのいずれか一つが「ゼロ」であってもよい。例えば、（１）ａがゼロであり、ｂ、ｃ、ｄはゼロでない、（２）ｂがゼロであり、ａ、ｃ、ｄはゼロでない、（３）ｃがゼロであり、ａ、ｂ、ｄはゼロでない、（４）ｄがゼロであり、ａ、ｂ、ｃはゼロでない、であってもよい。
【０５９５】
また、ａ、ｂ、ｃ、ｄのうち、２つの値をゼロとしてもよい。例えば、（１）ａおよびｄがゼロであり、ｂ、ｃはゼロでない、（２）ｂおよびｃがゼロであり、ａ、ｄはゼロでないという方法が有効である。
【０５９６】
なお、変調方式、誤り訂正符号、その符号化率のいずれかを変更したときは、使用するプリコーディング行列を設定、変更し、そのプリコーディング行列を固定的に使用してもよい。
【０５９７】
次に、図６７における、ベースバンド信号入れ替え部６７０２について説明する。ベースバンド信号入れ替え部６７０２は、重み付け合成後の信号３０９Ａおよび重み付け合成後の信号３１６Ｂを入力とし、ベースバンド信号入れ替えを行い、入れ替え後ベースバンド信号６７０１Ａ、および、入れ替え後ベースバンド信号６７０１Ｂを出力する。なお、ベースバンド信号の入れ替えの詳細については、図５５を用いて説明したとおりである。本実施の形態のベースバンド信号の入れ替えは、ベースバンド信号の入れ替えするための信号が図５５と異なる。以下では、本実施の形態のベースバンド信号の入れ替えについて、図６８を用いて説明する。
【０５９８】
図６８において、重み付け合成後の信号３０９Ａ（ｐ１（ｉ））の同相Ｉ成分Ｉｐ１（ｉ）、直交Q成分をＱｐ１（ｉ）とあらわし、重み付け合成後の信号３１６Ｂ（ｐ２（ｉ））の同相Ｉ成分Ｉｐ２（ｉ）、直交Q成分をＱｐ２（ｉ）とあらわす。そして、入れ替え後ベースバンド信号６７０１Ａ（ｑ１（ｉ））の同相Ｉ成分Ｉｑ１（ｉ）、直交Q成分をＱｑ１（ｉ）とあらわし、入れ替え後ベースバンド信号６７０１Ｂ（ｑ２（ｉ））の同相Ｉ成分Ｉｑ２（ｉ）、直交Q成分をＱｑ２（ｉ）とあらわす。（ただし、ｉは、（時間、または、周波数（キャリア）の）順番をあらわす。図６７の例では、ｉは時間となるが、図６７を図１２のようにＯＦＤＭ方式を用いている場合に適用した場合、ｉは周波数（キャリア）であってもよい。後に、この点について説明する。）
このとき、ベースバンド信号入れ替え部６７０２は、ベースバンド成分の入れ替えを行い、
・入れ替え後のベースバンド信号ｑ１（ｉ）の同相成分をＩｐ１（ｉ）、直交成分をＱｐ２（ｉ）、入れ替え後のベースバンド信号ｑ２（ｉ）の同相成分をＩｐ２（ｉ）、直交成分をＱｐ１（ｉ）
とし、入れ替え後のベースバンド信号ｑ１（ｉ）に相当する変調信号を送信アンテナ１、入れ替え後のベースバンド信号ｑ２（ｉ）に相当する変調信号を送信アンテナ２から、同一時刻に同一周波数を用いて送信する、というように、入れ替え後のベースバンド信号ｑ１（ｉ）に相当する変調信号と入れ替え後のベースバンド信号ｑ２（ｉ）を異なるアンテナから、同一時刻に同一周波数を用いて送信するとしてもよい。また、
・入れ替え後のベースバンド信号ｑ１（ｉ）の同相成分をＩｐ１（ｉ）、直交成分をＩｐ２（ｉ）、入れ替え後のベースバンド信号ｑ２（ｉ）の同相成分をＱｐ１（ｉ）、直交成分をＱｐ２（ｉ）
・入れ替え後のベースバンド信号ｑ１（ｉ）の同相成分をＩｐ２（ｉ）、直交成分をＩｐ１（ｉ）、入れ替え後のベースバンド信号ｑ２（ｉ）の同相成分をＱｐ１（ｉ）、直交成分をＱｐ２（ｉ）
・入れ替え後のベースバンド信号ｑ１（ｉ）の同相成分をＩｐ１（ｉ）、直交成分をＩｐ２（ｉ）、入れ替え後のベースバンド信号ｑ２（ｉ）の同相成分をＱｐ２（ｉ）、直交成分をＱｐ１（ｉ）
・入れ替え後のベースバンド信号ｑ１（ｉ）の同相成分をＩｐ２（ｉ）、直交成分をＩｐ１（ｉ）、入れ替え後のベースバンド信号ｑ２（ｉ）の同相成分をＱｐ２（ｉ）、直交成分をＱｐ１（ｉ）
・入れ替え後のベースバンド信号ｑ１（ｉ）の同相成分をＩｐ１（ｉ）、直交成分をＱｐ２（ｉ）、入れ替え後のベースバンド信号ｑ２（ｉ）の同相成分をＱｐ１（ｉ）、直交成分をＩｐ２（ｉ）
・入れ替え後のベースバンド信号ｑ１（ｉ）の同相成分をＱｐ２（ｉ）、直交成分をＩｐ１（ｉ）、入れ替え後のベースバンド信号ｑ２（ｉ）の同相成分をＩｐ２（ｉ）、直交成分をＱｐ１（ｉ）
・入れ替え後のベースバンド信号ｑ１（ｉ）の同相成分をＱｐ２（ｉ）、直交成分をＩｐ１（ｉ）、入れ替え後のベースバンド信号ｑ２（ｉ）の同相成分をＱｐ１（ｉ）、直交成分をＩｐ２（ｉ）
・入れ替え後のベースバンド信号ｑ２（ｉ）の同相成分をＩｐ１（ｉ）、直交成分をＩｐ２（ｉ）、入れ替え後のベースバンド信号ｑ１（ｉ）の同相成分をＱｐ１（ｉ）、直交成分をＱｐ２（ｉ）
・入れ替え後のベースバンド信号ｑ２（ｉ）の同相成分をＩｐ２（ｉ）、直交成分をＩｐ１（ｉ）、入れ替え後のベースバンド信号ｑ１（ｉ）の同相成分をＱｐ１（ｉ）、直交成分をＱｐ２（ｉ）
・入れ替え後のベースバンド信号ｑ２（ｉ）の同相成分をＩｐ１（ｉ）、直交成分をＩｐ２（ｉ）、入れ替え後のベースバンド信号ｑ１（ｉ）の同相成分をＱｐ２（ｉ）、直交成分をＱｐ１（ｉ）
・入れ替え後のベースバンド信号ｑ２（ｉ）の同相成分をＩｐ２（ｉ）、直交成分をＩｐ１（ｉ）、入れ替え後のベースバンド信号ｑ１（ｉ）の同相成分をＱｐ２（ｉ）、直交成分をＱｐ１（ｉ）
・入れ替え後のベースバンド信号ｑ２（ｉ）の同相成分をＩｐ１（ｉ）、直交成分をＱｐ２（ｉ）、入れ替え後のベースバンド信号ｑ１（ｉ）の同相成分をＩｐ２（ｉ）、直交成分をＱｐ１（ｉ）
・入れ替え後のベースバンド信号ｑ２（ｉ）の同相成分をＩｐ１（ｉ）、直交成分をＱｐ２（ｉ）、入れ替え後のベースバンド信号ｑ１（ｉ）の同相成分をＱｐ１（ｉ）、直交成分をＩｐ２（ｉ）
・入れ替え後のベースバンド信号ｑ２（ｉ）の同相成分をＱｐ２（ｉ）、直交成分をＩｐ１（ｉ）、入れ替え後のベースバンド信号ｑ１（ｉ）の同相成分をＩｐ２（ｉ）、直交成分をＱｐ１（ｉ）
・入れ替え後のベースバンド信号ｑ２（ｉ）の同相成分をＱｐ２（ｉ）、直交成分をＩｐ１（ｉ）、入れ替え後のベースバンド信号ｑ１（ｉ）の同相成分をＱｐ１（ｉ）、直交成分をＩｐ２（ｉ）
としてもよい。また、上述では、重み付け合成後の信号３０９Ａおよび重み付け合成後の信号３１６Ｂの同相成分と直交成分の入れ替えについて説明したが、これに限ったものではなく、２つの信号より多い信号同相成分と直交成分の入れ替えを行うことも可能である。
【０５９９】
また、上記の例では、同一時刻（同一周波数（（サブ）キャリア））のベースバンド信号の入れ替えを説明しているが、同一時刻（同一周波数（（サブ）キャリア））のベースバンド信号の入れ替えでなくてもよい。例として、以下のように記述することができる。
【０６００】
・入れ替え後のベースバンド信号ｑ１（ｉ）の同相成分をＩｐ１（ｉ＋ｖ）、直交成分をＱｐ２（ｉ＋ｗ）、入れ替え後のベースバンド信号ｑ２（ｉ）の同相成分をＩｐ２（ｉ＋ｗ）、直交成分をＱｐ１（ｉ＋ｖ）
・入れ替え後のベースバンド信号ｑ１（ｉ）の同相成分をＩｐ１（ｉ＋ｖ）、直交成分をＩｐ２（ｉ＋ｗ）、入れ替え後のベースバンド信号ｑ２（ｉ）の同相成分をＱｐ１（ｉ＋ｖ）、直交成分をＱｐ２（ｉ＋ｗ）
・入れ替え後のベースバンド信号ｑ１（ｉ）の同相成分をＩｐ２（ｉ＋ｗ）、直交成分をＩｐ１（ｉ＋ｖ）、入れ替え後のベースバンド信号ｑ２（ｉ）の同相成分をＱｐ１（ｉ＋ｖ）、直交成分をＱｐ２（ｉ＋ｗ）
・入れ替え後のベースバンド信号ｑ１（ｉ）の同相成分をＩｐ１（ｉ＋ｖ）、直交成分をＩｐ２（ｉ＋ｗ）、入れ替え後のベースバンド信号ｑ２（ｉ）の同相成分をＱｐ２（ｉ＋ｗ）、直交成分をＱｐ１（ｉ＋ｖ）
・入れ替え後のベースバンド信号ｑ１（ｉ）の同相成分をＩｐ２（ｉ＋ｗ）、直交成分をＩｐ１（ｉ＋ｖ）、入れ替え後のベースバンド信号ｑ２（ｉ）の同相成分をＱｐ２（ｉ＋ｗ）、直交成分をＱｐ１（ｉ＋ｖ）
・入れ替え後のベースバンド信号ｑ１（ｉ）の同相成分をＩｐ１（ｉ＋ｖ）、直交成分をＱｐ２（ｉ＋ｗ）、入れ替え後のベースバンド信号ｑ２（ｉ）の同相成分をＱｐ１（ｉ＋ｖ）、直交成分をＩｐ２（ｉ＋ｗ）
・入れ替え後のベースバンド信号ｑ１（ｉ）の同相成分をＱｐ２（ｉ＋ｗ）、直交成分をＩｐ１（ｉ＋ｖ）、入れ替え後のベースバンド信号ｑ２（ｉ）の同相成分をＩｐ２（ｉ＋ｗ）、直交成分をＱｐ１（ｉ＋ｖ）
・入れ替え後のベースバンド信号ｑ１（ｉ）の同相成分をＱｐ２（ｉ＋ｗ）、直交成分をＩｐ１（ｉ＋ｖ）、入れ替え後のベースバンド信号ｑ２（ｉ）の同相成分をＱｐ１（ｉ＋ｖ）、直交成分をＩｐ２（ｉ＋ｗ）
・入れ替え後のベースバンド信号ｑ２（ｉ）の同相成分をＩｐ１（ｉ＋ｖ）、直交成分をＩｐ２（ｉ＋ｗ）、入れ替え後のベースバンド信号ｑ１（ｉ）の同相成分をＱｐ１（ｉ＋ｖ）、直交成分をＱｐ２（ｉ＋ｗ）
・入れ替え後のベースバンド信号ｑ２（ｉ）の同相成分をＩｐ２（ｉ＋ｗ）、直交成分をＩｐ１（ｉ＋ｖ）、入れ替え後のベースバンド信号ｑ１（ｉ）の同相成分をＱｐ１（ｉ＋ｖ）、直交成分をＱｐ２（ｉ＋ｗ）
・入れ替え後のベースバンド信号ｑ２（ｉ）の同相成分をＩｐ１（ｉ＋ｖ）、直交成分をＩｐ２（ｉ＋ｗ）、入れ替え後のベースバンド信号ｑ１（ｉ）の同相成分をＱｐ２（ｉ＋ｗ）、直交成分をＱｐ１（ｉ＋ｖ）
・入れ替え後のベースバンド信号ｑ２（ｉ）の同相成分をＩｐ２（ｉ＋ｗ）、直交成分をＩｐ１（ｉ＋ｖ）、入れ替え後のベースバンド信号ｑ１（ｉ）の同相成分をＱｐ２（ｉ＋ｗ）、直交成分をＱｐ１（ｉ＋ｖ）
・入れ替え後のベースバンド信号ｑ２（ｉ）の同相成分をＩｐ１（ｉ＋ｖ）、直交成分をＱｐ２（ｉ＋ｗ）、入れ替え後のベースバンド信号ｑ１（ｉ）の同相成分をＩｐ２（ｉ＋ｗ）、直交成分をＱｐ１（ｉ＋ｖ）
・入れ替え後のベースバンド信号ｑ２（ｉ）の同相成分をＩｐ１（ｉ＋ｖ）、直交成分をＱｐ２（ｉ＋ｗ）、入れ替え後のベースバンド信号ｑ１（ｉ）の同相成分をＱｐ１（ｉ＋ｖ）、直交成分をＩｐ２（ｉ＋ｗ）
・入れ替え後のベースバンド信号ｑ２（ｉ）の同相成分をＱｐ２（ｉ＋ｗ）、直交成分をＩｐ１（ｉ＋ｖ）、入れ替え後のベースバンド信号ｑ１（ｉ）の同相成分をＩｐ２（ｉ＋ｗ）、直交成分をＱｐ１（ｉ＋ｖ）
・入れ替え後のベースバンド信号ｑ２（ｉ）の同相成分をＱｐ２（ｉ＋ｗ）、直交成分をＩｐ１（ｉ＋ｖ）、入れ替え後のベースバンド信号ｑ１（ｉ）の同相成分をＱｐ１（ｉ＋ｖ）、直交成分をＩｐ２（ｉ＋ｗ）
重み付け合成後の信号３０９Ａ（ｐ１（ｉ））の同相Ｉ成分Ｉｐ１（ｉ）、直交Q成分をＱｐ１（ｉ）とあらわし、重み付け合成後の信号３１６Ｂ（ｐ２（ｉ））の同相Ｉ成分Ｉｐ２（ｉ）、直交Q成分をＱｐ２（ｉ）とあらわす。そして、入れ替え後ベースバンド信号６７０１Ａ（ｑ１（ｉ））の同相Ｉ成分Ｉｑ１（ｉ）、直交Q成分をＱｑ１（ｉ）とあらわし、入れ替え後ベースバンド信号６７０１Ｂ（ｑ２（ｉ））の同相Ｉ成分Ｉｑ２（ｉ）、直交Q成分をＱｑ２（ｉ）とあらわす。
【０６０１】
図６８は、上記の記載を説明するための図であり、前述に記載したとおり、重み付け合成後の信号３０９Ａ（ｐ１（ｉ））の同相Ｉ成分Ｉｐ１（ｉ）、直交Q成分をＱｐ１（ｉ）とあらわし、重み付け合成後の信号３１６Ｂ（ｐ２（ｉ））の同相Ｉ成分Ｉｐ２（ｉ）、直交Q成分をＱｐ２（ｉ）とあらわす。そして、入れ替え後ベースバンド信号６７０１Ａ（ｑ１（ｉ））の同相Ｉ成分Ｉｑ１（ｉ）、直交Q成分をＱｑ１（ｉ）とあらわし、入れ替え後ベースバンド信号６７０１Ｂ（ｑ２（ｉ））の同相Ｉ成分Ｉｑ２（ｉ）、直交Q成分をＱｑ２（ｉ）とあらわす。
【０６０２】
すると、入れ替え後ベースバンド信号６７０１Ａ（ｑ１（ｉ））の同相Ｉ成分Ｉｑ１（ｉ）、直交Q成分をＱｑ１（ｉ）、および、入れ替え後ベースバンド信号６７０１Ｂ（ｑ２（ｉ））の同相Ｉ成分Ｉｑ２（ｉ）、直交Q成分をＱｑ２（ｉ）上述で説明したいずれかであらわされるものとする。
【０６０３】
そして、入れ替え後ベースバンド信号６７０１Ａ（ｑ１（ｉ））に相当する変調信号を送信アンテナ３１２Ａ、入れ替え後ベースバンド信号６７０１Ｂ（ｑ２（ｉ））に相当する変調信号を送信アンテナ３１２Ｂから、同一時刻に同一周波数を用いて送信する、というように、入れ替え後ベースバンド信号６７０１Ａ（ｑ１（ｉ））に相当する変調信号と入れ替え後ベースバンド信号６７０１Ｂ（ｑ２（ｉ））相当する変調信号を異なるアンテナから、同一時刻に同一周波数を用いて送信することになる。
【０６０４】
位相変更部３１７Ｂは、入れ替え後ベースバンド信号６７０１Ｂ及び信号処理方法に関する情報３１５を入力とし、当該信号入れ替え後ベースバンド信号６７０１Ｂの位相を規則的に変更して出力する。規則的に変更するとは、予め定められた周期（例えば、ｎ個のシンボル毎（ｎは１以上の整数）あるいは予め定められた時間毎）で、予め定められた位相変更パターンに従って位相を変更する。位相変更パターンの詳細については、実施の形態４において説明したとおりである。
【０６０５】
無線部３１０Ｂは、位相変更後の信号３０９Ｂを入力とし、直交変調、帯域制限、周波数変換、増幅等の処理を施し、送信信号３１１Ｂを出力し、送信信号３１１Ｂは、アンテナ３１２Ｂから電波として出力される。
【０６０６】
なお、図６７は、図３のように、符号化器が複数ある場合で説明したが、図６７に対し、図４のように符号化器と分配部を具備し、分配部が出力する信号をそれぞれ、インタリーバの入力信号とするようにし、それ以降は、図６７の構成を踏襲する場合についても、上述と同様に動作させることができる。
【０６０７】
図５は、本実施の形態における送信装置の時間軸におけるフレーム構成の一例を示している。シンボル５００＿１は、受信装置に、送信方法を通知するためのシンボルであり、例えば、データシンボルを伝送するために用いる誤り訂正方式、その符号化率の情報、データシンボルを伝送するために用いる変調方式の情報等を伝送する。
【０６０８】
シンボル５０１＿１は、送信装置が送信する変調信号ｚ１（ｔ）｛ただし、ｔは時間｝のチャネル変動を推定するためのシンボルである。シンボル５０２＿１は変調信号ｚ１（ｔ）が（時間軸における）シンボル番号ｕに送信するデータシンボル、シンボル５０３＿１は変調信号ｚ１（ｔ）がシンボル番号ｕ＋１に送信するデータシンボルである。
【０６０９】
シンボル５０１＿２は、送信装置が送信する変調信号ｚ２（ｔ）｛ただし、ｔは時間｝のチャネル変動を推定するためのシンボルである。シンボル５０２＿２は変調信号ｚ２（ｔ）がシンボル番号ｕに送信するデータシンボル、シンボル５０３＿２は変調信号ｚ２（ｔ）がシンボル番号ｕ＋１に送信するデータシンボルである。
【０６１０】
このとき、ｚ１（ｔ）におけるシンボルとｚ２（ｔ）におけるシンボルにおいて、同一時刻（同一時間）のシンボルは、同一（共通）の周波数を用いて、送信アンテナから送信されることになる。
【０６１１】
送信装置が送信する変調信号ｚ１（ｔ）と変調信号ｚ２（ｔ）、及び、受信装置における受信信号ｒ１（ｔ）、ｒ２（ｔ）の関係について説明する。
【０６１２】
図５において、５０４＃１、５０４＃２は送信装置における送信アンテナ、５０５＃１、５０５＃２は受信装置における受信アンテナを示しており、送信装置は、変調信号ｚ１（ｔ）を送信アンテナ５０４＃１、変調信号ｚ２（ｔ）を送信アンテナ５０４＃２から送信する。このとき、変調信号ｚ１（ｔ）および変調信号ｚ２（ｔ）は、同一（共通の）周波数（帯域）を占有しているものとする。送信装置の各送信アンテナと受信装置の各アンテナのチャネル変動をそれぞれｈ１１（ｔ）、ｈ１２（ｔ）、ｈ２１（ｔ）、ｈ２２（ｔ）とし、受信装置の受信アンテナ５０５＃１が受信した受信信号をｒ１（ｔ）、受信装置の受信アンテナ５０５＃２が受信した受信信号をｒ２（ｔ）とすると、以下の関係式が成立する。
【０６１３】
【数６６】
2012144206.tif 000069
【０６１４】
図６９は、本実施の形態における重み付け方法（プリコーディング（Ｐｒｅｃｏｄｉｎｇ）方法）、ベースバンド信号の入れ替え及び位相変更方法に関連する図であり、重み付け合成部６００は、図６７の重み付け合成部３０８Ａと３０８Ｂの両者を統合した重み付け合成部である。図６９に示すように、ストリームｓ１（ｔ）およびストリームｓ２（ｔ）は、図３のベースバンド信号３０７Ａおよび３０７Ｂに相当する、つまり、ＱＰＳＫ、１６ＱＡＭ、６４ＱＡＭなどの変調方式のマッピングにしたがったベースバンド信号の同相Ｉ成分、直交Ｑ成分となる。そして、図６９のフレーム構成のようにストリームｓ１（ｔ）は、シンボル番号ｕの信号をｓ１（ｕ）、シンボル番号ｕ＋１の信号をｓ１（ｕ＋１）、・・・とあらわす。同様に、ストリームｓ２（ｔ）は、シンボル番号ｕの信号をｓ２（ｕ）、シンボル番号ｕ＋１の信号をｓ２（ｕ＋１）、・・・とあらわす。そして、重み付け合成部６００は、図６７におけるベースバンド信号３０７Ａ（ｓ１（ｔ））および３０７Ｂ（ｓ２（ｔ））、信号処理方法に関する情報３１５を入力とし、信号処理方法に関する情報３１５にしたがった重み付けを施し、図６７の重み付け合成後の信号３０９Ａ（ｐ１（ｔ））、３１６Ｂ（ｐ２（ｔ））を出力する。
【０６１５】
このとき、ｐ１（ｔ）は、固定のプリコーディング行列Fにおける第１行のベクトルをＷ１＝（ｗ１１，ｗ１２）とすると、以下の式（６７）であらわすことができる。
【０６１６】
【数６７】
2012144206.tif 000070
【０６１７】
一方、ｐ２（ｔ）は、プリコーディング行列Fにおける第２行のベクトルをＷ２＝（ｗ２１，ｗ２２）とすると、以下の式（６８）であらわすことができる。
【０６１８】
【数６８】
2012144206.tif 000071
【０６１９】
したがって、プリコーディング行列Fは、次式であらわすことができる。
【０６２０】
【数６９】
2012144206.tif 000072
【０６２１】
ベースバンド信号の入れ替えを行った後の、入れ替え後ベースバンド信号６７０１Ａ（ｑ１（ｉ））の同相Ｉ成分Ｉｑ１（ｉ）、直交Q成分をＱｑ１（ｉ）、および、入れ替え後ベースバンド信号６７０１Ｂ（ｑ２（ｉ））の同相Ｉ成分Ｉｑ２（ｉ）、直交Q成分をＱｑ２（ｉ）と、ｐ１（ｔ）およびｐ２（ｔ）の関係は、上述説明したとおりである。そして、位相変更部による位相変更式をｙ（ｔ）とすると、位相変更後のベースバンド信号３０９Ｂ（ｑ２’（ｉ））は、以下の式（７０）であらわすことができる。
【０６２２】
【数７０】
2012144206.tif 000073
【０６２３】
ここで、ｙ（ｔ）は、予め定められた方式に従って、位相を変更するための式であり、例えば、周期を４とすると、時刻ｕの位相変更式は、例えば、式（７１）であらわすことができる。
【０６２４】
【数７１】
2012144206.tif 000074
【０６２５】
同様に時刻ｕ＋１の位相変更式は、例えば、式（７２）であらわすことができる。
【０６２６】
【数７２】
2012144206.tif 000075
【０６２７】
即ち、時刻ｕ＋ｋの位相変更式は、式（７３）であらわすことができる。
【０６２８】
【数７３】
2012144206.tif 000076
【０６２９】
なお、式（７１）〜（７３）に示した規則的な位相変更例は一例に過ぎない。
【０６３０】
規則的な位相変更の周期は４に限ったものではない。この周期の数が多くなればその分だけ、受信装置の受信性能（より正確には誤り訂正性能）の向上を促すことができる可能性がある（周期が大きければよいというわけではないが、２のような小さい値は避ける方がよい可能性が高い。）。
【０６３１】
また、上記式（７１）〜（７３）で示した位相変更例では逐次所定の位相（上記式では、π／２ずつ）だけ回転させていく構成を示したが、同じ位相量だけ回転させるのではなくランダムに位相を変更することとしてもよい。例えば、ｙ（ｔ）は予め定められた周期に従って、式（７４）や式（７５）に示すような順に乗じる位相が変更されてもよい。位相の規則的な変更において重要となるのは、変調信号の位相が規則的に変更されることであり、変更される位相の度合いについては、なるべく均等になる、例えば、−πラジアンからπラジアンに対し、一様分布となるのが望ましいもののランダムであってもよい。
【０６３２】
【数７４】
2012144206.tif 000077
【０６３３】
【数７５】
2012144206.tif 000078
【０６３４】
このように、図６の重み付け合成部６００は、予め定められた固定のプリコーディングウェイトを用いてプリコーディングを実行し、ベースバンド信号入れ替え部は、上述のベースバンド信号の入れ替えを行い、位相変更部は、入力された信号の位相を、その変更度合いを規則的に変えながら、変更する。
【０６３５】
ＬＯＳ環境では、特殊なプリコーディング行列を用いると、受信品質が大きく改善する可能性があるが、直接波の状況により、その特殊なプリコーディング行列は受信した際の直接波の位相、振幅成分により異なる。しかし、ＬＯＳ環境には、ある規則があり、この規則に従い送信信号の位相を規則的に変更すれば、データの受信品質が大きく改善する。本発明は、ＬＯＳ環境を改善する信号処理方法を提案している。
【０６３６】
図７は、本実施の形態における受信装置７００の構成の一例を示している。無線部７０３＿Ｘは、アンテナ７０１＿Ｘで受信された受信信号７０２＿Ｘを入力とし、周波数変換、直交復調等の処理を施し、ベースバンド信号７０４＿Ｘを出力する。
【０６３７】
送信装置で送信された変調信号ｚ１におけるチャネル変動推定部７０５＿１は、ベースバンド信号７０４＿Ｘを入力とし、図５におけるチャネル推定用のリファレンスシンボル５０１＿１を抽出し、式（６６）のｈ１１に相当する値を推定し、チャネル推定信号７０６＿１を出力する。
【０６３８】
送信装置で送信された変調信号ｚ２におけるチャネル変動推定部７０５＿２は、ベースバンド信号７０４＿Ｘを入力とし、図５におけるチャネル推定用のリファレンスシンボル５０１＿２を抽出し、式（６６）のｈ１２に相当する値を推定し、チャネル推定信号７０６＿２を出力する。
【０６３９】
無線部７０３＿Ｙは、アンテナ７０１＿Ｙで受信された受信信号７０２＿Ｙを入力とし、周波数変換、直交復調等の処理を施し、ベースバンド信号７０４＿Ｙを出力する。
【０６４０】
送信装置で送信された変調信号ｚ１におけるチャネル変動推定部７０７＿１は、ベースバンド信号７０４＿Ｙを入力とし、図５におけるチャネル推定用のリファレンスシンボル５０１＿１を抽出し、式（６６）のｈ２１に相当する値を推定し、チャネル推定信号７０８＿１を出力する。
【０６４１】
送信装置で送信された変調信号ｚ２におけるチャネル変動推定部７０７＿２は、ベースバンド信号７０４＿Ｙを入力とし、図５におけるチャネル推定用のリファレンスシンボル５０１＿２を抽出し、式（６６）のｈ２２に相当する値を推定し、チャネル推定信号７０８＿２を出力する。
【０６４２】
制御情報復号部７０９は、ベースバンド信号７０４＿Ｘおよび７０４＿Ｙを入力とし、図５の送信方法を通知するためのシンボル５００＿１を検出し、送信装置が通知した送信方法の情報に関する信号７１０を出力する。
【０６４３】
信号処理部７１１は、ベースバンド信号７０４＿Ｘ、７０４＿Ｙ、チャネル推定信号７０６＿１、７０６＿２、７０８＿１、７０８＿２、及び、送信装置が通知した送信方法の情報に関する信号７１０を入力とし、検波、復号を行い、受信データ７１２＿１および７１２＿２を出力する。
【０６４４】
次に、図７の信号処理部７１１の動作について詳しく説明する。図８は、本実施の形態における信号処理部７１１の構成の一例を示している。図８は、主にＩＮＮＥＲ  ＭＩＭＯ検波部とｓｏｆｔ−ｉｎ／ｓｏｆｔ−ｏｕｔデコーダ、係数生成部から構成されている。この構成における反復復号の方法については、非特許文献２、非特許文献３で詳細が述べられているが、非特許文献２、非特許文献３に記載されているＭＩＭＯ伝送方式は空間多重ＭＩＭＯ伝送方式であるが、本実施の形態における伝送方式は、時間とともに信号の位相を規則的に変更し、かつ、プリコーディング行列が使用、また、ベースバンド信号の入れ替えを行っているＭＩＭＯ伝送方式である点が、非特許文献２、非特許文献３と異なる点である。式（６６）における（チャネル）行列をＨ（ｔ）、図６９におけるプリコーディングウェイト行列をF（ここでプリコーディング行列は１の受信信号中においては変更されない固定のものである）、図６９の位相変更部による位相変更式の行列をY（ｔ）（ここでY（ｔ）はｔによって変化する）、ベースバンド信号の入れ替えから、受信ベクトルをＲ（ｔ）＝（ｒ１（ｔ），ｒ２（ｔ））Ｔ、とストリームベクトルＳ（ｔ）＝（ｓ１（ｔ），ｓ２（ｔ））Ｔの関係を導き、受信ベクトルをＲ（ｔ）に対して非特許文献２、非特許文献３の復号方法を適用することができる、ＭＩＭＯ検波を行うことができる。
【０６４５】
したがって、図８の係数生成部８１９は、送信装置が通知した送信方法の情報（用いた固定のプリコーディング行列及び位相を変更していた場合の位相変更パターンを特定するための情報）に関する信号８１８（図７の７１０に相当）を入力とし、信号処理方法の情報に関する信号８２０を出力する。
【０６４６】
ＩＮＮＥＲ  ＭＩＭＯ検波部８０３は、信号処理方法の情報に関する信号８２０を入力とし、この信号を利用して、反復検波・復号を行うことになるがその動作について説明する。
【０６４７】
図８に示す構成の信号処理部では、反復復号（反復検波）を行うため図１０に示すような処理方法を行う必要がある。初めに、変調信号（ストリーム）ｓ１の１符号語（または、１フレーム）、および、変調信号（ストリーム）ｓ２の１符号語（または、１フレーム）の復号を行う。その結果、ｓｏｆｔ−ｉｎ／ｓｏｆｔ−ｏｕｔデコーダから、変調信号（ストリーム）ｓ１の１符号語（または、１フレーム）、および、変調信号（ストリーム）ｓ２の１符号語（または、１フレーム）の各ビットの対数尤度比（ＬＬＲ：Ｌｏｇ−Ｌｉｋｅｌｉｈｏｏｄ  Ｒａｔｉｏ）が得られる。そして、そのＬＬＲを用いて再度、検波・復号が行われる。この操作が複数回行われる（この操作を反復復号（反復検波）と呼ぶ。）。以降では、１フレームにおける特定の時間のシンボルの対数尤度比（ＬＬＲ）の作成方法を中心に説明する。
【０６４８】
図８において、記憶部８１５は、ベースバンド信号８０１Ｘ（図７のベースバンド信号７０４＿Ｘに相当する。）、チャネル推定信号群８０２Ｘ（図７のチャネル推定信号７０６＿１、７０６＿２に相当する。）、ベースバンド信号８０１Ｙ（図７のベースバンド信号７０４＿Ｙに相当する。）、チャネル推定信号群８０２Ｙ（図７のチャネル推定信号７０８＿１、７０８＿２に相当する。）を入力とし、反復復号（反復検波）を実現するために、算出した行列を変形チャネル信号群として記憶する。そして、記憶部８１５は、必要なときに上記信号を、ベースバンド信号８１６Ｘ、変形チャネル推定信号群８１７Ｘ、ベースバンド信号８１６Ｙ、変形チャネル推定信号群８１７Ｙとして出力する。
【０６４９】
その後の動作については、初期検波の場合と反復復号（反復検波）の場合を分けて説明する。
【０６５０】
＜初期検波の場合＞
ＩＮＮＥＲ  ＭＩＭＯ検波部８０３は、ベースバンド信号８０１Ｘ、チャネル推定信号群８０２Ｘ、ベースバンド信号８０１Ｙ、チャネル推定信号群８０２Ｙを入力とする。ここでは、変調信号（ストリーム）ｓ１、変調信号（ストリーム）ｓ２の変調方式が１６ＱＡＭとして説明する。
【０６５１】
ＩＮＮＥＲ  ＭＩＭＯ検波部８０３は、まず、チャネル推定信号群８０２Ｘ、チャネル推定信号群８０２Ｙからベースバンド信号８０１Ｘに対応する候補信号点を求める。そのときの様子を図１１に示す。図１１において、●（黒丸）は、ＩＱ平面における候補信号点であり、変調方式が１６ＱＡＭのため、候補信号点は２５６個存在する。（ただし、図１１では、イメージ図を示しているため、２５６個の候補信号点全ては示していない。）ここで、変調信号ｓ１で伝送する４ビットをｂ０、ｂ１、ｂ２、ｂ３、変調信号ｓ２で伝送する４ビットをｂ４、ｂ５、ｂ６、ｂ７とすると、図１１において（ｂ０，ｂ１，ｂ２，ｂ３，ｂ４，ｂ５，ｂ６，ｂ７）に対応する候補信号点が存在することになる。そして、受信信号点１１０１（ベースバンド信号８０１Ｘに相当する。）と候補信号点それぞれとの２乗ユークリッド距離を求める。そして、それぞれの２乗ユークリッド距離をノイズの分散σ２で除算する。したがって、（ｂ０，ｂ１，ｂ２，ｂ３，ｂ４，ｂ５，ｂ６，ｂ７）に対応する候補信号点と受信信号点２乗ユークリッド距離をノイズの分散で除算した値をＥＸ（ｂ０，ｂ１，ｂ２，ｂ３，ｂ４，ｂ５，ｂ６，ｂ７）が求まることになる。なお、各ベースバンド信号、変調信号ｓ１、ｓ２は、複素信号である。
【０６５２】
同様に、チャネル推定信号群８０２Ｘ、チャネル推定信号群８０２Ｙから、ベースバンド信号８０１Ｙに対応する候補信号点をもとめ、受信信号点（ベースバンド信号８０１Ｙに相当する。）との２乗ユークリッド距離を求め、この２乗ユークリッド距離をノイズの分散σ２で除算する。したがって、（ｂ０，ｂ１，ｂ２，ｂ３，ｂ４，ｂ５，ｂ６，ｂ７）に対応する候補信号点と受信信号点２乗ユークリッド距離をノイズの分散で除算した値をＥＹ（ｂ０，ｂ１，ｂ２，ｂ３，ｂ４，ｂ５，ｂ６，ｂ７）が求まることになる。
【０６５３】
そして、ＥＸ（ｂ０，ｂ１，ｂ２，ｂ３，ｂ４，ｂ５，ｂ６，ｂ７）＋ＥＹ（ｂ０，ｂ１，ｂ２，ｂ３，ｂ４，ｂ５，ｂ６，ｂ７）＝Ｅ（ｂ０，ｂ１，ｂ２，ｂ３，ｂ４，ｂ５，ｂ６，ｂ７）を求める。
【０６５４】
ＩＮＮＥＲ  ＭＩＭＯ検波部８０３は、Ｅ（ｂ０，ｂ１，ｂ２，ｂ３，ｂ４，ｂ５，ｂ６，ｂ７）を信号８０４として出力する。
【０６５５】
対数尤度算出部８０５Ａは、信号８０４を入力とし、ビットｂ０およびｂ１およびｂ２およびｂ３の対数尤度（ｌｏｇ  ｌｉｋｅｌｉｈｏｏｄ）を算出し、対数尤度信号８０６Ａを出力する。ただし、対数尤度の算出では、“１”のときの対数尤度および“０”のときの対数尤度が算出される。その算出方法は、式（２８）、式（２９）、式（３０）に示した通りであり、詳細については、非特許文献２、非特許文献３に示されている。
【０６５６】
同様に、対数尤度算出部８０５Ｂは、信号８０４を入力とし、ビットｂ４およびｂ５およびｂ６およびｂ７の対数尤度を算出し、対数尤度信号８０６Ｂを出力する。
【０６５７】
デインタリーバ（８０７Ａ）は、対数尤度信号８０６Ａを入力とし、インタリーバ（図６７のインタリーバ（３０４Ａ））に対応するデインタリーブを行い、デインタリーブ後の対数尤度信号８０８Ａを出力する。
【０６５８】
同様に、デインタリーバ（８０７Ｂ）は、対数尤度信号８０６Ｂを入力とし、インタリーバ（図６７のインタリーバ（３０４Ｂ））に対応するデインタリーブを行い、デインタリーブ後の対数尤度信号８０８Ｂを出力する。
【０６５９】
対数尤度比算出部８０９Ａは、デインタリーブ後の対数尤度信号８０８Ａを入力とし、図６７の符号化器３０２Ａで符号化されたビットの対数尤度比（ＬＬＲ：Ｌｏｇ−Ｌｉｋｅｌｉｈｏｏｄ  Ｒａｔｉｏ）を算出し、対数尤度比信号８１０Ａを出力する。
【０６６０】
同様に、対数尤度比算出部８０９Ｂは、デインタリーブ後の対数尤度信号８０８Ｂを入力とし、図６７の符号化器３０２Ｂで符号化されたビットの対数尤度比（ＬＬＲ：Ｌｏｇ−Ｌｉｋｅｌｉｈｏｏｄ  Ｒａｔｉｏ）を算出し、対数尤度比信号８１０Ｂを出力する。
【０６６１】
Ｓｏｆｔ−ｉｎ／ｓｏｆｔ−ｏｕｔデコーダ８１１Ａは、対数尤度比信号８１０Ａを入力とし、復号を行い、復号後の対数尤度比８１２Ａを出力する。
【０６６２】
同様に、Ｓｏｆｔ−ｉｎ／ｓｏｆｔ−ｏｕｔデコーダ８１１Ｂは、対数尤度比信号８１０Ｂを入力とし、復号を行い、復号後の対数尤度比８１２Ｂを出力する。
【０６６３】
＜反復復号（反復検波）の場合、反復回数ｋ＞
インタリーバ（８１３Ａ）は、ｋ−１回目のｓｏｆｔ−ｉｎ／ｓｏｆｔ−ｏｕｔデコードで得られた復号後の対数尤度比８１２Ａを入力とし、インタリーブを行い、インタリーブ後の対数尤度比８１４Ａを出力する。このとき、インタリーブ（８１３Ａ）のインタリーブのパターンは、図６７のインタリーバ（３０４Ａ）のインタリーブパターンと同様である。
【０６６４】
インタリーバ（８１３Ｂ）は、ｋ−１回目のｓｏｆｔ−ｉｎ／ｓｏｆｔ−ｏｕｔデコードで得られた復号後の対数尤度比８１２Ｂを入力とし、インタリーブを行い、インタリーブ後の対数尤度比８１４Ｂを出力する。このとき、インタリーブ（８１３Ｂ）のインタリーブのパターンは、図６７のインタリーバ（３０４Ｂ）のインタリーブパターンと同様である。
【０６６５】
ＩＮＮＥＲ  ＭＩＭＯ検波部８０３は、ベースバンド信号８１６Ｘ、変形チャネル推定信号群８１７Ｘ、ベースバンド信号８１６Ｙ、変形チャネル推定信号群８１７Ｙ、インタリーブ後の対数尤度比８１４Ａ、インタリーブ後の対数尤度比８１４Ｂを入力とする。ここで、ベースバンド信号８０１Ｘ、チャネル推定信号群８０２Ｘ、ベースバンド信号８０１Ｙ、チャネル推定信号群８０２Ｙではなく、ベースバンド信号８１６Ｘ、変形チャネル推定信号群８１７Ｘ、ベースバンド信号８１６Ｙ、変形チャネル推定信号群８１７Ｙを用いているのは、反復復号のため、遅延時間が発生しているためである。
【０６６６】
ＩＮＮＥＲ  ＭＩＭＯ検波部８０３の反復復号時の動作と、初期検波時の動作の異なる点は、インタリーブ後の対数尤度比８１４Ａ、インタリーブ後の対数尤度比８１４Ｂを信号処理の際に用いていることである。ＩＮＮＥＲ  ＭＩＭＯ検波部８０３は、まず、初期検波のときと同様に、Ｅ（ｂ０，ｂ１，ｂ２，ｂ３，ｂ４，ｂ５，ｂ６，ｂ７）を求める。加えて、インタリーブ後の対数尤度比８１４Ａ、インタリーブ後の対数尤度比９１４Ｂから、式（１１）、式（３２）に相当する係数を求める。そして、Ｅ（ｂ０，ｂ１，ｂ２，ｂ３，ｂ４，ｂ５，ｂ６，ｂ７）の値をこの求めた係数を用いて補正し、その値をＥ’（ｂ０，ｂ１，ｂ２，ｂ３，ｂ４，ｂ５，ｂ６，ｂ７）とし、信号８０４として出力する。
【０６６７】
対数尤度算出部８０５Ａは、信号８０４を入力とし、ビットｂ０およびｂ１およびｂ２およびｂ３の対数尤度（ｌｏｇ  ｌｉｋｅｌｉｈｏｏｄ）を算出し、対数尤度信号８０６Ａを出力する。ただし、対数尤度の算出では、“１”のときの対数尤度および“０”のときの対数尤度が算出される。その算出方法は、式（３１）、式（数３２）、式（３３）、式（３４）、式（３５）に示したとおりであり、非特許文献２、非特許文献３に示されている。
【０６６８】
同様に、対数尤度算出部８０５Ｂは、信号８０４を入力とし、ビットｂ４およびｂ５およびｂ６およびｂ７の対数尤度を算出し、対数尤度信号８０６Ｂを出力する。デインタリーバ以降の動作は、初期検波と同様である。
【０６６９】
なお、図８では、反復検波を行う場合の、信号処理部の構成について示したが、反復検波は必ずしも良好な受信品質を得る上で必須の構成ではなく、反復検波のみに必要とする構成部分、インタリーバ８１３Ａ、８１３Ｂを有していない構成でもよい。このとき、ＩＮＮＥＲ  ＭＩＭＯ検波部８０３は、反復的な検波を行わないことになる。
【０６７０】
なお、非特許文献５等に示されているように、ＱＲ分解を用いて初期検波、反復検波を行ってもよい。また、非特許文献１１に示されているように、MMSE（Minimum Mean Square Error）、ZF（Zero Forcing）の線形演算を行い、初期検波を行ってもよい。
【０６７１】
図９は、図８と異なる信号処理部の構成であり、図６７に対し、図４の符号化器、分配部を適用した送信装置が送信した変調信号のための信号処理部である。図８と異なる点は、ｓｏｆｔ−ｉｎ／ｓｏｆｔ−ｏｕｔデコーダの数であり、ｓｏｆｔ−ｉｎ／ｓｏｆｔ−ｏｕｔデコーダ９０１は、対数尤度比信号８１０Ａ、８１０Ｂを入力とし、復号を行い、復号後の対数尤度比９０２を出力する。分配部９０３は、復号後の対数尤度比９０２を入力とし、分配を行う。それ以外の部分については、図８と同様の動作となる。
【０６７２】
以上のように、本実施の形態のように、ＭＩＭＯ伝送システムの送信装置が複数アンテナから複数の変調信号を送信する際、プリコーディング行列を乗算するとともに、時間とともに位相を変更するし、当該位相の変更を規則的に行うことで、直接波が支配的なＬＯＳ環境において、従来の空間多重ＭＩＭＯ伝送を用いるときと比べ、受信装置におけるデータの受信品質が向上するという効果を得ることができる。
【０６７３】
本実施の形態において、特に、受信装置の構成については、アンテナ数を限定して、動作を説明したが、アンテナ数が増えても、同様に実施することができる。つまり、受信装置におけるアンテナ数は、本実施の形態の動作、効果に影響を与えるものではない。
【０６７４】
また、本実施の形態では、符号化として、特にＬＤＰＣ符号に限ったものではなく、また、復号方法についても、ｓｏｆｔ−ｉｎ／ｓｏｆｔ−ｏｕｔデコーダとして、ｓｕｍ−ｐｒｏｄｕｃｔ復号を例に限ったものではなく、他のｓｏｆｔ−ｉｎ／ｓｏｆｔ−ｏｕｔの復号方法、例えば、ＢＣＪＲアルゴリズム、ＳＯＶＡアルゴリズム、Ｍａｘ−ｌｏｇ−ＭＡＰアルゴリズムなどがある。詳細については、非特許文献６に示されている。
【０６７５】
また、上述では、シングルキャリア方式を例に説明したが、これに限ったものではなく、マルチキャリア伝送を行った場合でも同様に実施することができる。したがって、例えば、スペクトル拡散通信方式、ＯＦＤＭ方式、ＳＣ−ＦＤＭＡ、ＳＣ−ＯＦＤＭ方式、非特許文献７等で示されているウェーブレットＯＦＤＭ方式等を用いた場合についても同様に実施することができる。また、本実施の形態では、データシンボル以外のシンボル、例えば、パイロットシンボル（プリアンブル、ユニークワード等）、制御情報の伝送用のシンボルなどが、フレームにどのように配置されていてもよい。
【０６７６】
次に、マルチキャリア方式の一例として、ＯＦＤＭ方式を用いたときの例を説明する。
【０６７７】
図７０は、ＯＦＤＭ方式を用いたときの送信装置の構成を示している。図７０において、図３、図１２、図６７と同様に動作するものについては、同一符号を付した。
【０６７８】
ＯＦＤＭ方式関連処理部１２０１Ａは、重み付け後の信号３０９Ａを入力とし、ＯＦＤＭ方式関連の処理を施し、送信信号１２０２Ａを出力する。同様に、ＯＦＤＭ方式関連処理部１２０１Ｂは、位相変更後の信号３０９Ｂを入力とし、送信信号１２０２Ｂを出力する。
【０６７９】
図１３は、図７０のＯＦＤＭ方式関連処理部１２０１Ａ、１２０１Ｂ以降の構成の一例を示しており、図７０の１２０１Ａから３１２Ａに関連する部分が、１３０１Ａから１３１０Ａであり、１２０１Ｂから３１２Ｂに関連する部分が１３０１Ｂから１３１０Ｂである。
【０６８０】
シリアルパラレル変換部１３０２Ａは、入れ替え後のベースバンド信号１３０１Ａ（図７０の入れ替え後のベースバンド信号６７０１Ａに相当する）シリアルパラレル変換を行い、パラレル信号１３０３Ａを出力する。
【０６８１】
並び換え部１３０４Ａは、パラレル信号１３０３Ａを入力とし、並び換えを行い、並び換え後の信号１３０５Ａを出力する。なお、並び換えについては、後で詳しく述べる。
【０６８２】
逆高速フーリエ変換部１３０６Ａは、並び換え後の信号１３０５Ａを入力とし、逆高速フーリエ変換を施し、逆フーリエ変換後の信号１３０７Ａを出力する。
【０６８３】
無線部１３０８Ａは、逆フーリエ変換後の信号１３０７Ａを入力とし、周波数変換、増幅等の処理を行い、変調信号１３０９Ａを出力し、変調信号１３０９Ａはアンテナ１３１０Ａから電波として出力される。
【０６８４】
シリアルパラレル変換部１３０２Ｂは、位相が変更された後の信号１３０１Ｂ（図１２の位相変更後の信号３０９Ｂに相当する）に対し、シリアルパラレル変換を行い、パラレル信号１３０３Ｂを出力する。
【０６８５】
並び換え部１３０４Ｂは、パラレル信号１３０３Ｂを入力とし、並び換えを行い、並び換え後の信号１３０５Ｂを出力する。なお、並び換えについては、後で詳しく述べる。
【０６８６】
逆高速フーリエ変換部１３０６Ｂは、並び換え後の信号１３０５Ｂを入力とし、逆高速フーリエ変換を施し、逆フーリエ変換後の信号１３０７Ｂを出力する。
【０６８７】
無線部１３０８Ｂは、逆フーリエ変換後の信号１３０７Ｂを入力とし、周波数変換、増幅等の処理を行い、変調信号１３０９Ｂを出力し、変調信号１３０９Ｂはアンテナ１３１０Ｂから電波として出力される。
【０６８８】
図６７の送信装置では、マルチキャリアを用いた伝送方式でないため、図６９のように、４周期となるように位相を変更し、位相変更後のシンボルを時間軸方向に配置している。図７０に示すようなＯＦＤＭ方式のようなマルチキャリア伝送方式を用いている場合、当然、図６７のようにプリコーディング、ベースバンド信号の入れ替えをし、位相を変更した後のシンボルを時間軸方向に配置し、それを各（サブ）キャリアごとに行う方式が考えられるが、マルチキャリア伝送方式の場合、周波数軸方向、または、周波数軸・時間軸両者を用いて配置する方法が考えられる。以降では、この点について説明する。
【０６８９】
図１４は、横軸周波数、縦軸時間における、図１３の並び替え部１３０１Ａ、１３０１Ｂにおけるシンボルの並び替え方法の一例を示しており、周波数軸は、（サブ）キャリア０から（サブ）キャリア９で構成されており、変調信号ｚ１とｚ２は、同一時刻（時間）に同一の周波数帯域を使用しており、図１４（Ａ）は変調信号ｚ１のシンボルの並び替え方法、図１４（Ｂ）は変調信号ｚ２のシンボルの並び替え方法を示している。シリアルパラレル変換部１３０２Ａが入力とする入れ替え後のベースバンド信号１３０１Ａのシンボルに対し、順番に、＃０、＃１、＃２、＃３、・・・と番号をふる。ここでは、周期４の場合を考えているので、＃０、＃１、＃２、＃３が一周期分となる。同様に考えると、＃４ｎ、＃４ｎ＋１、＃４ｎ＋２、＃４ｎ＋３（ｎは０以上の整数）が一周期分となる。
【０６９０】
このとき、図１４（ａ）のように、シンボル＃０、＃１、＃２、＃３、・・・をキャリア０から順番に配置し、シンボル＃０から＃９を時刻＄１に配置し、その後、シンボル＃１０から＃１９を時刻＄２に配置するというように規則的に配置するものとする。なお、変調信号ｚ１とｚ２は、複素信号である。
【０６９１】
同様に、シリアルパラレル変換部１３０２Ｂが入力とする位相が変更された後の信号１３０１Ｂのシンボルに対し、順番に、＃０、＃１、＃２、＃３、・・・と番号をふる。ここでは、周期４の場合を考えているので、＃０、＃１、＃２、＃３はそれぞれ異なる位相変更を行っていることになり、＃０、＃１、＃２、＃３が一周期分となる。同様に考えると、＃４ｎ、＃４ｎ＋１、＃４ｎ＋２、＃４ｎ＋３（ｎは０以上の整数）はそれぞれ異なる位相変更を行っていることになり、＃４ｎ、＃４ｎ＋１、＃４ｎ＋２、＃４ｎ＋３が一周期分となる。
【０６９２】
このとき、図１４（ｂ）のように、シンボル＃０、＃１、＃２、＃３、・・・をキャリア０から順番に配置し、シンボル＃０から＃９を時刻＄１に配置し、その後、シンボル＃１０から＃１９を時刻＄２に配置するというように規則的に配置するものとする。
【０６９３】
そして、図１４（Ｂ）に示すシンボル群１４０２は、図６９に示す位相変更方法を用いたときの１周期分のシンボルであり、シンボル＃０は図６９の時刻ｕの位相を用いたときのシンボルであり、シンボル＃１は図６９の時刻ｕ＋１の位相を用いたときのシンボルであり、シンボル＃２は図６９の時刻ｕ＋２の位相を用いたときのシンボルであり、シンボル＃３は図６９の時刻ｕ＋３の位相を用いたときのシンボルである。したがって、シンボル＃ｘにおいて、ｘ  ｍｏｄ  ４（ｘを４で割ったときの余り、したがって、ｍｏｄ：modulo）が０のとき、シンボル＃ｘは図６９の時刻ｕの位相を用いたときのシンボルであり、ｘ  ｍｏｄ  ４が１のとき、シンボル＃ｘは図６９の時刻ｕ＋１の位相を用いたときのシンボルであり、ｘ  ｍｏｄ  ４が２のとき、シンボル＃ｘは図６９の時刻ｕ＋２の位相を用いたときのシンボルであり、ｘ  ｍｏｄ  ４が３のとき、シンボル＃ｘは図６９の時刻ｕ＋３の位相を用いたときのシンボルである。
【０６９４】
なお、本実施の形態においては、図１４（Ａ）に示す変調信号ｚ１は位相を変更されていない。
【０６９５】
このように、ＯＦＤＭ方式などのマルチキャリア伝送方式を用いた場合、シングルキャリア伝送のときとは異なり、シンボルを周波数軸方向に並べることができるという特徴を持つことになる。そして、シンボルの並べ方については、図１４のような並べ方に限ったものではない。他の例について、図１５、図１６を用いて説明する。
【０６９６】
図１５は、図１４とは異なる、横軸周波数、縦軸時間における、図１３の並び替え部１３０１Ａ、１３０１Ｂにおけるシンボルの並び替え方法の一例を示しており、図１５（Ａ）は変調信号ｚ１のシンボルの並び替え方法、図１５（Ｂ）は変調信号ｚ２のシンボルの並び替え方法を示している。図１５（Ａ）（Ｂ）が図１４と異なる点は、変調信号ｚ１のシンボルの並び替え方法と変調信号ｚ２のシンボルの並び替え方法が異なる点であり、図１５（Ｂ）では、シンボル＃０から＃５をキャリア４からキャリア９に配置し、シンボル＃６から＃９をキャリア０から３に配置し、その後、同様の規則で、シンボル＃１０から＃１９を各キャリアに配置する。このとき、図１４（Ｂ）と同様に、図１５（Ｂ）に示すシンボル群１５０２は、図６に示す位相変更方法を用いたときの１周期分のシンボルである。
【０６９７】
図１６は、図１４と異なる、横軸周波数、縦軸時間における、図１３の並び替え部１３０１Ａ、１３０１Ｂにおけるシンボルの並び替え方法の一例を示しており、図１６（Ａ）は変調信号ｚ１のシンボルの並び替え方法、図１６（Ｂ）は変調信号ｚ２のシンボルの並び替え方法を示している。図１６（Ａ）（Ｂ）が図１４と異なる点は、図１４では、シンボルをキャリアに順々に配置しているのに対し、図１６では、シンボルをキャリアに順々に配置していない点である。当然であるが、図１６において、図１５と同様に、変調信号ｚ１のシンボルの並び替え方法と変調信号ｚ２の並び替え方法を異なるようにしてもよい。
【０６９８】
図１７は、図１４〜１６とは異なる、横軸周波数、縦軸時間における、図１３の並び替え部１３０１Ａ、１３０１Ｂにおけるシンボルの並び替え方法の一例を示しており、図１７（Ａ）は変調信号ｚ１のシンボルの並び替え方法、図１７（Ｂ）は変調信号ｚ２のシンボルの並び替え方法を示している。図１４〜１６では、シンボルを周波数軸方向に並べているが、図１７ではシンボルを周波数、時間軸の両者を利用して配置している。
【０６９９】
図６９では、位相の変更を４スロットで切り替える場合の例を説明したが、ここでは、８スロットで切り替える場合を例に説明する。図１７に示すシンボル群１７０２は、位相変更方法を用いたときの１周期分のシンボル（したがって、８シンボル）であり、シンボル＃０は時刻ｕの位相を用いたときのシンボルであり、シンボル＃１は時刻ｕ＋１の位相を用いたときのシンボルであり、シンボル＃２は時刻ｕ＋２の位相を用いたときのシンボルであり、シンボル＃３は時刻ｕ＋３の位相を用いたときのシンボルであり、シンボル＃４は時刻ｕ＋４の位相を用いたときのシンボルであり、シンボル＃５は時刻ｕ＋５の位相を用いたときのシンボルであり、シンボル＃６は時刻ｕ＋６の位相を用いたときのシンボルであり、シンボル＃７は時刻ｕ＋７の位相を用いたときのシンボルである。したがって、シンボル＃ｘにおいて、ｘ  ｍｏｄ  ８が０のとき、シンボル＃ｘは時刻ｕの位相を用いたときのシンボルであり、ｘ  ｍｏｄ  ８が１のとき、シンボル＃ｘは時刻ｕ＋１の位相を用いたときのシンボルであり、ｘ  ｍｏｄ  ８が２のとき、シンボル＃ｘは時刻ｕ＋２の位相を用いたときのシンボルであり、ｘ  ｍｏｄ  ８が３のとき、シンボル＃ｘは時刻ｕ＋３の位相を用いたときのシンボルであり、ｘ  ｍｏｄ  ８が４のとき、シンボル＃ｘは時刻ｕ＋４の位相を用いたときのシンボルであり、ｘ  ｍｏｄ  ８が５のとき、シンボル＃ｘは時刻ｕ＋５の位相を用いたときのシンボルであり、ｘ  ｍｏｄ  ８が６のとき、シンボル＃ｘは時刻ｕ＋６の位相を用いたときのシンボルであり、ｘ  ｍｏｄ  ８が７のとき、シンボル＃ｘは時刻ｕ＋７の位相を用いたときのシンボルである。図１７のシンボルの並べ方では、時間軸方向に４スロット、周波数軸方向で２スロットの計４×２＝８スロットを用いて、１周期分のシンボルを配置しているが、このとき、１周期分のシンボルの数をｍ×ｎシンボル（つまり、乗じる位相はｍ×ｎ種類存在する。）１周期分のシンボルを配置するのに使用する周波数軸方向のスロット（キャリア数）をｎ、時間軸方向に使用するスロットをｍとすると、ｍ＞ｎとするとよい。これは、直接波の位相は、時間軸方向の変動は、周波数軸方向の変動と比較し、緩やかである。したがって、定常的な直接波の影響を小さくするために本実施の形態の規則的な位相の変更を行うので、位相の変更を行う周期では直接波の変動を小さくしたい。したがって、ｍ＞ｎとするとよい。また、以上の点を考慮すると、周波数軸方向のみ、または、時間軸方向のみにシンボルを並び替えるより、図１７のように周波数軸と時間軸の両者を用いて並び換えを行うほうが、直接波は定常的になる可能性が高く、本発明の効果を得やすいという効果が得られる。ただし、周波数軸方向に並べると、周波数軸の変動が急峻であるため、ダイバーシチゲインを得ることが出来る可能性があるので、必ずしも周波数軸と時間軸の両者を用いて並び換えを行う方法が最適な方法であるとは限らない。
【０７００】
図１８は、図１７とは異なる、横軸周波数、縦軸時間における、図１３の並び替え部１３０１Ａ、１３０１Ｂにおけるシンボルの並び替え方法の一例を示しており、図１８（Ａ）は変調信号ｚ１のシンボルの並び替え方法、図１８（Ｂ）は変調信号ｚ２のシンボルの並び替え方法を示している。図１８は、図１７と同様、シンボルを周波数、時間軸の両者を利用して配置しているが、図１７と異なる点は、図１７では、周波数方向を優先し、その後、時間軸方向にシンボルを配置しているのに対し、図１８では、時間軸方向を優先し、その後、周波数軸方向にシンボルを配置している点である。図１８において、シンボル群１８０２は、位相変更方法を用いたときの１周期分のシンボルである。
【０７０１】
なお、図１７、図１８では、図１５と同様に、変調信号ｚ１のシンボルの配置方法と変調信号ｚ２のシンボル配置方法が異なるように配置しても同様に実施することができ、また、高い受信品質を得ることができるという効果を得ることができる。また、図１７、図１８において、図１６のようにシンボルを順々に配置していなくても、同様に実施することができ、また、高い受信品質を得ることができるという効果を得ることができる。
【０７０２】
図２２は、上記とは異なる、横軸周波数、縦軸時間における図１３の並び替え部１３０１Ａ、１３０Ｂにおけるシンボルの並び換え方法の一例を示している。図６９の時刻ｕ〜ｕ＋３のような４スロットを用いて規則的に位相を変更する場合を考える。図２２において特徴的な点は、周波数軸方向にシンボルを順に並べているが、時間軸方向に進めた場合、サイクリックにｎ（図２２の例ではｎ＝１）シンボルサイクリックシフトさせている点である。図２２における周波数軸方向のシンボル群２２１０に示した４シンボルにおいて、図６９の時刻ｕ〜ｕ＋３の位相の変更を行うものとする。
【０７０３】
このとき、＃０のシンボルでは時刻ｕの位相を用いた位相変更、＃１では時刻ｕ＋１の位相を用いた位相変更、＃２では時刻ｕ＋２の位相を用いた位相変更、＃３では時刻ｕ＋３の位相を用いた位相変更を行うものとする。
【０７０４】
周波数軸方向のシンボル群２２２０についても同様に、＃４のシンボルでは時刻ｕの位相を用いた位相変更、＃５では時刻ｕ＋１の位相を用いた位相変更、＃６では時刻ｕ＋２の位相を用いた位相変更、＃７では時刻ｕ＋３の位相を用いた位相変更を行うものとする。
【０７０５】
時間＄１のシンボルにおいて、上記のような位相の変更を行ったが、時間軸方向において、サイクリックシフトしているため、シンボル群２２０１、２２０２、２２０３、２２０４については以下のように位相の変更を行うことになる。
【０７０６】
時間軸方向のシンボル群２２０１では、＃０のシンボルでは時刻ｕの位相を用いた位相変更、＃９では時刻ｕ＋１の位相を用いた位相変更、＃１８では時刻ｕ＋２の位相を用いた位相変更、＃２７では時刻ｕ＋３の位相を用いた位相変更を行うものとする。
【０７０７】
時間軸方向のシンボル群２２０２では、＃２８のシンボルでは時刻ｕの位相を用いた位相変更、＃１では時刻ｕ＋１の位相を用いた位相変更、＃１０では時刻ｕ＋２の位相を用いた位相変更、＃１９では時刻ｕ＋３の位相を用いた位相変更を行うものとする。
【０７０８】
時間軸方向のシンボル群２２０３では、＃２０のシンボルでは時刻ｕの位相を用いた位相変更、＃２９では時刻ｕ＋１の位相を用いた位相変更、＃２では時刻ｕ＋２の位相を用いた位相変更、＃１１では時刻ｕ＋３の位相を用いた位相変更を行うものとする。
【０７０９】
時間軸方向のシンボル群２２０４では、＃１２のシンボルでは時刻ｕの位相を用いた位相変更、＃２１では時刻ｕ＋１の位相を用いた位相変更、＃３０では時刻ｕ＋２の位相を用いた位相変更、＃３では時刻ｕ＋３の位相を用いた位相変更を行うものとする。
【０７１０】
図２２においての特徴は、例えば＃１１のシンボルに着目した場合、同一時刻の周波数軸方向の両隣のシンボル（＃１０と＃１２）は、ともに＃１１とは異なる位相を用いて位相の変更を行っているとともに、＃１１のシンボルの同一キャリアの時間軸方向の両隣のシンボル（＃２と＃２０）は、ともに＃１１とは異なる位相を用いて位相の変更を行っていることである。そして、これは＃１１のシンボルに限ったものではなく、周波数軸方向および時間軸方向ともに両隣にシンボルが存在するシンボルすべてにおいて＃１１のシンボルと同様の特徴をもつことになる。これにより、効果的に位相を変更していることになり、直接波の定常的な状況に対する影響を受けづらくなるため、データの受信品質が改善される可能性が高くなる。
【０７１１】
図２２では、ｎ＝１として説明したが、これに限ったものではなく、ｎ＝３としても同様に実施することができる。また、図２２では、周波数軸にシンボルを並べ、時間が軸方向にすすむ場合、シンボルの配置の順番をサイクリックシフトするという特徴を持たせることで、上記の特徴を実現したが、シンボルをランダム（規則的であってもよい）に配置することで上記特徴を実現するような方法もある。
【０７１２】
なお、本実施の形態では、実施の形態１の変形例として、位相変更前に、ベースバンド信号入れ替え部を挿入する構成を示したが、本実施の形態と実施の形態２を組み合わせ、図２６、図２８において、位相変更を行う前に、ベースバンド信号の入れ替え部を挿入して、実施してもよい。したがって、図２６において、位相変更部３１７Ａは、入れ替え後ベースバンド信号６７０１Ａ（ｑ１（ｉ））を入力とし、位相変更部３１７Ｂは、入れ替え後ベースバンド信号６７０１Ｂ（ｑ２（ｉ））を入力とすることになる。また、図２８の位相変更部３１７Ａおよび位相変更部３１７Ｂについても同様となる。
【０７１３】
次に、送信装置から見て、各所に点在することになる受信装置において、受信装置がどこに配置されていても、各受信装置が良好なデータの受信品質を得るための手法について開示する。
【０７１４】
図３１は、規則的に位相を変更する送信方式において、ＯＦＤＭ方式のようなマルチキャリア方式を用いたときの、時間−周波数軸における信号の一部のシンボルのフレーム構成の一例を示している。
【０７１５】
図３１は、図６７に示した位相変更部３１７Ｂの入力である入れ替え後のベースバンド信号に対応する変調信号ｚ２’のフレーム構成を示しており、１つの四角がシンボル（ただし、プリコーディングを行っているため、ｓ１とｓ２の両者の信号を含んでいるのが通常であるが、プリコーディング行列の構成しだいでは、ｓ１とｓ２の一方の信号のみであることもある。）を示している。
【０７１６】
ここで、図３１のキャリア２、時刻＄２のシンボル３１００について着目する。なお、ここではキャリアと記載しているが、サブキャリアと呼称することもある。
【０７１７】
キャリア２において、時刻＄２に時間的に最も隣接するシンボル、つまりキャリア２の時刻＄１のシンボル３１０３と時刻＄３のシンボル３１０１のそれぞれのチャネル状態は、キャリア２、時刻＄２のシンボル３１００のチャネル状態と、非常に相関が高い。
【０７１８】
同様に時刻＄２において、周波数軸方向でキャリア２に最も隣接している周波数のシンボル、即ち、キャリア１、時刻＄２のシンボル３１０４と時刻＄２、キャリア３のシンボル３１０４とのチャネル状態は、ともに、キャリア２、時刻＄２のシンボル３１００のチャネル状態と、非常に相関が高い。
【０７１９】
上述したように、シンボル３１０１、３１０２、３１０３、３１０４のそれぞれのチャネル状態は、シンボル３１００のチャネル状態との相関が非常に高い。
【０７２０】
本明細書において、規則的に位相を変更する送信方法において、乗じる位相として、Ｎ種類の位相（但し、Ｎは２以上の整数）を用意しているものとする。図３１に示したシンボルには、例えば、「ｅｊ０」という記載を付しているが、これは、このシンボルにおける図６における信号ｚ２’に対し、「ｅｊ０」が乗じられて位相が変更されたことを意味する。つまり、図３１の各シンボルに記載している値は、式（７０）におけるｙ（ｔ）の値となる。
【０７２１】
本実施の形態においては、この周波数軸方向で隣接しあうシンボル及び／または時間軸方向で隣接しあうシンボルのチャネル状態の相関性が高いことを利用して受信装置側において、高いデータの受信品質が得られる位相が変更されたシンボルのシンボル配置を開示する。
【０７２２】
この受信側で高いデータの受信品質が得られる条件として、条件＃Ｄ１−１、条件＃Ｄ１−２が考えられる。
【０７２３】
＜条件＃Ｄ１−１＞
図６９のように、入れ替え後のベースバンド信号ｑ２に対し、規則的に位相を変更する送信方法において、ＯＦＤＭのようなマルチキャリア伝送方式を用いている場合、時間Ｘ・キャリアＹがデータ伝送用のシンボル（以下、データシンボルと呼称する）であり、時間軸方向で隣接するシンボル、即ち、時間Ｘ−１・キャリアＹおよび時間Ｘ＋１・キャリアＹがいずれもデータシンボルであり、これら３つのデータシンボルに対応する入れ替え後のベースバンド信号ｑ２、つまり、時間Ｘ・キャリアＹ、時間Ｘ−１・キャリアＹおよび時間Ｘ＋１・キャリアＹにおけるそれぞれの入れ替え後のベースバンド信号ｑ２では、いずれも異なる位相変更が行われる。
【０７２４】
＜条件＃Ｄ１−２＞
図６９のように、入れ替え後のベースバンド信号ｑ２に対し、規則的に位相を変更する送信方法において、ＯＦＤＭのようなマルチキャリア伝送方式を用いている場合、時間Ｘ・キャリアＹがデータ伝送用のシンボル（以下、データシンボルと呼称する）であり、周波数軸方向で隣接するシンボル、即ち、時間Ｘ・キャリアＹ−１および時間Ｘ・キャリアＹ＋１がいずれもデータシンボルである場合、これら３つのデータシンボルに対応する入れ替え後のベースバンド信号ｑ２、つまり、時間Ｘ・キャリアＹ、時間Ｘ・キャリアＹ−１および時間Ｘ・キャリアＹ＋１におけるそれぞれの入れ替え後のベースバンド信号ｑ２では、いずれも異なる位相変更が行われる。
【０７２５】
そして、＜条件＃Ｄ１−１＞を満たすデータシンボルが存在するとよい。同様に、＜条件＃Ｄ１−２＞を満たすデータシンボルが存在するとよい。
【０７２６】
当該＜条件＃Ｄ１−１＞＜条件＃Ｄ１−２＞が導出される理由は以下の通りである。
【０７２７】
送信信号においてあるシンボル（以降、シンボルＡと呼称する）があり、当該シンボルＡに時間的に隣接したシンボルそれぞれのチャネル状態は、上述したとおり、シンボルＡのチャネル状態との相関が高い。
【０７２８】
したがって、時間的に隣接した３シンボルで、異なる位相を用いていると、ＬＯＳ環境において、シンボルＡが劣悪な受信品質（ＳＮＲとしては高い受信品質を得ているものの、直接波の位相関係が劣悪な状況であるため受信品質が悪い状態）であっても、残りのシンボルＡに隣接する２シンボルでは、良好な受信品質を得ることができる可能性が非常に高く、その結果、誤り訂正復号後は良好な受信品質を得ることができる。
【０７２９】
同様に、送信信号においてあるシンボル（以降、シンボルＡと呼称する）があり、当該シンボルＡに周波数的に隣接したシンボルそれぞれのチャネル状態は、上述したとおり、シンボルＡのチャネル状態との相関が高い。
【０７３０】
したがって、周波数的に隣接した３シンボルで、異なる位相を用いていると、ＬＯＳ環境において、シンボルＡが劣悪な受信品質（ＳＮＲとしては高い受信品質を得ているものの、直接波の位相関係が劣悪な状況であるため受信品質が悪い状態）であっても、残りのシンボルＡに隣接する２シンボルでは、良好な受信品質を得ることができる可能性が非常に高く、その結果、誤り訂正復号後は良好な受信品質を得ることができる。
【０７３１】
また、＜条件＃Ｄ１−１＞と＜条件＃Ｄ１−２＞を組み合わせると、受信装置において、より、データの受信品質を向上させることができる可能性がある。したがって、以下の条件を導くことができる。
【０７３２】
＜条件＃Ｄ１−３＞
図６９のように、入れ替え後のベースバンド信号ｑ２に対し、規則的に位相を変更する送信方法において、ＯＦＤＭのようなマルチキャリア伝送方式を用いている場合、時間Ｘ・キャリアＹがデータ伝送用のシンボル（以下、データシンボルと呼称する）であり、時間軸方向で隣接するシンボル、即ち、時間Ｘ−１・キャリアＹおよび時間Ｘ＋１・キャリアＹがいずれもデータシンボルであり、かつ、周波数軸方向で隣接するシンボル、即ち、時間Ｘ・キャリアＹ−１および時間Ｘ・キャリアＹ＋１がいずれもデータシンボルである場合、これら５つのデータシンボルに対応する入れ替え後のベースバンド信号ｑ２、つまり、時間Ｘ・キャリアＹおよび時間Ｘ−１・キャリアＹおよび時間Ｘ＋１・キャリアＹおよび時間Ｘ・キャリアＹ−１および時間Ｘ・キャリアＹ＋１におけるそれぞれの入れ替え後のベースバンド信号ｑ２では、いずれも異なる位相変更が行われる。
【０７３３】
ここで、「異なる位相変更」について、補足を行う。位相変更は、０ラジアンから２πラジアンで定義されることになる。例えば、時間Ｘ・キャリアＹにおいて、図６９の入れ替え後のベースバンド信号ｑ２に対して施す位相変更をｅｊθX,Y、時間Ｘ−１・キャリアＹにおいて、図６９の入れ替え後のベースバンド信号ｑ２に対して施す位相変更をｅｊθX−１,Y、時間Ｘ＋１・キャリアＹにおいて、図６９の入れ替え後のベースバンド信号ｑ２に対して施す位相変更をｅｊθX＋１,Yとすると、０ラジアン≦θX,Y＜２π、０ラジアン≦θX−１,Y＜２π、０ラジアン≦θX＋１,Y＜２πとなる。したがって、＜条件＃Ｄ１−１＞では、θX,Y≠θX−１,YかつθX,Y≠θX＋１,YかつθX＋１,Y≠θX−１,Yが成立することになる。同様に考えると、＜条件＃Ｄ１−２＞では、θX,Y≠θX,Y−１かつθX,Y≠θX,Y＋１かつθX,Y−１≠θX−１,Y＋１が成立することになり、＜条件＃Ｄ１−３＞では、θX,Y≠θX−１,YかつθX,Y≠θX＋１,YかつθX,Y≠θX,Y−１かつθX,Y≠θX,Y＋１かつθX−１,Y≠θX＋１,YかつθX−１,Y≠θX,Y−１かつθX−１,Y≠θX,Y＋１かつθX＋１,Y≠θX,Y−１かつθX＋１,Y≠θX,Y＋１かつθX,Y−１≠θX,Y＋１が成立することになる。
【０７３４】
そして、＜条件＃Ｄ１−３＞を満たすデータシンボルが存在するとよい。
【０７３５】
図３１は＜条件＃Ｄ１−３＞の例であり、シンボルＡに該当するシンボル３１００に相当する図６９の入れ替え後のベースバンド信号ｑ２に乗じられている位相と、そのシンボル３１００に時間的に隣接するシンボル３１０１に相当する図６９の入れ替え後のベースバンド信号ｑ２、３１０３に相当する図６９の入れ替え後のベースバンド信号ｑ２に乗じられている位相と、周波数的に隣接するシンボル３１０２に相当する図６９の入れ替え後のベースバンド信号ｑ２、３１０４に相当する図６９の入れ替え後のベースバンド信号ｑ２に乗じられている位相が互いに異なるように配されており、これによって、受信側においてシンボル３１００の受信品質が劣悪であろうとも、その隣接するシンボルの受信品質は非常に高くなるため、誤り訂正復号後の高い受信品質を確保できる。
【０７３６】
この条件のもとで、位相を変更して得られるシンボルの配置例を図３２に示す。
【０７３７】
図３２を見ればわかるように、いずれのデータシンボルにおいても、その位相が周波数軸方向及び時間軸方向の双方において隣接しあうシンボルに対して変更された位相の度合いは互いに異なる位相変更量となっている。このようにすることで、受信装置における誤り訂正能力を更に向上させることができる。
【０７３８】
つまり、図３２では、時間軸方向で隣接するシンボルにデータシンボルが存在していた場合、＜条件＃Ｄ１−１＞がすべてのX、すべてのYで成立している。
【０７３９】
同様に、図３２では、周波数方向で隣接するシンボルにデータシンボルが存在していた場合、＜条件＃Ｄ１−２＞がすべてのX、すべてのYで成立している。
【０７４０】
同様に、図３２では、周波数方向で隣接するシンボルにデータシンボルが存在し、かつ、時間軸方向で隣接するシンボルにデータシンボルが存在していた場合、＜条件＃Ｄ１−３＞がすべてのX、すべてのYで成立している。
【０７４１】
次に、上述で説明した、２つの入れ替え後のベースバンド信号ｑ２に位相変更を行った場合（図６８参照）の例で説明する。
【０７４２】
入れ替え後のベースバンド信号ｑ１、および、入れ替え後のベースバンド信号ｑ２の両者に位相変更を与える場合、位相変更方法について、いくつかの方法がある。その点について、詳しく説明する。
【０７４３】
方法１として、入れ替え後のベースバンド信号ｑ２の位相変更は、前述のように、図３２のように位相変更を行うものとする。図３２において、入れ替え後のベースバンド信号ｑ２の位相変更は周期１０としている。しかし、前述で述べたように、＜条件＃Ｄ１−１＞＜条件＃Ｄ１−２＞＜条件＃Ｄ１−３＞を満たすようにするために、（サブ）キャリア１で、入れ替え後のベースバンド信号ｑ２に施す位相変更を時間とともに変更している。（図３２では、このような変更をほどこしているが、周期１０をとし、別の位相変更方法であってもよい）そして、入れ替え後のベースバンド信号ｑ１の位相変更は、図３３ように、入れ替え後のベースバンド信号ｑ２の位相変更は周期１０の１周期分の位相変更する値は一定とする。図３３では、（入れ替え後のベースバンド信号ｑ２の位相変更の）１周期分を含む時刻＄１において、入れ替え後のベースバンド信号ｑ１の位相変更の値は、ｅｊ０としており、次の（入れ替え後のベースバンド信号ｑ２の位相変更の）１周期分を含む時刻＄２において、入れ替え後のベースバンド信号ｑ１の位相変更の値は、ｅｊπ／９としており、・・・、としている。
【０７４４】
なお、図３３に示したシンボルには、例えば、「ｅｊ０」という記載を付しているが、これは、このシンボルにおける図２６における信号ｑ１に対し、「ｅｊ０」が乗じられて位相が変更されたことを意味する。
【０７４５】
入れ替え後のベースバンド信号ｑ１の位相変更は、図３３ように、プリコーディング後の入れ替え後のベースバンド信号ｑ２の位相変更は周期１０の１周期分の位相変更する値は一定とし、位相変更する値は、１周期分の番号とともに変更するようにする。（上述のように、図３３では、第１の１周期分では、ｅｊ０とし、第２の１周期分ではｅｊπ／９、・・・としている。）
以上のようにすることで、入れ替え後のベースバンド信号ｑ２の位相変更は周期１０であるが、入れ替え後のベースバンド信号ｑ１の位相変更と入れ替え後のベースバンド信号ｑ２の位相変更の両者を考慮したときの周期は１０より大きくすることができるという効果を得ることができる。これにより、受信装置のデータの受信品質が向上する可能性がある。
【０７４６】
方法２として、入れ替え後のベースバンド信号ｑ２の位相変更は、前述のように、図３２のように位相変更を行うものとする。図３２において、入れ替え後のベースバンド信号ｑ２の位相変更は周期１０としている。しかし、前述で述べたように、＜条件＃Ｄ１−１＞＜条件＃Ｄ１−２＞＜条件＃Ｄ１−３＞を満たすようにするために、（サブ）キャリア１で、入れ替え後のベースバンド信号ｑ２に施す位相変更を時間とともに変更している。（図３２では、このような変更をほどこしているが、周期１０をとし、別の位相変更方法であってもよい）そして、入れ替え後のベースバンド信号ｑ１の位相変更は、図３０ように、入れ替え後のベースバンド信号ｑ２の位相変更は周期１０とは異なる周期３での位相変更を行う。
【０７４７】
なお、図３０に示したシンボルには、例えば、「ｅｊ０」という記載を付しているが、これは、このシンボルにおける入れ替え後のベースバンド信号ｑ１に対し、「ｅｊ０」が乗じられて位相が変更されたことを意味する。
【０７４８】
以上のようにすることで、入れ替え後のベースバンド信号ｑ２の位相変更は周期１０であるが、入れ替え後のベースバンド信号ｑ１の位相変更と入れ替え後のベースバンド信号ｑ２の位相変更の両者を考慮したときの周期は３０となり入れ替え後のベースバンド信号ｑ１の位相変更と入れ替え後のベースバンド信号ｑ２の位相変更の両者を考慮したときの周期を１０より大きくすることができるという効果を得ることができる。これにより、受信装置のデータの受信品質が向上する可能性がある。方法２の一つの有効な方法としては、入れ替え後のベースバンド信号ｑ１の位相変更の周期をNとし、入れ替え後のベースバンド信号ｑ２の位相変更の周期をMとしたとき、特に、NとMが互いに素の関係であると、入れ替え後のベースバンド信号ｑ１の位相変更と入れ替え後のベースバンド信号ｑ２の位相変更の両者を考慮したときの周期はN×Mと容易に大きな周期に設定することができるという利点があるが、NとMが互いに素の関係でも、周期を大きくすることは可能である。
【０７４９】
なお、上述の位相変更方法は一例であり、これに限ったものではなく、周波数軸方向で位相変更を行ったり、時間軸方向で位相変更を行ったり、時間−周波数のブロックで位相変更を行っても同様に、受信装置におけるデータの受信品質を向上させることができるという効果を持つことになる。
【０７５０】
上記で説明したフレーム構成以外にも、データシンボル間にパイロットシンボル（ＳＰ（Scattered Pilot））や制御情報を伝送するシンボルなどが挿入されることも考えられる。この場合の位相変更について詳しく説明する。
【０７５１】
図４７は、変調信号（入れ替え後のベースバンド信号ｑ１）ｚ１またはｚ１’および変調信号（入れ替え後のベースバンド信号ｑ２）ｚ２’の時間―周波数軸におけるフレーム構成を示しており、図４７(a)は、変調信号（入れ替え後のベースバンド信号ｑ１）ｚ１またはｚ１’ の時間―周波数軸におけるフレーム構成、図４７(b)は、変調信号（入れ替え後のベースバンド信号ｑ２）ｚ２’の時間―周波数軸におけるフレーム構成である。図４７において、４７０１はパイロットシンボル、４７０２はデータシンボルを示しており、データシンボル４７０２は、入れ替え後のベースバンド信号または入れ替え後のベースバンド信号と位相変更を施したシンボルとなる。
【０７５２】
図４７は、図６９のように、入れ替え後のベースバンド信号ｑ２に対し、位相変更を行う場合のシンボル配置を示している（入れ替え後のベースバンド信号ｑ１には位相変更を行わない）。（なお、図６９では時間軸方向で位相変更を行う場合を示しているが、図６９において、時間ｔをキャリアｆに置き換えて考えることで、周波数方向での位相変更を行うことに相当し、時間ｔを時間ｔ、周波数ｆ、つまり（ｔ）を（ｔ、ｆ）に置き換えて考えることで、時間周波数のブロックで位相変更を行うことに相当する。）したがって、図４７の入れ替え後のベースバンド信号ｑ２のシンボルに記載されている数値は、位相の変更値を示している。なお、図４７の入れ替え後のベースバンド信号ｑ１（ｚ１）のシンボルは、位相変更を行わないので、数値を記載していない。
【０７５３】
図４７において重要な点は、入れ替え後のベースバンド信号ｑ２に対する位相変更は、データシンボル、つまり、プリコーディングおよびベースバンド信号入れ替えを施したシンボルに対して施している点である。（ここで、シンボルと記載しているが、ここで記載しているシンボルには、プリコーディングが施されているため、ｓ１のシンボルとｓ２のシンボルの両者を含んでいることになる。）したがって、ｚ２’に挿入されたパイロットシンボルに対しては、位相変更を施さないことになる。
【０７５４】
図４８は、変調信号（入れ替え後のベースバンド信号ｑ１）ｚ１またはｚ１’および変調信号（入れ替え後のベースバンド信号ｑ２）ｚ２’の時間―周波数軸におけるフレーム構成を示しており、図４８(a)は、変調信号（入れ替え後のベースバンド信号ｑ１）ｚ１またはｚ１’ の時間―周波数軸におけるフレーム構成、図４８(b)は、変調信号（入れ替え後のベースバンド信号ｑ２）ｚ２’の時間―周波数軸におけるフレーム構成である。図４８において、４７０１はパイロットシンボル、４７０２はデータシンボルを示しており、データシンボル４７０２は、プリコーディングと位相変更を施したシンボルとなる。
【０７５５】
図４８は、入れ替え後のベースバンド信号ｑ１および入れ替え後のベースバンド信号ｑ２に対し、位相変更を行う場合のシンボル配置を示している。したがって、図４８の入れ替え後のベースバンド信号ｑ１および入れ替え後のベースバンド信号ｑ２のシンボルに記載されている数値は、位相の変更値を示している。
【０７５６】
図４８において重要な点は、入れ替え後のベースバンド信号ｑ１に対する位相変更は、データシンボル、つまり、プリコーディングおよびベースバンド信号の入れ替えを施したシンボルに対して施している、また、入れ替え後のベースバンド信号ｑ２に対する位相変更は、データシンボル、つまり、プリコーディングおよびベースバンド信号の入れ替えを施したシンボルに対して施している点である。（ここで、シンボルと記載しているが、ここで記載しているシンボルには、プリコーディングが施されているため、ｓ１のシンボルとｓ２のシンボルの両者を含んでいることになる。）したがって、ｚ１’に挿入されたパイロットシンボルに対しては、位相変更を施さず、また、ｚ２’に挿入されたパイロットシンボルに対しては、位相変更を施さないことになる。
【０７５７】
図４９は、変調信号（入れ替え後のベースバンド信号ｑ１）ｚ１またはｚ１’および変調信号（入れ替え後のベースバンド信号ｑ２）ｚ２’の時間―周波数軸におけるフレーム構成を示しており、図４９(a)は、変調信号（入れ替え後のベースバンド信号ｑ１）ｚ１またはｚ１’の時間―周波数軸におけるフレーム構成、図４９(b)は、変調信号（入れ替え後のベースバンド信号ｑ２）ｚ２’の時間―周波数軸におけるフレーム構成である。図４９において、４７０１はパイロットシンボル、４７０２はデータシンボル、４９０１はヌルシンボルであり、ベースバンド信号の同相成分I=0であり、直交成分Q=０となる。このとき、データシンボル４７０２は、プリコーディングまたはプリコーディングと位相変更を施したシンボルとなる。図４９と図４７の違いは、データシンボル以外のシンボルの構成方法であり、変調信号ｚ１’でパイロットシンボルが挿入されている時間とキャリアにおいて、変調信号ｚ２’はヌルシンボルとなっており、逆に、変調信号ｚ２’でパイロットシンボルが挿入されている時間とキャリアにおいて、変調信号ｚ１’はヌルシンボルとなっている点である。
【０７５８】
図４９は、図６９のように、入れ替え後のベースバンド信号ｑ２に対し、位相変更を行う場合のシンボル配置を示している（入れ替え後のベースバンド信号ｑ１には位相変更を行わない）。（なお、図６９では時間軸方向で位相変更を行う場合を示しているが、図６において、時間ｔをキャリアｆに置き換えて考えることで、周波数方向での位相変更を行うことに相当し、時間ｔを時間ｔ、周波数ｆ、つまり（ｔ）を（ｔ、ｆ）に置き換えて考えることで、時間周波数のブロックで位相変更を行うことに相当する。）したがって、図４９の入れ替え後のベースバンド信号ｑ２のシンボルに記載されている数値は、位相の変更値を示している。なお、図４９の入れ替え後のベースバンド信号ｑ１のシンボルは、位相変更を行わないので、数値を記載していない。
【０７５９】
図４９において重要な点は入れ替え後のベースバンド信号ｑ２に対する位相変更は、データシンボル、つまり、プリコーディングおよびベースバンド信号入れ替えを施したシンボルに対して施している点である。（ここで、シンボルと記載しているが、ここで記載しているシンボルには、プリコーディングが施されているため、ｓ１のシンボルとｓ２のシンボルの両者を含んでいることになる。）したがって、ｚ２’に挿入されたパイロットシンボルに対しては、位相変更を施さないことになる。
【０７６０】
図５０は、変調信号（入れ替え後のベースバンド信号ｑ１）ｚ１またはｚ１’および変調信号（入れ替え後のベースバンド信号ｑ２）ｚ２’の時間―周波数軸におけるフレーム構成を示しており、図５０(a)は、変調信号（入れ替え後のベースバンド信号ｑ１）ｚ１またはｚ１’の時間―周波数軸におけるフレーム構成、図５０(b)は、変調信号（入れ替え後のベースバンド信号ｑ２）ｚ２’の時間―周波数軸におけるフレーム構成である。図５０において、４７０１はパイロットシンボル、４７０２はデータシンボル、４９０１はヌルシンボルであり、ベースバンド信号の同相成分I=0であり、直交成分Q=０となる。このとき、データシンボル４７０２は、プリコーディングまたはプリコーディングと位相変更を施したシンボルとなる。図５０と図４８の違いは、データシンボル以外のシンボルの構成方法であり、変調信号ｚ１’でパイロットシンボルが挿入されている時間とキャリアにおいて、変調信号ｚ２’はヌルシンボルとなっており、逆に、変調信号ｚ２’でパイロットシンボルが挿入されている時間とキャリアにおいて、変調信号ｚ１’はヌルシンボルとなっている点である。
【０７６１】
図５０は、入れ替え後のベースバンド信号ｑ１および入れ替え後のベースバンド信号ｑ２に対し、位相変更を行う場合のシンボル配置を示している。したがって、図５０の入れ替え後のベースバンド信号ｑ１および入れ替え後のベースバンド信号ｑ２のシンボルに記載されている数値は、位相の変更値を示している。
【０７６２】
図５０において重要な点は、入れ替え後のベースバンド信号ｑ１に対する位相変更は、データシンボル、つまり、プリコーディングおよびベースバンド信号入れ替えを施したシンボルに対して施している、また、入れ替え後のベースバンド信号ｑ２に対する位相変更は、データシンボル、つまり、プリコーディングおよびベースバンド信号入れ替えを施したシンボルに対して施している点である。（ここで、シンボルと記載しているが、ここで記載しているシンボルには、プリコーディングが施されているため、ｓ１のシンボルとｓ２のシンボルの両者を含んでいることになる。）したがって、ｚ１’に挿入されたパイロットシンボルに対しては、位相変更を施さず、また、ｚ２’に挿入されたパイロットシンボルに対しては、位相変更を施さないことになる。
【０７６３】
図５１は、図４７、図４９のフレーム構成の変調信号を生成し、送信する送信装置の構成の一例を示しており、図４と同様に動作するものについては、同一符号を付している。なお、図５１では、図６７や図７０で示したベースバンド信号入れ替え部を図示していないが、図５１に対し、図６７や図７０と同様、重み付け合成部と位相変更部の間にベースバンド信号入れ替え部を挿入すればよい。
【０７６４】
図５１において、重み付け合成部３０８Ａ、３０８Ｂ、および、位相変更部３１７Ｂ、および、ベースバンド信号入れ替え部は、フレーム構成信号３１３がデータシンボルであるタイミングを示しているときのみ動作することになる。
【０７６５】
図５１のパイロットシンボル（ヌルシンボル生成を兼ねるものとする）生成部５１０１は、フレーム構成信号３１３がパイロットシンボル（かつヌルシンボル）であることをしめしていた場合、パイロットシンボルのベースバンド信号５１０２Ａ、および５１０２Ｂを出力する。
【０７６６】
図４７から図５０のフレーム構成では示していなかったが、プリコーディング（および、位相回転を施さない）を施さない、例えば、１アンテナから変調信号を送信する方式、（この場合、もう一方のアンテナからは信号を伝送しないことになる）、または、時空間符号（特に、時空間ブロック符号）を用いた伝送方式を用いて制御情報シンボルを送信する場合、制御情報シンボル５１０４は、制御情報５１０３、フレーム構成信号３１３を入力とし、フレーム構成信号３１３が制御情報シンボルであることを示している場合、制御情報シンボルのベースバンド信号５１０２Ａ、５１０２Ｂを出力する。
【０７６７】
図５１の無線部３１０Ａ、３１０Ｂは、入力となる複数のベースバンド信号のうち、フレーム構成信号３１３に基づき、複数のベースバンド信号から、所望のベースバンド信号を選択する。そして、OFDM関連の信号処理を施し、フレーム構成にしたがった変調信号３１１Ａ、３１１Ｂをそれぞれ出力する。
【０７６８】
図５２は、図４８、図５０のフレーム構成の変調信号を生成し、送信する送信装置の構成の一例を示しており、図４、図５１と同様に動作するものについては、同一符号を付している。図５１に対して追加した位相変更部３１７Ａは、フレーム構成信号３１３がデータシンボルであるタイミングを示しているときのみ動作することになる。その他については、図５１と同様の動作となる。なお、図５２では、図６７や図７０で示したベースバンド信号入れ替え部を図示していないが、図５２に対し、図６７や図７０と同様、重み付け合成部と位相変更部の間にベースバンド信号入れ替え部を挿入すればよい。
【０７６９】
図５３は、図５１とは異なる送信装置の構成方法である。なお、図５３では、図６７や図７０で示したベースバンド信号入れ替え部を図示していないが、図５３に対し、図６７や図７０と同様、重み付け合成部と位相変更部の間にベースバンド信号入れ替え部を挿入すればよい。以降では異なる点について説明する。位相変更部３１７Ｂは、図５３のように、複数のベースバンド信号を入力とする。そして、フレーム構成信号３１３が、データシンボルであることを示していた場合、位相変更部３１７Ｂは、プリコーディング後のベースバンド信号３１６Ｂに対し、位相変更を施す。そして、フレーム構成信号３１３が、パイロットシンボル（またはヌルシンボル）、または、制御情報シンボルであることを示していた場合、位相変更部３１７Ｂは、位相変更の動作を停止し、各シンボルのベースバンド信号をそのまま出力する。（解釈としては、「ｅｊ０」に相当する位相回転を強制的に行っていると考えればよい。）
選択部５３０１は、複数のベースバンド信号を入力とし、フレーム構成信号３１３が示したシンボルのベースバンド信号を選択し、出力する。
【０７７０】
図５４は、図５２とは異なる送信装置の構成方法である。なお、図５４では、図６７や図７０で示したベースバンド信号入れ替え部を図示していないが、図５４に対し、図６７や図７０と同様、重み付け合成部と位相変更部の間にベースバンド信号入れ替え部を挿入すればよい。以降では異なる点について説明する。位相変更部３１７Ｂは、図５４のように、複数のベースバンド信号を入力とする。そして、フレーム構成信号３１３が、データシンボルであることを示していた場合、位相変更部３１７Ｂは、プリコーディング後のベースバンド信号３１６Ｂに対し、位相変更を施す。そして、フレーム構成信号３１３が、パイロットシンボル（またはヌルシンボル）、または、制御情報シンボルであることを示していた場合、位相変更部３１７Ｂは、位相変更の動作を停止し、各シンボルのベースバンド信号をそのまま出力する。（解釈としては、「ｅｊ０」に相当する位相回転を強制的に行っていると考えればよい。）
同様に、位相変更部５２０１は、図５４のように、複数のベースバンド信号を入力とする。そして、フレーム構成信号３１３が、データシンボルであることを示していた場合、位相変更部５２０１は、プリコーディング後のベースバンド信号３０９Ａに対し、位相変更を施す。そして、フレーム構成信号３１３が、パイロットシンボル（またはヌルシンボル）、または、制御情報シンボルであることを示していた場合、位相変更部５２０１は、位相変更の動作を停止し、各シンボルのベースバンド信号をそのまま出力する。（解釈としては、「ｅｊ０」に相当する位相回転を強制的に行っていると考えればよい。）
上述の説明では、パイロットシンボルと制御シンボルとデータシンボルを例に説明したが、これに限ったものではなく、プリコーディングとは異なる伝送方法、例えば、１アンテナ送信、時空間ブロック符号を用いた伝送方式、等を用いて伝送するシンボルであれば、同様に、位相変更を与えない、ということが重要となり、これとは逆に、プリコーディングおよびベースバンド信号入れ替えを行ったシンボルに対しては、位相変更を行うことが本発明では重要なこととなる。
【０７７１】
したがって、時間−周波数軸におけるフレーム構成におけるすべてのシンボルで位相変更が行われるわけではなく、プリコーディングおよびベースバンド信号入れ替えを行った信号のみに位相変更を与える点が、本発明の特徴となる。
【０７７２】
次に、非特許文献１２〜非特許文献１５に示されているように、ＱＣ（Quasi Cyclic）  ＬＤＰＣ（Low-Density Parity-Check）符号（ＱＣ−ＬＤＰＣ符号でない、ＬＤＰＣ符号であってもよい）、ＬＤＰＣ符号とＢＣＨ符号（Bose-Chaudhuri-Hocquenghem code）の連接符号、テイルバイティングを用いたターボ符号またはDuo-Binary Turbo Code等のブロック符号を用いたときの規則的に位相を変更する方法について詳しく説明する。ここでは、一例として、ｓ１、ｓ２の２つのストリームを送信する場合を例に説明する。ただし、ブロック符号を用いて符号化を行った際、制御情報等が必要でないとき、符号化後のブロックを構成するビット数は、ブロック符号を構成するビット数（ただし、この中に、以下で記載するような制御情報等が含まれていてもよい。）と一致する。ブロック符号を用いて符号化を行った際、制御情報等（例えば、ＣＲＣ（cyclic redundancy check）、伝送パラメータ等）が必要であるとき、符号化後のブロックを構成するビット数は、ブロック符号を構成するビット数と制御情報等のビット数の和であることもある。
【０７７３】
図３４は、ブロック符号を用いたとき、１つの符号化後のブロックに必要なシンボル数、スロット数の変化を示した図である。図３４は、例えば、図６９、図７０の送信装置に対し、図４のような符号器と分配部を適用し、ｓ１、ｓ２の２つのストリームを送信し、かつ、送信装置が、１つの符号化器を有している場合の「ブロック符号を用いたとき、１つの符号化後のブロックに必要なシンボル数、スロット数の変化を示した図」である。（このとき、伝送方式としては、シングルキャリア伝送、ＯＦＤＭのようなマルチキャリア伝送、いずれを用いてもよい。）
図３４に示すように、ブロック符号における１つの符号化後のブロックを構成するビット数を６０００ビットであるとする。この６０００ビットを送信するためには、変調方式がＱＰＳＫのとき３０００シンボル、１６ＱＡＭのとき１５００シンボル、６４ＱＡＭのとき１０００シンボルが必要となる。
【０７７４】
そして、上述の送信装置では、２つのストリームを同時に送信することになるため、変調方式がＱＰＳＫのとき、前述の３０００シンボルは、ｓ１に１５００シンボル、ｓ２に１５００シンボル割り当てられることになるため、ｓ１で送信する１５００シンボルとｓ２で送信する１５００シンボルを送信するために１５００スロット（ここでは「スロット」と名付ける。）が必要となる。
【０７７５】
同様に考えると、変調方式が１６ＱＡＭのとき、１つの符号化後のブロックを構成するすべてのビットを送信するために７５０スロットが必要となり、変調方式が６４ＱＡＭのとき、１ブロックを構成するすべてのビットを送信するために５００スロットが必要となる。
【０７７６】
次に、規則的に位相を変更する方法において、上述で定義したスロットと乗じる位相との関係について説明する。
【０７７７】
ここでは、規則的に位相を変更する方法のために用意する位相変更値（または、位相変更セット）の数を５とする。つまり、上述の送信装置の位相変更部のために、５つの位相変更値（または、位相変更セット）を用意するものとする。（図６９のように、入れ替え後のベースバンド信号ｑ２のみに位相変更を行う場合、周期５の位相変更を行うためには、５つの位相変更値を用意すればよい。また、入れ替え後のベースバンド信号ｑ１および入れ替え後のベースバンド信号ｑ２の両者に対し位相変更を行う場合、１スロットのために、２つの位相変更値が必要となる。この２つの位相変更値を位相変更セットとよぶ。したがって、この場合、周期５の位相変更を行うためには、５つの位相変更セットを用意すればよい）この５つの位相変更値（または、位相変更セット）をPHASE[0], PHASE[1], PHASE[2],PHASE[3], PHASE[4]とあらわすものとする。
【０７７８】
変調方式がＱＰＳＫのとき、１つの符号化後のブロックを構成するビット数６０００ビットを送信するための上記で述べた１５００スロットにおいて、位相PHASE[0]を使用するスロットが３００スロット、位相PHASE[1]を使用するスロットが３００スロット、位相PHASE[2]を使用するスロットが３００スロット、位相PHASE[3]を使用するスロットが３００スロット、位相PHASE[4]を使用するスロットが３００スロットである必要がある。これは、使用する位相にかたよりがあると、多くの数を使用した位相の影響が大きく、受信装置において、この影響に依存したデータの受信品質となるからである。
【０７７９】
同様に、変調方式が１６ＱＡＭのとき、１つの符号化後のブロックを構成するビット数６０００ビットを送信するための上記で述べた７５０スロットにおいて、位相PHASE[0]を使用するスロットが１５０スロット、位相PHASE[1]を使用するスロットが１５０スロット、位相PHASE[2]を使用するスロットが１５０スロット、位相PHASE[3]を使用するスロットが１５０スロット、位相PHASE[4]を使用するスロットが１５０スロットである必要がある。
【０７８０】
同様に、変調方式が６４ＱＡＭのとき、１つの符号化後のブロックを構成するビット数６０００ビットを送信するための上記で述べた５００スロットにおいて、位相PHASE[0]を使用するスロットが１００スロット、位相PHASE[1]を使用するスロットが１００スロット、位相PHASE[2]を使用するスロットが１００スロット、位相PHASE[3]を使用するスロットが１００スロット、位相PHASE[4]を使用するスロットが１００スロットである必要がある。
【０７８１】
以上のように、規則的に位相を変更する方法において、用意する位相変更値（または、位相変更セット）をＮ個（Ｎ個の異なる位相をPHASE[0], PHASE[1], PHASE[2],・・・, PHASE[N-2] , PHASE[N-1]とあらわすものとする）としたとき、１つの符号化後のブロックを構成するビットをすべて送信する際に、位相PHASE[0]を使用するスロット数をＫ０, 位相PHASE[1]を使用するスロット数をＫ１、位相PHASE[i]を使用するスロット数をＫi（i=0,1,2,・・・,N-1（ｉは０以上Ｎ−１以下の整数））、 位相PHASE[N-1] を使用するスロット数をＫN-1としたとき、
＜条件＃Ｄ１−４＞
Ｋ０＝Ｋ１＝・・・＝Ｋi＝・・・＝ＫN-1、つまり、Ｋa＝Ｋb、（for∀a、∀b、ただし、a, b=0,1,2,・・・,N-1（ａは０以上Ｎ−１以下の整数、ｂは０以上Ｎ−１以下の整数）、a≠b）
であるとよい。
【０７８２】
そして、通信システムが、複数の変調方式をサポートしており、サポートしている変調方式から選択して使用する場合、サポートしている変調方式において、＜条件＃Ｄ１−４＞が成立するとよいことになる。
【０７８３】
しかし、複数の変調方式をサポートしている場合、各変調方式により１シンボルで送信することができるビット数が異なるのが一般的であり（場合によっては、同一となることもあり得る。）、場合によっては、＜条件＃Ｄ１−４＞を満たすことができない変調方式が存在することもある。この場合、＜条件＃Ｄ１−４＞にかわり、以下の条件を満たすとよい。
【０７８４】
＜条件＃Ｄ１−５＞
ＫaとＫbの差は０または１、つまり、｜Ｋa―Ｋb｜は０または１
（for∀a、∀b、ただし、a, b=0,1,2,・・・,N-1（ａは０以上Ｎ−１以下の整数、ｂは０以上Ｎ−１以下の整数）、a≠b）
図３５は、ブロック符号を用いたとき、２つの符号化後のブロックに必要なシンボル数、スロット数の変化を示した図である。図３５は、図６７の送信装置および図７０の送信装置に示したように、ｓ１、ｓ２の２つのストリームを送信し、かつ、送信装置が、２つの符号化器を有している場合の「ブロック符号を用いたとき、１つの符号化後のブロックに必要なシンボル数、スロット数の変化を示した図」である。（このとき、伝送方式としては、シングルキャリア伝送、ＯＦＤＭのようなマルチキャリア伝送、いずれを用いてもよい。）
図３５に示すように、ブロック符号における１つの符号化後のブロックを構成するビット数を６０００ビットであるとする。この６０００ビットを送信するためには、変調方式がＱＰＳＫのとき３０００シンボル、１６ＱＡＭのとき１５００シンボル、６４ＱＡＭのとき１０００シンボルが必要となる。
【０７８５】
そして、図６７の送信装置および図７０の送信装置では、２つのストリームを同時に送信することになり、また、２つの符号化器が存在するため、２つのストリームでは、異なる符号ブロックを伝送することになる。したがって、変調方式がＱＰＳＫのとき、ｓ１、ｓ２により、２つの符号化ブロックが同一区間内で送信されることから、例えば、ｓ１により第１の符号化後のブロックが送信され、ｓ２により、第２の符号化ブロックが送信されることになるので、第１、第２の符号化後のブロックを送信するために３０００スロットが必要となる。
【０７８６】
同様に考えると、変調方式が１６ＱＡＭのとき、２つの符号化後のブロックを構成するすべてのビットを送信するために１５００スロットが必要となり、変調方式が６４ＱＡＭのとき、２つの符号化後のブロックを構成するすべてのビットを送信するために１０００スロットが必要となる。
【０７８７】
次に、規則的に位相を変更する方法において、上述で定義したスロットと乗じる位相との関係について説明する。
【０７８８】
ここでは、規則的に位相を変更する方法のために用意する位相変更値（または、位相変更セット）の数を５とする。つまり、図６７の送信装置および図７０の送信装置の位相変更部のために、５つの位相変更値（または、位相変更セット）を用意するものとする。（図６９のように、入れ替え後のベースバンド信号ｑ２のみに位相変更を行う場合、周期５の位相変更を行うためには、５つの位相変更値を用意すればよい。また、入れ替え後のベースバンド信号ｑ１および入れ替え後のベースバンド信号ｑ２の両者に対し位相変更を行う場合、１スロットのために、２つの位相変更値が必要となる。この２つの位相変更値を位相変更セットとよぶ。したがって、この場合、周期５の位相変更を行うためには、５つの位相変更セットを用意すればよい）この５つの位相変更値（または、位相変更セット）をPHASE[0], PHASE[1], PHASE[2],PHASE[3], PHASE[4]とあらわすものとする。
【０７８９】
変調方式がＱＰＳＫのとき、２つの符号化後のブロックを構成するビット数６０００×２ビットを送信するための上記で述べた３０００スロットにおいて、位相PHASE[0]を使用するスロットが６００スロット、位相PHASE[1]を使用するスロットが６００スロット、位相PHASE[2]を使用するスロットが６００スロット、位相PHASE[3]を使用するスロットが６００スロット、位相PHASE[4]を使用するスロットが６００スロットである必要がある。これは、使用する位相にかたよりがあると、多くの数を使用した位相の影響が大きく、受信装置において、この影響に依存したデータの受信品質となるからである。
【０７９０】
また、第１の符号化ブロックを送信するために、位相PHASE[0]を使用するスロットが６００回、位相PHASE[1]を使用するスロットが６００回、位相PHASE[2]を使用するスロットが６００回、位相PHASE[3]を使用するスロットが６００回、位相PHASE[4]を使用するスロットが６００回である必要があり、また、第２の符号化ブロックを送信するために、位相PHASE[0]を使用するスロットが６００回、位相PHASE[1]を使用するスロットが６００回、位相PHASE[2]を使用するスロットが６００回、位相PHASE[3]を使用するスロットが６００回、位相PHASE[4]を使用するスロットが６００回であるとよい。
【０７９１】
同様に、変調方式が１６ＱＡＭのとき、２つの符号化後のブロックを構成するビット数６０００×２ビットを送信するための上記で述べた１５００スロットにおいて、位相PHASE[0]を使用するスロットが３００スロット、位相PHASE[1]を使用するスロットが３００スロット、位相PHASE[2]を使用するスロットが３００スロット、位相PHASE[3]を使用するスロットが３００スロット、位相PHASE[4]を使用するスロットが３００スロットである必要がある。
【０７９２】
また、第１の符号化ブロックを送信するために、位相PHASE[0]を使用するスロットが３００回、位相PHASE[1]を使用するスロットが３００回、位相PHASE[2]を使用するスロットが３００回、位相PHASE[3]を使用するスロットが３００回、位相PHASE[4]を使用するスロットが３００回である必要があり、また、第２の符号化ブロックを送信するために、位相PHASE[0]を使用するスロットが３００回、位相PHASE[1]を使用するスロットが３００回、位相PHASE[2]を使用するスロットが３００回、位相PHASE[3]を使用するスロットが３００回、位相PHASE[4]を使用するスロットが３００回であるとよい。
【０７９３】
同様に、変調方式が６４ＱＡＭのとき、２つの符号化後のブロックを構成するビット数６０００×２ビットを送信するための上記で述べた１０００スロットにおいて、位相PHASE[0]を使用するスロットが２００スロット、位相PHASE[1]を使用するスロットが２００スロット、位相PHASE[2]を使用するスロットが２００スロット、位相PHASE[3]を使用するスロットが２００スロット、位相PHASE[4]を使用するスロットが２００スロットである必要がある。
【０７９４】
また、第１の符号化ブロックを送信するために、位相PHASE[0]を使用するスロットが２００回、位相PHASE[1]を使用するスロットが２００回、位相PHASE[2]を使用するスロットが２００回、位相PHASE[3]を使用するスロットが２００回、位相PHASE[4]を使用するスロットが２００回である必要があり、また、第２の符号化ブロックを送信するために、位相PHASE[0]を使用するスロットが２００回、位相PHASE[1]を使用するスロットが２００回、位相PHASE[2]を使用するスロットが２００回、位相PHASE[3]を使用するスロットが２００回、位相PHASE[4]を使用するスロットが２００回であるとよい。
【０７９５】
以上のように、規則的に位相を変更する方法において、用意する位相変更値（または、位相変更セット）をＮ個（Ｎ個の異なる位相をPHASE[0], PHASE[1], PHASE[2],・・・, PHASE[N-2] , PHASE[N-1]とあらわすものとする）としたとき、２つの符号化後のブロックを構成するビットをすべて送信する際に、位相PHASE[0]を使用するスロット数をＫ０, 位相PHASE[1]を使用するスロット数をＫ１、位相PHASE[i]を使用するスロット数をＫi（i=0,1,2,・・・,N-1（ｉは０以上Ｎ−１以下の整数））、 位相PHASE[N-1] を使用するスロット数をＫN-1としたとき、
＜条件＃Ｄ１−６＞
Ｋ０＝Ｋ１＝・・・＝Ｋi＝・・・＝ＫN-1、つまり、Ｋa＝Ｋb、（for∀a、∀b、ただし、a, b=0,1,2,・・・,N-1（ａは０以上Ｎ−１以下の整数、ｂは０以上Ｎ−１以下の整数）、a≠b）
であり、第１の符号化後のブロックを構成するビットをすべて送信する際に、位相PHASE[0]を使用する回数をＫ０，１, 位相PHASE[1]を使用する回数をＫ１，１、位相PHASE[i]を使用する回数をＫi，１（i=0,1,2,・・・,N-1（ｉは０以上Ｎ−１以下の整数））、 位相PHASE[N-1] を使用する回数をＫN-1，１としたとき、
＜条件＃Ｄ１−７＞
Ｋ０，１＝Ｋ１，１＝・・・＝Ｋi，１＝・・・＝ＫN-1，１、つまり、Ｋa，１＝Ｋb，１、（for∀a、∀b、ただし、a, b=0,1,2,・・・,N-1（ａは０以上Ｎ−１以下の整数、ｂは０以上Ｎ−１以下の整数）、a≠b）
であり、第２の符号化後のブロックを構成するビットをすべて送信する際に、位相PHASE[0]を使用する回数をＫ０，２, 位相PHASE[1]を使用する回数をＫ１，２、位相PHASE[i]を使用する回数をＫi，２（i=0,1,2,・・・,N-1（ｉは０以上Ｎ−１以下の整数））、 位相PHASE[N-1] を使用する回数をＫN-1，２としたとき、
＜条件＃Ｄ１−８＞
Ｋ０，２＝Ｋ１，２＝・・・＝Ｋi，２＝・・・＝ＫN-1，２、つまり、Ｋa，２＝Ｋb，２、（for∀a、∀b、ただし、a, b=0,1,2,・・・,N-1（ａは０以上Ｎ−１以下の整数、ｂは０以上Ｎ−１以下の整数）、a≠b）
であるとよい。
【０７９６】
そして、通信システムが、複数の変調方式をサポートしており、サポートしている変調方式から選択して使用する場合、サポートしている変調方式において、＜条件＃Ｄ１−６＞＜条件＃Ｄ１−７＞＜条件＃Ｄ１−８＞が成立するとよいことになる。
【０７９７】
しかし、複数の変調方式をサポートしている場合、各変調方式により１シンボルで送信することができるビット数が異なるのが一般的であり（場合によっては、同一となることもあり得る。）、場合によっては、＜条件＃Ｄ１−６＞＜条件＃Ｄ１−７＞＜条件＃Ｄ１−８＞を満たすことができない変調方式が存在することもある。この場合、＜条件＃Ｄ１−６＞＜条件＃Ｄ１−７＞＜条件＃Ｄ１−８＞にかわり、以下の条件を満たすとよい。
【０７９８】
＜条件＃Ｄ１−９＞
ＫaとＫbの差は０または１、つまり、｜Ｋa―Ｋb｜は０または１
（for∀a、∀b、ただし、a, b=0,1,2,・・・,N-1（ａは０以上Ｎ−１以下の整数、ｂは０以上Ｎ−１以下の整数）、a≠b）
＜条件＃Ｄ１−１０＞
Ｋa，１とＫb，１の差は０または１、つまり、｜Ｋa，１―Ｋb，１｜は０または１
（for∀a、∀b、ただし、a, b=0,1,2,・・・,N-1（ａは０以上Ｎ−１以下の整数、ｂは０以上Ｎ−１以下の整数）、a≠b）
＜条件＃Ｄ１−１１＞
Ｋa，２とＫb，２の差は０または１、つまり、｜Ｋa，２―Ｋb，２｜は０または１
（for∀a、∀b、ただし、a, b=0,1,2,・・・,N-1（ａは０以上Ｎ−１以下の整数、ｂは０以上Ｎ−１以下の整数）、a≠b）
以上のように、符号化後のブロックと乗じる位相の関係付けを行うことで、符号化ブロックを伝送するために使用する位相にかたよりがなくなるため、受信装置において、データの受信品質が向上するという効果を得ることができる。
【０７９９】
上述では、規則的に位相を変更する方法において、周期Nの位相変更方法のためには、N個の位相変更値（または、位相変更セット）が必要となる。このとき、N個の位相変更値（または、位相変更セット）として、PHASE[0]、PHASE[1]、PHASE[2]、・・・、PHASE[N-2]、PHASE[N-1]を用意することになるが、周波数軸方向にPHASE[0]、PHASE[1]、PHASE[2]、・・・、PHASE[N-2]、PHASE[N-1]の順に並べる方法もあるが、必ずしもこれに限ったものではなく、N個の位相変更値（または、位相変更セット）PHASE[0]、PHASE[1]、PHASE[2]、・・・、PHASE[N-2]、PHASE[N-1]を時間軸、周波数―時間軸のブロックに対し、シンボルを配置することで、位相を変更することもできる。なお、周期Nの位相変更方法として説明しているが、N個の位相変更値（または、位相変更セット）をランダムに用いるようにしても同様の効果を得ることができる、つまり、必ずしも、規則的な周期を持つようにN個の位相変更値（または、位相変更セット）を用いる必要はないが、上記で説明した条件を満たすことは、受信装置において、高いデータの受信品質を得る上では、重要となる。
【０８００】
また、空間多重ＭＩＭＯ伝送方式、プリコーディング行列が固定のＭＩＭＯ伝送方式、時空間ブロック符号化方式、１ストリームのみ送信、規則的に位相を変更する方法のモードが存在し、送信装置（放送局、基地局）は、これらのモードから、いずれかの送信方法を選択することができるようにしてもよい。
【０８０１】
なお、空間多重ＭＩＭＯ伝送方式とは、非特許文献３に示されているように、選択した変調方式でマッピングした信号ｓ１、ｓ２をそれぞれ異なるアンテナから送信する方法であり、プリコーディング行列が固定のＭＩＭＯ伝送方式とは、プリコーディングのみを行う（位相変更を行わない）方式である。また、時空間ブロック符号化方式とは、非特許文献９、１６、１７に示されている伝送方式である。１ストリームのみ送信とは、選択した変調方式でマッピングした信号ｓ１の信号を所定の処理を行いアンテナから送信する方法である。
【０８０２】
また、ＯＦＤＭのようなマルチキャリアの伝送方式を用いており、複数のキャリアで構成された第１キャリア群、複数のキャリアで構成された第１キャリア群とは異なる第２キャリア群、・・・というように複数のキャリア群でマルチキャリア伝送を実現しており、キャリア群ごとに、空間多重ＭＩＭＯ伝送方式、プリコーディング行列が固定のＭＩＭＯ伝送方式、時空間ブロック符号化方式、１ストリームのみ送信、規則的に位相を変更する方法のいずれかに設定してもよく、特に、規則的に位相を変更する方法を選択した（サブ）キャリア群では、上述を実施するとよい。
【０８０３】
なお、本実施の説明した、プリコーディング、ベースバンド信号の入れ替え、位相変更を施す、送信装置と、本明細書で説明した内容は、組み合わせて使用することができ、特に、本実施の形態で説明した位相変更部に対し、本明細書で説明した全ての位相変更に関する内容を組み合わせて使用することは可能である。
【０８０４】
（実施の形態Ｄ２）
本実施の形態では、図４の送信装置の場合、図４の送信装置に対しＯＦＤＭ方式のようなマルチキャリア方式に対応した場合、図６７、図７０の送信装置に対し図４のように、一つの符号化器と分配部を適用した場合において、本明細書の中で説明した規則的に位相変更を行った場合の位相変更のイニシャライズ方法について説明する。
【０８０５】
非特許文献１２〜非特許文献１５に示されているように、ＱＣ（Quasi Cyclic）  ＬＤＰＣ（Low-Density Parity-Check）符号（ＱＣ−ＬＤＰＣ符号でない、ＬＤＰＣ符号であってもよい）、ＬＤＰＣ符号とＢＣＨ符号（Bose-Chaudhuri-Hocquenghem code）の連接符号、テイルバイティングを用いたターボ符号またはDuo-Binary Turbo Code等のブロック符号を用いたときの規則的に位相を変更する場合を考える。
【０８０６】
ここでは、一例として、ｓ１、ｓ２の２つのストリームを送信する場合を例に説明する。ただし、ブロック符号を用いて符号化を行った際、制御情報等が必要でないとき、符号化後のブロックを構成するビット数は、ブロック符号を構成するビット数（ただし、この中に、以下で記載するような制御情報等が含まれていてもよい。）と一致する。ブロック符号を用いて符号化を行った際、制御情報等（例えば、ＣＲＣ（cyclic redundancy check）、伝送パラメータ等）が必要であるとき、符号化後のブロックを構成するビット数は、ブロック符号を構成するビット数と制御情報等のビット数の和であることもある。
【０８０７】
図３４は、ブロック符号を用いたとき、１つの符号化後のブロックに必要なシンボル数、スロット数の変化を示した図である。図３４は、例えば、上述の送信装置に対し、ｓ１、ｓ２の２つのストリームを送信し、かつ、送信装置が、１つの符号化器を有している場合の「ブロック符号を用いたとき、１つの符号化後のブロックに必要なシンボル数、スロット数の変化を示した図」である。（このとき、伝送方式としては、シングルキャリア伝送、ＯＦＤＭのようなマルチキャリア伝送、いずれを用いてもよい。）
図３４に示すように、ブロック符号における１つの符号化後のブロックを構成するビット数を６０００ビットであるとする。この６０００ビットを送信するためには、変調方式がＱＰＳＫのとき３０００シンボル、１６ＱＡＭのとき１５００シンボル、６４ＱＡＭのとき１０００シンボルが必要となる。
【０８０８】
そして、上述の送信装置では、２つのストリームを同時に送信することになるため、変調方式がＱＰＳＫのとき、前述の３０００シンボルは、ｓ１に１５００シンボル、ｓ２に１５００シンボル割り当てられることになるため、ｓ１で送信する１５００シンボルとｓ２で送信する１５００シンボルを送信するために１５００スロット（ここでは「スロット」と名付ける。）が必要となる。
【０８０９】
同様に考えると、変調方式が１６ＱＡＭのとき、１つの符号化後のブロックを構成するすべてのビットを送信するために７５０スロットが必要となり、変調方式が６４ＱＡＭのとき、１ブロックを構成するすべてのビットを送信するために５００スロットが必要となる。
【０８１０】
次に、図７１のようなフレーム構成で、送信装置が、変調信号を送信する場合を考える。図７１（ａ）は、変調信号ｚ１’またはｚ１（アンテナ３１２Ａで送信）の時間および周波数軸におけるフレーム構成を示している。また、図７１（ｂ）は、変調信号ｚ２（アンテナ３１２Ｂで送信）の時間および周波数軸におけるフレーム構成を示している。このとき、変調信号ｚ１’またはｚ１が用いている周波数（帯）と変調信号ｚ２が用いている周波数（帯）は同一であるものとし、同一時刻に変調信号ｚ１’またはｚ１、と、変調信号ｚ２が存在することになる。
【０８１１】
図７１（ａ）に示すように、送信装置は区間Ａではプリアンブル（制御シンボル）を送信しており、通信相手に制御情報を伝送するためのシンボルであり、特に、ここでは、第１、第２符号化ブロックを伝送するための変調方式の情報が含まれているものとする。送信装置は、区間Ｂで、第１符号化ブロックを送信することになる。送信装置は区間Ｃで、第２符号化ブロックを送信することになる。
【０８１２】
送信装置は区間Ｄではプリアンブル（制御シンボル）を送信しており、通信相手に制御情報を伝送するためのシンボルであり、特に、ここでは、第３、第４、・・・、符号化ブロックを伝送するための変調方式の情報が含まれているものとする。送信装置は、区間Ｅで、第３符号化ブロックを送信することになる。送信装置は区間Ｆで、第４符号化ブロックを送信することになる。
【０８１３】
図７１（ｂ）に示すように、送信装置は区間Ａではプリアンブル（制御シンボル）を送信しており、通信相手に制御情報を伝送するためのシンボルであり、特に、ここでは、第１、第２符号化ブロックを伝送するための変調方式の情報が含まれているものとする。送信装置は、区間Ｂで、第１符号化ブロックを送信することになる。送信装置は区間Ｃで、第２符号化ブロックを送信することになる。
【０８１４】
送信装置は区間Ｄではプリアンブル（制御シンボル）を送信しており、通信相手に制御情報を伝送するためのシンボルであり、特に、ここでは、第３、第４、・・・、符号化ブロックを伝送するための変調方式の情報が含まれているものとする。送信装置は、区間Ｅで、第３符号化ブロックを送信することになる。送信装置は区間Ｆで、第４符号化ブロックを送信することになる。
【０８１５】
図７２は、図３４のように符号化ブロックを伝送する場合において、特に、第１符号化ブロックでは、変調方式として１６ＱＡＭを用いた場合に使用するスロット数を示しており、第１符号化ブロックを伝送するためには、７５０スロットが必要となる。
【０８１６】
同様に、第２符号化ブロックでは、変調方式としてＱＰＳＫを用いた場合に使用するスロット数を示しており、第２符号化ブロックを伝送するためには、１５００スロットが必要となる。
【０８１７】
図７３は、図３４のように符号化ブロックを伝送する場合において、特に、第３符号化ブロックでは、変調方式としてＱＰＳＫを用いた場合に使用するスロット数を示しており、第３符号化ブロックを伝送するためには、１５００スロットが必要となる。
【０８１８】
そして、本明細書で説明したように、変調信号ｚ１、つまり、アンテナ３１２Ａで送信する変調信号に対しては、位相変更を行わず、変調信号ｚ２、つまり、アンテナ３１２Ｂで送信する変調信号に対しては、位相変更を行う場合を考える。このとき、図７２、図７３では、位相変更を行う方法について示している。
【０８１９】
まず、前提として、位相変更するために、異なる位相変更値を７つ用意し、７つの位相変更値を＃０、＃１、＃２、＃３、＃４、＃５、＃６と名付ける。また、位相変更は規則的、且つ周期的に用いるものとする。つまり、位相変更値は、＃０、＃１、＃２、＃３、＃４、＃５、＃６、＃０、＃１、＃２、＃３、＃４、＃５、＃６、＃０、＃１、＃２、＃３、＃４、＃５、＃６、・・・というように規則的にかつ、周期的に変更を行うものとする。
【０８２０】
図７２に示すように、まず、第１ブロック符号化ブロックでは、７５０スロット存在するので、位相変更値を＃０から使用を開始すると、＃０、＃１、＃２、＃３、＃４、＃５、＃６、＃０、＃１、＃２、・・・、＃４、＃５、＃６、＃０となり、７５０番目のスロットは＃０を用いて終了することになる。
次に、第２符号化ブロックの各スロットに対し、位相変更を適用することになる。本明細書では、マルチキャスト通信、放送に適用する場合を想定しているので、ある受信端末は、第１符号化ブロックを必要とせず、第２符号化ブロックのみ抽出する場合が考えられる。この場合、第１符号化ブロックの最後のスロットを送信するために位相変更値＃０を用いたからといって、第２符号化ブロックを伝送するために、最初に位相変更値＃１を用いたものとする。すると、
（ａ）：前述の端末は、第１符号化ブロックがどのように送信されたかを監視、つまり、第１符号化ブロックの最後のスロットの送信に位相変更値がどのパターンであるかを監視し、第２符号化ブロックの最初のスロットに使用する位相変更値を推定する、
（ｂ）：(ａ)を行わないために、送信装置は、第２符号化ブロックの最初のスロットに使用する位相変更値の情報を伝送する
という方法が考えられる。(ａ)の場合、端末は第１符号化ブロックの伝送を監視する必要があるため消費電力が増大してしまい、(ｂ)の場合、データの伝送効率の低下を招くことになる。
【０８２１】
したがって、上述のような位相変更値の割り当てには改善の余地がある。そこで、各符号化ブロックの最初のスロットを伝送するために使用する位相変更値を固定とする方法を提案する。したがって、図７２に示すように、第２符号化ブロックの最初のスロットを伝送するために使用する位相変更値は、第１符号化ブロックの最初のスロットを伝送するために用いた位相変更値と同様に、＃０とする。
【０８２２】
同様に、図７３に示すように、第３符号化ブロックの最初のスロットを伝送するために使用する位相変更値は、＃３とするのではなく、第１、第２符号化ブロックの最初のスロットを伝送するために使用する位相変更値と同様に、＃０とする。
【０８２３】
以上のようにすることで、（ａ）、（ｂ）で発生する課題を抑制することができるという効果を得ることができる。
【０８２４】
なお、本実施の形態では、符号化ブロックごとに位相変更値をイニシャライズする方法、つまり、いずれの符号化ブロックの最初のスロットに使用する位相変更値は、＃０と固定と方法について述べたが、別の方法として、フレーム単位で行うことも可能である。例えば、プリアンブルや制御シンボル伝送後の情報を伝送するためのシンボルにおいて、最初のスロットで使用する位相変更値は＃０と固定としてもよい。
【０８２５】
（実施の形態Ｄ３）
なお、上述の各実施の形態では、重み付け合成部がプリコーディングに使用するプリコーディング行列を複素数で表現しているが、プリコーディング行列を実数で表現することもできる。
【０８２６】
つまり、例えば、２つのマッピング後の（使用した変調方式の）ベースバンド信号をｓ１（ｉ）、ｓ２（ｉ）（ただし、ｉは時間、または、周波数）とし、プリコーディングに得られる２つのプリコーディング後のベースバンド信号をｚ１（ｉ）、ｚ２（ｉ）とする。そして、マッピング後の（使用した変調方式の）ベースバンド信号をｓ１（ｉ）の同相成分をＩｓ１（ｉ）、直交成分をＱｓ１（ｉ）、マッピング後の（使用した変調方式の）ベースバンド信号をｓ２（ｉ）の同相成分をＩｓ２（ｉ）、直交成分をＱｓ２（ｉ）、プリコーディング後のベースバンド信号をｚ１（ｉ）の同相成分をＩｚ１（ｉ）、直交成分をＱｚ１（ｉ）、プリコーディング後のベースバンド信号をｚ２（ｉ）の同相成分をＩｚ２（ｉ）、直交成分をＱｚ２（ｉ）とすると、実数で構成されたプリコーディング行列Ｈｒを用いると以下の関係式が成立する。
【０８２７】
【数７６】
2012144206.tif 000079
【０８２８】
ただし、実数で構成されたプリコーディング行列Ｈｒは以下のようにあらわされる。
【０８２９】
【数７７】
2012144206.tif 000080
【０８３０】
このとき、ａ１１、ａ１２、ａ１３、ａ１４、ａ２１、ａ２２、ａ２３、ａ２４、ａ３１、ａ３２、ａ３３、ａ３４、ａ４１、ａ４２、ａ４３、ａ４４は実数である。ただし、｛ａ１１＝０かつａ１２＝０かつａ１３＝０かつａ１４＝０｝が成立してはならず、｛ａ２１＝０かつａ２２＝０かつａ２３＝０かつａ２４＝０｝が成立してはならず、｛ａ３１＝０かつａ３２＝０かつａ３３＝０かつａ３４＝０｝が成立してはならず、｛ａ４１＝０かつａ４２＝０かつａ４３＝０かつａ４４＝０｝が成立してはならない。そして、｛ａ１１＝０かつａ２１＝０かつａ３１＝０かつａ４１＝０｝が成立してはならず、｛ａ１２＝０かつａ２２＝０かつａ３２＝０かつａ４２＝０｝が成立してはならず、｛ａ１３＝０かつａ２３＝０かつａ３３＝０かつａ４３＝０｝が成立してはならず、｛ａ１４＝０かつａ２４＝０かつａ３４＝０かつａ４４＝０｝が成立してはならない。
【０８３１】
（実施の形態Ｅ１）
本実施の形態では、プリコーディング後（または、プリコーディングおよびベースバンド信号入れ替え後）の信号に位相変更を行う送信方法を、ＤＶＢ（Digital Video Broadcasting）−Ｔ２（Ｔ:Terrestrial）規格を用いた放送システムに適用する場合について説明する。はじめに、ＤＶＢ―Ｔ２規格を用いた放送システムのフレーム構成について説明する。
【０８３２】
図７４は、ＤＶＢ−Ｔ２規格における、放送局が送信する信号のフレーム構成の概要を示している。ＤＶＢ−Ｔ２規格では、ＯＦＤＭ方式を用いているため、時間―周波数軸にフレームが構成されている。図７４は、時間−周波数軸におけるフレーム構成を示しており、フレームは、P1 Signalling data（７４０１）、L1 Pre-Signalling data（７４０２）、L1 Post-Signalling data（７４０３）、Common PLP（７４０４）、PLP#1〜#N（７４０５＿１〜７４０５＿Ｎ）で構成されている（ＰＬＰ：Physical Layer Pipe）。 （ここで、L1 Pre-Signalling data（７４０２）、L1 Post-Signalling data（７４０３）をP2シンボルと呼ぶ。）このように、P1 Signalling data（７４０１）、L1 Pre-Signalling data（７４０２）、L1 Post-Signalling data（７４０３）、Common PLP（７４０４）、PLP#1〜#N（７４０５＿１〜７４０５＿Ｎ）で構成されているフレームをＴ２フレームと名付けており、フレーム構成の一つの単位となっている。
【０８３３】
P1 Signalling data（７４０１）により、受信装置が信号検出、周波数同期（周波数オフセット推定も含む）を行うためのシンボルであると同時に、フレームにおけるＦＦＴ（Fast Fourier Transform）サイズの情報、ＳＩＳＯ（Single-Input Single-Output）／ＭＩＳＯ（Multiple-Input Single-Output）のいずれの方式で変調信号を送信するかの情報等を伝送する。（ＳＩＳＯ方式の場合、一つの変調信号を送信する方式で、ＭＩＳＯ方式の場合、複数の変調信号を送信する方法であり、かつ、非特許文献９、１６、１７に示されている時空間ブロック符号を用いている。）
L1 Pre-Signalling data（７４０２）により、送信フレームで使用するガードインターバルの情報、ＰＡＰＲ（Peak to Average Power Ratio）を削減するために行う信号処理方法に関する情報、L1 Post-Signalling dataを伝送する際の変調方式、誤り訂正方式（FEC: Forward Error Correction）、誤り訂正方式の符号化率の情報、L1 Post-Signalling dataのサイズおよび情報サイズの情報、パイロットパターンの情報、セル（周波数領域）固有番号の情報、ノーマルモードおよび拡張モード（ノーマルモードと拡張モードでは、データ伝送に用いるサブキャリア数が異なる。）のいずれの方式を用いているかの情報等を伝送する。
【０８３４】
L1 Post-Signalling data（７４０３）により、ＰＬＰの数の情報、使用する周波数領域に関する情報、各ＰＬＰの固有番号の情報、各ＰＬＰを伝送するのに使用する変調方式、誤り訂正方式、誤り訂正方式の符号化率の情報、各ＰＬＰの送信するブロック数の情報等を伝送する。
【０８３５】
Common PLP（７４０４）、PLP#1〜#N（７４０５＿１〜７４０５＿Ｎ）は、データを伝送するための領域である。
【０８３６】
図７４のフレーム構成では、P1 Signalling data（７４０１）、L1 Pre-Signalling data（７４０２）、L1 Post-Signalling data（７４０３）、Common PLP（７４０４）、PLP#1〜#N（７４０５＿１〜６１０５＿Ｎ）は時分割で送信されているように記載しているが、実際は、同一時刻に２種類以上の信号が存在している。その例を図７５に示す。図７５に示すように、同一時刻に、L1 Pre-Signalling data、L1 Post-Signalling data、Common PLPが存在していたり、同一時刻に、PLP#1、PLP#2が存在したりすることもある。つまり、各信号は、時分割および周波数分割を併用し、フレームが構成されている。
【０８３７】
図７６は、ＤＶＢ−Ｔ２規格における（例えば、放送局）の送信装置に対し、プリコーディング後（または、プリコーディングおよびベースバンド信号入れ替え後）の信号に位相変更を行う送信方法を適用した送信装置の構成の一例を示している。
【０８３８】
ＰＬＰ信号生成部７６０２は、ＰＬＰ用の送信データ７６０１（複数ＰＬＰ用のデータ）、制御信号７６０９を入力とし、制御信号７６０９に含まれる各ＰＬＰの誤り訂正符号化の情報、変調方式の情報等の情報に基づき、誤り訂正符号化、変調方式に基づくマッピングを行い、ＰＬＰの（直交）ベースバンド信号７６０３を出力する。
【０８３９】
Ｐ２シンボル信号生成部７６０５は、Ｐ２シンボル用送信データ７６０４、制御信号７６０９を入力とし、制御信号７６０９に含まれるＰ２シンボルの誤り訂正の情報、変調方式の情報等の情報に基づき、誤り訂正符号化、変調方式に基づくマッピングを行い、Ｐ２シンボルの（直交）ベースバンド信号７６０６を出力する。
【０８４０】
制御信号生成部７６０８は、Ｐ１シンボル用の送信データ７６０７、Ｐ２シンボル用送信データ７６０４を入力とし、図７４における各シンボル群（P1 Signalling data（７４０１）、L1 Pre-Signalling data（７４０２）、L1 Post-Signalling data（７４０３）、Common PLP（７４０４）、PLP#1〜#N（７４０５＿１〜７４０５＿Ｎ））の送信方法（誤り訂正符号、誤り訂正符号の符号化率、変調方式、ブロック長、フレーム構成、規則的にプリコーディング行列を切り替える送信方法を含む選択した送信方法、パイロットシンボル挿入方法、ＩＦＦＴ（Inverse Fast Fourier Transform）／ＦＦＴの情報等、PAPR削減方法の情報、ガードインターバル挿入方法の情報）の情報を制御信号７６０９として出力する。
【０８４１】
フレーム構成部７６１０は、ＰＬＰのベースバンド信号７６０３、Ｐ２シンボルのベースバンド信号７６０６、制御信号７６０９を入力とし、制御信号に含まれるフレーム構成の情報に基づき、周波数、時間軸における並び替えを施し、フレーム構成にしたがった、ストリーム１の（直交）ベースバンド信号７６１１＿１（マッピング後の信号、つまり、使用する変調方式に基づくベースバンド信号）、ストリーム２の（直交）ベースバンド信号７６１１＿２（マッピング後の信号、つまり、使用する変調方式に基づくベースバンド信号）を出力する。
【０８４２】
信号処理部７６１２は、ストリーム１のベースバンド信号７６１１＿１、ストリーム２のベースバンド信号７６１１＿２、制御信号７６０９を入力とし、制御信号７６０９に含まれる送信方法に基づいた信号処理後の変調信号１（７６１３＿１）および信号処理後の変調信号２（７６１３＿２）を出力する。
【０８４３】
ここで特徴的な点は、送信方法として、プリコーディング後（または、プリコーディングおよびベースバンド信号入れ替え後）の信号に位相変更を行う送信方法が選択されたとき、信号処理部は、図６、図２５、図２６、図２７、図２８、図２９、図６９と同様に、プリコーディング後（またはプリコーディングおよびベースバンド信号入れ替え後）の信号に位相変更を行う処理を行い、この信号処理を行われた信号が、信号処理後の変調信号１（７６１３＿１）および信号処理後の変調信号２（７６１３＿２）となる。
【０８４４】
パイロット挿入部７６１４＿１は、信号処理後の変調信号１（７６１３＿１）、制御信号７６０９を入力とし、制御信号７６０９に含まれるパイロットシンボルの挿入方法に関する情報に基づき、信号処理後の変調信号１（７６１３＿１）にパイロットシンボルを挿入し、パイロットシンボル挿入後の変調信号７６１５＿１を出力する。
【０８４５】
パイロット挿入部７６１４＿２は、信号処理後の変調信号２（７６１３＿２）、制御信号７６０９を入力とし、制御信号７６０９に含まれるパイロットシンボルの挿入方法に関する情報に基づき、信号処理後の変調信号２（７６１３＿２）にパイロットシンボルを挿入し、パイロットシンボル挿入後の変調信号７６１５＿２を出力する。
【０８４６】
ＩＦＦＴ（Inverse Fast Fourier Transform）部７６１６＿１は、パイロットシンボル挿入後の変調信号７６１５＿１、制御信号７６０９を入力とし、制御信号７６０９に含まれるＩＦＦＴの方法の情報に基づき、ＩＦＦＴを施し、ＩＦＦＴ後の信号７６１７＿１を出力する。
【０８４７】
ＩＦＦＴ部７６１６＿２は、パイロットシンボル挿入後の変調信号７６１５＿２、制御信号７６０９を入力とし、制御信号７６０９に含まれるＩＦＦＴの方法の情報に基づき、ＩＦＦＴを施し、ＩＦＦＴ後の信号７６１７＿２を出力する。
【０８４８】
ＰＡＰＲ削減部７６１８＿１は、ＩＦＦＴ後の信号７６１７＿１、制御信号７６０９を入力とし、制御信号７６０９に含まれるＰＡＰＲ削減に関する情報に基づき、ＩＦＦＴ後の信号７６１７＿１にＰＡＰＲ削減のための処理を施し、ＰＡＰＲ削減後の信号７６１９＿１を出力する。
【０８４９】
ＰＡＰＲ削減部７６１８＿２は、ＩＦＦＴ後の信号７６１７＿２、制御信号７６０９を入力とし、制御信号７６０９に含まれるＰＡＰＲ削減に関する情報に基づき、ＩＦＦＴ後の信号７６１７＿２にＰＡＰＲ削減のための処理を施し、ＰＡＰＲ削減後の信号７６１９＿２を出力する。
【０８５０】
ガードインターバル挿入部７６２０＿１は、ＰＡＰＲ削減後の信号７６１９＿１、制御信号７６０９を入力とし、制御信号７６０９に含まれるガードインターバルの挿入方法に関する情報に基づき、ＰＡＰＲ削減後の信号７６１９＿１にガードインターバルを挿入し、ガードインターバル挿入後の信号７６２１＿１を出力する。
【０８５１】
ガードインターバル挿入部７６２０＿２は、ＰＡＰＲ削減後の信号７６１９＿２、制御信号７６０９を入力とし、制御信号７６０９に含まれるガードインターバルの挿入方法に関する情報に基づき、ＰＡＰＲ削減後の信号７６１９＿２にガードインターバルを挿入し、ガードインターバル挿入後の信号７６２１＿２を出力する。
【０８５２】
Ｐ１シンボル挿入部７６２２は、ガードインターバル挿入後の信号７６２１＿１、ガードインターバル挿入後の信号７６２１＿２、Ｐ１シンボル用の送信データ７６０７を入力とし、Ｐ１シンボル用の送信データ７６０７からＰ１シンボルの信号を生成し、ガードインターバル挿入後の信号７６２１＿１に対し、Ｐ１シンボルを付加し、Ｐ１シンボルを付加した後の信号７６２３＿１と、および、ガードインターバル挿入後の信号７６２１＿２に対し、Ｐ１シンボルを付加し、Ｐ１シンボルを付加した後の信号７６２３＿２とを出力する。なお、Ｐ１シンボルの信号は、Ｐ１シンボルを付加した後の信号７６２３＿１、Ｐ１シンボルを付加した後の信号７６２３＿２両者に付加されていてもよく、また、いずれもか一方に付加されていてもよい。一方に付加されている場合、付加されている信号の付加されている区間では、付加されていない信号には、ベースバンド信号としてゼロの信号が存在することになる。
【０８５３】
無線処理部７６２４＿１は、Ｐ１シンボルを付加した後の信号７６２３＿１、制御信号７６０９を入力とし、周波数変換、増幅等の処理が施され、送信信号７６２５＿１を出力する。そして、送信信号７６２５＿１は、アンテナ７６２６＿１から電波として出力される。
【０８５４】
無線処理部７６２４＿２は、Ｐ１シンボル用処理後の信号７６２３＿２、制御信号７６０９を入力とし、周波数変換、増幅等の処理が施され、送信信号７６２５＿２を出力する。そして、送信信号７６２５＿２は、アンテナ７６２６＿２から電波として出力される。
【０８５５】
図７７は、Ｐ１シンボル、Ｐ２シンボル、Common PLPを送信後、複数のＰＬＰを送信する場合の周波数−時間軸におけるフレーム構成の一例を示している。図７７において、ストリームｓ１（マッピング後の信号、つまり、使用する変調方式に基づくベースバンド信号）は、周波数軸において、サブキャリア＃１〜サブキャリア＃Ｍを用いており、同様にストリームｓ２（マッピング後の信号、つまり、使用する変調方式に基づくベースバンド信号）も、周波数軸において、サブキャリア＃１〜サブキャリア＃Ｍを用いている。したがって、ｓ１、ｓ２、両者で、同一サブキャリアの同一時刻にシンボルが存在している場合、同一周波数に２つのストリームのシンボルが存在していることになる。なお、他の実施の形態で説明したように、プリコーディング後（または、プリコーディングおよびベースバンド信号入れ替え後）の信号に位相変更を行う送信方法を用いている場合、ｓ１、ｓ２は、プリコーディング行列を用いて重み付け、および、合成が行われ、（また、場合によっては、その後ベースバンド信号入れ替えが行われ）、加えて、位相変更が行われる。これにより、得られる信号をここでは、ｚ１、ｚ２とすると、ｚ１、ｚ２が、それぞれ、アンテナから出力されることになる。
【０８５６】
図７７に示すように、区間１は、ストリームｓ１、ストリームｓ２を用いてＰＬＰ＃１のシンボル群７７０１を伝送しており、図２３に示した空間多重ＭＩＭＯ伝送方式、または、プリコーディング行列が固定のＭＩＭＯ伝送方式（位相変更は行わないものとする）を用いてデータを伝送するものとする。
【０８５７】
区間２は、ストリームｓ１を用いてＰＬＰ＃２のシンボル群７７０２を伝送しており、一つの変調信号を送信することでデータを伝送するものとする。
【０８５８】
区間３は、ストリームｓ１、ストリームｓ２を用いてＰＬＰ＃３のシンボル群７７０３を伝送しており、プリコーディング後（または、プリコーディングおよびベースバンド信号入れ替え後）の信号に位相変更を行う送信方法を用いてデータを伝送するものとする。
【０８５９】
区間４は、ストリームｓ１、ストリームｓ２を用いてＰＬＰ＃４のシンボル群７７０４を伝送しており、非特許文献９、１６、１７に示されている時空間ブロック符号を用いてデータを伝送するものとする。
【０８６０】
放送局が、図７７のように各ＰＬＰを送信した場合、図７７の送信信号を受信する受信装置では、各ＰＬＰの送信方法を知る必要がある。したがって、前述で述べたように、Ｐ２シンボルであるL1 Post-Signalling data（図７４の７４０３）を用いて、各ＰＬＰの送信方法の情報を伝送する必要がある。以下では、このときのＰ１シンボルの構成方法、および、Ｐ２シンボルの構成方法の一例について説明する。
【０８６１】
表２にＰ１シンボルを用いて送信する制御情報の具体例を示す。
【０８６２】
【表２】
2012144206.tif 000081
【０８６３】
ＤＶＢ−Ｔ２規格では、Ｓ１の制御情報（３ビットの情報）により、ＤＶＢ−Ｔ２の規格を用いているかどうか、また、ＤＶＢ−Ｔ２規格を用いている場合、用いている送信方法を受信装置が判断できるようになっている。
【０８６４】
上記表２に示されるように、３ビットのＳ１情報として、“０００”を設定した場合、送信する変調信号が、「ＤＶＢ−Ｔ２規格の一つの変調信号送信」に準拠していることになる。
【０８６５】
また、３ビットのＳ１情報として、“００１”を設定した場合、送信する変調信号が、「ＤＶＢ−Ｔ２規格の時空間ブロック符号を用いた送信」に準拠していることになる。
【０８６６】
ＤＶＢ−Ｔ２規格では、“０１０”〜“１１１”は将来のために「Reserve」となっている。ここで、ＤＶＢ−Ｔ２との互換性があるように本発明を適用するために、３ビットのＳ１情報として、例えば“０１０”と設定した場合（“０００”“００１”以外であればよい。）、送信する変調信号がＤＶＢ−Ｔ２以外の規格に準拠しているを示すことにし、端末の受信装置は、この情報が“０１０”であることがわかると、放送局が送信した変調信号がＤＶＢ−Ｔ２以外の規格に準拠していることを知ることができる。
【０８６７】
次に、放送局が送信した変調信号がＤＶＢ−Ｔ２以外の規格に準拠している場合のＰ２シンボルの構成方法の例を説明する。最初の例では、ＤＶＢ−Ｔ２規格におけるＰ２シンボルを利用した方法について説明する。
【０８６８】
表３に、Ｐ２シンボルのうち、L1 Post-Signalling dataにより送信する、制御情報の第１の例を示す。
【０８６９】
【表３】
2012144206.tif 000082
【０８７０】
なお、上記表３において、各略語は以下の意味で用いられている。
【０８７１】
SISO: Single-Input Single-Output （一つの変調信号送信、一つのアンテナで受信）
SIMO: Single-Input Multiple-Output（一つの変調信号送信、複数のアンテナで受信）
MISO: Multiple-Input Single-Output（複数の変調信号を複数アンテナで送信、一つのアンテナで受信）
MIMO: Multiple-Input Multiple-Output（複数の変調信号を複数アンテナで送信、複数のアンテナで受信）
表３に示した２ビットの情報である「ＰＬＰ＿ＭＯＤＥ」は、図７７に示したように、各ＰＬＰ（図７７ではＰＬＰ＃１のシンボル群から＃４のシンボル群で示される。以下、簡略のために「のシンボル群」は省略して記載する。）の送信方法を端末に通知するための制御情報であり、ＰＬＰ＿ＭＯＤＥの情報は、ＰＬＰごとに存在することになる。つまり、図７７の場合、ＰＬＰ＃１のためのＰＬＰ＿ＭＯＤＥの情報、ＰＬＰ＃２のためのＰＬＰ＿ＭＯＤＥの情報、ＰＬＰ＃３のためのＰＬＰ＿ＭＯＤＥの情報、ＰＬＰ＃４のためのＰＬＰ＿ＭＯＤＥの情報・・・が、放送局から送信されることになる。当然であるが、端末は、この情報を復調（また、誤り訂正復号も行う）することで、放送局がＰＬＰに用いた伝送方式を認識することができる。
【０８７２】
「ＰＬＰ＿ＭＯＤＥ」として、“００”と設定した場合、そのＰＬＰは、「一つの変調信号を送信」する方式で、データが伝送される。“０１”と設定した場合、そのＰＬＰは、「時空間ブロック符号化を行った複数の変調信号を送信」する方式で、データが伝送される。“１０”と設定した場合、そのＰＬＰは、「プリコーディング後（または、プリコーディングおよびベースバンド信号入れ替え後）の信号に位相変更を行う送信方法」を用いて、データが伝送される。“１１”と設定した場合、そのＰＬＰは、「プリコーディング行列が固定的なＭＩＭＯ方式、または、空間多重ＭＩＭＯ伝送方式」を用いて、データが伝送される。
【０８７３】
なお、「ＰＬＰ＿ＭＯＤＥ」として、“０１”〜“１１”のいずれかに設定された場合、放送局が具体的にどのような処理を施したか（例えば、プリコーディング後（または、プリコーディングおよびベースバンド信号入れ替え後）の信号に位相変更を行う送信方法における具体的な切り替え方法、使用した時空間ブロック符号化方法、プリコーディング行列として使用した行列の構成）を端末に伝送する必要がある。このときの制御情報の構成を含めた、表３とは異なる制御情報の構成方法について以下に説明する。
【０８７４】
表４は、Ｐ２シンボルのうち、L1 Post-Signalling dataにより送信する、制御情報の表３とは異なる第２の例である。
【０８７５】
【表４】
2012144206.tif 000083
【０８７６】
表４のように、１ビットの情報である「ＰＬＰ＿ＭＯＤＥ」、１ビットの情報である「ＭＩＭＯ＿ＭＯＤＥ」、２ビットの情報である「ＭＩＭＯ＿ＰＡＴＴＥＲＮ＃１」、２ビットの情報である「ＭＩＭＯ＿ＰＡＴＴＥＲＮ＃２」が存在し、これら４つの制御情報は、図７７に示したように、各ＰＬＰ（図７７ではＰＬＰ＃１から＃４）の送信方法を端末に通知するための情報であり、したがって、これら４つの制御情報は、ＰＬＰごとに存在することになる。つまり、図７７の場合、ＰＬＰ＃１のためのＰＬＰ＿ＭＯＤＥの情報／ＭＩＭＯ＿ＭＯＤＥの情報／ＭＩＭＯ＿ＰＡＴＴＥＲＮ＃１の情報／ＭＩＭＯ＿ＰＡＴＴＥＲＮ＃２の情報、ＰＬＰ＃２のためのＰＬＰ＿ＭＯＤＥの情報／ＭＩＭＯ＿ＭＯＤＥの情報／ＭＩＭＯ＿ＰＡＴＴＥＲＮ＃１の情報／ＭＩＭＯ＿ＰＡＴＴＥＲＮ＃２の情報、ＰＬＰ＃３のためのＰＬＰ＿ＭＯＤＥの情報／ＭＩＭＯ＿ＭＯＤＥの情報／ＭＩＭＯ＿ＰＡＴＴＥＲＮ＃１の情報／ＭＩＭＯ＿ＰＡＴＴＥＲＮ＃２の情報、ＰＬＰ＃４のためのＰＬＰ＿ＭＯＤＥの情報／ＭＩＭＯ＿ＭＯＤＥの情報／ＭＩＭＯ＿ＰＡＴＴＥＲＮ＃１の情報／ＭＩＭＯ＿ＰＡＴＴＥＲＮ＃２の情報・・・が、放送局から送信されることになる。当然であるが、端末は、この情報を復調（また、誤り訂正復号も行う）することで、放送局がＰＬＰに用いた伝送方式を認識することができる。
【０８７７】
「ＰＬＰ＿ＭＯＤＥ」として、“０”と設定した場合、そのＰＬＰは、「一つの変調信号を送信」することにより、データが伝送される。“１”と設定した場合、そのＰＬＰは、「時空間ブロック符号化を行った複数の変調信号を送信」、「プリコーディング後（または、プリコーディングおよびベースバンド信号入れ替え後）の信号に位相変更を行う送信方法」、「プリコーディング行列が固定的なＭＩＭＯ方式」、「空間多重ＭＩＭＯ伝送方式」のいずれかの方式で、データが伝送される。
【０８７８】
「ＰＬＰ＿ＭＯＤＥ」が「１」と設定された場合、「ＭＩＭＯ＿ＭＯＤＥ」の情報は有効な情報となり、「ＭＩＭＯ＿ＭＯＤＥ」として、“０”と設定した場合、プリコーディング後（または、プリコーディングおよびベースバンド信号入れ替え後）の信号に位相変更を行う送信方法を使用しないで、データが伝送される。「ＭＩＭＯ＿ＭＯＤＥ」として、“１”と設定した場合、プリコーディング後（または、プリコーディングおよびベースバンド信号入れ替え後）の信号に位相変更を行う送信方法を使用して、データが伝送される。
【０８７９】
「ＰＬＰ＿ＭＯＤＥ」が「１」、「ＭＩＭＯ＿ＭＯＤＥ」が「０」と設定された場合、「ＭＩＭＯ＿ＰＡＴＴＥＲＮ＃１」の情報は有効な情報となり、「ＭＩＭＯ＿ＰＡＴＴＥＲＮ＃１」として、“００”と設定した場合、時空間ブロック符号を用いて、データが伝送される。“０１”と設定した場合、プリコーディング行列＃１を固定的に用いて重み付け合成を行うプリコーディング方法を用いて、データが伝送される。“１０”と設定した場合、プリコーディング行列＃２を固定的に用いて重み付け合成を行うプリコーディング方法を用いて、データが伝送される。（ただし、プリコーディング行列＃１とプリコーディング行列＃２は異なる行列である。）“１１”と設定した場合、空間多重ＭＩＭＯ伝送方式を用いて、データが伝送される。
【０８８０】
「ＰＬＰ＿ＭＯＤＥ」が「１」、「ＭＩＭＯ＿ＭＯＤＥ」が「１」と設定された場合、「ＭＩＭＯ＿ＰＡＴＴＥＲＮ＃２」の情報は有効な情報となり、「ＭＩＭＯ＿ＰＡＴＴＥＲＮ＃２」として、“００”と設定した場合、位相変更＃１のプリコーディング後（または、プリコーディングおよびベースバンド信号入れ替え後）の信号に位相変更を行う送信方法を用いて、データが伝送される。“０１”と設定した場合、位相変更＃２のプリコーディング後（または、プリコーディングおよびベースバンド信号入れ替え後）の信号に位相変更を行う送信方法を用いて、データが伝送される。“１０”と設定した場合、位相変更＃３のプリコーディング後（または、プリコーディングおよびベースバンド信号入れ替え後）の信号に位相変更を行う送信方法を用いて、データが伝送される。“１１”と設定した場合、位相変更＃４のプリコーディング後（または、プリコーディングおよびベースバンド信号入れ替え後）の信号に位相変更を行う送信方法を用いて、データが伝送される。ここで、位相変更＃１〜＃４はそれぞれ異なる方法となるが、このとき、異なる方法とは、例えば、＃Ａと＃Ｂが異なる方法とすると、
・＃Ａに用いる複数の位相変更と＃Ｂに用いる複数の位相変更の中に、同一の位相変更を含むが、周期が異なる、
・＃Ａには含まれているが＃Ｂには含まれていない位相変更値が存在する、
・＃Ａで使用する複数の位相変更を、＃Ｂの方法では使用する位相変更に含まない
という３つの方法がある。
【０８８１】
上述では、表３、表４の制御情報を、Ｐ２シンボルのうち、L1 Post-Signalling dataにより送信するものとして説明した。ただし、ＤＶＢ−Ｔ２規格では、Ｐ２シンボルとして送信できる情報量に制限がある。したがって、ＤＶＢ−Ｔ２規格におけるＰ２シンボルで伝送する必要がある情報に加え、表３、表４の情報を加えることで、Ｐ２シンボルとして送信できる情報量の制限を超えた場合、図７８に示すように、Signalling PLP（７８０１）を設け、ＤＶＢ−Ｔ２規格以外の規格で必要となる制御情報（一部でもよい、つまり、L1 Post-Signalling dataとSignalling PLPの両者で伝送する）を伝送すればよい。なお、図７８では、図７４と同様のフレーム構成としているが、このようなフレーム構成に限ったものではなく、図７５のL1 Pre-signalling data等のように、Signalling PLPを時間−周波数軸において、特定の時間−特定のキャリアの領域に割り当てるようにしてもよい、つまり、時間−周波数軸において、Signalling PLPをどのように割り当ててもよい。
【０８８２】
以上のように、ＯＦＤＭ方式のようなマルチキャリア伝送方式を用い、かつ、ＤＶＢ−Ｔ２規格に対し、互換性を保ちながら、プリコーディング後（または、プリコーディングおよびベースバンド信号入れ替え後）の信号に位相変更を行う送信方法を選択できるようにすることで、ＬＯＳ環境に対し、高い受信品質を得ることができるとともに、高い伝送速度を得ることができる、という利点を得ることができる。なお、本実施の形態では、キャリア群が設定可能な伝送方式として、「空間多重ＭＩＭＯ伝送方式、固定的なプリコーディング行列を用いるＭＩＭＯ方式、プリコーディング後（または、プリコーディングおよびベースバンド信号入れ替え後）の信号に位相変更を行う送信方法、時空間ブロック符号化、ストリームｓ１のみ送信する伝送方式」をあげたがこれに限ったものではない。
【０８８３】
そして、「空間多重ＭＩＭＯ伝送方式、固定的なプリコーディング行列を用いるＭＩＭＯ方式、プリコーディング後（または、プリコーディングおよびベースバンド信号入れ替え後）の信号に位相変更を行う送信方法、時空間ブロック符号化、ストリームｓ１のみ送信する伝送方式」を放送局が選択可能としている例で説明したが、これらすべての送信方法が選択可能な送信方法でなくてもよく、例えば、
・  固定的なプリコーディング行列を用いるＭＩＭＯ方式、プリコーディング後（または、プリコーディングおよびベースバンド信号入れ替え後）の信号に位相変更を行う送信方法、時空間ブロック符号化、ストリームｓ１のみ送信する伝送方式が選択可能な送信方法
・  固定的なプリコーディング行列を用いるＭＩＭＯ方式、プリコーディング後（または、プリコーディングおよびベースバンド信号入れ替え後）の信号に位相変更を行う送信方法、時空間ブロック符号化が選択可能な送信方法
・  固定的なプリコーディング行列を用いるＭＩＭＯ方式、プリコーディング後（または、プリコーディングおよびベースバンド信号入れ替え後）の信号に位相変更を行う送信方法、ストリームｓ１のみ送信する伝送方式が選択可能な送信方法
・  プリコーディング後（または、プリコーディングおよびベースバンド信号入れ替え後）の信号に位相変更を行う送信方法、時空間ブロック符号化、ストリームｓ１のみ送信する伝送方式が選択可能な送信方法
・  固定的なプリコーディング行列を用いるＭＩＭＯ方式、プリコーディング後（または、プリコーディングおよびベースバンド信号入れ替え後）の信号に位相変更を行う送信方法
・  プリコーディング後（または、プリコーディングおよびベースバンド信号入れ替え後）の信号に位相変更を行う送信方法、時空間ブロック符号化が選択可能な送信方法
・  プリコーディング後（または、プリコーディングおよびベースバンド信号入れ替え後）の信号に位相変更を行う送信方法、ストリームｓ１のみ送信する伝送方式が選択可能な送信方法
のように、プリコーディング後（または、プリコーディングおよびベースバンド信号入れ替え後）の信号に位相変更を行う送信方法を含むことで、ＬＯＳ環境で、高速なデータ伝送を行うことができ、かつ、受信装置の受信データ品質を確保することができるという効果を得ることができる。
【０８８４】
このとき、上記で述べたようにＰ１シンボルにおけるＳ１を設定する必要があるとともに、Ｐ２シンボルとして、表３とは異なる制御情報の設定方法（各ＰＬＰの伝送方式の設定方法）として、例えば、表５が考えられる。
【０８８５】
【表５】
2012144206.tif 000084
【０８８６】
表５が表３とは異なる点は、「ＰＬＰ＿ＭＯＤＥ」を“１１”としたときはReserveとしている点である。このように、ＰＬＰの伝送方式として、選択可能な伝送方式が上記で示した例のような場合、選択可能な伝送方式の数によって、例えば、表３、表５のＰＬＰ＿ＭＯＤＥを構成するビット数を大きく、または、小さくすればよい。
【０８８７】
表４についても同様で、例えば、ＭＩＭＯ伝送方式として、プリコーディング後（または、プリコーディングおよびベースバンド信号入れ替え後）の信号に位相変更を行う送信方法しかサポートしていない場合は、「ＭＩＭＯ＿ＭＯＤＥ」の制御情報は必要ないことになる。また、「ＭＩＭＯ＿ＰＡＴＴＥＲＮ＃１」において、例えば、プリコーディング行列が固定的なＭＩＭＯ方式をサポートしていない場合、「ＭＩＭＯ＿ＰＡＴＴＥＲＮ＃１」の制御情報を必要としない場合もあり、また、プリコーディング行列が固定的なＭＩＭＯ方式に用いるプリコーディング行列が複数必要としない場合、２ビットの制御情報ではなく、１ビットの制御情報としてもよいし、さらに、複数のプリコーディング行列を設定可能とする場合は、２ビット以上の制御情報としてもよい。
【０８８８】
「ＭＩＭＯ＿ＰＡＴＴＥＲＮ＃２」について同様に考えることができ、プリコーディング後（または、プリコーディングおよびベースバンド信号入れ替え後）の信号に位相変更を行う送信方法として位相変更の切り替え方法が複数必要としない場合、２ビットの制御情報ではなく、１ビットの制御情報としてもよいし、さらに、複数の位相変更の切り替え方法を設定可能とする場合は、２ビット以上の制御情報としてもよい。
【０８８９】
また、本実施の形態では、送信装置のアンテナ数を２の場合で説明したがこれに限ったものではなく、２より大きい場合においても、同様に、制御情報を送信すればよい。このとき、２アンテナを用いて変調信号を送信する場合に加え、４アンテナを用いて変調信号を送信する場合を実施するために、各制御情報を構成するビット数を増やす必要がある場合が発生する。このとき、Ｐ１シンボルで制御情報を送信する、Ｐ２シンボルで制御情報を送信する、という点は、上記で説明した場合と同様である。
【０８９０】
放送局が送信するＰＬＰのシンボル群のフレーム構成について、図７７のように時分割で送信する方法を説明したが、以下では、その変形例について説明する。
【０８９１】
図７９は、図７７とは異なる、Ｐ１シンボル、Ｐ２シンボル、Common PLPを送信した後の、周波数−時間軸における、ストリームｓ１およびｓ２のシンボルの配置方法の一例を示している。図７９において、「＃１」と記載されているシンボルは、図７７におけるＰＬＰ＃１のシンボル群のうちの１シンボルを示している。同様に、「＃２」と記載されているシンボルは、図７７におけるＰＬＰ＃２のシンボル群のうちの１シンボルを示しており、「＃３」と記載されているシンボルは、図７７におけるＰＬＰ＃３のシンボル群のうちの１シンボルを示しており、「＃４」と記載されているシンボルは、図７７におけるＰＬＰ＃４のシンボル群のうちの１シンボルを示している。そして、図７７と同様、ＰＬＰ＃１は、図２３に示した、空間多重ＭＩＭＯ伝送方式、または、プリコーディング行列が固定のＭＩＭＯ伝送方式を用いてデータを伝送するものとする。そして、ＰＬＰ＃２は、一つの変調信号を送信することでデータを伝送するものとする。ＰＬＰ＃３は、プリコーディング後（または、プリコーディングおよびベースバンド信号入れ替え後）の信号に位相変更を行う送信方法を用いてデータを伝送するものとする。ＰＬＰ＃４は、時空間ブロック符号を用いてデータを伝送するものとする。
【０８９２】
図７９において、ｓ１、ｓ２、両者で、同一サブキャリア（図７９では、キャリアと記載）の同一時刻にシンボルが存在している場合、同一周波数に２つのストリームのシンボルが存在していることになる。なお、他の実施の形態で説明したように、プリコーディング後（または、プリコーディングおよびベースバンド信号入れ替え後）の信号に位相変更を行う送信方法を用いている場合、ｓ１、ｓ２は、プリコーディング行列を用いて重み付け、および、合成が行われ、（また、場合によっては、その後ベースバンド信号入れ替えが行われ）、加えて、位相変更が行われる。これにより、得られる信号をここでは、ｚ１、ｚ２とすると、ｚ１、ｚ２が、それぞれ、アンテナから出力されることになる。
【０８９３】
図７９が図７７と異なる点は、前述のように、図７７では、複数のＰＬＰを時分割に配置する例を示したが、図７９では、図７７と異なり、時分割、および、周波数分割を併用して、複数のＰＬＰを存在させている。つまり、例えば、時刻１では、ＰＬＰ＃１のシンボルとＰＬＰ＃２のシンボルが存在しており、時刻３では、ＰＬＰ＃３のシンボルとＰＬＰ＃４のシンボルが存在している。このように、（１時刻、１サブキャリアで構成される）シンボルごとに、異なるインデックス（＃Ｘ；  Ｘ＝１、２、・・・）のＰＬＰのシンボルを割り当てることができる。
【０８９４】
なお、図７９では、簡略的に、時刻１では、「＃１」「＃２」しか存在していないが、これに限ったものではなく、「＃１」「＃２」のＰＬＰ以外のインデックスのＰＬＰのシンボルが時刻１に存在してもよく、また、時刻１におけるサブキャリアとＰＬＰのインデックスの関係は、図７９に限ったものではなく、サブキャリアにどのインデックスのＰＬＰのシンボルを割り当てても良い。また、同様に、他の時刻においても、サブキャリアにどのインデックスのＰＬＰのシンボルを割り当てても良い。
【０８９５】
図８０は、図７７とは異なるＰ１シンボル、Ｐ２シンボル、Common PLPを送信した後の、周波数−時間軸における、ストリームｓ１およびｓ２のシンボルの配置方法の一例を示している。図８０における特徴的な部分は、Ｔ２フレームにおいて、ＰＬＰの伝送方式として、複数アンテナ送信を基本とした場合、「ストリームｓ１のみ送信する伝送方式」を選択できないという点である。
【０８９６】
したがって、図８０において、ＰＬＰ＃１のシンボル群８００１は、「空間多重ＭＩＭＯ伝送方式、または、固定的なプリコーディング行列を用いるＭＩＭＯ方式」により、データが伝送されるものとする。ＰＬＰ＃２のシンボル群８００２は、「プリコーディング後（または、プリコーディングおよびベースバンド信号入れ替え後）の信号に位相変更を行う送信方法」により、データが伝送されるものとする。ＰＬＰ＃３のシンボル群８００３は、「時空間ブロック符号」により、データが伝送されるものとする。そして、ＰＬＰ＃３のシンボル群８００３以降のＴ２フレーム内でのＰＬＰシンボル群は、「空間多重ＭＩＭＯ伝送方式、または、固定的なプリコーディング行列を用いるＭＩＭＯ方式」、「プリコーディング後（または、プリコーディングおよびベースバンド信号入れ替え後）の信号に位相変更を行う送信方法」、「時空間ブロック符号」のいずれかの送信方法により、データが伝送されることになる。
【０８９７】
図８１は、図７９とは異なる、Ｐ１シンボル、Ｐ２シンボル、Common PLPを送信した後の、周波数−時間軸における、ストリームｓ１およびｓ２のシンボルの配置方法の一例を示している。図８１において、「＃１」と記載されているシンボルは、図８０におけるＰＬＰ＃１のシンボル群のうちの１シンボルを示している。同様に、「＃２」と記載されているシンボルは、図８０におけるＰＬＰ＃２のシンボル群のうちの１シンボルを示しており、「＃３」と記載されているシンボルは、図８０におけるＰＬＰ＃３のシンボル群のうちの１シンボルを示している。そして、図８０と同様、ＰＬＰ＃１は、図２３に示した、空間多重ＭＩＭＯ伝送方式、または、プリコーディング行列が固定のＭＩＭＯ伝送方式を用いてデータを伝送するものとする。そして、ＰＬＰ＃２は、プリコーディング後（または、プリコーディングおよびベースバンド信号入れ替え後）の信号に位相変更を行う送信方法を用いてデータを伝送するものとする。ＰＬＰ＃３は、時空間ブロック符号を用いてデータを伝送するものとする。
【０８９８】
図８１において、ｓ１、ｓ２、両者で、同一サブキャリア（図８１ではキャリアと記載）の同一時刻にシンボルが存在している場合、同一周波数に２つのストリームのシンボルが存在していることになる。なお、他の実施の形態で説明したように、プリコーディング後（または、プリコーディングおよびベースバンド信号入れ替え後）の信号に位相変更を行う送信方法を用いている場合、ｓ１、ｓ２は、プリコーディング行列を用いて重み付け、および、合成が行われ、（また、場合によっては、その後ベースバンド信号入れ替えが行われ）、加えて、位相変更が行われる。これにより、得られる信号をここでは、ｚ１、ｚ２とすると、ｚ１、ｚ２が、それぞれ、アンテナから出力されることになる。
【０８９９】
図８１では、図８０と異なり、時分割、および、周波数分割を併用して、複数のＰＬＰを存在させている。つまり、例えば、時刻１では、ＰＬＰ＃１のシンボルとＰＬＰ＃２のシンボルが存在している。このように、（１時刻、１サブキャリアで構成される）シンボルごとに、異なるインデックス（＃Ｘ；  Ｘ＝１、２、・・・）のＰＬＰのシンボルを割り当てることができる。
【０９００】
なお、図８１では、簡略的に、時刻１では、「＃１」「＃２」しか存在していないが、これに限ったものではなく、「＃１」「＃２」のＰＬＰ以外のインデックスのＰＬＰのシンボルが時刻１に存在してもよく、また、時刻１におけるサブキャリアとＰＬＰのインデックスの関係は、図８１に限ったものではなく、サブキャリアにどのインデックスのＰＬＰのシンボルを割り当てても良い。また、同様に、他の時刻においても、サブキャリアにどのインデックスのＰＬＰのシンボルを割り当てても良い。一方で、時刻３のように、ある時刻において、一つのＰＬＰのシンボルのみを割り当ててもよい。つまり、ＰＬＰのシンボルを時間―周波数におけるフレーム方法において、どのように割り当ててもよい。
【０９０１】
このように、Ｔ２フレーム内において、「ストリームｓ１のみ送信する伝送方式」を用いたＰＬＰが存在しないため、端末が受信する受信信号のダイナミックレンジを抑えることができるため、良好な受信品質を得る可能性を高くすることができという効果を得ることができる。
【０９０２】
なお、図８１で説明するにあたって、送信方法として、「空間多重ＭＩＭＯ伝送方式、または、固定的なプリコーディング行列を用いるＭＩＭＯ方式」、「プリコーディング後（または、プリコーディングおよびベースバンド信号入れ替え後）の信号に位相変更を行う送信方法」、「時空間ブロック符号」をいずれかを選択する例で説明したが、これらの送信方法をすべて選択可能であるとする必要がなく、例えば、
・「プリコーディング後（または、プリコーディングおよびベースバンド信号入れ替え後）の信号に位相変更を行う送信方法」、「時空間ブロック符号」、「固定的なプリコーディング行列を用いるＭＩＭＯ方式」を選択可能
・「プリコーディング後（または、プリコーディングおよびベースバンド信号入れ替え後）の信号に位相変更を行う送信方法」、「時空間ブロック符号」を選択可能
・「プリコーディング後（または、プリコーディングおよびベースバンド信号入れ替え後）の信号に位相変更を行う送信方法」、「固定的なプリコーディング行列を用いるＭＩＭＯ方式」を選択可能
としてもよい。
【０９０３】
上述では、Ｔ２フレーム内に複数のＰＬＰが存在する場合について説明したが、以降では、Ｔ２フレーム内に一つのＰＬＰのみ存在する場合について説明する。
【０９０４】
図８２は、Ｔ２フレーム内に一つのみＰＬＰが存在する場合の、時間―周波数軸におけるストリームｓ１およびｓ２のフレーム構成の一例を示している。図８２において、「制御シンボル」と記載しているが、これは、上述で説明したＰ１シンボル、および、Ｐ２シンボル等のシンボルを意味している。そして、図８２では、区間１を用いて第１のＴ２フレームを送信しており、同様に、区間２を用いて第２のＴ２フレームを送信しており、区間３を用いて第３のＴ２フレームを送信しており、区間４を用いて第４のＴ２フレームを送信している。
【０９０５】
また、図８２において、第１のＴ２フレームでは、ＰＬＰ＃１−１のシンボル群８１０１を送信しており、送信方法としては、「空間多重ＭＩＭＯ伝送方式、または、固定的なプリコーディング行列を用いるＭＩＭＯ方式」を選択している。
【０９０６】
第２のＴ２フレームでは、ＰＬＰ＃２−１のシンボル群８１０２を送信しており、送信方法としては、「一つの変調信号を送信する方法」を選択している。
【０９０７】
第３のＴ２フレームでは、ＰＬＰ＃３−１のシンボル群８１０３を送信しており、送信方法としては、「プリコーディング後（または、プリコーディングおよびベースバンド信号入れ替え後）の信号に位相変更を行う送信方法」を選択している。
【０９０８】
第４のＴ２フレームでは、ＰＬＰ＃４−１のシンボル群８１０４を送信しており、送信方法としては、「時空間ブロック符号」を選択している。
【０９０９】
図８２において、ｓ１、ｓ２、両者で、同一サブキャリアの同一時刻にシンボルが存在している場合、同一周波数に２つのストリームのシンボルが存在していることになる。なお、他の実施の形態で説明したように、プリコーディング後（または、プリコーディングおよびベースバンド信号入れ替え後）の信号に位相変更を行う送信方法を用いている場合、ｓ１、ｓ２は、プリコーディング行列を用いて重み付け、および、合成が行われ、（また、場合によっては、その後ベースバンド信号入れ替えが行われ）、加えて、位相変更が行われる。これにより、得られる信号をここでは、ｚ１、ｚ２とすると、ｚ１、ｚ２が、それぞれ、アンテナから出力されることになる。
【０９１０】
このようにすることで、ＰＬＰごとに、データの伝送速度、端末のデータ受信品質を考慮して、送信方法を設定できるので、データの伝送速度の向上とデータの受信品質の確保の両立を図ることが可能となる。なお、Ｐ１シンボル、Ｐ２シンボル（場合によっては、Signalling PLP）の伝送方法等の制御情報の構成方法の例は、上記の表２から表５のように構成すれば、同様に実施することができる。図８２が図７７と異なる点は、図７７等のフレーム構成では、一つのＴ２フレームに、複数のＰＬＰを有しているため、複数のＰＬＰに対する伝送方法等の制御情報を必要としていたが、図８２のフレーム構成の場合、一つのＴ２フレームには、一つのＰＬＰしか存在しないため、その一つのＰＬＰに対する伝送方法等の制御情報のみ必要となるという点である。
【０９１１】
上述では、Ｐ１シンボル、Ｐ２シンボル（場合によっては、Signalling PLP）を用いて、ＰＬＰの伝送方法に関する情報を伝送する方法について述べたが、以降では、特に、Ｐ２シンボルを用いずにＰＬＰの伝送方法に関する情報を伝送する方法について説明する。
【０９１２】
図８３は、放送局がデータを伝送する相手である端末が、ＤＶＢ−Ｔ２規格でない規格に対応している場合の、時間−周波数軸におけるフレーム構成である。図８３において、図７４と同様の構成については、同一符号を付している。図８３のフレームは、P1 Signalling data（７４０１）、第１ Signalling data（８３０１）、第２ Signalling data（８３０２）、Common PLP（７４０４）、PLP#1〜#N（７４０５＿１〜７４０５＿Ｎ）で構成されている（ＰＬＰ：Physical Layer Pipe）。このように、P1 Signalling data（７４０１）、第１ Signalling data（８３０１）、第２ Signalling data（８３０２）、Common PLP（７４０４）、PLP#1〜#N（７４０５＿１〜７４０５＿Ｎ）で構成されているフレームが一つのフレームの単位となっている。
【０９１３】
P1 Signalling data（７４０１）により、受信装置が信号検出、周波数同期（周波数オフセット推定も含む）を行うためのシンボルであると同時に、この場合、ＤＶＢ−Ｔ２規格のフレームであるかどうかを識別するためのデータ、例えば、表２で示したS1により、ＤＶＢ−Ｔ２規格の信号であること／信号でないことを伝送する必要がある。
【０９１４】
第１ Signalling data（８３０１）により、例えば、送信フレームで使用するガードインターバルの情報、ＰＡＰＲ（Peak to Average Power Ratio）を削減するために行う信号処理方法に関する情報、第２ Signalling dataを伝送する際の変調方式、誤り訂正方式、誤り訂正方式の符号化率の情報、第２ Signalling dataのサイズおよび情報サイズの情報、パイロットパターンの情報、セル（周波数領域）固有番号の情報、ノーマルモードおよび拡張モードのいずれの方式を用いているかの情報等を伝送する方法が考えられる。このとき、第１ Signalling data（８３０１）は、ＤＶＢ−Ｔ２規格に準拠したデータを必ずしも伝送する必要はない。
【０９１５】
第２ Signalling data（８３０２）により、例えば、ＰＬＰの数の情報、使用する周波数領域に関する情報、各ＰＬＰの固有番号の情報、各ＰＬＰを伝送するのに使用する変調方式、誤り訂正方式、誤り訂正方式の符号化率の情報、各ＰＬＰの送信するブロック数の情報等を伝送する。
【０９１６】
図８３のフレーム構成では、第１ Signalling data（８３０１）、第２ Signalling data（８３０２）、L1 Post-Signalling data（７４０３）、Common PLP（７４０４）、PLP#1〜#N（７４０５＿１〜７４０５＿Ｎ）は時分割で送信されているように記載いるが、実際は、同一時刻に２種類以上の信号が存在している。その例を図８４に示す。図８４に示すように、同一時刻に、第１ Signalling data、第２ Signalling data、Common PLPが存在していたり、同一時刻に、PLP#1、PLP#2が存在したりすることもある。つまり、各信号は、時分割および周波数分割を併用し、フレームが構成されている。
【０９１７】
図８５は、ＤＶＢ−Ｔ２とは異なる規格における（例えば、放送局）の送信装置に対し、これまでに説明してきたプリコーディング後（または、プリコーディングおよびベースバンド信号入れ替え後）の信号に位相変更を行う送信方法を適用した送信装置の構成の一例を示している。図８５において、図７６と同様に動作するものについては、同一符号を付しており、その動作についての説明は、上述と同様となる。
【０９１８】
制御信号生成部７６０８は、第１、第２ Signalling data用の送信データ８５０１、Ｐ１シンボル用の送信データ７６０７を入力とし、図８３における各シンボル群の送信方法（誤り訂正符号、誤り訂正符号の符号化率、変調方式、ブロック長、フレーム構成、規則的にプリコーディング行列を切り替える送信方法を含む選択した送信方法、パイロットシンボル挿入方法、IFFT（Inverse Fast Fourier Transform）／FFTの情報等、PAPR削減方法の情報、ガードインターバル挿入方法の情報）の情報を制御信号７６０９として出力する。
【０９１９】
制御シンボル信号生成部８５０２は、第１、第２ Signalling data用の送信データ８５０１、制御信号７６０９を入力とし、制御信号７６０９に含まれる第１、第２ Signalling dataの誤り訂正の情報、変調方式の情報等の情報に基づき、誤り訂正符号化、変調方式に基づくマッピングを行い、第１、第２ Signalling dataの（直交）ベースバンド信号８５０３を出力する。
【０９２０】
図８５の場合、フレーム構成部７６１０は、図７６に示したＰ２シンボル信号生成部７６０５が生成したベースバンド信号７６０６の代わりに、制御シンボル信号生成部８５０２が生成したベースバンド信号８５０３を入力とする。
【０９２１】
次に、ＤＶＢ−Ｔ２とは異なる規格のシステムに対し、プリコーディング後（または、プリコーディングおよびベースバンド信号入れ替え後）の信号に位相変更を行う送信方法を適用したときの放送局（基地局）の送信信号のフレーム構成、制御情報（Ｐ１シンボルおよび、第１、第２ Signalling dataにより送信する情報）の伝送方法について、図７７を用いて、詳しく説明する。
【０９２２】
図７７は、Ｐ１シンボル、第１、第２ Signalling data、Common PLPを送信した後に、複数のＰＬＰを送信する場合の周波数−時間軸におけるフレーム構成の一例を示している。図７７において、ストリームｓ１は、周波数軸において、サブキャリア＃１〜サブキャリア＃Ｍを用いており、同様にストリームｓ２も、周波数軸において、サブキャリア＃１〜サブキャリア＃Ｍを用いている。したがって、ｓ１、ｓ２、両者で、同一サブキャリアの同一時刻にシンボルが存在している場合、同一周波数に２つのストリームのシンボルが存在していることになる。なお、他の実施の形態で説明したように、プリコーディング後（または、プリコーディングおよびベースバンド信号入れ替え後）の信号に位相変更を行う送信方法を用いている場合、ｓ１、ｓ２は、プリコーディング行列を用いて重み付け、および、合成が行われ、（また、場合によっては、その後ベースバンド信号入れ替えが行われ）、加えて、位相変更が行われる。これにより、得られる信号をここでは、ｚ１、ｚ２とすると、ｚ１、ｚ２が、それぞれ、アンテナから出力されることになる。
【０９２３】
図７７に示すように、区間１は、ストリームｓ１、ストリームｓ２を用いてＰＬＰ＃１のシンボル群７７０１を伝送しており、図２３に示した空間多重ＭＩＭＯ伝送方式、または、プリコーディング行列が固定のＭＩＭＯ伝送方式を用いてデータを伝送するものとする。
【０９２４】
区間２は、ストリームｓ１を用いてＰＬＰ＃２のシンボル群７７０２を伝送しており、一つの変調信号を送信することでデータを伝送するものとする。
【０９２５】
区間３は、ストリームｓ１、ストリームｓ２を用いてＰＬＰ＃３のシンボル群７７０３を伝送しており、プリコーディング後（または、プリコーディングおよびベースバンド信号入れ替え後）の信号に位相変更を行う送信方法を用いてデータを伝送するものとする。
【０９２６】
区間４は、ストリームｓ１、ストリームｓ２を用いてＰＬＰ＃４のシンボル群７７０４を伝送しており、時空間ブロック符号を用いてデータを伝送するものとする。
【０９２７】
放送局が、図７７のように各ＰＬＰを送信した場合、図６４の送信信号を受信する受信装置では、各ＰＬＰの送信方法を知る必要がある。したがって、前述で述べたように、第１、第２ Signalling dataを用いて、各ＰＬＰの送信方法の情報を伝送する必要がある。以下では、このときのＰ１シンボルの構成方法、および、第１、第２ Signalling dataの構成方法の一例について説明する。Ｐ１シンボルを用いて送信する制御情報の具体例は表２のとおりである。
【０９２８】
ＤＶＢ−Ｔ２規格では、Ｓ１の制御情報（３ビットの情報）により、ＤＶＢ−Ｔ２の規格を用いているかどうか、また、ＤＶＢ−Ｔ２規格を用いている場合、用いている送信方法を受信装置が判断できるようになっている。３ビットのＳ１情報として、“０００”を設定した場合、送信する変調信号が、「ＤＶＢ−Ｔ２規格の一つの変調信号送信」に準拠していることになる。
【０９２９】
また、３ビットのＳ１情報として、“００１”を設定した場合、送信する変調信号が、「ＤＶＢ−Ｔ２規格の時空間ブロック符号を用いた送信」に準拠していることになる。
【０９３０】
ＤＶＢ−Ｔ２規格では、“０１０”〜“１１１”は将来のために「Reserve」となっている。ここで、ＤＶＢ−Ｔ２との互換性があるように本発明を適用するために、３ビットのＳ１情報として、例えば“０１０”と設定した場合（“０００”“００１”以外であればよい。）、送信する変調信号がＤＶＢ−Ｔ２以外の規格に準拠しているを示すことにし、端末の受信装置は、この情報が“０１０”であることがわかると、放送局が送信した変調信号がＤＶＢ−Ｔ２以外の規格に準拠していることを知ることができる。
【０９３１】
次に、放送局が送信した変調信号がＤＶＢ−Ｔ２以外の規格に準拠している場合の第１、第２ Signalling dataの構成方法の例を説明する。第１、第２ Signalling dataの制御情報の第１の例は表３のとおりである。
【０９３２】
表３に示した２ビットの情報である「ＰＬＰ＿ＭＯＤＥ」は、図７７に示したように、各ＰＬＰ（図７７ではＰＬＰ＃１から＃４）の送信方法を端末に通知するための制御情報であり、ＰＬＰ＿ＭＯＤＥの情報は、ＰＬＰごとに存在することになる。つまり、図７７の場合、ＰＬＰ＃１のためのＰＬＰ＿ＭＯＤＥの情報、ＰＬＰ＃２のためのＰＬＰ＿ＭＯＤＥの情報、ＰＬＰ＃３のためのＰＬＰ＿ＭＯＤＥの情報、ＰＬＰ＃４のためのＰＬＰ＿ＭＯＤＥの情報・・・が、放送局から送信されることになる。当然であるが、端末は、この情報を復調（また、誤り訂正復号も行う）することで、放送局がＰＬＰに用いた伝送方式を認識することができる。
【０９３３】
「ＰＬＰ＿ＭＯＤＥ」として、“００”と設定した場合、そのＰＬＰは、「一つの変調信号を送信」することにより、データが伝送される。“０１”と設定した場合、そのＰＬＰは、「時空間ブロック符号化を行った複数の変調信号を送信」することにより、データが伝送される。“１０”と設定した場合、そのＰＬＰは、「プリコーディング後（または、プリコーディングおよびベースバンド信号入れ替え後）の信号に位相変更を行う送信方法」を用いて、データが伝送される。“１１”と設定した場合、そのＰＬＰは、「プリコーディング行列が固定的なMIMO方式、または、空間多重MIMO伝送方式」を用いて、データが伝送される。
【０９３４】
なお、「ＰＬＰ＿ＭＯＤＥ」として、“０１”〜“１１”のいずれかに設定された場合、放送局が具体的にどのような処理を施したか（例えば、プリコーディング後（または、プリコーディングおよびベースバンド信号入れ替え後）の信号に位相変更を行う送信方法における具体的な位相切り替え方法、使用した時空間ブロック符号化方法、プリコーディング行列として使用した行列の構成）を端末に伝送する必要がある。このときの制御情報の構成を含めた、表３とは異なる制御情報の構成方法について以下では説明する。
【０９３５】
第１、第２ Signalling dataの制御情報の第２の例は表４のとおりである。
【０９３６】
表４のように、１ビットの情報である「ＰＬＰ＿ＭＯＤＥ」、１ビットの情報である「ＭＩＭＯ＿ＭＯＤＥ」、２ビットの情報である「ＭＩＭＯ＿ＰＡＴＴＥＲＮ＃１」、２ビットの情報である「ＭＩＭＯ＿ＰＡＴＴＥＲＮ＃２」が存在し、これら４つの制御情報は、図７７に示したように、各ＰＬＰ（図７７ではＰＬＰ＃１から＃４）の送信方法を端末に通知するための情報であり、したがって、これら４つの制御情報は、ＰＬＰごとに存在することになる。つまり、図７７の場合、ＰＬＰ＃１のためのＰＬＰ＿ＭＯＤＥの情報／ＭＩＭＯ＿ＭＯＤＥの情報／ＭＩＭＯ＿ＰＡＴＴＥＲＮ＃１の情報／ＭＩＭＯ＿ＰＡＴＴＥＲＮ＃２の情報、ＰＬＰ＃２のためのＰＬＰ＿ＭＯＤＥの情報／ＭＩＭＯ＿ＭＯＤＥの情報／ＭＩＭＯ＿ＰＡＴＴＥＲＮ＃１の情報／ＭＩＭＯ＿ＰＡＴＴＥＲＮ＃２の情報、ＰＬＰ＃３のためのＰＬＰ＿ＭＯＤＥの情報／ＭＩＭＯ＿ＭＯＤＥの情報／ＭＩＭＯ＿ＰＡＴＴＥＲＮ＃１の情報／ＭＩＭＯ＿ＰＡＴＴＥＲＮ＃２の情報、ＰＬＰ＃４のためのＰＬＰ＿ＭＯＤＥの情報／ＭＩＭＯ＿ＭＯＤＥの情報／ＭＩＭＯ＿ＰＡＴＴＥＲＮ＃１の情報／ＭＩＭＯ＿ＰＡＴＴＥＲＮ＃２の情報・・・が、放送局から送信されることになる。当然であるが、端末は、この情報を復調（また、誤り訂正復号も行う）することで、放送局がＰＬＰに用いた伝送方式を認識することができる。
【０９３７】
「ＰＬＰ＿ＭＯＤＥ」として、“０”と設定した場合、そのＰＬＰは、「一つの変調信号を送信」することにより、データが伝送される。“１”と設定した場合、そのＰＬＰは、「時空間ブロック符号化を行った複数の変調信号を送信」、「プリコーディング後（または、プリコーディングおよびベースバンド信号入れ替え後）の信号に位相変更を行う送信方法」、「プリコーディング行列が固定的なＭＩＭＯ方式」、「空間多重ＭＩＭＯ伝送方式」のいずれかの方式で、データが伝送される。
【０９３８】
「ＰＬＰ＿ＭＯＤＥ」が「１」と設定された場合、「ＭＩＭＯ＿ＭＯＤＥ」の情報は有効な情報となり、「ＭＩＭＯ＿ＭＯＤＥ」として、“０”と設定した場合、プリコーディング後（または、プリコーディングおよびベースバンド信号入れ替え後）の信号に位相変更を行う送信方法を使用しないで、データが伝送される。「ＭＩＭＯ＿ＭＯＤＥ」として、“１”と設定した場合、プリコーディング後（または、プリコーディングおよびベースバンド信号入れ替え後）の信号に位相変更を行う送信方法を使用して、データが伝送される。
【０９３９】
「ＰＬＰ＿ＭＯＤＥ」が「１」、かつ、「ＭＩＭＯ＿ＭＯＤＥ」が「０」と設定された場合、「ＭＩＭＯ＿ＰＡＴＴＥＲＮ＃１」の情報は有効な情報となる。このとき、「ＭＩＭＯ＿ＰＡＴＴＥＲＮ＃１」として、“００”と設定した場合、時空間ブロック符号を用いて、データが伝送される。“０１”と設定した場合、プリコーディング行列＃１を固定的に用いて重み付け合成を行うプリコーディング方法を用いて、データが伝送される。“１０”と設定した場合、プリコーディング行列＃２を固定的に用いて重み付け合成を行うプリコーディング方法を用いて、データが伝送される。（ただし、プリコーディング行列＃１とプリコーディング行列＃２は異なる行列である。）“１１”と設定した場合、空間多重ＭＩＭＯ伝送方式を用いて、データが伝送される。
【０９４０】
「ＰＬＰ＿ＭＯＤＥ」が「１」、かつ、「ＭＩＭＯ＿ＭＯＤＥ」が「１」と設定された場合、「ＭＩＭＯ＿ＰＡＴＴＥＲＮ＃２」の情報は有効な情報となる。このとき、「ＭＩＭＯ＿ＰＡＴＴＥＲＮ＃２」として、“００”と設定した場合、位相変更＃１のプリコーディング後（または、プリコーディングおよびベースバンド信号入れ替え後）の信号に位相変更を行う送信方法を用いて、データが伝送される。“０１”と設定した場合、位相変更＃２のプリコーディング後（または、プリコーディングおよびベースバンド信号入れ替え後）の信号に位相変更を行う送信方法を用いて、データが伝送される。“１０”と設定した場合、位相変更#３のプリコーディング後（または、プリコーディングおよびベースバンド信号入れ替え後）の信号に位相変更を行う送信方法を用いて、データが伝送される。“１１”と設定した場合、位相変更＃４のプリコーディング後（または、プリコーディングおよびベースバンド信号入れ替え後）の信号に位相変更を行う送信方法を用いて、データが伝送される。ここで、位相変更＃１〜＃４はそれぞれ異なる方法となるが、このとき、異なる方法とは、例えば、＃Ａと＃Ｂが異なる方法とすると、
・＃Ａに用いる複数の位相変更と＃Ｂに用いる複数の位相変更の中に、同一の位相変更を含むが、周期が異なる、
・＃Ａには含まれるいるが＃Ｂには含まれていない位相変更値が存在する、
・＃Ａで使用する複数の位相変更を、＃Ｂの方法では使用する位相変更に含まない
という３つの方法がある。
【０９４１】
上述では、表３、表４の制御情報を、第１、第２ Signalling dataにより送信するものとして説明した。この場合、制御情報を伝送するために、特に、ＰＬＰを利用する必要がないという利点がある。
【０９４２】
以上のように、ＯＦＤＭ方式のようなマルチキャリア伝送方式を用い、かつ、ＤＶＢ−Ｔ２規格との識別が可能でありながら、ＤＶＢ−Ｔ２とは異なる規格に対し、プリコーディング後（または、プリコーディングおよびベースバンド信号入れ替え後）の信号に位相変更を行う送信方法を選択できるようにすることで、ＬＯＳ環境に対し、高い受信品質を得ることができるとともに、高い伝送速度を得ることができる、という利点を得ることができる。なお、本実施の形態では、キャリア群が設定可能な伝送方式として、「空間多重ＭＩＭＯ伝送方式、固定的なプリコーディング行列を用いるＭＩＭＯ方式、プリコーディング後（または、プリコーディングおよびベースバンド信号入れ替え後）の信号に位相変更を行う送信方法、時空間ブロック符号化、ストリームｓ１のみ送信する伝送方式」をあげたがこれに限ったものではない。
【０９４３】
そして、「空間多重ＭＩＭＯ伝送方式、固定的なプリコーディング行列を用いるＭＩＭＯ方式、プリコーディング後（または、プリコーディングおよびベースバンド信号入れ替え後）の信号に位相変更を行う送信方法、時空間ブロック符号化、ストリームｓ１のみ送信する伝送方式」を放送局が選択可能としている例で説明したが、これらすべての送信方法が選択可能な送信方法でなくてもよく、例えば、
・固定的なプリコーディング行列を用いるＭＩＭＯ方式、プリコーディング後（または、プリコーディングおよびベースバンド信号入れ替え後）の信号に位相変更を行う送信方法、時空間ブロック符号化、ストリームｓ１のみ送信する伝送方式が選択可能な送信方法
・固定的なプリコーディング行列を用いるＭＩＭＯ方式、プリコーディング後（または、プリコーディングおよびベースバンド信号入れ替え後）の信号に位相変更を行う送信方法、時空間ブロック符号化が選択可能な送信方法
・固定的なプリコーディング行列を用いるＭＩＭＯ方式、プリコーディング後（または、プリコーディングおよびベースバンド信号入れ替え後）の信号に位相変更を行う送信方法、ストリームｓ１のみ送信する伝送方式が選択可能な送信方法
・プリコーディング後（または、プリコーディングおよびベースバンド信号入れ替え後）の信号に位相変更を行う送信方法、時空間ブロック符号化、ストリームｓ１のみ送信する伝送方式が選択可能な送信方法
・固定的なプリコーディング行列を用いるＭＩＭＯ方式、プリコーディング後（または、プリコーディングおよびベースバンド信号入れ替え後）の信号に位相変更を行う送信方法
・プリコーディング後（または、プリコーディングおよびベースバンド信号入れ替え後）の信号に位相変更を行う送信方法、時空間ブロック符号化が選択可能な送信方法
・プリコーディング後（または、プリコーディングおよびベースバンド信号入れ替え後）の信号に位相変更を行う送信方法、ストリームｓ１のみ送信する伝送方式が選択可能な送信方法
のように、プリコーディング後（または、プリコーディングおよびベースバンド信号入れ替え後）の信号に位相変更を行う送信方法を含むことで、ＬＯＳ環境で、高速なデータ伝送を行うことができ、かつ、受信装置の受信データ品質を確保することができるという効果を得ることができる。
【０９４４】
このとき、上記で述べたようにＰ１シンボルにおけるＳ１を設定する必要があるとともに、第１、第２ Signalling dataとして、表３とは異なる制御情報の設定方法（各ＰＬＰの伝送方式の設定方法）として、例えば、表５が考えられる。
【０９４５】
表５が表３とは異なる点は、「ＰＬＰ＿ＭＯＤＥ」を“１１”としたときはReserveとしている点である。このように、ＰＬＰの伝送方式として、選択可能な伝送方式が上記で示した例のような場合、選択可能な伝送方式の数によって、例えば、表３、表５のＰＬＰ＿ＭＯＤＥを構成するビット数を大きく、または、小さくすればよい。
【０９４６】
表４についても同様で、例えば、ＭＩＭＯ伝送方式として、プリコーディング後（または、プリコーディングおよびベースバンド信号入れ替え後）の信号に位相変更を行う送信方法しかサポートしていない場合は、「ＭＩＭＯ＿ＭＯＤＥ」の制御情報は必要ないことになる。また、「ＭＩＭＯ＿ＰＡＴＴＥＲＮ＃１」において、例えば、プリコーディング行列が固定的なＭＩＭＯ方式をサポートしていない場合、「ＭＩＭＯ＿ＰＡＴＴＥＲＮ＃１」の制御情報を必要としない場合もあり、また、プリコーディング行列が固定的なＭＩＭＯ方式に用いるプリコーディング行列が複数必要としない場合、２ビットの制御情報ではなく、１ビットの制御情報としてもよいし、さらに、複数のプリコーディング行列を設定可能とする場合は、２ビット以上の制御情報としてもよい。
【０９４７】
「ＭＩＭＯ＿ＰＡＴＴＥＲＮ＃２」について同様に考えることができ、プリコーディング後（または、プリコーディングおよびベースバンド信号入れ替え後）の信号に位相変更を行う送信方法として位相変更方法を複数必要としない場合、２ビットの制御情報ではなく、１ビットの制御情報としてもよいし、さらに、複数の位相変更方法を設定可能とする場合は、２ビット以上の制御情報としてもよい。
【０９４８】
また、本実施の形態では、送信装置のアンテナ数を２の場合で説明したがこれに限ったものではなく、２より大きい場合においても、同様に、制御情報を送信すればよい。このとき、２アンテナを用いて変調信号を送信する場合に加え、４アンテナを用いて変調信号を送信する場合を実施するために、各制御情報を構成するビット数を増やす必要がある場合が発生する。このとき、Ｐ１シンボルで制御情報を送信する、第１、第２ Signalling dataで制御情報を送信する、という点は、上記で説明した場合と同様である。
【０９４９】
放送局が送信するＰＬＰのシンボル群のフレーム構成について、図７７のように時分割で送信する方法を説明したが、以下では、その変形例について説明する。
【０９５０】
図７９は、図７７とは異なる、Ｐ１シンボル、第１、第２ Signalling data、Common PLPを送信後の、周波数−時間軸における、ストリームｓ１およびｓ２のシンボルの配置方法の一例を示している。
【０９５１】
図７９において、「＃１」と記載されているシンボルは、図７７におけるＰＬＰ＃１のシンボル群のうちの１シンボルを示している。同様に、「＃２」と記載されているシンボルは、図７７におけるＰＬＰ＃２のシンボル群のうちの１シンボルを示しており、「＃３」と記載されているシンボルは、図７７におけるＰＬＰ＃３のシンボル群のうちの１シンボルを示しており、「＃４」と記載されているシンボルは、図７７におけるＰＬＰ＃４のシンボル群のうちの１シンボルを示している。そして、図７７と同様、ＰＬＰ＃１は、図２３に示した、空間多重ＭＩＭＯ伝送方式、または、プリコーディング行列が固定のＭＩＭＯ伝送方式を用いてデータを伝送するものとする。そして、ＰＬＰ＃２は、一つの変調信号を送信することでデータを伝送するものとする。ＰＬＰ＃３は、プリコーディング後（または、プリコーディングおよびベースバンド信号入れ替え後）の信号に位相変更を行う送信方法を用いてデータを伝送するものとする。ＰＬＰ＃４は、時空間ブロック符号を用いてデータを伝送するものとする。
【０９５２】
図７９において、ｓ１、ｓ２、両者で、同一サブキャリアの同一時刻にシンボルが存在している場合、同一周波数に２つのストリームのシンボルが存在していることになる。なお、他の実施の形態で説明したように、プリコーディング後（または、プリコーディングおよびベースバンド信号入れ替え後）の信号に位相変更を行う送信方法を用いている場合、ｓ１、ｓ２は、プリコーディング行列を用いて重み付け、および、合成が行われ、（また、場合によっては、その後ベースバンド信号入れ替えが行われ）、加えて、位相変更が行われる。これにより、得られる信号をここでは、ｚ１、ｚ２とすると、ｚ１、ｚ２が、それぞれ、アンテナから出力されることになる。
【０９５３】
図７９が図７７と異なる点は、前述のように、図７７では、複数のＰＬＰを時分割に配置する例を示したが、図７９では、図７７と異なり、時分割、および、周波数分割を併用して、複数のＰＬＰを存在させている。つまり、例えば、時刻１では、ＰＬＰ＃１のシンボルとＰＬＰ＃２のシンボルが存在しており、時刻３では、ＰＬＰ＃３のシンボルとＰＬＰ＃４のシンボルが存在している。このように、（１時刻、１サブキャリアで構成される）シンボルごとに、異なるインデックス（＃Ｘ；  Ｘ＝１、２、・・・）のＰＬＰのシンボルを割り当てることができる。
【０９５４】
なお、図７９では、簡略的に、時刻１では、「＃１」「＃２」しか存在していないが、これに限ったものではなく、「＃１」「＃２」のＰＬＰ以外のインデックスのＰＬＰのシンボルが時刻１に存在してもよく、また、時刻１におけるサブキャリアとＰＬＰのインデックスの関係は、図７９に限ったものではなく、サブキャリアにどのインデックスのＰＬＰのシンボルを割り当てても良い。また、同様に、他の時刻においても、サブキャリアにどのインデックスのＰＬＰのシンボルを割り当てても良い。
【０９５５】
図８０は、図７７とは異なるＰ１シンボル、第１、第２ Signalling data、Common PLPを送信後の、周波数−時間軸における、ストリームｓ１およびｓ２のシンボルの配置方法の一例を示している。図８０における特徴的な部分は、Ｔ２フレームにおいて、ＰＬＰの伝送方式として、複数アンテナ送信を基本とした場合、「ストリームｓ１のみ送信する伝送方式」を選択できないという点である。
【０９５６】
したがって、図８０において、ＰＬＰ＃１のシンボル群８００１は、「空間多重ＭＩＭＯ伝送方式、または、固定的なプリコーディング行列を用いるＭＩＭＯ方式」により、データが伝送されるものとする。ＰＬＰ＃２のシンボル群８００２は、「プリコーディング後（または、プリコーディングおよびベースバンド信号入れ替え後）の信号に位相変更を行う送信方法」により、データが伝送されるものとする。ＰＬＰ＃３のシンボル群８００３は、「時空間ブロック符号」により、データが伝送されるものとする。そして、ＰＬＰ＃３のシンボル群８００３以降の単位フレーム内でのＰＬＰシンボル群は、「空間多重ＭＩＭＯ伝送方式、または、固定的なプリコーディング行列を用いるＭＩＭＯ方式」、「プリコーディング後（または、プリコーディングおよびベースバンド信号入れ替え後）の信号に位相変更を行う送信方法」、「時空間ブロック符号」のいずれかの送信方法により、データが伝送されることになる。
【０９５７】
図８１は、図７９とは異なる、Ｐ１シンボル、第１、第２ Signalling data、Common PLPを送信後の、周波数−時間軸における、ストリームｓ１およびｓ２のシンボルの配置方法の一例を示している。
【０９５８】
図８１において、「＃１」と記載されているシンボルは、図８０におけるＰＬＰ＃１のシンボル群のうちの１シンボルを示している。同様に、「＃２」と記載されているシンボルは、図８０におけるＰＬＰ＃２のシンボル群のうちの１シンボルを示しており、「＃３」と記載されているシンボルは、図８０におけるＰＬＰ＃３のシンボル群のうちの１シンボルを示している。そして、図８０と同様、ＰＬＰ＃１は、図２３に示した空間多重ＭＩＭＯ伝送方式、または、プリコーディング行列が固定のＭＩＭＯ伝送方式を用いてデータを伝送するものとする。そして、ＰＬＰ＃２は、プリコーディング後（または、プリコーディングおよびベースバンド信号入れ替え後）の信号に位相変更を行う送信方法を用いてデータを伝送するものとする。ＰＬＰ＃３は、時空間ブロック符号を用いてデータを伝送するものとする。
【０９５９】
図８１において、ｓ１、ｓ２、両者で、同一サブキャリアの同一時刻にシンボルが存在している場合、同一周波数に２つのストリームのシンボルが存在していることになる。なお、他の実施の形態で説明したように、プリコーディング後（または、プリコーディングおよびベースバンド信号入れ替え後）の信号に位相変更を行う送信方法を用いている場合、ｓ１、ｓ２は、プリコーディング行列を用いて重み付け、および、合成が行われ、（また、場合によっては、その後ベースバンド信号入れ替えが行われ）、加えて、位相変更が行われる。これにより、得られる信号をここでは、ｚ１、ｚ２とすると、ｚ１、ｚ２が、それぞれ、アンテナから出力されることになる。
【０９６０】
図８１が図８０と異なる点は、前述のように、図８０では、複数のＰＬＰを時分割に配置する例を示したが、図８１では、図８０と異なり、時分割、および、周波数分割を併用して、複数のＰＬＰを存在させている。つまり、例えば、時刻１では、ＰＬＰ＃１のシンボルとＰＬＰ＃２のシンボルが存在している。このように、（１時刻、１サブキャリアで構成される）シンボルごとに、異なるインデックス（＃Ｘ；  Ｘ＝１、２、・・・）のＰＬＰのシンボルを割り当てることができる。
【０９６１】
なお、図８１では、簡略的に、時刻１では、「＃１」「＃２」しか存在していないが、これに限ったものではなく、「＃１」「＃２」のＰＬＰ以外のインデックスのＰＬＰのシンボルが時刻１に存在してもよく、また、時刻１におけるサブキャリアとＰＬＰのインデックスの関係は、図８１に限ったものではなく、サブキャリアにどのインデックスのＰＬＰのシンボルを割り当てても良い。また、同様に、他の時刻においても、サブキャリアにどのインデックスのＰＬＰのシンボルを割り当てても良い。一方で、時刻３のように、ある時刻において、一つのＰＬＰのシンボルのみを割り当ててもよい。つまり、ＰＬＰのシンボルを時間―周波数におけるフレーム方法において、どのように割り当ててもよい。
【０９６２】
このように、単位フレーム内において、「ストリームｓ１のみ送信する伝送方式」を用いたＰＬＰが存在しないため、端末が受信する受信信号のダイナミックレンジを抑えることができるため、良好な受信品質を得る可能性を高くすることができという効果を得ることができる。
【０９６３】
なお、図８１で説明するにあたって、送信方法として、「空間多重ＭＩＭＯ伝送方式、または、固定的なプリコーディング行列を用いるＭＩＭＯ方式」、「プリコーディング後（または、プリコーディングおよびベースバンド信号入れ替え後）の信号に位相変更を行う送信方法」、「時空間ブロック符号」をいずれかを選択する例で説明したが、これらの送信方法をすべて選択可能であるとする必要がなく、例えば、
・「プリコーディング後（または、プリコーディングおよびベースバンド信号入れ替え後）の信号に位相変更を行う送信方法」、「時空間ブロック符号」、「固定的なプリコーディング行列を用いるＭＩＭＯ方式」を選択可能
・「プリコーディング後（または、プリコーディングおよびベースバンド信号入れ替え後）の信号に位相変更を行う送信方法」、「時空間ブロック符号」を選択可能
・「プリコーディング後（または、プリコーディングおよびベースバンド信号入れ替え後）の信号に位相変更を行う送信方法」、「固定的なプリコーディング行列を用いるＭＩＭＯ方式」を選択可能
としてもよい。
【０９６４】
上述では、単位フレーム内に複数のＰＬＰが存在する場合について説明したが、以降では、単位フレーム内に一つのＰＬＰのみ存在する場合について説明する。
【０９６５】
図８２は、単位フレーム内に一つのみＰＬＰが存在する場合の、時間―周波数軸におけるストリームｓ１およびｓ２のフレーム構成の一例を示している。
【０９６６】
図８２において、「制御シンボル」と記載しているが、これは、上述で説明したＰ１シンボル、および、第１、第２ Signalling data等のシンボルを意味している。そして、図８２では、区間１を用いて第１の単位フレームを送信しており、同様に、区間２を用いて第２の単位フレームを送信しており、区間３を用いて第３の単位フレームを送信しており、区間４を用いて第４の単位フレームを送信している。
【０９６７】
また、図８２において、第１の単位フレームでは、ＰＬＰ＃１−１のシンボル群８１０１を送信しており、送信方法としては、「空間多重ＭＩＭＯ伝送方式、または、固定的なプリコーディング行列を用いるＭＩＭＯ方式」を選択している。
【０９６８】
第２の単位フレームでは、ＰＬＰ＃２−１のシンボル群８１０２を送信しており、送信方法としては、「一つの変調信号を送信する方法」を選択している。
【０９６９】
第３の単位フレームでは、ＰＬＰ＃３−１のシンボル群８１０３を送信しており、送信方法としては、「プリコーディング後（または、プリコーディングおよびベースバンド信号入れ替え後）の信号に位相変更を行う送信方法」を選択している。
【０９７０】
第４の単位フレームでは、ＰＬＰ＃４−１のシンボル群８１０４を送信しており、送信方法としては、「時空間ブロック符号」を選択している。
【０９７１】
図８２において、ｓ１、ｓ２、両者で、同一サブキャリアの同一時刻にシンボルが存在している場合、同一周波数に２つのストリームのシンボルが存在していることになる。プリコーディング後（または、プリコーディングおよびベースバンド信号入れ替え後）の信号に位相変更を行う送信方法を用いている場合、ｓ１、ｓ２は、プリコーディング行列を用いて重み付け、および、合成が行われ、（また、場合によっては、その後ベースバンド信号入れ替えが行われ）、加えて、位相変更が行われる。これにより、得られる信号をここでは、ｚ１、ｚ２とすると、ｚ１、ｚ２が、それぞれ、アンテナから出力されることになる。
【０９７２】
このようにすることで、ＰＬＰごとに、データの伝送速度、端末のデータ受信品質を考慮して、送信方法を設定できるので、データの伝送速度の向上とデータの受信品質の確保の両立を図ることが可能となる。なお、Ｐ１シンボル、第１、第２ Signalling dataの伝送方法等の制御情報の構成方法の例は、上記の表２から表５のように構成すれば、同様に実施することができる。異なる点は、図７７等のフレーム構成では、一つの単位フレームに、複数のＰＬＰを有しているため、複数のＰＬＰに対する伝送方法等の制御情報を必要としていたが、図８２のフレーム構成の場合、一つの単位フレームには、一つのＰＬＰしか存在しないため、その一つのＰＬＰに対する伝送方法等の制御情報のみ必要となるという点である。
【０９７３】
本実施の形態では、プリコーディング後（または、プリコーディングおよびベースバンド信号入れ替え後）の信号に位相変更を行う送信方法を、ＤＶＢ規格を用いたシステムに適用した場合の適用方法について述べた。このとき、プリコーディング後（または、プリコーディングおよびベースバンド信号入れ替え後）の信号に位相変更を行う送信方法の例は、本明細書で示したとおりである。また、本実施の形態では、制御情報を特別な呼び方をしているが、呼び方は、本発明に影響を与えるものではない。
【０９７４】
次に、本実施の形態を含む本明細書で述べた時空間ブロック符号について説明する。
【０９７５】
図９４は、時空間ブロック符号を用いたときの変調信号の構成を示している。図９４の時空間ブロック符号化部（９４０２）は、ある変調信号に基づくベースバンド信号が入力とする。例えば、時空間ブロック符号化部（９４０２）は、シンボルｓ１、シンボルｓ２、・・・を入力とする。すると、図９４のように、時空間ブロック符号化が行われ、ｚ１（９４０３Ａ）は、「シンボル＃０としてｓ１」「シンボル＃１として−ｓ２＊」「シンボル＃２としてｓ３」「シンボル＃３として−ｓ４＊」・・・となり、ｚ２（９４０３Ｂ）は、「シンボル＃０としてｓ２」「シンボル＃１としてｓ１＊」「シンボル＃２としてｓ４」「シンボル＃３としてｓ３＊」・・・となる。このとき、ｚ１におけるシンボル＃Ｘ、ｚ２におけるシンボル＃Ｘは同一時間に同一周波数によりそれぞれ異なるアンテナから送信されることになる。なお、時空間ブロック符号のシンボルの配置は、時間方向に限ったものではなく、周波数軸方向に配置してもよいし、時間―周波数で形成したシンボル群に適宜配置してもよい。また、時空間ブロック符号は、図９４は時空間ブロック符号化方法の一例である、他の時空間ブロック符号を用いて、本明細書の各実施の形態を実施してもよい。
【０９７６】
（実施の形態Ｅ２）
本実施の形態では、実施の形態Ｅ１で説明した、ＤＶＢ−Ｔ２規格を用いた通信システムに、プリコーディング後（または、プリコーディングおよびベースバンド信号入れ替え後）の信号に位相変更を行う送信方法を適用した方法を用いた時の受信方法、および、受信装置の構成について詳しく説明する。
【０９７７】
図８６は、図７６の放送局の送信装置が、プリコーディング後（または、プリコーディングおよびベースバンド信号入れ替え後）の信号に位相変更を行う送信方法を適用したときの、端末の受信装置の構成の一例を示しており、図７と同様に動作するものについては同一符号を付している。
【０９７８】
図８６において、Ｐ１シンボル検出、復号部８６０１は、放送局が送信した信号を受信し、ベースバンド信号７０４＿Ｘ、７０４＿Ｙを入力とし、Ｐ１シンボルを検出することで、信号検出、時間周波数同期を行うと同時に、Ｐ１シンボルに含まれる制御情報を（復調、および、誤り訂正復号を行うことで）得、Ｐ１シンボル制御情報８６０２を出力する。
【０９７９】
ＯＦＤＭ方式関連処理部８６００＿Ｘ、および、８６００＿Ｙは、Ｐ１シンボル制御情報８６０２を入力としており、この情報に基づき、ＯＦＤＭ方式のための信号処理方法（フーリエ変換等の信号処理）を変更する。（実施の形態Ｅ１に記載したように、放送局が送信する信号の伝送方法の情報が、Ｐ１シンボルに含まれているからである。）ＯＦＤＭ方式関連処理部８６００＿Ｘ、および、８６００＿Ｙは、設定された信号処理方法に基づいて復調したベースバンド信号７０４＿Ｘ、および、７０４＿Ｙを出力する。
【０９８０】
Ｐ２シンボル（Signalling PLPを含む場合もある。）復調部８６０３は、ベースバンド信号７０４＿Ｘ、７０４＿Ｙ、および、Ｐ１シンボル制御情報８６０２を入力とし、Ｐ１シンボル制御情報に基づき、信号処理を行い、復調（誤り訂正復号を含む）を行い、Ｐ２シンボル制御情報８６０４を出力する。
【０９８１】
制御情報生成部８６０５は、Ｐ１シンボル制御情報８６０２、および、Ｐ２シンボル制御情報８６０４を入力とし、（受信動作に関係する）制御情報をたばね、制御信号８６０６として出力する。そして、制御信号８６０６は、図８６に示したように、各部に入力されることになる。
【０９８２】
信号処理部７１１は、信号７０６＿１、７０６＿２、７０８＿１、７０８＿２、７０４＿Ｘ、７０４＿Ｙ、および、制御信号８６０６を入力とし、制御信号８６０６に含まれている、各ＰＬＰを伝送するために用いた伝送方式・変調方式・誤り訂正符号化方式・誤り訂正符号化の符号化率・誤り訂正符号のブロックサイズ等の情報に基づき、復調、復号の処理を行い、受信データ７１２を出力する。
【０９８３】
このとき、ＰＬＰを伝送するために、空間多重ＭＩＭＯ伝送方式、固定的なプリコーディング行列を用いるＭＩＭＯ方式、プリコーディング後（または、プリコーディングおよびベースバンド信号入れ替え後）の信号に位相変更を行う送信方法のいずれかの伝送方式を用いている場合、チャネル変動推定部（７０５＿１、７０５＿２、７０７＿１、７０７＿２）の出力結果と受信（ベースバンド）信号から送信信号の関係を利用し、受信（ベースバンド）信号を得、復調を行うことになる。なお、プリコーディング後（または、プリコーディングおよびベースバンド信号入れ替え後）の信号に位相変更を行う送信方法を用いている場合、チャネル変動推定部（７０５＿１、７０５＿２、７０７＿１、７０７＿２）の出力結果と受信（ベースバンド）信号、および、式（４８）の関係を利用し、復調を行うことになる。
【０９８４】
図８７は、図８５の放送局の送信装置が、プリコーディング後（または、プリコーディングおよびベースバンド信号入れ替え後）の信号に位相変更を行う送信方法を適用したときの、端末の受信装置の構成の一例を示しており、図７、図８６と同様に動作するものについては同一符号を付している。
【０９８５】
図８７の受信装置と図８６の受信装置の異なる点は、図８６の受信装置は、ＤＶＢ−Ｔ２規格とそれ以外の規格の信号を受信し、データを得ることができるに対し、図８７の受信装置は、ＤＶＢ−Ｔ２規格以外の信号のみ受信し、データを得ることができる点である。
【０９８６】
図８７において、Ｐ１シンボル検出、復号部８６０１は、放送局が送信した信号を受信し、ベースバンド信号７０４＿Ｘ、７０４＿Ｙを入力とし、Ｐ１シンボルを検出することで、信号検出、時間周波数同期を行うと同時に、Ｐ１シンボルに含まれる制御情報を（復調、および、誤り訂正復号を行うことで）得、Ｐ１シンボル制御情報８６０２を出力する。
【０９８７】
ＯＦＤＭ方式関連処理部８６００＿Ｘ、および、８６００＿Ｙは、Ｐ１シンボル制御情報８６０２を入力としており、この情報に基づき、ＯＦＤＭ方式のための信号処理方法を変更する。（実施の形態Ｅ１に記載したように、放送局が送信する信号の伝送方法の情報が、Ｐ１シンボルに含まれているからである。）ＯＦＤＭ方式関連処理部８６００＿Ｘ、および、８６００＿Ｙは、設定された信号処理方法に基づいて復調したベースバンド信号７０４＿Ｘ、および、７０４＿Ｙを出力する。
【０９８８】
第１、第２ Signalling data復調部８７０１は、ベースバンド信号７０４＿Ｘ、７０４＿Ｙ、および、Ｐ１シンボル制御情報８６０２を入力とし、Ｐ１シンボル制御情報に基づき、信号処理を行い、復調（誤り訂正復号を含む）を行い、第１、第２ Signalling data制御情報８７０２を出力する。
【０９８９】
制御情報生成部８６０５は、Ｐ１シンボル制御情報８６０２、および、第１、第２ Signalling data制御情報８７０２を入力とし、（受信動作に関係する）制御情報をたばね、制御信号８６０６として出力する。そして、制御信号８６０６は、図８６に示したように、各部に入力されることになる。
【０９９０】
信号処理部７１１は、信号７０６＿１、７０６＿２、７０８＿１、７０８＿２、７０４＿Ｘ、７０４＿Ｙ、および、制御信号８６０６を入力とし、制御信号８６０６に含まれている、各ＰＬＰを伝送するために用いた伝送方式・変調方式・誤り訂正符号化方式・誤り訂正符号化の符号化率・誤り訂正符号のブロックサイズ等の情報に基づき、復調、復号の処理を行い、受信データ７１２を出力する。
【０９９１】
このとき、ＰＬＰを伝送するために、空間多重ＭＩＭＯ伝送方式、固定的なプリコーディング行列を用いるＭＩＭＯ方式、プリコーディング後（または、プリコーディングおよびベースバンド信号入れ替え後）の信号に位相変更を行う送信方法のいずれかの伝送方式を用いている場合、チャネル変動推定部（７０５＿１、７０５＿２、７０７＿１、７０７＿２）の出力結果と受信（ベースバンド）信号から送信信号の関係を利用し、受信（ベースバンド）信号を得、復調を行うことになる。なお、プリコーディング後（または、プリコーディングおよびベースバンド信号入れ替え後）の信号に位相変更を行う送信方法を用いている場合、チャネル変動推定部（７０５＿１、７０５＿２、７０７＿１、７０７＿２）の出力結果と受信（ベースバンド）信号、および、式（４８）の関係を利用し、復調を行うことになる。
【０９９２】
図８８は、ＤＶＢ−Ｔ２規格に対応し、かつ、ＤＶＢ−Ｔ２以外の規格に対応した、端末の受信装置の構成を示しており、図７、図８６と同様に動作するものについては同一符号を付している。
【０９９３】
図８８の受信装置と図８６、図８７の受信装置の異なる点は、図８８の受信装置は、ＤＶＢ−Ｔ２規格とそれ以外の規格の信号の両者に対し、復調が可能となるように、Ｐ２シンボル、または、第１、第２  Signalling data復調部８８０１を具備している点である。
【０９９４】
Ｐ２シンボル、または、第１、第２  Signalling data復調部８８０１は、ベースバンド信号７０４＿Ｘ、７０４＿Ｙ、および、Ｐ１シンボル制御情報８６０２を入力とし、Ｐ１シンボル制御情報に基づき、受信した信号が、ＤＶＢ−Ｔ２規格に対応した信号か、または、それ以外の規格に対応した信号なのか、を判断し（例えば、表２により判断が可能である。）、信号処理を行い、復調（誤り訂正復号を含む）を行い、受信信号が対応している規格が何であるかの情報を含んだ制御情報８８０２を出力する。それ以外の部分については、図８６、図８７と同様の動作となる。
【０９９５】
以上のように、本実施の形態で示したような受信装置の構成とすることで、実施の形態Ｅ１で記載した放送局の送信装置が送信した信号を受信し、適切な信号処理を施すことで、受信品質の高いデータを得ることができる。特に、プリコーディング後（または、プリコーディングおよびベースバンド信号入れ替え後）の信号に位相変更を行う送信方法の信号を受信したときは、ＬＯＳ環境において、データの伝送効率の向上とデータ受信品質の向上の両立を実現することができる。
【０９９６】
なお、本実施の形態において、実施の形態Ｅ１で述べた放送局の送信方法に対応する受信装置の構成について説明したため、受信アンテナ数を２本のときの受信装置の構成について説明したが、受信装置のアンテナ数は２本に限ったものではなく、３本以上としても同様に実施することができ、このとき、ダイバーシチゲインが向上するため、データの受信品質を向上させることができる。また、放送局の送信装置の送信アンテナ数を３本以上とし、送信変調信号数を３以上としたときも、端末の受信装置の受信アンテナ数を増加させることで、同様に実施することができる。また、受信装置のアンテナ数が１本でも、最尤検波（Maximum Likelihood detection）、または、近似的な最尤検波を適用することが可能である。このとき、送信方法として、プリコーディング後（または、プリコーディングおよびベースバンド信号入れ替え後）の信号に位相変更を行う送信方法を適用していることが望ましい。
【０９９７】
また、プリコーディング後（または、プリコーディングおよびベースバンド信号入れ替え後）の信号に位相変更を行う送信方法については、本明細書で記載した具体的な例に限らず、プリコーディングを行い、その後に位相変更を行う、または、その前で位相変更を行う構成を取っていれば、同様に本実施の形態を実施することが可能である。
【０９９８】
（実施の形態Ｅ３）
実施の形態Ｅ１で記載した、ＤＶＢ−Ｔ２規格に、プリコーディング後（または、プリコーディングおよびベースバンド信号入れ替え後）の信号に位相変更を行う送信方法を適用したシステムにおいて、L1 Pre-Signallingで、パイロットの挿入パターンを指定する制御情報が存在する。本実施の形態では、L1 pre-signallingでパイロット挿入パターンを変更するときの、プリコーディング後（または、プリコーディングおよびベースバンド信号入れ替え後）の信号に位相変更を行う送信方法の適用方法について説明する。
【０９９９】
図８９、図９０は、同一周波数帯域を用いて、複数の変調信号を複数アンテナから送信する送信方法を用いているときの、ＤＶＢ−Ｔ２規格の周波数―時間軸におけるフレーム構成の一例を示している。図８９、図９０において、横軸は周波数、つまり、キャリア番号を示しており、縦軸は、時間を示しており、（Ａ）は、これまで説明した実施の形態における、変調信号ｚ１のフレーム構成、（Ｂ）は、これまで説明した実施の形態における、変調信号ｚ２のフレーム構成を示している。キャリア番号として、「ｆ０、ｆ１、ｆ２、・・・」、時間として、「ｔ１、ｔ２、ｔ３、・・・」というインデックスを付している。そして、図８９、図９０において、同一キャリア番号、同一時間のシンボルは、同一周波数、同一時刻に存在しているシンボルとなる。
【１０００】
図８９、図９０は、ＤＶＢ−Ｔ２規格におけるパイロットシンボルの挿入位置の例である。（ＤＶＢ−Ｔ２規格において、複数アンテナを用いて複数の変調信号を送信する場合、パイロットの挿入位置に関する方法は、８種類存在するが、図８９、図９０は、そのうちの２つを示している。）図８９、図９０において、パイロットのためのシンボル、データ伝送のためのシンボルの２種類のシンボルが記載されている。他の実施の形態で説明したように、プリコーディング後（または、プリコーディングおよびベースバンド信号入れ替え後）の信号に位相変更を行う送信方法、または、プリコーディング行列が固定的なプリコーディング方法を用いているとき、変調信号ｚ１のデータ伝送のためのシンボルは、ストリームｓ１とストリームｓ２の重み付け後合成後のシンボルとなり、また、変調信号ｚ２のデータ伝送のためのシンボルも、ストリームｓ１とストリームｓ２の重み付け合成後のシンボルとなる。（ただし、プリコーディング後（または、プリコーディングおよびベースバンド信号入れ替え後）の信号に位相変更を行う送信方法を用いている場合、さらに位相変更を行っていることもある）時空間ブロック符号、空間多重ＭＩＭＯ伝送方式を用いている場合、変調信号ｚ１のデータ伝送のためのシンボルは、ストリームｓ１またはストリームｓ２のいずれかのシンボルとなり、また、変調信号ｚ２のデータ伝送のためのシンボルも、ストリームｓ１またはストリームｓ２のいずれかのシンボルとなる。図８９、図９０において、パイロットのためのシンボルには、「ＰＰ１」または「ＰＰ２」のインデックスのいずれかが付されており、「ＰＰ１」と「ＰＰ２」では異なる構成方法のパイロットシンボルとなる。前述でも述べたように、ＤＶＢ−Ｔ２規格では、８種類のパイロット挿入方法（パイロットシンボルのフレームにおける挿入頻度が異なる）のいずれかの挿入方法を放送局が指定することができるようになっており、図８９、図９０は、前述の８種類のうちの２種類のパイロット挿入方法を示している。そして、放送局が８種類のうちから選択したパイロット挿入方法に関する情報は、実施の形態Ｅ１で述べた、Ｐ２シンボルのうちのL1 Pre-Signalling dataとして、送信相手である端末に、伝送される。
【１００１】
次に、パイロット挿入方法に伴う、プリコーディング後（または、プリコーディングおよびベースバンド信号入れ替え後）の信号に位相変更を行う送信方法の適用方法について説明する。例として、プリコーディング後（または、プリコーディングおよびベースバンド信号入れ替え後）の信号に位相変更を行う送信方法における用意する複数の異なる位相変更値を１０種類とし、位相変更値をF[0],F[1],F[2],F[3],F[4],F[5],F[6],F[7],F[8],F[9]とあらわすものとする。図８９の周波数―時間軸におけるフレーム構成において、プリコーディング後（または、プリコーディングおよびベースバンド信号入れ替え後）の信号に位相変更を行う送信方法を適用したときの位相変更値の割り当てを行ったときの状況を図９１に、図９０の周波数−時間におけるフレーム構成において、プリコーディング後（または、プリコーディングおよびベースバンド信号入れ替え後）の信号に位相変更を行う送信方法を適用したときの位相変更値の割り当てを行ったときの状況を図９２に示す。例えば、図９１の（Ａ）の変調信号ｚ１のフレーム構成、（Ｂ）の変調信号ｚ２のフレーム構成、いずれにおいても、ｆ１，ｔ１のシンボルにおいて「＃１」と記載されているが、これは、ｆ１，ｔ１のシンボルは、F[1]の位相変更値を用いて位相変更が行われることを意味している。したがって、図９１、図９２において、キャリアｆｘ（ｘ＝０、１、２、・・・）、ｔｙ（ｙ＝１、２、３、・・・）のシンボルにおいて「＃Ｚ」と記載されていた場合、ｆｘ，ｔｙのシンボルは、F[Ｚ]の位相変更値を用いて位相変更が行われることを意味している。
【１００２】
当然であるが、図９１、図９２の周波数―時間軸におけるフレーム構成において、パイロットシンボルの挿入方法（挿入間隔）は異なる。また、パイロットシンボルに対しては、プリコーディング後（または、プリコーディングおよびベースバンド信号入れ替え後）の信号に位相変更を行う送信方法は適用しない。このため、図９１、図９２において、ともに同一周期（プリコーディング後（または、プリコーディングおよびベースバンド信号入れ替え後）の信号に位相変更を行う送信方法として用意する異なる位相変更値の数）のプリコーディング後（または、プリコーディングおよびベースバンド信号入れ替え後）の信号に位相変更を行う送信方法を適用しても、図９１、図９２からわかるように、図９１、図９２において、同一キャリア、同一時間のシンボルでも、割り当てられる位相変更値は異なる場合が発生する。例えば、図９１のｆ５，ｔ２のシンボルは、「＃７」と示されており、F[7]の位相変更値により位相変更が行われることになる。一方、図９２のｆ５，ｔ２のシンボルは、「＃８」と示されており、F[８] の位相変更値により位相変更が行われることになる。
【１００３】
したがって、L1 Pre-Signalling dataにより、パイロットパターン（パイロット挿入方法）を示す制御情報を放送局は送信することになるが、このパイロットパターンを示す制御情報は、パイロット挿入方法を示すと同時に、表３または表４の制御情報により、放送局がＰＬＰを伝送する伝送方法として、プリコーディング後（または、プリコーディングおよびベースバンド信号入れ替え後）の信号に位相変更を行う送信方法を選択した場合、プリコーディング後（または、プリコーディングおよびベースバンド信号入れ替え後）の信号に位相変更を行う送信方法における位相変更値の割り当て方法を示すようにしてもよい。したがって、放送局が送信した変調信号を受信する端末の受信装置は、L1 Pre-Signaling dataにおけるパイロットパターンを示す制御情報を得ることで、プリコーディング後（または、プリコーディングおよびベースバンド信号入れ替え後）の信号に位相変更を行う送信方法における位相変更値の割り当て方法を知ることができる。（このとき、表３または表４の制御情報により、放送局がＰＬＰを伝送する伝送方法として、プリコーディング後（または、プリコーディングおよびベースバンド信号入れ替え後）の信号に位相変更を行う送信方法を選択していることが前提となる。）なお、ここでは、L1 Pre-Signalling dataを用いて説明しているが、Ｐ２シンボルが存在しない図８３のフレーム構成の場合は、パイロットパターン、および、プリコーディング後（または、プリコーディングおよびベースバンド信号入れ替え後）の信号に位相変更を行う送信方法における位相変更値の割り当て方法を示す制御情報は、第１、第２ Signalling dataに存在することになる。
【１００４】
以下では、さらなる別の例を説明する。表６は、変調方式に応じた位相変更パターン例を示している。
【１００５】
【表６】
2012144206.tif 000085
【１００６】
例えば、表６のように、変調方式が指定されると同時にプリコーディング後（または、プリコーディングおよびベースバンド信号入れ替え後）の信号に位相変更を行う送信方法で使用する位相変更値が決定される場合、上述の説明と同様に考えることができ、Ｐ２シンボルの、パイロットパターンの制御情報とＰＬＰの伝送方法の制御情報と変調方式の制御情報のみを伝送することで、端末の受信装置は、これらの制御情報を得ることで、プリコーディング後（または、プリコーディングおよびベースバンド信号入れ替え後）の信号に位相変更を行う送信方法の位相変更値の（周波数―時間軸における）割り当て方法を推定することができる。なお、表６において、位相変更パターンの列において、「-」は位相変更を行わないことを示しており、「#A」「#B」「#C」は、それぞれ、#A, #B, #Cの位相変更を行うことを示している。同様に、表１のように、変調方式および誤り訂正符号の方法が指定されると同時にプリコーディング後（または、プリコーディングおよびベースバンド信号入れ替え後）の信号に位相変更を行う送信方法で使用する位相変更値が決定される場合、Ｐ２シンボルの、パイロットパターンの制御情報とＰＬＰの伝送方法の制御情報と変調方式の制御情報、誤り訂正符号の方法のみを伝送することで、端末の受信装置は、これらの制御情報を得ることで、プリコーディング後（または、プリコーディングおよびベースバンド信号入れ替え後）の信号に位相変更を行う送信方法の位相変更値の（周波数―時間軸における）割り当て方法を推定することができる。
【１００７】
しかし、表１、表６と異なり、変調方式を決定しても、２種類以上の異なるプリコーディング後（または、プリコーディングおよびベースバンド信号入れ替え後）の信号に位相変更を行う送信方法のいずれかを選択できる（例えば、周期が異なる、プリコーディング後（または、プリコーディングおよびベースバンド信号入れ替え後）の信号に位相変更を行う送信方法から選択できる、または、位相変更値自身が異なる、プリコーディング後（または、プリコーディングおよびベースバンド信号入れ替え後）の信号に位相変更を行う送信方法から選択できる）、または、変調方式・誤り訂正方式を決定しても、２種類以上の異なる、プリコーディング後（または、プリコーディングおよびベースバンド信号入れ替え後）の信号に位相変更を行う送信方法のいずれかを選択できる、または、誤り訂正方式を決定しても、２種類以上の異なる、プリコーディング後（または、プリコーディングおよびベースバンド信号入れ替え後）の信号に位相変更を行う送信方法から選択できる場合、表４のように、プリコーディング後（または、プリコーディングおよびベースバンド信号入れ替え後）の信号に位相変更を行う送信方法の位相変更値の切り替え方法を伝送することになるが、これに加え、プリコーディング後（または、プリコーディングおよびベースバンド信号入れ替え後）の信号に位相変更の位相変更値の（周波数―時間軸における）割り当て方法に関する情報を伝送してもよい。
【１００８】
そのときの、プリコーディング後（または、プリコーディングおよびベースバンド信号入れ替え後）の信号に位相変更を行う送信方法の位相変更値の（周波数―時間軸における）割り当て方法に関する情報に関する制御情報の構成例を表７に示す。
【１００９】
【表７】
2012144206.tif 000086
【１０１０】
例えば、放送局の送信装置が、パイロットの挿入パターンとして、図８９を選択したものとし、かつ、プリコーディング後（または、プリコーディングおよびベースバンド信号入れ替え後）の信号に位相変更を行う送信方法として、Ａという方法を選択したものとする。このとき、放送局の送信装置は、位相変更値の（周波数―時間軸における）割り当て方法として、図９１，図９３のいずれかを選択可能であるとする。例えば、放送局の送信装置が、図９１を選択した場合、表７の「PHASE _FRAME_ARRANGEMENT」を「００」と設定し、図９３を選択した場合、表７の「PHASE _FRAME_ARRANGEMENT」を「０１」と設定するものとする。そして、端末の受信装置は、表７の制御情報を得ることで、位相変更値の（周波数―時間軸における）割り当て方法を知ることができる。なお、表７の制御情報は、Ｐ２シンボルにより伝送することが可能であり、また、第１、第２、Signalling dataにより、伝送することも可能である。
【１０１１】
以上のように、パイロット挿入方法に基づいた、プリコーディング後（または、プリコーディングおよびベースバンド信号入れ替え後）の信号に位相変更を行う送信方法の位相変更値の割り当て方法を実現し、かつ、その割り当て方法の情報を的確に送信相手に伝送することで、送信相手である端末の受信装置は、データの伝送効率の向上と、データの受信品質の向上の両立を図ることができるという効果を得ることができる。
【１０１２】
なお、本実施の形態において、放送局の送信信号数を２とした場合を説明したが、放送局の送信装置の送信アンテナ数を３本以上とし、送信変調信号数を３以上としたときも、同様に実施することができる。また、プリコーディング後（または、プリコーディングおよびベースバンド信号入れ替え後）の信号に位相変更を行う送信方法については、本明細書で記載した具体的な例に限らず、プリコーディングを行い、その後に位相変更を行う、または、その前で位相変更を行う構成を取っていれば、同様に本実施の形態を実施することが可能である。
【１０１３】
そして、パイロット信号の構成方法は、本実施の形態に限ったものではなく、受信装置において、プリコーディング後（または、プリコーディングおよびベースバンド信号入れ替え後）の信号に位相変更を行う送信方法を用いている場合、式（４８）の関係が導きだせる信号であればよい（例えば、受信装置は、送信装置が送信したパイロット信号を事前に知っている、既知信号であるとよい。）。なお、これについては、本発明に関する明細書すべてに渡って適用することができる。
【１０１４】
なお、本明細書の発明に関連する送信装置の図面、図３、図４、図１２、図１３、図５１、図５２、図６７、図７０、図７６、図８５等で、２つの送信アンテナから送信される変調信号をそれぞれ、変調信号＃１、変調信号＃２としたとき、変調信号＃１の平均送信電力と変調信号＃２の平均送信電力はどのように設定しても良い。例えば、両変調信号の平均送信電力を異なるように設定する場合、一般的な無線通信システムで用いられている、送信電力制御の技術を適用することで、変調信号＃１の平均送信電力と変調信号＃２の平均送信電力を異なるように設定できる。このとき、送信電力制御は、ベースバンド信号の状態（例えば、用いる変調方式のマッピング時点で、送信電力制御を行う）で、信号の電力制御を行ってもよいし、アンテナの手前の電力増幅器（パワーアンプ）で、送信電力制御を行ってもよい。
（実施の形態Ｆ１）
実施の形態１−４、実施の形態Ａ１、実施の形態Ｃ１−Ｃ７、実施の形態Ｄ１−Ｄ３及び実施の形態Ｅ１−Ｅ３で説明したプリコーディング後の変調信号に対し、規則的に位相を変更する方法は、Ｉ−Ｑ平面にマッピングされた任意のベースバンド信号ｓ１とｓ２に対して適用可能である。そのため、実施の形態１−４、実施の形態Ａ１、実施の形態Ｃ１−Ｃ７、実施の形態Ｄ１−Ｄ３及び実施の形態Ｅ１−Ｅ３では、ベースバンド信号ｓ１とｓ２について詳細に説明していない。一方、例えば、プリコーディング後の変調信号に対し、規則的に位相を変更する方法を、誤り訂正符号化されたデータから生成されたベースバンド信号ｓ１とｓ２に対して適用する場合、ｓ１とｓ２の平均電力（平均値）を制御することによりさらに良好な受信品質を得られる可能性がある。本実施の形態では、誤り訂正符号化されたデータから生成されたベースバンド信号ｓ１とｓ２に対して、プリコーディング後の変調信号に対し、規則的に位相を変更する方法を適用する場合の、ｓ１とｓ２の平均電力（平均値）の設定方法について述べる。
【１０１５】
ここでは、一例として、ベースバンド信号ｓ１に対して適用する変調方式がＱＰＳＫ、ベースバンド信号ｓ２に対して適用する変調方式が１６ＱＡＭとして説明をする。
【１０１６】
ｓ１の変調方式がＱＰＳＫであるので、ｓ１は１シンボルあたり２ビットのデータを伝送することになる。この伝送する２ビットをｂ０、ｂ１と名付ける。これに対して、ｓ２の変調方式は１６ＱＡＭであるので、ｓ２は１シンボルあたり４ビットのデータを伝送することになる。この伝送する４ビットをｂ２、ｂ３、ｂ４、ｂ５と名付ける。送信装置は、ｓ１の１シンボルとｓ２の１シンボルで構成される１スロットを送信するので、１スロットあたり、ｂ０、ｂ１、ｂ２、ｂ３、ｂ４、ｂ５の６ビットのデータを伝送することになる。
【１０１７】
例えば、Ｉ−Ｑ平面における１６ＱＡＭの信号点配置の一例である図９５では、（ｂ２、ｂ３、ｂ４、ｂ５）＝（０、０、０、０）は（Ｉ、Ｑ）＝（３×ｇ、３×ｇ）に、（ｂ２、ｂ３、ｂ４、ｂ５）＝（０、０、０、１）は（Ｉ、Ｑ）＝（３×ｇ、１×ｇ）に、（ｂ２、ｂ３、ｂ４、ｂ５）＝（０、０、１、０）は（Ｉ、Ｑ）＝（１×ｇ、３×ｇ）に、（ｂ２、ｂ３、ｂ４、ｂ５）＝（０、０、１、１）は（Ｉ、Ｑ）＝（１×ｇ、１×ｇ）に、（ｂ２、ｂ３、ｂ４、ｂ５）＝（０、１、０、０）は（Ｉ、Ｑ）＝（３×ｇ、−３×ｇ）に、・・・、（ｂ２、ｂ３、ｂ４、ｂ５）＝（１、１、１、０）は（Ｉ、Ｑ）＝（−１×ｇ、−３×ｇ）に、（ｂ２、ｂ３、ｂ４、ｂ５）＝（１、１、１、１）は（Ｉ、Ｑ）＝（−１×ｇ、−１×ｇ）にマッピングされる。なお、図９５の右肩に示すｂ２からｂ５は、それぞれＩ−Ｑ平面に示す数値のそれぞれのビットとの並びを示している。
【１０１８】
また、Ｉ−Ｑ平面におけるＱＰＳＫの信号点配置の一例である図９６では、（ｂ０、ｂ１）＝（０、０）は（Ｉ、Ｑ）＝（１×ｈ、１×ｈ）に、（ｂ０、ｂ１）＝（０、１）は（Ｉ、Ｑ）＝（１×ｈ、−１×ｈ）に、（ｂ０、ｂ１）＝（１、０）は（Ｉ、Ｑ）＝（−１×ｈ、１×ｈ）に、（ｂ０、ｂ１）＝（１、１）は（Ｉ、Ｑ）＝（−１×ｈ、−１×ｈ）に、マッピングされる。なお、図９６の右肩に示すｂ０、ｂ１は、それぞれＩ−Ｑ平面に示す数値のそれぞれのビットとの並びを示している。
【１０１９】
ここで、ｓ１の平均電力とｓ２の平均電力を等しくした場合、つまり、図９６に示すｈが下記式（７８）であらわされ、図９５に示すｇが下記式（７９）であらわされる場合を仮定する。
【１０２０】
【数７８】
2012144206.tif 000087
【１０２１】
【数７９】
2012144206.tif 000088
【１０２２】
この場合の受信装置が得る対数尤度比の関係を図９７に示す。図９７は、受信装置が対数尤度比を求めたとき、上記ｂ０からｂ５の対数尤度比の絶対値を模式的に示した図である。図９７において、９７００はｂ０の対数尤度比の絶対値、９７０１はｂ１の対数尤度比の絶対値、９７０２はｂ２の対数尤度比の絶対値、９７０３はｂ３の対数尤度比の絶対値、９７０４はｂ４の対数尤度比の絶対値、９７０５はｂ５の対数尤度比の絶対値である。このとき、図９７に示されるように、ＱＰＳＫにより伝送されたｂ０およびｂ１の対数尤度比の絶対値と、１６ＱＡＭにより伝送されたｂ２からｂ５の対数尤度比の絶対値とを比較すると、ｂ０およびｂ１の対数尤度比の絶対値は、ｂ２からｂ５の対数尤度比の絶対値より大きい。これは、即ち、ｂ０およびｂ１の受信装置における信頼度がｂ２からｂ５の受信装置における信頼度よりも高いことになる。これは、図９５においてｇを式（７９）のとおりとした場合、ＱＰＳＫのＩ−Ｑ平面における信号点の最小ユークリッド距離が、
【１０２３】
【数８０】
2012144206.tif 000089
【１０２４】
であるのに対し、図９６において、ｈを式（７８）のとおりとした場合、ＱＰＳＫのＩ−Ｑ平面における信号点の最少ユークリッド距離は、
【１０２５】
【数８１】
2012144206.tif 000090
【１０２６】
となるからである。
【１０２７】
受信装置がこの状況で誤り訂正復号（例えば、通信システムがＬＤＰＣ符号を用いている場合、sum-product復号等の信頼度伝播復号）を行った場合、「ｂ０およびｂ１の対数尤度比の絶対値が、ｂ２からｂ５の対数尤度比の絶対値より大きい」という信頼度の差により、ｂ２からｂ５の対数尤度比の絶対値の影響を受け、受信装置のデータの受信品質が劣化するという課題が発生する。
【１０２８】
この課題を克服するためには、図９８に示すように、図９７と比較して、「ｂ０およびｂ１の対数尤度比の絶対値とｂ２からｂ５の対数尤度比の絶対値との差を小さく」すればよい。
【１０２９】
そこで、「ｓ１の平均電力（平均値）とｓ２の平均電力（平均値）を異なるようにする」ことを考える。図９９、図１００に、パワー変更部（ここでは、パワー変更部と呼んでいるが、振幅変更部、重み付け部と呼んでもよい。）、および、重み付け合成（プリコーディング）部に関連する信号処理部の構成の例を示している。なお、図９９において、図３、図６と同様に動作するものについては同一符号を付した。また、図１００において、図３、図６、図９９と同様に動作するものについては同一符号を付した。
【１０３０】
以下、パワー変更部の動作について、いくつかの例を説明する。
（例１）
まず、図９９を用いて、動作の一例を説明する。なお、ｓ１（ｔ）は、変調方式ＱＰＳＫのベースバンド信号（マッピング後の信号）とし、マッピング方法は、図９６のとおりであり、ｈは式（７８）のとおりである。また、ｓ２（ｔ）は、変調方式１６ＱＡＭのベースバンド信号（マッピング後の信号）とし、マッピング方法は、図９５のとおりであり、ｇは式（７９）のとおりである。なお、ｔは時間であり、本実施の形態では、時間軸方向を例として説明する。
【１０３１】
パワー変更部（９９０１Ｂ）は、変調方式１６ＱＡＭのベースバンド信号（マッピング後の信号）３０７Ｂ、制御信号（９９００）を入力とし、制御信号（９９００）に基づき、設定したパワー変更のための値をｕとすると、変調方式１６ＱＡＭのベースバンド信号（マッピング後の信号）３０７Ｂをｕ倍した信号（９９０２Ｂ）を出力する。なお、ｕは実数とし、ｕ＞１．０とする。プリコーディング後の変調信号に対し、規則的に位相を変更する方法におけるプリコーディング行列をＦ、規則的に位相変更を行うための位相変更値をｙ（ｔ）（ｙ（ｔ）は絶対値が１の虚数（実数を含む）、つまり、ｅｊθ(t)と表すことができる）とすると、次式が成立する。
【１０３２】
【数８２】
2012144206.tif 000091
【１０３３】
したがって、ＱＰＳＫの平均電力と１６ＱＡＭの平均電力の比は１：ｕ2と設定することになる。これにより、図９８に示す対数尤度比の絶対値が得られる受信状態となるので、受信装置におけるデータの受信品質を向上させることができる。
例えば、ＱＰＳＫの平均電力と１６ＱＡＭの平均電力の比１：ｕ2についてｕを、
【１０３４】
【数８３】
2012144206.tif 000092
【１０３５】
と設定すれば、ＱＰＳＫのＩ−Ｑ平面における信号点の最小ユークリッド距離と、１６ＱＡＭのＩ−Ｑ平面における信号点の最小ユークリッド距離とを等しくすることができ、良好な受信品質を得られる可能性がある。
【１０３６】
ただし、２つの異なる変調方式のＩ−Ｑ平面における信号点の最小ユークリッド距離を等しくするという条件は、あくまで、ＱＰＳＫの平均電力と１６ＱＡＭの平均電力との比を設定する方法の一例である。例えば、誤り訂正符号化に用いる誤り訂正符号の符号長や符号化率等のその他の条件によっては、パワー変更のための値ｕの値を２つの異なる変調方式のＩ−Ｑ平面における信号点の最小ユークリッド距離が等しくなる値とは、異なる値（大きな値や小さな値）に設定する方が、良好な受信品質を得られる可能性がある。また、処理効率を鑑みた値、例えば、
【１０３７】
【数８４】
2012144206.tif 000093
【１０３８】
と設定することが考えられる。詳細については後述する。
【１０３９】
従来、送信電力制御は、一般的に、通信相手からのフィードバック情報に基づいて、送信電力の制御を行っている。本実施の形態では、通信相手からのフィードバック情報とは関係なく、送信電力を制御している点が、本発明の特徴となり、この点について、詳しく説明する。
【１０４０】
上述で、「制御信号（９９００）により、パワー変更のための値ｕを設定する」ことを述べたが、以下では、さらに受信装置におけるデータの受信品質を向上させるための、制御信号（９９００）によるパワー変更のための値ｕの設定手法について詳しく説明する。
（例１−１）
送信装置が複数のブロック長（符号化後の１ブロックを構成しているビット数であり、符号長とも呼ばれる）の誤り訂正符号をサポートしている場合に、ｓ１及びｓ２の生成に用いられるデータに施された誤り訂正符号のブロック長に応じて、ｓ１およびｓ２の平均電力（平均値）を設定する方法について説明する。
【１０４１】
誤り訂正符号としては、例えば、テイルバイティングを行ったターボ符号またはデュオバイナリーターボ符号、および、ＬＤＰＣ符号、のようなブロック符号があり、多くの通信システム、または、放送システムでは、複数のブロック長がサポートされている。サポートされている複数のブロック長から選択されたブロック長の誤り訂正符号化が施された符号化後のデータは２系統に分配される。２系統に分配された符号化後のデータは、それぞれｓ１の変調方式とｓ２の変調方式で変調され、ベースバンド信号（マッピング後の信号）ｓ１（ｔ）及びｓ２（ｔ）が生成される。
【１０４２】
制御信号（９９００）は、上記の選択した誤り訂正符号のブロック長を示す信号であり、パワー変更部（９９０１Ｂ）は、制御信号（９９００）に応じてパワー変更のための値ｕを設定する。
【１０４３】
本発明の特徴は、パワー変更部（９９０１Ｂ）が、制御信号（９９００）が示す選択されたブロック長に応じてパワー変更のための値ｕを設定することである。ここでは、ブロック長Ｘに応じたパワー変更のための値をｕLXという形で記載することとする。
【１０４４】
例えば、ブロック長として１０００が選択された場合、パワー変更部（９９０１Ｂ）はパワー変更のための値ｕL1000を設定し、ブロック長として１５００が選択された場合、パワー変更部（９９０１Ｂ）はパワー変更のための値ｕL1500を設定し、ブロック長として３０００が選択された場合、パワー変更部（９９０１Ｂ）はパワー変更のための値ｕL3000を設定する。このとき、例えば、ｕL1000、ｕL1500、ｕL3000を、それぞれ異なる値とすることで、各符号長のときで、高い誤り訂正能力を得ることが可能であることがある。ただし、設定する符号長によっては、パワー変更のための値を変更しても効果を得ることができない場合がある。そのときは、符号長を変更しても、パワー変更のための値を変更する必要はない。（例えば、ｕL1000＝ｕL1500であることもある。重要なことは、（ｕL1000、ｕL1500、ｕL3000）の中に、２つ以上の値が存在することである。）
上述では、３つの符号長の場合を例に説明したがこれに限ったものではなく、送信装置において、符号長が２つ以上設定可能な際に、設定可能なパワー変更のための値が２つ以上存在し、符号長を設定した際、送信装置は、複数の設定可能なパワー変更のための値の中からいずれかのパワー変更のための値を選択し、パワー変更を行うことができることが重要な点である。
（例１−２）
送信装置が複数の符号化率の誤り訂正符号をサポートしている場合に、ｓ１及びｓ２の生成に用いられるデータに施された誤り訂正符号の符号化率に応じて、ｓ１およびｓ２の平均電力（平均値）を設定する方法について説明する。
【１０４５】
誤り訂正符号としては、例えば、テイルバイティングを行ったターボ符号またはデュオバイナリーターボ符号、および、ＬＤＰＣ符号、のようなブロック符号があり、多くの通信システム、または、放送システムでは、複数の符号化率がサポートされている。サポートされている複数の符号化率から選択された符号化率の誤り訂正符号化が施された符号化後のデータは２系統に分配される。２系統に分配された符号化後のデータは、それぞれｓ１の変調方式とｓ２の変調方式で変調され、ベースバンド信号（マッピング後の信号）ｓ１（ｔ）及びｓ２（ｔ）が生成される。
【１０４６】
制御信号（９９００）は、上記の選択した誤り訂正符号の符号化率を示す信号であり、パワー変更部（９９０１Ｂ）は、制御信号（９９００）に応じてパワー変更のための値ｕを設定する。
【１０４７】
本発明の特徴は、パワー変更部（９９０１Ｂ）が、制御信号（９９００）が示す選択された符号化率に応じてパワー変更のための値ｕを設定することである。ここでは、符号化率ｒｘに応じたパワー変更のための値をｕrXという形で記載することとする。
【１０４８】
例えば、符号化率としてｒ１が選択された場合、パワー変更部（９９０１Ｂ）はパワー変更のための値ｕr1を設定し、符号化率としてｒ２が選択された場合、パワー変更部（９９０１Ｂ）はパワー変更のための値ｕr2を設定し、符号化率としてｒ３が選択された場合、パワー変更部（９９０１Ｂ）はパワー変更のための値ｕr3を設定する。このとき、例えば、ｕr1、ｕr2、ｕr3を、それぞれ異なる値とすることで、各符号化率のときで、高い誤り訂正能力を得ることが可能であることがある。ただし、設定する符号化率によっては、パワー変更のための値を変更しても効果を得ることができない場合がある。そのときは、符号化率を変更しても、パワー変更のための値を変更する必要はない。（例えば、ｕr1＝ｕr2であることもある。重要なことは、（ｕr1、ｕr2、ｕr3）の中に、２つ以上の値が存在することである。）
なお、上記ｒ１、ｒ２、ｒ３の一例としては、誤り訂正符号がＬＤＰＣ符号の場合には、それぞれ１／２、２／３、３／４といった符号化率であることが考えられる。
【１０４９】
上述では、３つの符号化率の場合を例に説明したがこれに限ったものではなく、送信装置において、符号化率が２つ以上設定可能な際に、設定可能なパワー変更のための値が２つ以上存在し、符号化率を設定した際、送信装置は、複数の設定可能なパワー変更のための値の中からいずれかのパワー変更のための値を選択し、パワー変更を行うことができることが重要な点である。
（例１−３）
受信装置がよりよいデータの受信品質を得るためには以下を実施することが重要となる。
【１０５０】
送信装置が複数の変調方式をサポートしている場合に、ｓ１及びｓ２の生成に用いられる変調方式に応じて、ｓ１およびｓ２の平均電力（平均値）を設定する方法について説明する。
【１０５１】
ここでは、例として、ｓ１の変調方式をＱＰＳＫに固定するものとし、制御信号により、ｓ２の変調方式を１６ＱＡＭから６４ＱＡＭに変更する（または、１６ＱＡＭ、６４ＱＡＭのいずれかの設定が可能な）場合について考える。なお、ｓ２（ｔ）の変調方式を６４ＱＡＭとする場合、ｓ２（ｔ）のマッピング方法としては、図１０１のとおりであり、図１０１においてｋは
【１０５２】
【数８５】
2012144206.tif 000094
【１０５３】
であるとする。このようなマッピングを行うと、ＱＰＳＫのとき図９６に対しｈを式（７８）としたとき、と、１６ＱＡＭのとき図９５に対しｇを式（７９）としたときと、平均電力は等しくなる。また、６４ＱＡＭのマッピングは、６ビットの入力から、I,Qの値が決定することになり、この点については、ＱＰＳＫ、１６ＱＡＭのマッピングの説明と同様に実施することができる。
【１０５４】
つまり、Ｉ−Ｑ平面における６４ＱＡＭの信号点配置の一例である図１０１では、（ｂ０、ｂ１、ｂ２、ｂ３、ｂ４、ｂ５）＝（０、０、０、０、０、０）は（Ｉ、Ｑ）＝（７×ｋ、７×ｋ）に、（ｂ０、ｂ１、ｂ２、ｂ３、ｂ４、ｂ５）＝（０、０、０、０、０、１）は（Ｉ、Ｑ）＝（７×ｋ、５×ｋ）に、（ｂ０、ｂ１、ｂ２、ｂ３、ｂ４、ｂ５）＝（０、０、０、０、１、０）は（Ｉ、Ｑ）＝（５×ｋ、７×ｋ）に、（ｂ０、ｂ１、ｂ２、ｂ３、ｂ４、ｂ５）＝（０、０、０、０、１、１）は（Ｉ、Ｑ）＝（５×ｋ、５×ｋ）に、（ｂ０、ｂ１、ｂ２、ｂ３、ｂ４、ｂ５）＝（０、０、０、１、０、０）は（Ｉ、Ｑ）＝（７×ｋ、１×ｋ）に、・・・・、（ｂ０、ｂ１、ｂ２、ｂ３、ｂ４、ｂ５）＝（１、１、１、１、１、０）は（Ｉ、Ｑ）＝（−３×ｋ、−１×ｋ）に、（ｂ０、ｂ１、ｂ２、ｂ３、ｂ４、ｂ５）＝（１、１、１、１、１、１）は（Ｉ、Ｑ）＝（−３×ｋ、−３×ｋ）にマッピングされる。なお、図１０１の右肩に示すｂ０からｂ５は、それぞれＩ−Ｑ平面に示す数値のそれぞれのビットとの並びを示している。
【１０５５】
図９９において、ｓ２の変調方式が１６ＱＡＭのときパワー変更部９９０１Ｂは、ｕ＝ｕ16と設定し、ｓ２の変調方式が６４ＱＡＭのときｕ＝ｕ64と設定するものとする。このとき、最小ユークリッド距離の関係から、ｕ16＜ｕ64とすると、ｓ２の変調方式が１６ＱＡＭ、６４ＱＡＭのうちいずれの場合であっても、受信装置が高いデータの受信品質を得ることができる。
【１０５６】
なお、上述の説明において、「ｓ１の変調方式をＱＰＳＫに固定」することとして説明したが、「ｓ２の変調方式をＱＰＳＫに固定する」ことが考えられる。このとき、固定の変調方式（ここでは、ＱＰＳＫ）に対しては、パワー変更を行わず、複数の設定可能な変調方式（ここでは、１６ＱＡＭと６４ＱＡＭ）に対しては、パワー変更を行うものとする。つまり、この場合、送信装置は、図９９に示す構成ではなく、図９９に示した構成からパワー変更部９９０１Ｂを除き、ｓ１（ｔ）側にパワー変更部を設ける構成となる。すると、固定の変調方式（ここでは、ＱＰＳＫ）をｓ２に設定したとき、以下の関係式（８６）が成立する。
【１０５７】
【数８６】
2012144206.tif 000095
【１０５８】
すると、「ｓ２の変調方式をＱＰＳＫに固定し、ｓ１の変調方式を１６ＱＡＭから６４ＱＡＭに変更（１６ＱＡＭ、６４ＱＡＭいずれかに設定）」しても、ｕ16＜ｕ64とするとよい。（なお、１６ＱＡＭのときにパワー変更のために乗算された値がｕ16であり、６４ＱＡＭのときにパワー変更のために乗算された値がｕ64であり、ＱＰＳＫはパワー変更が行われないものとする。）
また、（ｓ１の変調方式、ｓ２の変調方式）のセットを、（ＱＰＳＫ、１６ＱＡＭ）または（１６ＱＡＭ、ＱＰＳＫ）または（ＱＰＳＫ、６４ＱＡＭ）または（６４ＱＡＭ、ＱＰＳＫ）のいずれかの設定が可能な場合、ｕ16＜ｕ64の関係を満たすとよい。
【１０５９】
以下、上述の内容を、一般化した場合について説明する。
【１０６０】
ｓ１の変調方式を固定とし、Ｉ−Ｑ平面における信号点の数がｃ個の変調方式Ｃとする。また、ｓ２の変調方式として、Ｉ−Ｑ平面における信号点の数がａ個の変調方式ＡとＩ−Ｑ平面における信号点の数がｂ個の変調方式Ｂ（ａ＞ｂ＞ｃ）のいずれかの設定が可能であるとする。（ただし、変調方式Ａのｓ２時点の平均電力値（平均値）と変調方式Ｂのｓ２時点の平均電力値（平均値）とは等しいものとする。）
このとき、ｓ２の変調方式として、変調方式Ａを設定したときに、設定するパワー変更のための値をｕaとする。また、ｓ２の変調方式として、変調方式Ｂを設定したときに、設定するパワー変更のための値をｕbとする。このとき、ｕb＜ｕaとすると、受信装置が高いデータの受信品質を得ることができる。
【１０６１】
固定の変調方式（ここでは、変調方式Ｃ）に対しては、パワー変更を行わず、複数の設定可能な変調方式（ここでは、変調方式Ａと変調方式Ｂ）に対し、パワー変更を行うものと考える。すると、「ｓ２の変調方式を変調方式Ｃと固定とし、ｓ１の変調方式を変調方式Ａから変調方式Ｂに変更（変調方式Ａ、変調方式Ｂいずれかに設定）」する場合でも、ｕb＜ｕaとするとよい。また、（ｓ１の変調方式、ｓ２の変調方式）のセットを、（変調方式Ｃ、変調方式Ａ）または（変調方式Ａ、変調方式Ｃ）または（変調方式Ｃ、変調方式Ｂ）または（変調方式Ｂ、変調方式Ｃ）のいずれかの設定が可能な場合、ｕb＜ｕaの関係を満たすとよい。
（例２）
図９９を用いて、例１とは異なる動作の例を説明する。なお、ｓ１（ｔ）は、変調方式６４ＱＡＭのベースバンド信号（マッピング後の信号）とし、マッピング方法は、図１０１のとおりであり、ｋは式（８５）のとおりである。また、ｓ２（ｔ）は、変調方式１６ＱＡＭのベースバンド信号（マッピング後の信号）とし、マッピング方法は、図９５のとおりであり、ｇは式（７９）のとおりである。なお、ｔは時間であり、本実施の形態では、時間軸方向を例として説明する。
【１０６２】
パワー変更部（９９０１Ｂ）は、変調方式１６ＱＡＭのベースバンド信号（マッピング後の信号）３０７Ｂ、制御信号（９９００）を入力とし、制御信号（９９００）に基づき、設定したパワー変更のための値をｕとすると、変調方式１６ＱＡＭのベースバンド信号（マッピング後の信号）３０７Ｂをｕ倍した信号（９９０２Ｂ）を出力する。なお、ｕは実数とし、ｕ＜１．０とする。プリコーディング後の変調信号に対し、規則的に位相を変更する方法におけるプリコーディング行列をＦ、規則的に位相変更を行うための位相変更値をｙ（ｔ）（ｙ（ｔ）は絶対値が１の虚数（実数を含む）、つまり、ｅｊθ(t)と表すことができる）とすると、次式が成立する。
【１０６３】
したがって、６４ＱＡＭの平均電力と１６ＱＡＭの平均電力の比は１：ｕ2と設定することになる。これにより、図９８のような受信状態となるので、受信装置におけるデータの受信品質を向上させることができる。
【１０６４】
従来、送信電力制御は、一般的には、通信相手からのフィードバック情報に基づいて、送信電力の制御を行っている。本実施の形態では、通信相手からのフィードバック情報とは関係なく、送信電力を制御している点が、本発明の特徴となり、この点について、詳しく説明する。
【１０６５】
上述で、「制御信号（９９００）により、パワー変更のための値ｕを設定する」ことを述べたが、以下では、さらに受信装置におけるデータの受信品質を向上させるための、制御信号（９９００）によるパワー変更のための値ｕの設定手法について詳しく説明する。
（例２−１）
送信装置が複数のブロック長（符号化後の１ブロックを構成しているビット数であり、符号長とも呼ばれる）の誤り訂正符号をサポートしている場合に、ｓ１及びｓ２の生成に用いられるデータに施された誤り訂正符号のブロック長に応じて、ｓ１およびｓ２の平均電力（平均値）を設定する方法について説明する。
【１０６６】
誤り訂正符号としては、例えば、テイルバイティングを行ったターボ符号またはデュオバイナリーターボ符号、および、ＬＤＰＣ符号、のようなブロック符号があり、多くの通信システム、または、放送システムでは、複数のブロック長がサポートされている。サポートされている複数のブロック長から選択されたブロック長の誤り訂正符号化が施された符号化後のデータは２系統に分配される。２系統に分配された符号化後のデータは、それぞれｓ１の変調方式とｓ２の変調方式で変調され、ベースバンド信号（マッピング後の信号）ｓ１（ｔ）及びｓ２（ｔ）が生成される。
【１０６７】
制御信号（９９００）は、上記の選択した誤り訂正符号のブロック長を示す信号であり、パワー変更部（９９０１Ｂ）は、制御信号（９９００）に応じてパワー変更のための値ｕを設定する。
【１０６８】
本発明の特徴は、パワー変更部（９９０１Ｂ）が、制御信号（９９００）が示す選択されたブロック長に応じてパワー変更のための値ｕを設定することである。ここでは、ブロック長Ｘに応じたパワー変更のための値をｕLXという形で記載することとする。
【１０６９】
例えば、ブロック長として１０００が選択された場合、パワー変更部（９９０１Ｂ）はパワー変更のための値ｕL1000を設定し、ブロック長として１５００が選択された場合、パワー変更部（９９０１Ｂ）はパワー変更のための値ｕL1500を設定し、ブロック長として３０００が選択された場合、パワー変更部（９９０１Ｂ）はパワー変更のための値ｕL3000を設定する。このとき、例えば、ｕL1000、ｕL1500、ｕL3000を、それぞれ異なる値とすることで、各符号長のときで、高い誤り訂正能力を得ることが可能であることがある。ただし、設定する符号長によっては、パワー変更のための値を変更しても効果を得ることができない場合がある。そのときは、符号長を変更しても、パワー変更のための値を変更する必要はない。（例えば、ｕL1000＝ｕL1500であることもある。重要なことは、（ｕL1000、ｕL1500、ｕL3000）の中に、２つ以上の値が存在することである。）
上述では、３つの符号長の場合を例に説明したがこれに限ったものではなく、送信装置において、符号長が２つ以上設定可能な際に、設定可能なパワー変更のための値が２つ以上存在し、符号長を設定した際、送信装置は、複数の設定可能なパワー変更のための値の中からいずれかのパワー変更のための値を選択し、パワー変更を行うことができることが重要な点である。
（例２−２）
送信装置が複数の符号化率の誤り訂正符号をサポートしている場合に、ｓ１及びｓ２の生成に用いられるデータに施された誤り訂正符号の符号化率に応じて、ｓ１およびｓ２の平均電力（平均値）を設定する方法について説明する。
【１０７０】
誤り訂正符号としては、例えば、テイルバイティングを行ったターボ符号またはデュオバイナリーターボ符号、および、ＬＤＰＣ符号、のようなブロック符号があり、多くの通信システム、または、放送システムでは、複数の符号化率がサポートされている。サポートされている複数の符号化率から選択された符号化率の誤り訂正符号化が施された符号化後のデータは２系統に分配される。２系統に分配された符号化後のデータは、それぞれｓ１の変調方式とｓ２の変調方式で変調され、ベースバンド信号（マッピング後の信号）ｓ１（ｔ）及びｓ２（ｔ）が生成される。
【１０７１】
制御信号（９９００）は、上記の選択した誤り訂正符号の符号化率を示す信号であり、パワー変更部（９９０１Ｂ）は、制御信号（９９００）に応じてパワー変更のための値ｕを設定する。
【１０７２】
本発明の特徴は、パワー変更部（９９０１Ｂ）が、制御信号（９９００）が示す選択された符号化率に応じてパワー変更のための値ｕを設定することである。ここでは、符号化率ｒｘに応じたパワー変更のための値をｕrxという形で記載することとする。
【１０７３】
例えば、符号化率としてｒ１が選択された場合、パワー変更部（９９０１Ｂ）はパワー変更のための値ｕr1を設定し、符号化率としてｒ２が選択された場合、パワー変更部（９９０１Ｂ）はパワー変更のための値ｕr2を設定し、符号化率としてｒ３が選択された場合、パワー変更部（９９０１Ｂ）はパワー変更のための値ｕr3を設定する。このとき、例えば、ｕr1、ｕr2、ｕr3を、それぞれ異なる値とすることで、各符号化率のときで、高い誤り訂正能力を得ることが可能であることがある。ただし、設定する符号化率によっては、パワー変更のための値を変更しても効果を得ることができない場合がある。そのときは、符号化率を変更しても、パワー変更のための値を変更する必要はない。（例えば、ｕr1＝ｕr2であることもある。重要なことは、（ｕr1、ｕr2、ｕr3）の中に、２つ以上の値が存在することである。）
なお、上記ｒ１、ｒ２、ｒ３の一例としては、誤り訂正符号がＬＤＰＣ符号の場合には、それぞれ１／２、２／３、３／４といった符号化率であることが考えられる。
【１０７４】
上述では、３つの符号化率の場合を例に説明したがこれに限ったものではなく、送信装置において、符号化率が２つ以上設定可能な際に、設定可能なパワー変更のための値が２つ以上存在し、符号化率を設定した際、送信装置は、複数の設定可能なパワー変更のための値の中からいずれかのパワー変更のための値を選択し、パワー変更を行うことができることが重要な点である。
（例２−３）
受信装置がよりよいデータの受信品質を得るためには以下を実施することが重要となる。
【１０７５】
送信装置が複数の変調方式をサポートしている場合に、ｓ１及びｓ２の生成に用いられる変調方式に応じて、ｓ１およびｓ２の平均電力（平均値）を設定する方法について説明する。
【１０７６】
ここでは、例として、ｓ１の変調方式を６４ＱＡＭに固定するものとし、制御信号により、ｓ２の変調方式を１６ＱＡＭからＱＰＳＫに変更する（または、１６ＱＡＭ、ＱＰＳＫのいずれかの設定が可能な）場合について考える。ｓ１の変調方式を６４ＱＡＭとする場合、ｓ１（ｔ）のマッピング方法としては、図１０１のとおりであり、図１０１においてｋは式（８５）である。ｓ２の変調方式を１６ＱＡＭとする場合、ｓ２（ｔ）のマッピング方法としては、図９５のとおりであり、図９５においてｇは式（７９）であり、また、ｓ２（ｔ）の変調方式をＱＰＳＫとする場合、ｓ２（ｔ）のマッピング方法としては、図９６のとおりであり、図９６においてｈは式（７８）であるとする。
【１０７７】
このようなマッピングを行うと、１６ＱＡＭの場合とＱＰＳＫの場合とで平均電力（平均値）は等しくなる。
【１０７８】
図９９において、ｓ２の変調方式が１６ＱＡＭのときパワー変更部９９０１Ｂは、ｕ＝ｕ16と設定し、ｓ２の変調方式がＱＰＳＫのときｕ＝ｕ4と設定するものとする。このとき、最小ユークリッド距離の関係から、ｕ4＜ｕ16とすると、ｓ２の変調方式が１６ＱＡＭ、ＱＰＳＫのうちいずれの場合であっても、受信装置が高いデータの受信品質を得ることができる。
【１０７９】
なお、上述の説明において、「ｓ１の変調方式を６４ＱＡＭと固定」として説明したが、「ｓ２の変調方式を６４ＱＡＭと固定とし、ｓ１の変調方式を１６ＱＡＭからＱＰＳＫに変更（１６ＱＡＭ、ＱＰＳＫいずれかに設定）」しても、ｕ4＜ｕ16とするとよい（例１−３での説明と同様に考えればよい。）。（なお、１６ＱＡＭのときにパワー変更のために乗算された値がｕ16であり、ＱＰＳＫのときにパワー変更のために乗算された値がｕ4であり、６４ＱＡＭはパワー変更が行われないものとする。）また、（ｓ１の変調方式、ｓ２の変調方式）のセットを、（６４ＱＡＭ、１６ＱＡＭ）または（１６ＱＡＭ、６４ＱＡＭ）または（６４ＱＡＭ、ＱＰＳＫ）または（ＱＰＳＫ、６４ＱＡＭ）のいずれかの設定が可能な場合、ｕ4＜ｕ16の関係を満たすとよい。
【１０８０】
以下、上述の内容を、一般化した場合について説明する。
【１０８１】
ｓ１の変調方式を固定とし、Ｉ−Ｑ平面における信号点の数がｃ個の変調方式Ｃとする。また、ｓ２の変調方式として、Ｉ−Ｑ平面における信号点の数がａ個の変調方式ＡとＩ−Ｑ平面における信号点の数がｂ個の変調方式Ｂ（ｃ＞ｂ＞ａ）のいずれかの設定が可能であるとする。（ただし、変調方式Ａのｓ２時点の平均電力値（平均値）と変調方式Ｂのｓ２時点の平均電力値（平均値）とは等しいものとする。）
このとき、ｓ２の変調方式として、変調方式Ａを設定したときに、設定するパワー変更のための値をｕaとする。また、ｓ２の変調方式として、変調方式Ｂを設定したときに、設定するパワー変更のための値をｕbとする。このとき、ｕa＜ｕbとすると、受信装置が高いデータの受信品質を得ることができる。
【１０８２】
固定の変調方式（ここでは、変調方式Ｃ）に対しては、パワー変更を行わず、複数の設定可能な変調方式（ここでは、変調方式Ａと変調方式Ｂ）に対し、パワー変更を行うものと考える。すると、「ｓ２の変調方式を変調方式Ｃに固定し、ｓ１の変調方式を変調方式Ａから変調方式Ｂに変更（変調方式Ａ、変調方式Ｂいずれかに設定）」する場合でも、ｕa＜ｕbとするとよい。また、（ｓ１の変調方式、ｓ２の変調方式）のセットを、（変調方式Ｃ、変調方式Ａ）または（変調方式Ａ、変調方式Ｃ）または（変調方式Ｃ、変調方式Ｂ）または（変調方式Ｂ、変調方式Ｃ）のいずれかの設定が可能な場合、ｕa＜ｕbの関係を満たすとよい。
（例３）
図９９を用いて、例１とは異なる動作の例を説明する。なお、ｓ１（ｔ）は、変調方式１６ＱＡＭのベースバンド信号（マッピング後の信号）とし、マッピング方法は、図９５のとおりであり、ｇは式（７９）のとおりである。また、ｓ２（ｔ）は、変調方式６４ＱＡＭのベースバンド信号（マッピング後の信号）とし、マッピング方法は、図１０１のとおりであり、ｋは式（８５）のとおりである。なお、ｔは時間であり、本実施の形態では、時間軸方向を例として説明する。
【１０８３】
パワー変更部（９９０１Ｂ）は、変調方式６４ＱＡＭのベースバンド信号（マッピング後の信号）３０７Ｂ、制御信号（９９００）を入力とし、制御信号（追加４００）に基づき、設定したパワー変更のための値をｕとすると、変調方式６４ＱＡＭのベースバンド信号（マッピング後の信号）３０７Ｂをｕ倍した信号（９９０２Ｂ）を出力する。なお、ｕは実数とし、ｕ＞１．０とする。プリコーディング後の変調信号に対し、規則的に位相を変更する方法におけるプリコーディング行列をＦ、規則的に位相変更を行うための位相変更値をｙ（ｔ）（ｙ（ｔ）は絶対値が１の虚数（実数を含む）、つまり、ｅｊθ(t)と表すことができる）とすると、次式が成立する。
【１０８４】
したがって、１６ＱＡＭの平均電力と６４ＱＡＭの平均電力の比は１：ｕ2と設定することになる。これにより、図９８のような受信状態となるので、受信装置におけるデータの受信品質を向上させることができる。
【１０８５】
従来、送信電力制御は、一般的には、通信相手からのフィードバック情報に基づいて、送信電力の制御を行っている。本実施の形態では、通信相手からのフィードバック情報とは関係なく、送信電力を制御している点が、本発明の特徴となり、この点について、詳しく説明する。
【１０８６】
上述で、「制御信号（９９００）により、パワー変更のための値ｕを設定する」ことを述べたが、以下では、さらに受信装置におけるデータの受信品質を向上させるための、制御信号（９９００）によるパワー変更のための値ｕの設定手法について詳しく説明する。
（例３−１）
送信装置が複数のブロック長（符号化後の１ブロックを構成しているビット数であり、符号長とも呼ばれる）の誤り訂正符号をサポートしている場合に、ｓ１及びｓ２の生成に用いられるデータに施された誤り訂正符号のブロック長に応じて、ｓ１およびｓ２の平均電力（平均値）を設定する方法について説明する。
【１０８７】
誤り訂正符号としては、例えば、テイルバイティングを行ったターボ符号またはデュオバイナリーターボ符号、および、ＬＤＰＣ符号、のようなブロック符号があり、多くの通信システム、または、放送システムでは、複数のブロック長がサポートされている。サポートされている複数のブロック長から選択されたブロック長の誤り訂正符号化が施された符号化後のデータは２系統に分配される。２系統に分配された符号化後のデータは、それぞれｓ１の変調方式とｓ２の変調方式で変調され、ベースバンド信号（マッピング後の信号）ｓ１（ｔ）及びｓ２（ｔ）が生成される。
【１０８８】
制御信号（９９００）は、上記の選択した誤り訂正符号のブロック長を示す信号であり、パワー変更部（９９０１Ｂ）は、制御信号（９９００）に応じてパワー変更のための値ｕを設定する。
【１０８９】
本発明の特徴は、パワー変更部（９９０１Ｂ）が、制御信号（９９００）が示す選択されたブロック長に応じてパワー変更のための値ｕを設定することである。ここでは、ブロック長Ｘに応じたパワー変更のための値をｕLXという形で記載することとする。
【１０９０】
例えば、ブロック長として１０００が選択された場合、パワー変更部（９９０１Ｂ）はパワー変更のための値ｕL1000を設定し、ブロック長として１５００が選択された場合、パワー変更部（９９０１Ｂ）はパワー変更のための値ｕL1500を設定し、ブロック長として３０００が選択された場合、パワー変更部（９９０１Ｂ）はパワー変更のための値ｕL3000を設定する。このとき、例えば、ｕL1000、ｕL1500、ｕL3000を、それぞれ異なる値とすることで、各符号長のときで、高い誤り訂正能力を得ることが可能であることがある。ただし、設定する符号長によっては、パワー変更のための値を変更しても効果を得ることができない場合がある。そのときは、符号長を変更しても、パワー変更のための値を変更する必要はない。（例えば、ｕL1000＝ｕL1500であることもある。重要なことは、（ｕL1000、ｕL1500、ｕL3000）の中に、２つ以上の値が存在することである。）
上述では、３つの符号長の場合を例に説明したがこれに限ったものではなく、送信装置において、符号長が２つ以上設定可能な際に、設定可能なパワー変更のための値が２つ以上存在し、符号長を設定した際、送信装置は、複数の設定可能なパワー変更のための値の中からいずれかのパワー変更のための値を選択し、パワー変更を行うことができることが重要な点である。
（例３−２）
送信装置が複数の符号化率の誤り訂正符号をサポートしている場合に、ｓ１及びｓ２の生成に用いられるデータに施された誤り訂正符号の符号化率に応じて、ｓ１およびｓ２の平均電力（平均値）を設定する方法について説明する。
【１０９１】
誤り訂正符号としては、例えば、テイルバイティングを行ったターボ符号またはデュオバイナリーターボ符号、および、ＬＤＰＣ符号、のようなブロック符号があり、多くの通信システム、または、放送システムでは、複数の符号化率がサポートされている。サポートされている複数の符号化率から選択された符号化率の誤り訂正符号化が施された符号化後のデータは２系統に分配される。２系統に分配された符号化後のデータは、それぞれｓ１の変調方式とｓ２の変調方式で変調され、ベースバンド信号（マッピング後の信号）ｓ１（ｔ）及びｓ２（ｔ）が生成される。
【１０９２】
制御信号（９９００）は、上記の選択した誤り訂正符号の符号化率を示す信号であり、パワー変更部（９９０１Ｂ）は、制御信号（９９００）に応じてパワー変更のための値ｕを設定する。
【１０９３】
本発明の特徴は、パワー変更部（９９０１Ｂ）が、制御信号（９９００）が示す選択された符号化率に応じてパワー変更のための値ｕを設定することである。ここでは、符号化率ｒｘに応じたパワー変更のための値をｕrxという形で記載することとする。
【１０９４】
例えば、符号化率としてｒ１が選択された場合、パワー変更部（９９０１Ｂ）はパワー変更のための値ｕr1を設定し、符号化率としてｒ２が選択された場合、パワー変更部（９９０１Ｂ）はパワー変更のための値ｕr2を設定し、符号化率としてｒ３が選択された場合、パワー変更部（９９０１Ｂ）はパワー変更のための値ｕr3を設定する。このとき、例えば、ｕr1、ｕr2、ｕr3を、それぞれ異なる値とすることで、各符号化率のときで、高い誤り訂正能力を得ることが可能であることがある。ただし、設定する符号化率によっては、パワー変更のための値を変更しても効果を得ることができない場合がある。そのときは、符号化率を変更しても、パワー変更のための値を変更する必要はない。（例えば、ｕr1＝ｕr2であることもある。重要なことは、（ｕr1、ｕr2、ｕr3）の中に、２つ以上の値が存在することである。）
なお、上記ｒ１、ｒ２、ｒ３の一例としては、誤り訂正符号がＬＤＰＣ符号の場合には、それぞれ１／２、２／３、３／４といった符号化率であることが考えられる。
【１０９５】
上述では、３つの符号化率の場合を例に説明したがこれに限ったものではなく、送信装置において、符号化率が２つ以上設定可能な際に、設定可能なパワー変更のための値が２つ以上存在し、符号化率を設定した際、送信装置は、複数の設定可能なパワー変更のための値の中からいずれかのパワー変更のための値を選択し、パワー変更を行うことができることが重要な点である。
（例３−３）
受信装置がよりよいデータの受信品質を得るためには以下を実施することが重要となる。
【１０９６】
送信装置が複数の変調方式をサポートしている場合に、ｓ１及びｓ２の生成に用いられる変調方式に応じて、ｓ１およびｓ２の平均電力（平均値）を設定する方法について説明する。
【１０９７】
ここでは、例として、ｓ１の変調方式を１６ＱＡＭに固定するものとし、制御信号により、ｓ２の変調方式を６４ＱＡＭからＱＰＳＫに変更する（または、６４ＱＡＭ、ＱＰＳＫのいずれかの設定が可能な）場合について考える。ｓ１の変調方式を１６ＱＡＭとする場合、ｓ２（ｔ）のマッピング方法としては、図９５のとおりであり、図９５においてｇは式（７９）である。ｓ２の変調方式を６４ＱＡＭとする場合、ｓ１（ｔ）のマッピング方法としては、図１０１のとおりであり、図１０１においてｋは式（８５）であり、また、ｓ２（ｔ）の変調方式をＱＰＳＫとする場合、ｓ２（ｔ）のマッピング方法としては、図９６のとおりであり、図９６においてｈは式（７８）であるとする。
【１０９８】
このようなマッピングを行うと、１６ＱＡＭの場合とＱＰＳＫの場合とで平均電力は等しくなる。
【１０９９】
図９９において、ｓ２の変調方式が６４ＱＡＭのときｕ＝ｕ64設定し、ｓ２の変調方式がＱＰＳＫのときｕ＝ｕ4と設定するものとする。このとき、最小ユークリッド距離の関係から、ｕ4＜ｕ64とすると、ｓ２の変調方式が１６ＱＡＭ、６４ＱＡＭいずれのときも、受信装置が高いデータの受信品質を得ることができる。
【１１００】
なお、上述の説明において、「ｓ１の変調方式を１６ＱＡＭに固定」するとして説明したが、「ｓ２の変調方式を１６ＱＡＭに固定し、ｓ１の変調方式を６４ＱＡＭからＱＰＳＫに変更（６４ＱＡＭ、ＱＰＳＫいずれかに設定）」した場合であっても、ｕ4＜ｕ64とするとよい（例１−３での説明と同様に考えればよい。）。（なお、６４ＱＡＭのときにパワー変更のために乗算された値がｕ64であり、ＱＰＳＫのときにパワー変更のために乗算された値がｕ4であり、１６ＱＡＭはパワー変更が行われないものとする。）また、（ｓ１の変調方式、ｓ２の変調方式）のセットを、（１６ＱＡＭ、６４ＱＡＭ）または（６４ＱＡＭ、１６ＱＡＭ）または（１６ＱＡＭ、ＱＰＳＫ）または（ＱＰＳＫ、１６ＱＡＭ）のいずれかの設定が可能な場合、ｕ4＜ｕ64の関係を満たすとよい。
【１１０１】
以下、上述の内容を、一般化した場合について説明する。
【１１０２】
ｓ１の変調方式を固定とし、Ｉ−Ｑ平面における信号点の数がｃ個の変調方式Ｃとする。また、ｓ２の変調方式として、Ｉ−Ｑ平面における信号点の数がａ個の変調方式ＡとＩ−Ｑ平面における信号点の数がｂ個の変調方式Ｂ（ｃ＞ｂ＞ａ）のいずれかの設定が可能であるとする。（ただし、変調方式Ａのｓ２時点の平均電力値（平均値）と変調方式Ｂのｓ２時点の平均電力値（平均値）とは等しいものとする。）
このとき、ｓ２の変調方式として、変調方式Ａを設定したときに、設定するパワー変更のための値をｕaとする。また、ｓ２の変調方式として、変調方式Ｂを設定したときに、設定するパワー変更のための値をｕbとする。このとき、ｕa＜ｕbとすると、受信装置が高いデータの受信品質を得ることができる。
【１１０３】
固定の変調方式（ここでは、変調方式Ｃ）に対しては、パワー変更を行わず、複数の設定可能な変調方式（ここでは、変調方式Ａと変調方式Ｂ）に対し、パワー変更を行うものと考える。すると、「ｓ２の変調方式を変調方式Ｃに固定し、ｓ１の変調方式を変調方式Ａから変調方式Ｂに変更（変調方式Ａ、変調方式Ｂいずれかに設定）」する場合でも、ｕa＜ｕbとするとよい。また、（ｓ１の変調方式、ｓ２の変調方式）のセットを、（変調方式Ｃ、変調方式Ａ）または（変調方式Ａ、変調方式Ｃ）または（変調方式Ｃ、変調方式Ｂ）または（変調方式Ｂ、変調方式Ｃ）のいずれかの設定が可能な場合、ｕa＜ｕbの関係を満たすとよい。
（例４）
上述では、ｓ１、ｓ２のうち、一方のパワーを変更する場合について述べたが、ここでは、ｓ１、ｓ２の両者のパワーを変更する場合について説明する。
【１１０４】
図１００を用いて、動作の一例を説明する。なお、ｓ１（ｔ）は、変調方式ＱＰＳＫのベースバンド信号（マッピング後の信号）とし、マッピング方法は、図９６のとおりであり、ｈは式（７８）のとおりである。また、ｓ２（ｔ）は、変調方式１６ＱＡＭのベースバンド信号（マッピング後の信号）とし、マッピング方法は、図９５のとおりであり、ｇは式（７９）のとおりである。なお、ｔは時間であり、本実施の形態では、時間軸方向を例として説明する。
【１１０５】
パワー変更部（９９０１Ａ）は、変調方式ＱＰＳＫのベースバンド信号（マッピング後の信号）３０７Ａ、制御信号（９９００）を入力とし、制御信号（９９００）に基づき、設定したパワー変更のための値をｖとすると、変調方式ＱＰＳＫのベースバンド信号（マッピング後の信号）３０７Ａをｖ倍した信号（９９０２Ａ）を出力する。
【１１０６】
パワー変更部（９９０１Ｂ）は、変調方式１６ＱＡＭのベースバンド信号（マッピング後の信号）３０７Ｂ、制御信号（９９００）を入力とし、制御信号（９９００）に基づき、設定したパワー変更のための値をｕとすると、変調方式１６ＱＡＭのベースバンド信号（マッピング後の信号）３０７Ｂをｕ倍した信号（９９０２Ｂ）を出力する。そして、ｕ＝ｖ×ｗ（ｗ＞１．０）とする。
【１１０７】
規則的に位相を変更する方法におけるプリコーディング行列をＦ［ｔ］とすると、次式（８７）が成立する。
【１１０８】
プリコーディング後の変調信号に対し、規則的に位相を変更する方法におけるプリコーディング行列をＦ、規則的に位相変更を行うための位相変更値をｙ（ｔ）（ｙ（ｔ）は絶対値が１の虚数（実数を含む）、つまりｅｊθ(t)と表すことができる）とすると、次式（８７）が成立する。
【１１０９】
【数８７】
2012144206.tif 000096
【１１１０】
したがって、ＱＰＳＫの平均電力と１６ＱＡＭの平均電力の比はｖ2：ｕ2＝ｖ2：ｖ2×ｗ2＝１：ｗ2と設定することになる。これにより、図９８のような受信状態となるので、受信装置におけるデータの受信品質を向上させることができる。
【１１１１】
従来、送信電力制御は、一般的に、通信相手からのフィードバック情報に基づいて、送信電力の制御を行っている。本実施の形態では、通信相手からのフィードバック情報とは関係なく、送信電力を制御している点が、本発明の特徴となり、この点について、詳しく説明する。
【１１１２】
上述で、「制御信号（９９００）により、パワー変更のための値ｖ、ｕを設定する」ことを述べたが、以下では、さらに受信装置におけるデータの受信品質を向上させるための、制御信号（９９００）によるパワー変更のための値ｖ、ｕを設定について詳しく説明する。
（例４−１）
送信装置が複数のブロック長（符号化後の１ブロックを構成しているビット数であり、符号長とも呼ばれる）の誤り訂正符号をサポートしている場合に、ｓ１及びｓ２の生成に用いられるデータに施された誤り訂正符号のブロック長に応じて、ｓ１およびｓ２の平均電力（平均値）を設定する方法について説明する。
【１１１３】
誤り訂正符号としては、例えば、テイルバイティングを行ったターボ符号またはデュオバイナリーターボ符号、および、ＬＤＰＣ符号、のようなブロック符号があり、多くの通信システム、または、放送システムでは、複数のブロック長がサポートされている。サポートされている複数のブロック長から選択されたブロック長の誤り訂正符号化が施された符号化後のデータは２系統に分配される。２系統に分配された符号化後のデータは、それぞれｓ１の変調方式とｓ２の変調方式で変調され、ベースバンド信号（マッピング後の信号）ｓ１（ｔ）及びｓ２（ｔ）が生成される。
【１１１４】
制御信号（９９００）は、上記の選択した誤り訂正符号のブロック長を示す信号であり、パワー変更部（９９０１Ａ）は、制御信号（９９００）に応じてパワー変更のための値ｖを設定する。同様にパワー変更部（９９０１Ｂ）は、制御信号（９９００）に応じてパワー変更のための値ｕを設定する。
【１１１５】
本発明の特徴は、パワー変更部（９９０１Ａ、９９０１Ｂ）が、制御信号（９９００）が示す選択されたブロック長に応じてパワー変更のための値ｖ、ｕを設定することである。ここでは、ブロック長Ｘに応じたパワー変更のための値をそれぞれ、ｖLX、ｕLXという形で記載することとする。
【１１１６】
例えば、ブロック長として１０００が選択された場合、パワー変更部（９９０１Ａ）はパワー変更のための値ｖL1000を設定し、ブロック長として１５００が選択された場合、パワー変更部（９９０１Ａ）はパワー変更のための値ｖL1500を設定し、ブロック長として３０００が選択された場合、パワー変更部（９９０１Ａ）はパワー変更のための値ｖL3000を設定する。
【１１１７】
一方、ブロック長として１０００が選択された場合、パワー変更部（９９０１Ｂ）はパワー変更のための値ｕL1000を設定し、ブロック長として１５００が選択された場合、パワー変更部（９９０１Ｂ）はパワー変更のための値ｕL1500を設定し、ブロック長として３０００が選択された場合、パワー変更部（９９０１Ｂ）はパワー変更のための値ｕL3000を設定する。
【１１１８】
このとき、例えば、ｖL1000、ｖL1500、ｖL3000を、それぞれ異なる値とすることで、各符号長のときで、高い誤り訂正能力を得ることが可能であることがある。同様に、ｕL1000、ｕL1500、ｕL3000を、それぞれ異なる値とすることで、各符号長のときで、高い誤り訂正能力を得ることが可能であることがある。ただし、設定する符号長によっては、パワー変更のための値を変更しても効果を得ることができない場合がある。そのときは、符号長を変更しても、パワー変更のための値を変更する必要はない。（例えば、ｕL1000＝ｕL1500であることもあり、また、ｖL1000＝ｖL1500であることもある。重要なことは、（ｖL1000、ｖL1500、ｖL3000）のセットの中に、２つ以上の値が存在することである。また、（ｕL1000、ｕL1500、ｕL3000）のセットの中に、２つ以上の値が存在することである。）なお、ｖLXとｕLXとが、平均電力値の比、１：ｗ2を満たすように設定されるのは上述したとおりである。
【１１１９】
上述では、３つの符号長の場合を例に説明したがこれに限ったものではなく、送信装置において、符号長が２つ以上設定可能な際に、設定可能なパワー変更のための値ｕLXが２つ以上の存在し、符号長を設定した際、送信装置は、複数の設定可能なパワー変更のための値ｕLXの中からいずれかのパワー変更のための値を選択し、パワー変更を行うことができることが一つの重要な点であり、また、送信装置において、符号長が２つ以上設定可能な際に、設定可能なパワー変更のための値ｖLXが２つ以上の存在し、符号長を設定した際、送信装置は、複数の設定可能なパワー変更のための値ｖLXの中からいずれかのパワー変更のための値を選択し、パワー変更を行うことができることも重要な点である。
（例４−２）
送信装置が複数の符号化率の誤り訂正符号をサポートしている場合に、ｓ１及びｓ２の生成に用いられるデータに施された誤り訂正符号の符号化率に応じて、ｓ１およびｓ２の平均電力（平均値）を設定する方法について説明する。
【１１２０】
誤り訂正符号としては、例えば、テイルバイティングを行ったターボ符号またはデュオバイナリーターボ符号、および、ＬＤＰＣ符号、のようなブロック符号があり、多くの通信システム、または、放送システムでは、複数の符号化率がサポートされている。サポートされている複数の符号化率から選択された符号化率の誤り訂正符号化が施された符号化後のデータは２系統に分配される。２系統に分配された符号化後のデータは、それぞれｓ１の変調方式とｓ２の変調方式で変調され、ベースバンド信号（マッピング後の信号）ｓ１（ｔ）及びｓ２（ｔ）が生成される。
【１１２１】
制御信号（９９００）は、上記の選択した誤り訂正符号の符号化率を示す信号であり、パワー変更部（９９０１Ａ）は、制御信号（９９００）に応じてパワー変更のための値ｖを設定する。また、パワー変更部（９９０１Ｂ）は、制御信号（９９００）に応じてパワー変更のための値ｕを設定する。
【１１２２】
本発明の特徴は、パワー変更部（９９０１Ａ、９９０１Ｂ）が、制御信号（９９００）が示す選択された符号化率に応じてパワー変更のための値ｖ、ｕを設定することである。ここでは、符号化率ｒｘに応じたパワー変更のための値をそれぞれ、ｖrx、ｕrxという形で記載することとする。
【１１２３】
例えば、符号化率としてｒ１が選択された場合、パワー変更部（９９０１Ａ）はパワー変更のための値ｖr1を設定し、符号化率としてｒ２が選択された場合、パワー変更部（９９０１Ａ）はパワー変更のための値ｖr2を設定し、符号化率としてｒ３が選択された場合、パワー変更部（９９０１Ａ）はパワー変更のための値ｖr3を設定する。
【１１２４】
また、符号化率としてｒ１が選択された場合、パワー変更部（９９０１Ｂ）はパワー変更のための値ｕr1を設定し、符号化率としてｒ２が選択された場合、パワー変更部（９９０１Ｂ）はパワー変更のための値ｕr2を設定し、符号化率としてｒ３が選択された場合、パワー変更部（９９０１Ｂ）はパワー変更のための値ｕr3を設定する。
【１１２５】
このとき、例えば、ｖr1、ｖr2、ｖr3を、それぞれ異なる値とすることで、各符号化率のときで、高い誤り訂正能力を得ることが可能であることがある。同様に、ｕr1、ｕr2、ｕr3を、それぞれ異なる値とすることで、各符号化率のときで、高い誤り訂正能力を得ることが可能であることがある。ただし、設定する符号化率によっては、パワー変更のための値を変更しても効果を得ることができない場合がある。そのときは、符号化率を変更しても、パワー変更のための値を変更する必要はない。（例えば、ｖr1＝ｖr2であることもあり、また、ｕr1＝ｕr2であることもある。重要なことは、（ｖr1、ｖr2、ｖr3）のセットの中に、２つ以上の値が存在することである。また、（ｕr1、ｕr2、ｕr3）のセットの中に、２つ以上の値が存在することである。）なお、ｖrXとｕrXとが、平均電力値の比、１：ｗ2を満たすように設定されるのは上述したとおりである。
【１１２６】
また、上記ｒ１、ｒ２、ｒ３の一例としては、誤り訂正符号がＬＤＰＣ符号の場合には、それぞれ１／２、２／３、３／４といった符号化率であることが考えられる。
【１１２７】
上述では、３つの符号化率の場合を例に説明したがこれに限ったものではなく、送信装置において、符号化率が２つ以上設定可能な際に、設定可能なパワー変更のための値ｕrxが２つ以上の存在し、符号化率を設定した際、送信装置は、複数の設定可能なパワー変更のための値ｕrxの中からいずれかのパワー変更のための値を選択し、パワー変更を行うことができることが重要な点であり、また、送信装置において、符号化率が２つ以上設定可能な際に、設定可能なパワー変更のための値ｖrXが２つ以上の存在し、符号化率を設定した際、送信装置は、複数の設定可能なパワー変更のための値ｖrXの中からいずれかのパワー変更のための値を選択し、パワー変更を行うことができることも重要な点である。
（例４−３）
受信装置がよりよいデータの受信品質を得るためには以下を実施することが重要となる。
【１１２８】
送信装置が複数の変調方式をサポートしている場合に、ｓ１及びｓ２の生成に用いられる変調方式に応じて、ｓ１およびｓ２の平均電力（平均値）を設定する方法について説明する。
【１１２９】
ここでは、例として、ｓ１の変調方式をＱＰＳＫに固定とし、制御信号により、ｓ２の変調方式を１６ＱＡＭから６４ＱＡＭに変更する（または、１６ＱＡＭ、６４ＱＡＭのいずれかの設定が可能な）場合について考える。ｓ１の変調方式をＱＰＳＫとする場合、ｓ１（ｔ）のマッピング方法としては、図９６のとおりであり、図９６においてｈは式（７８）である。ｓ２の変調方式を１６ＱＡＭとする場合、ｓ２（ｔ）のマッピング方法としては、図９５のとおりであり、図９５においてｇは式（７９）であり、また、ｓ２（ｔ）の変調方式を６４ＱＡＭとする場合、ｓ２（ｔ）のマッピング方法としては、図１０１のとおりであり、図１０１においてｋは式（８５）であるとする。
【１１３０】
図１００において、ｓ１の変調方式をＱＰＳＫとし、ｓ２の変調方式が１６ＱＡＭとしたとき、ｖ＝αとし、ｕ＝α×ｗ16設定するものとする。このとき、ＱＰＳＫの平均電力と１６ＱＡＭの平均電力の比はｖ2：ｕ2＝α2：α2×ｗ162＝１：ｗ162となる。
【１１３１】
そして、図１００において、ｓ１の変調方式をＱＰＳＫとしｓ２の変調方式が６４ＱＡＭとしたとき、ｖ＝βとし、ｕ＝β×ｗ64設定するものとする。このとき、ＱＰＳＫの平均電力と６４ＱＡＭの平均電力の比はｖ：ｕ＝β2：β2×ｗ642＝１：ｗ642となる。このとき、最小ユークリッド距離の関係から、１．０＜ｗ16＜ｗ64とすると、ｓ２の変調方式が１６ＱＡＭ、６４ＱＡＭいずれのときも、受信装置が高いデータの受信品質を得ることができる。
【１１３２】
なお、上述の説明において、「ｓ１の変調方式をＱＰＳＫに固定」するとして説明したが、「ｓ２の変調方式をＱＰＳＫに固定する」ことが考えられる。このとき、固定の変調方式（ここでは、ＱＰＳＫ）に対しては、パワー変更を行わず、複数の設定可能な変調方式（ここでは、１６ＱＡＭと６４ＱＡＭ）に対し、パワー変更を行うものとする。すると、固定の変調方式（ここでは、ＱＰＳＫ）をｓ２に設定したとき、以下の関係式（８８）が成立する。
【１１３３】
【数８８】
2012144206.tif 000097
【１１３４】
すると、「ｓ２の変調方式をＱＰＳＫに固定し、ｓ１の変調方式を１６ＱＡＭから６４ＱＡＭに変更（１６ＱＡＭ、６４ＱＡＭいずれかに設定）」しても、１．０＜ｗ16＜ｗ64とするとよい。（なお、１６ＱＡＭのときにパワー変更のために乗算された値がｕ＝α×ｗ16であり、６４ＱＡＭのときにパワー変更のために乗算された値がｕ＝β×ｗ64であり、ＱＰＳＫのパワー変更のための値は、複数の設定可能な変調方式が１６ＱＡＭのときｖ＝αであり、複数の設定可能な変調方式が６４ＱＡＭのときｖ＝βとなる。）また、（ｓ１の変調方式、ｓ２の変調方式）のセットを、（ＱＰＳＫ、１６ＱＡＭ）または（１６ＱＡＭ、ＱＰＳＫ）または（ＱＰＳＫ、６４ＱＡＭ）または（６４ＱＡＭ、ＱＰＳＫ）のいずれかの設定が可能な場合、１．０＜ｗ16＜ｗ64の関係を満たすとよい。
【１１３５】
以下、上述の内容を、一般化した場合について説明する。
【１１３６】
一般化した場合、ｓ１の変調方式を固定とし、Ｉ−Ｑ平面における信号点の数がｃ個の変調方式Ｃとする。ｓ２の変調方式として、Ｉ−Ｑ平面における信号点の数がａ個の変調方式ＡとＩ−Ｑ平面における信号点の数がｂ個の変調方式Ｂ（ａ＞ｂ＞ｃ）のいずれかの設定が可能であるとする。このとき、ｓ１の変調方式が変調方式Ｃでその平均電力とｓ２の変調方式として、変調方式Ａを設定したときの、その平均電力の比を１：ｗa2とする。ｓ１の変調方式が変調方式Ｃでその平均電力とｓ２の変調方式として、変調方式Ｂを設定したときの、その平均電力の比を１：ｗb2とする。このとき、ｗb＜ｗaとすると、受信装置が高いデータの受信品質を得ることができる。
【１１３７】
したがって、上述の例では「ｓ１の変調方式を変調方式Ｃに固定」するとして説明したが、「ｓ２の変調方式を変調方式Ｃに固定し、ｓ１の変調方式を変調方式Ａから変調方式Ｂに変更（変調方式Ａ、変調方式Ｂいずれかに設定）」した場合であっても、平均電力に関し、ｗb＜ｗaとするとよい。（このとき、上述と同様に、変調方式Ｃの平均電力を１とした場合、変調方式Ａの平均電力がｗa2であり、変調方式Ｂの平均電力がｗb2である。）また、（ｓ１の変調方式、ｓ２の変調方式）のセットを、（変調方式Ｃ、変調方式Ａ）または（変調方式Ａ、変調方式Ｃ）または（変調方式Ｃ、変調方式Ｂ）または（変調方式Ｂ、変調方式Ｃ）のいずれかの設定が可能な場合、平均電力に関し、ｗb＜ｗaの関係を満たすとよい。
（例５）
図１００を用いて、例４とは異なる動作の例を説明する。なお、ｓ１（ｔ）は、変調方式６４ＱＡＭのベースバンド信号（マッピング後の信号）とし、マッピング方法は、図１０１のとおりであり、ｋは式（８５）のとおりである。また、ｓ２（ｔ）は、変調方式１６ＱＡＭのベースバンド信号（マッピング後の信号）とし、マッピング方法は、図９５のとおりであり、ｇは式（７９）のとおりである。なお、ｔは時間であり、本実施の形態では、時間軸方向を例として説明する。
【１１３８】
パワー変更部（９９０１Ａ）は、変調方式６４ＱＡＭのベースバンド信号（マッピング後の信号）３０７Ａ、制御信号（９９００）を入力とし、制御信号（９９００）に基づき、設定したパワー変更のための値をｖとすると、変調方式６４ＱＡＭのベースバンド信号（マッピング後の信号）３０７Ａをｖ倍した信号（９９０２Ａ）を出力する。
【１１３９】
パワー変更部（９９０１Ｂ）は、変調方式１６ＱＡＭのベースバンド信号（マッピング後の信号）３０７Ｂ、制御信号（９９００）を入力とし、制御信号（９９００）に基づき、設定したパワー変更のための値をｕとすると、変調方式１６ＱＡＭのベースバンド信号（マッピング後の信号）３０７Ｂをｕ倍した信号（９９０２Ｂ）を出力する。そして、ｕ＝ｖ×ｗ（ｗ＜１．０）とする。
【１１４０】
プリコーディング後の変調信号に対し、規則的に位相を変更する方法におけるプリコーディング行列をＦ、規則的に位相変更を行うための位相変更値をｙ（ｔ）（ｙ（ｔ）は絶対値が１の虚数（実数を含む）、つまりｅｊθ(t)と表すことができる）とすると、上述の式（８７）が成立する。
したがって、６４ＱＡＭの平均電力と１６ＱＡＭの平均電力の比はｖ2：ｕ2＝ｖ2：ｖ2×ｗ2＝１：ｗ2と設定することになる。これにより、図９８のような受信状態となるので、受信装置におけるデータの受信品質を向上させることができる。
【１１４１】
従来、送信電力制御は、一般的に、通信相手からのフィードバック情報に基づいて、送信電力の制御を行っている。本実施の形態では、通信相手からのフィードバック情報とは関係なく、送信電力を制御している点が、本発明の特徴となり、この点について、詳しく説明する。
【１１４２】
上述で、「制御信号（９９００）により、パワー変更のための値ｖ、ｕを設定する」ことを述べたが、以下では、さらに受信装置におけるデータの受信品質を向上させるための、制御信号（９９００）によるパワー変更のための値ｖ、ｕを設定について詳しく説明する。
（例５−１）
送信装置が複数のブロック長（符号化後の１ブロックを構成しているビット数であり、符号長とも呼ばれる）の誤り訂正符号をサポートしている場合に、ｓ１及びｓ２の生成に用いられるデータに施された誤り訂正符号のブロック長に応じて、ｓ１およびｓ２の平均電力（平均値）を設定する方法について説明する。
【１１４３】
誤り訂正符号としては、例えば、テイルバイティングを行ったターボ符号またはデュオバイナリーターボ符号、および、ＬＤＰＣ符号、のようなブロック符号があり、多くの通信システム、または、放送システムでは、複数のブロック長がサポートされている。サポートされている複数のブロック長から選択されたブロック長の誤り訂正符号化が施された符号化後のデータは２系統に分配される。２系統に分配された符号化後のデータは、それぞれｓ１の変調方式とｓ２の変調方式で変調され、ベースバンド信号（マッピング後の信号）ｓ１（ｔ）及びｓ２（ｔ）が生成される。
【１１４４】
制御信号（９９００）は、上記の選択した誤り訂正符号のブロック長を示す信号であり、パワー変更部（９９０１Ａ）は、制御信号（９９００）に応じてパワー変更のための値ｖを設定する。同様にパワー変更部（９９０１Ｂ）は、制御信号（９９００）に応じてパワー変更のための値ｕを設定する。
【１１４５】
本発明の特徴は、パワー変更部（９９０１Ａ、９９０１Ｂ）が、制御信号（９９００）が示す選択されたブロック長に応じてパワー変更のための値ｖ、ｕを設定することである。ここでは、ブロック長Ｘに応じたパワー変更のための値をそれぞれ、ｖLX、ｕLXという形で記載することとする。
【１１４６】
例えば、ブロック長として１０００が選択された場合、パワー変更部（９９０１Ａ）はパワー変更のための値ｖL1000を設定し、ブロック長として１５００が選択された場合、パワー変更部（９９０１Ａ）はパワー変更のための値ｖL1500を設定し、ブロック長として３０００が選択された場合、パワー変更部（９９０１Ａ）はパワー変更のための値ｖL3000を設定する。
【１１４７】
一方、ブロック長として１０００が選択された場合、パワー変更部（９９０１Ｂ）はパワー変更のための値ｕL1000を設定し、ブロック長として１５００が選択された場合、パワー変更部（９９０１Ｂ）はパワー変更のための値ｕL1500を設定し、ブロック長として３０００が選択された場合、パワー変更部（９９０１Ｂ）はパワー変更のための値ｕL3000を設定する。
【１１４８】
このとき、例えば、ｖL1000、ｖL1500、ｖL3000を、それぞれ異なる値とすることで、各符号長のときで、高い誤り訂正能力を得ることが可能であることがある。同様に、ｕL1000、ｕL1500、ｕL3000を、それぞれ異なる値とすることで、各符号長のときで、高い誤り訂正能力を得ることが可能であることがある。ただし、設定する符号長によっては、パワー変更のための値を変更しても効果を得ることができない場合がある。そのときは、符号長を変更しても、パワー変更のための値を変更する必要はない。（例えば、ｕL1000＝ｕL1500であることもあり、また、ｖL1000＝ｖL1500であることもある。重要なことは、（ｖL1000、ｖL1500、ｖL3000）のセットの中に、２つ以上の値が存在することである。また、（ｕL1000、ｕL1500、ｕL3000）のセットの中に、２つ以上の値が存在することである。）なお、ｖLXとｕLXとが、平均電力値の比、１：ｗ2を満たすように設定されるのは上述したとおりである。
【１１４９】
上述では、３つの符号長の場合を例に説明したがこれに限ったものではなく、送信装置において、符号長が２つ以上設定可能な際に、設定可能なパワー変更のための値ｕLXが２つ以上の存在し、符号長を設定した際、送信装置は、複数の設定可能なパワー変更のための値ｕLXの中からいずれかのパワー変更のための値を選択し、パワー変更を行うことができることが一つの重要な点であり、また、送信装置において、符号長が２つ以上設定可能な際に、設定可能なパワー変更のための値ｖLXが２つ以上の存在し、符号長を設定した際、送信装置は、複数の設定可能なパワー変更のための値ｖLXの中からいずれかのパワー変更のための値を選択し、パワー変更を行うことができることも重要な点である。
（例５−２）
送信装置が複数の符号化率の誤り訂正符号をサポートしている場合に、ｓ１及びｓ２の生成に用いられるデータに施された誤り訂正符号の符号化率に応じて、ｓ１およびｓ２の平均電力（平均値）を設定する方法について説明する。
【１１５０】
誤り訂正符号としては、例えば、テイルバイティングを行ったターボ符号またはデュオバイナリーターボ符号、および、ＬＤＰＣ符号、のようなブロック符号があり、多くの通信システム、または、放送システムでは、複数の符号化率がサポートされている。サポートされている複数の符号化率から選択された符号化率の誤り訂正符号化が施された符号化後のデータは２系統に分配される。２系統に分配された符号化後のデータは、それぞれｓ１の変調方式とｓ２の変調方式で変調され、ベースバンド信号（マッピング後の信号）ｓ１（ｔ）及びｓ２（ｔ）が生成される。
【１１５１】
制御信号（９９００）は、上記の選択した誤り訂正符号の符号化率を示す信号であり、パワー変更部（９９０１Ａ）は、制御信号（９９００）に応じてパワー変更のための値ｖを設定する。また、パワー変更部（９９０１Ｂ）は、制御信号（９９００）に応じてパワー変更のための値ｕを設定する。
【１１５２】
本発明の特徴は、パワー変更部（９９０１Ａ、９９０１Ｂ）が、制御信号（９９００）が示す選択された符号化率に応じてパワー変更のための値ｖ、ｕを設定することである。ここでは、符号化率ｒｘに応じたパワー変更のための値をそれぞれ、ｖrx、ｕrxという形で記載することとする。
【１１５３】
例えば、符号化率としてｒ１が選択された場合、パワー変更部（９９０１Ａ）はパワー変更のための値ｖr1を設定し、符号化率としてｒ２が選択された場合、パワー変更部（９９０１Ａ）はパワー変更のための値ｖr2を設定し、符号化率としてｒ３が選択された場合、パワー変更部（９９０１Ａ）はパワー変更のための値ｖr3を設定する。
【１１５４】
また、符号化率としてｒ１が選択された場合、パワー変更部（９９０１Ｂ）はパワー変更のための値ｕr1を設定し、符号化率としてｒ２が選択された場合、パワー変更部（９９０１Ｂ）はパワー変更のための値ｕr2を設定し、符号化率としてｒ３が選択された場合、パワー変更部（９９０１Ｂ）はパワー変更のための値ｕr3を設定する。
【１１５５】
このとき、例えば、ｖr1、ｖr2、ｖr3を、それぞれ異なる値とすることで、各符号化率のときで、高い誤り訂正能力を得ることが可能であることがある。同様に、ｕr1、ｕr2、ｕr3を、それぞれ異なる値とすることで、各符号化率のときで、高い誤り訂正能力を得ることが可能であることがある。ただし、設定する符号化率によっては、パワー変更のための値を変更しても効果を得ることができない場合がある。そのときは、符号化率を変更しても、パワー変更のための値を変更する必要はない。（例えば、ｖr1＝ｖr2であることもあり、また、ｕr1＝ｕr2であることもある。重要なことは、（ｖr1、ｖr2、ｖr3）のセットの中に、２つ以上の値が存在することである。また、（ｕr1、ｕr2、ｕr3）のセットの中に、２つ以上の値が存在することである。）なお、ｖrXとｕrXとが、平均電力値の比、１：ｗ2を満たすように設定されるのは上述したとおりである。
【１１５６】
また、上記ｒ１、ｒ２、ｒ３の一例としては、誤り訂正符号がＬＤＰＣ符号の場合には、それぞれ１／２、２／３、３／４といった符号化率であることが考えられる。
【１１５７】
上述では、３つの符号化率の場合を例に説明したがこれに限ったものではなく、送信装置において、符号化率が２つ以上設定可能な際に、設定可能なパワー変更のための値ｕrxが２つ以上の存在し、符号化率を設定した際、送信装置は、複数の設定可能なパワー変更のための値ｕrxの中からいずれかのパワー変更のための値を選択し、パワー変更を行うことができることが重要な点であり、また、送信装置において、符号化率が２つ以上設定可能な際に、設定可能なパワー変更のための値ｖrXが２つ以上の存在し、符号化率を設定した際、送信装置は、複数の設定可能なパワー変更のための値ｖrXの中からいずれかのパワー変更のための値を選択し、パワー変更を行うことができることも重要な点である。
（例５−３）
受信装置がよりよいデータの受信品質を得るためには以下を実施することが重要となる。
【１１５８】
送信装置が複数の変調方式をサポートしている場合に、ｓ１及びｓ２の生成に用いられる変調方式に応じて、ｓ１およびｓ２の平均電力（平均値）を設定する方法について説明する。
【１１５９】
ここでは、例として、ｓ１の変調方式を６４ＱＡＭに固定とし、制御信号により、ｓ２の変調方式を１６ＱＡＭからＱＰＳＫに変更する（または、１６ＱＡＭ、ＱＰＳＫのいずれかの設定が可能な）場合について考える。ｓ１の変調方式を６４ＱＡＭとする場合、ｓ１（ｔ）のマッピング方法としては、図１０１のとおりであり、図１０１においてｋは式（８５）である。ｓ２の変調方式を１６ＱＡＭとする場合、ｓ２（ｔ）のマッピング方法としては、図９５のとおりであり、図９５においてｇは式（７９）であり、また、ｓ２（ｔ）の変調方式をＱＰＳＫとする場合、ｓ２（ｔ）のマッピング方法としては、図９６のとおりであり、図９６においてｈは式（７８）であるとする。
【１１６０】
図１００において、ｓ１の変調方式を６４ＱＡＭとし、ｓ２の変調方式が１６ＱＡＭとしたとき、ｖ＝αとし、ｕ＝α×ｗ16設定するものとする。このとき、６４ＱＡＭの平均電力と１６ＱＡＭの平均電力の比はｖ2：ｕ2＝α2：α2×ｗ162＝１：ｗ162となる。
【１１６１】
そして、図１００において、ｓ１の変調方式を６４ＱＡＭとしｓ２の変調方式がＱＰＳＫとしたとき、ｖ＝βとし、ｕ＝β×ｗ4設定するものとする。このとき、６４ＱＡＭの平均電力とＱＰＳＫの平均電力の比はｖ2：ｕ2＝β2：β2×ｗ42＝１：ｗ42となる。このとき、最小ユークリッド距離の関係から、ｗ4＜ｗ16＜１．０とすると、ｓ２の変調方式が１６ＱＡＭ、ＱＰＳＫいずれのときも、受信装置が高いデータの受信品質を得ることができる。
【１１６２】
なお、上述の説明において、「ｓ１の変調方式を６４ＱＡＭに固定」するとして説明したが、「ｓ２の変調方式を６４ＱＡＭに固定し、ｓ１の変調方式を１６ＱＡＭからＱＰＳＫに変更（１６ＱＡＭ、ＱＰＳＫいずれかに設定）」しても、ｗ4＜ｗ16＜１．０とするとよい。（例４−３での説明と同様に考えればよい。）。（なお、１６ＱＡＭのときにパワー変更のために乗算された値がｕ＝α×ｗ16であり、ＱＰＳＫのときにパワー変更のために乗算された値がｕ＝β×ｗ4であり、６４ＱＡＭのパワー変更のための値は、複数の設定可能な変調方式が１６ＱＡＭのときｖ＝αであり、複数の設定可能な変調方式がＱＰＳＫのときｖ＝βとなる。）また、（ｓ１の変調方式、ｓ２の変調方式）のセットを、（６４ＱＡＭ、１６ＱＡＭ）または（１６ＱＡＭ、６４ＱＡＭ）または（６４ＱＡＭ、ＱＰＳＫ）または（ＱＰＳＫ、６４ＱＡＭ）のいずれかの設定が可能な場合、ｗ4＜ｗ16＜１．０の関係を満たすとよい。
【１１６３】
以下、上述の内容を、一般化した場合について説明する。
【１１６４】
一般化した場合、ｓ１の変調方式を固定とし、Ｉ−Ｑ平面における信号点の数がｃ個の変調方式Ｃとする。ｓ２の変調方式として、Ｉ−Ｑ平面における信号点の数がａ個の変調方式ＡとＩ−Ｑ平面における信号点の数がｂ個の変調方式Ｂ（ｃ＞ｂ＞ａ）のいずれかの設定が可能であるとする。このとき、ｓ１の変調方式が変調方式Ｃでその平均電力とｓ２の変調方式として、変調方式Ａを設定したときの、その平均電力の比を１：ｗa2とする。ｓ１の変調方式が変調方式Ｃでその平均電力とｓ２の変調方式として、変調方式Ｂを設定したときの、その平均電力の比を１：ｗb2とする。このとき、ｗa＜ｗbとすると、受信装置が高いデータの受信品質を得ることができる。
【１１６５】
したがって、「ｓ１の変調方式を変調方式Ｃに固定」するとして説明したが、「ｓ２の変調方式を変調方式Ｃに固定し、ｓ１の変調方式を変調方式Ａから変調方式Ｂに変更（変調方式Ａ、変調方式Ｂいずれかに設定）」した場合であっても、平均電力に関し、ｗa＜ｗbとするとよい。（このとき、上述と同様に、変調方式Ｃの平均電力を１とした場合、変調方式Ａの平均電力がｗa2であり、変調方式Ｂの平均電力がｗb2である。）また、（ｓ１の変調方式、ｓ２の変調方式）のセットを、（変調方式Ｃ、変調方式Ａ）または（変調方式Ａ、変調方式Ｃ）または（変調方式Ｃ、変調方式Ｂ）または（変調方式Ｂ、変調方式Ｃ）のいずれかの設定が可能な場合、平均電力に関し、ｗa＜ｗbの関係を満たすとよい。
（例６）
図１００を用いて、例４とは異なる動作の例を説明する。なお、ｓ１（ｔ）は、変調方式１６ＱＡＭのベースバンド信号（マッピング後の信号）とし、マッピング方法は、図１０１のとおりであり、ｇは式（７９）のとおりである。また、ｓ２（ｔ）は、変調方式６４ＱＡＭのベースバンド信号（マッピング後の信号）とし、マッピング方法は、図１０１のとおりであり、ｋは式（８５）のとおりである。なお、ｔは時間であり、本実施の形態では、時間軸方向を例として説明する。
【１１６６】
パワー変更部（９９０１Ａ）は、変調方式１６ＱＡＭのベースバンド信号（マッピング後の信号）３０７Ａ、制御信号（９９００）を入力とし、制御信号（９９００）に基づき、設定したパワー変更のための値をｖとすると、変調方式１６ＱＡＭのベースバンド信号（マッピング後の信号）３０７Ａをｖ倍した信号（９９０２Ａ）を出力する。
【１１６７】
パワー変更部（９９０１Ｂ）は、変調方式６４ＱＡＭのベースバンド信号（マッピング後の信号）３０７Ｂ、制御信号（９９００）を入力とし、制御信号（９９００）に基づき、設定したパワー変更のための値をｕとすると、変調方式６４ＱＡＭのベースバンド信号（マッピング後の信号）３０７Ｂをｕ倍した信号（９９０２Ｂ）を出力する。そして、ｕ＝ｖ×ｗ（ｗ＜１．０）とする。
【１１６８】
プリコーディング後の変調信号に対し、規則的に位相を変更する方法におけるプリコーディング行列をＦ、規則的に位相変更を行うための位相変更値をｙ（ｔ）（ｙ（ｔ）は絶対値が１の虚数（実数を含む）、つまりｅｊθ(t)と表すことができる）とすると、上述の式（８７）が成立する。
【１１６９】
したがって、６４ＱＡＭの平均電力と１６ＱＡＭの平均電力の比はｖ2：ｕ2＝ｖ2：ｖ2×ｗ2＝１：ｗ2と設定することになる。これにより、図９８のような受信状態となるので、受信装置におけるデータの受信品質を向上させることができる。
【１１７０】
従来、送信電力制御は、一般的に、通信相手からのフィードバック情報に基づいて、送信電力の制御を行っている。本実施の形態では、通信相手からのフィードバック情報とは関係なく、送信電力を制御している点が、本発明の特徴となり、この点について、詳しく説明する。
【１１７１】
上述で、「制御信号（９９００）により、パワー変更のための値ｖ、ｕを設定する」ことを述べたが、以下では、さらに受信装置におけるデータの受信品質を向上させるための、制御信号（９９００）によるパワー変更のための値ｖ、ｕを設定について詳しく説明する。
（例６−１）
送信装置が複数のブロック長（符号化後の１ブロックを構成しているビット数であり、符号長とも呼ばれる）の誤り訂正符号をサポートしている場合に、ｓ１及びｓ２の生成に用いられるデータに施された誤り訂正符号のブロック長に応じて、ｓ１およびｓ２の平均電力（平均値）を設定する方法について説明する。
【１１７２】
誤り訂正符号としては、例えば、テイルバイティングを行ったターボ符号またはデュオバイナリーターボ符号、および、ＬＤＰＣ符号、のようなブロック符号があり、多くの通信システム、または、放送システムでは、複数のブロック長がサポートされている。サポートされている複数のブロック長から選択されたブロック長の誤り訂正符号化が施された符号化後のデータは２系統に分配される。２系統に分配された符号化後のデータは、それぞれｓ１の変調方式とｓ２の変調方式で変調され、ベースバンド信号（マッピング後の信号）ｓ１（ｔ）及びｓ２（ｔ）が生成される。
【１１７３】
制御信号（９９００）は、上記の選択した誤り訂正符号のブロック長を示す信号であり、パワー変更部（９９０１Ａ）は、制御信号（９９００）に応じてパワー変更のための値ｖを設定する。同様にパワー変更部（９９０１Ｂ）は、制御信号（９９００）に応じてパワー変更のための値ｕを設定する。
【１１７４】
本発明の特徴は、パワー変更部（９９０１Ａ、９９０１Ｂ）が、制御信号（９９００）が示す選択されたブロック長に応じてパワー変更のための値ｖ、ｕを設定することである。ここでは、ブロック長Ｘに応じたパワー変更のための値をそれぞれ、ｖLX、ｕLXという形で記載することとする。
【１１７５】
例えば、ブロック長として１０００が選択された場合、パワー変更部（９９０１Ａ）はパワー変更のための値ｖL1000を設定し、ブロック長として１５００が選択された場合、パワー変更部（９９０１Ａ）はパワー変更のための値ｖL1500を設定し、ブロック長として３０００が選択された場合、パワー変更部（９９０１Ａ）はパワー変更のための値ｖL3000を設定する。
【１１７６】
一方、ブロック長として１０００が選択された場合、パワー変更部（９９０１Ｂ）はパワー変更のための値ｕL1000を設定し、ブロック長として１５００が選択された場合、パワー変更部（９９０１Ｂ）はパワー変更のための値ｕL1500を設定し、ブロック長として３０００が選択された場合、パワー変更部（９９０１Ｂ）はパワー変更のための値ｕL3000を設定する。
【１１７７】
このとき、例えば、ｖL1000、ｖL1500、ｖL3000を、それぞれ異なる値とすることで、各符号長のときで、高い誤り訂正能力を得ることが可能であることがある。同様に、ｕL1000、ｕL1500、ｕL3000を、それぞれ異なる値とすることで、各符号長のときで、高い誤り訂正能力を得ることが可能であることがある。ただし、設定する符号長によっては、パワー変更のための値を変更しても効果を得ることができない場合がある。そのときは、符号長を変更しても、パワー変更のための値を変更する必要はない。（例えば、ｕL1000＝ｕL1500であることもあり、また、ｖL1000＝ｖL1500であることもある。重要なことは、（ｖL1000、ｖL1500、ｖL3000）のセットの中に、２つ以上の値が存在することである。また、（ｕL1000、ｕL1500、ｕL3000）のセットの中に、２つ以上の値が存在することである。）なお、ｖLXとｕLXとが、平均電力値の比、１：ｗ2を満たすように設定されるのは上述したとおりである。
【１１７８】
上述では、３つの符号長の場合を例に説明したがこれに限ったものではなく、送信装置において、符号長が２つ以上設定可能な際に、設定可能なパワー変更のための値ｕLXが２つ以上の存在し、符号長を設定した際、送信装置は、複数の設定可能なパワー変更のための値ｕLXの中からいずれかのパワー変更のための値を選択し、パワー変更を行うことができることが一つの重要な点であり、また、送信装置において、符号長が２つ以上設定可能な際に、設定可能なパワー変更のための値ｖLXが２つ以上の存在し、符号長を設定した際、送信装置は、複数の設定可能なパワー変更のための値ｖLXの中からいずれかのパワー変更のための値を選択し、パワー変更を行うことができることも重要な点である。
（例６−２）
送信装置が複数の符号化率の誤り訂正符号をサポートしている場合に、ｓ１及びｓ２の生成に用いられるデータに施された誤り訂正符号の符号化率に応じて、ｓ１およびｓ２の平均電力を設定する方法について説明する。
【１１７９】
誤り訂正符号としては、例えば、テイルバイティングを行ったターボ符号またはデュオバイナリーターボ符号、および、ＬＤＰＣ符号、のようなブロック符号があり、多くの通信システム、または、放送システムでは、複数の符号化率がサポートされている。サポートされている複数の符号化率から選択された符号化率の誤り訂正符号化が施された符号化後のデータは２系統に分配される。２系統に分配された符号化後のデータは、それぞれｓ１の変調方式とｓ２の変調方式で変調され、ベースバンド信号（マッピング後の信号）ｓ１（ｔ）及びｓ２（ｔ）が生成される。
【１１８０】
制御信号（９９００）は、上記の選択した誤り訂正符号の符号化率を示す信号であり、パワー変更部（９９０１Ａ）は、制御信号（９９００）に応じてパワー変更のための値ｖを設定する。また、パワー変更部（９９０１Ｂ）は、制御信号（９９００）に応じてパワー変更のための値ｕを設定する。
【１１８１】
本発明の特徴は、パワー変更部（９９０１Ａ、９９０１Ｂ）が、制御信号（９９００）が示す選択された符号化率に応じてパワー変更のための値ｖ、ｕを設定することである。ここでは、符号化率ｒｘに応じたパワー変更のための値をそれぞれ、ｖrx、ｕrxという形で記載することとする。
【１１８２】
例えば、符号化率としてｒ１が選択された場合、パワー変更部（９９０１Ａ）はパワー変更のための値ｖr1を設定し、符号化率としてｒ２が選択された場合、パワー変更部（９９０１Ａ）はパワー変更のための値ｖr2を設定し、符号化率としてｒ３が選択された場合、パワー変更部（９９０１Ａ）はパワー変更のための値ｖr3を設定する。
【１１８３】
また、符号化率としてｒ１が選択された場合、パワー変更部（９９０１Ｂ）はパワー変更のための値ｕr1を設定し、符号化率としてｒ２が選択された場合、パワー変更部（９９０１Ｂ）はパワー変更のための値ｕr2を設定し、符号化率としてｒ３が選択された場合、パワー変更部（９９０１Ｂ）はパワー変更のための値ｕr3を設定する。
【１１８４】
このとき、例えば、ｖr1、ｖr2、ｖr3を、それぞれ異なる値とすることで、各符号化率のときで、高い誤り訂正能力を得ることが可能であることがある。同様に、ｕr1、ｕr2、ｕr3を、それぞれ異なる値とすることで、各符号化率のときで、高い誤り訂正能力を得ることが可能であることがある。ただし、設定する符号化率によっては、パワー変更のための値を変更しても効果を得ることができない場合がある。そのときは、符号化率を変更しても、パワー変更のための値を変更する必要はない。（例えば、ｖr1＝ｖr2であることもあり、また、ｕr1＝ｕr2であることもある。重要なことは、（ｖr1、ｖr2、ｖr3）のセットの中に、２つ以上の値が存在することである。また、（ｕr1、ｕr2、ｕr3）のセットの中に、２つ以上の値が存在することである。）なお、ｖrXとｕrXとが、平均電力値の比、１：ｗ2を満たすように設定されるのは上述したとおりである。
【１１８５】
また、上記ｒ１、ｒ２、ｒ３の一例としては、誤り訂正符号がＬＤＰＣ符号の場合には、それぞれ１／２、２／３、３／４といった符号化率であることが考えられる。
【１１８６】
上述では、３つの符号化率の場合を例に説明したがこれに限ったものではなく、送信装置において、符号化率が２つ以上設定可能な際に、設定可能なパワー変更のための値ｕrxが２つ以上の存在し、符号化率を設定した際、送信装置は、複数の設定可能なパワー変更のための値ｕrxの中からいずれかのパワー変更のための値を選択し、パワー変更を行うことができることが重要な点であり、また、送信装置において、符号化率が２つ以上設定可能な際に、設定可能なパワー変更のための値ｖrXが２つ以上の存在し、符号化率を設定した際、送信装置は、複数の設定可能なパワー変更のための値ｖrXの中からいずれかのパワー変更のための値を選択し、パワー変更を行うことができることも重要な点である。
（例６−３）
受信装置がよりよいデータの受信品質を得るためには以下を実施することが重要となる。
【１１８７】
送信装置が複数の変調方式をサポートしている場合に、ｓ１及びｓ２の生成に用いられる変調方式に応じて、ｓ１およびｓ２の平均電力（平均値）を設定する方法について説明する。
【１１８８】
ここでは、例として、ｓ１の変調方式を１６ＱＡＭに固定とし、制御信号により、ｓ２の変調方式を６４ＱＡＭからＱＰＳＫに変更する（または、１６ＱＡＭ、ＱＰＳＫのいずれかの設定が可能な）場合について考える。ｓ１の変調方式を１６ＱＡＭとする場合、ｓ１（ｔ）のマッピング方法としては、図９５のとおりであり、図９５においてｇは式（７９）である。ｓ２の変調方式を６４ＱＡＭとする場合、ｓ２（ｔ）のマッピング方法としては、図１０１のとおりであり、図１０１においてｋは式（８５）であり、また、ｓ２（ｔ）の変調方式をＱＰＳＫとする場合、ｓ２（ｔ）のマッピング方法としては、図９６のとおりであり、図９６においてｈは式（７８）であるとする。
【１１８９】
図１００において、ｓ１の変調方式を１６ＱＡＭとし、ｓ２の変調方式が６４ＱＡＭとしたとき、ｖ＝αとし、ｕ＝α×ｗ64設定するものとする。このとき、６４ＱＡＭの平均電力と１６ＱＡＭの平均電力の比はｖ2：ｕ2＝α2：α2×ｗ642＝１：ｗ642となる。
【１１９０】
そして、図１００において、ｓ１の変調方式を１６ＱＡＭとしｓ２の変調方式がＱＰＳＫとしたとき、ｖ＝βとし、ｕ＝β×ｗ4設定するものとする。このとき、６４ＱＡＭの平均電力とＱＰＳＫの平均電力の比はｖ2：ｕ2＝β2：β2×ｗ42＝１：ｗ42となる。このとき、最小ユークリッド距離の関係から、ｗ4＜ｗ64とすると、ｓ２の変調方式が６４ＱＡＭ、ＱＰＳＫのいずれのときも、受信装置が高いデータの受信品質を得ることができる。
【１１９１】
なお、上述の説明において、「ｓ１の変調方式を１６ＱＡＭに固定」するとして説明したが、「ｓ２の変調方式を１６ＱＡＭに固定し、ｓ１の変調方式を６４ＱＡＭからＱＰＳＫに変更（１６ＱＡＭ、ＱＰＳＫいずれかに設定）」しても、ｗ4＜ｗ64とするとよい。（例４−３での説明と同様に考えればよい。）。（なお、１６ＱＡＭのときにパワー変更のために乗算された値がｕ＝α×ｗ16であり、ＱＰＳＫのときにパワー変更のために乗算された値がｕ＝β×ｗ4であり、６４ＱＡＭのパワー変更のための値は、複数の設定可能な変調方式が１６ＱＡＭのときｖ＝αであり、複数の設定可能な変調方式がＱＰＳＫのときｖ＝βとなる。）また、（ｓ１の変調方式、ｓ２の変調方式）のセットを、（１６ＱＡＭ、６４ＱＡＭ）または（６４ＱＡＭ、１６ＱＡＭ）または（１６ＱＡＭ、ＱＰＳＫ）または（ＱＰＳＫ、１６ＱＡＭ）のいずれかの設定が可能な場合、ｗ4＜ｗ64の関係を満たすとよい。
【１１９２】
以下、上述の内容を、一般化した場合について説明する。
【１１９３】
一般化した場合、ｓ１の変調方式を固定とし、Ｉ−Ｑ平面における信号点の数がｃ個の変調方式Ｃとする。ｓ２の変調方式として、Ｉ−Ｑ平面における信号点の数がａ個の変調方式ＡとＩ−Ｑ平面における信号点の数がｂ個の変調方式Ｂ（ｃ＞ｂ＞ａ）のいずれかの設定が可能であるとする。このとき、ｓ１の変調方式が変調方式Ｃでその平均電力とｓ２の変調方式として、変調方式Ａを設定したときの、その平均電力の比を１：ｗa2とする。ｓ１の変調方式が変調方式Ｃでその平均電力とｓ２の変調方式として、変調方式Ｂを設定したときの、その平均電力の比を１：ｗb2とする。このとき、ｗa＜ｗbとすると、受信装置が高いデータの受信品質を得ることができる。
【１１９４】
したがって、「ｓ１の変調方式を変調方式Ｃに固定」するとして説明したが、「ｓ２の変調方式を変調方式Ｃに固定し、ｓ１の変調方式を変調方式Ａから変調方式Ｂに変更（変調方式Ａ、変調方式Ｂいずれかに設定）」した場合であっても、平均電力に関し、ｗa＜ｗbとするとよい。（このとき、上述と同様に、変調方式Ｃの平均電力を１とした場合、変調方式Ａの平均電力がｗa2であり、変調方式Ｂの平均電力がｗb2である。）また、（ｓ１の変調方式、ｓ２の変調方式）のセットを、（変調方式Ｃ、変調方式Ａ）または（変調方式Ａ、変調方式Ｃ）または（変調方式Ｃ、変調方式Ｂ）または（変調方式Ｂ、変調方式Ｃ）のいずれかの設定が可能な場合、平均電力に関し、ｗa＜ｗbの関係を満たすとよい。
上記「実施の形態１」等に示した本明細書において、規則的に位相を変更する方法に用いるプリコーディング行列の式（３６）において、α＝１と設定すると、上記のように、「ｓ１の変調方式とｓ２の変調方式が異なるとき、ｓ１の平均電力とｓ２の平均電力を異なるようにする」としても、ｚ１の平均電力とｚ２平均電力は等しくなり、送信装置が具備する送信電力増幅器のＰＡＰＲ（Peak-to-Average Power Ratio）（ピーク電力対平均電力比）を大きくすることにつながらないため、送信装置の消費電力を少なくすることができるという効果を得ることができる。
【１１９５】
ただし、α≠１でも、ＰＡＰＲへの影響が少ない規則的に位相を変更する方法に用いるプリコーディング行列は存在する。例えば、実施の形態１における式（３６）であらわされるプリコーディング行列を用い、規則的に位相を変更する方法を実現したとき、α≠１でも、ＰＡＰＲの影響は少ない。
（受信装置の動作）
次に、受信装置の動作について、説明する。受信装置の動作については、実施の形態１等で説明したとおりであり、例えば、受信装置の構成は、図７、図８、図９、図８６、図８７、図８８に示されている。
【１１９６】
図５の関係から、受信信号ｒ１（ｔ）、ｒ２（ｔ）は、チャネル変動値、ｈ１１（ｔ）、ｈ１２（ｔ）、ｈ２１（ｔ）、ｈ２２（ｔ）を用いると、図９９、図１００のように送信装置が変調信号を送信した場合、以下の２つの式のいずれかの関係が成立する。
【１１９７】
例１、例２、例３の場合、図５から、以下の式（８９）に示す関係を導くことができる。
【１１９８】
【数８９】
2012144206.tif 000098
【１１９９】
また、例１、例２、例３で説明したように、以下の式（９０）のような関係となる場合もある。
【１２００】
【数９０】
2012144206.tif 000099
【１２０１】
上記の関係を用いて、受信装置は、復調（検波）を行う（送信装置が送信したビットの推定を行う）ことになる（実施の形態１等で説明した場合と同様に実施すればよいことになる）。
【１２０２】
一方、例４、例５、例６の場合、図５から、以下の式（９１）に示す関係を導くことができる。
【１２０３】
【数９１】
2012144206.tif 000100
【１２０４】
また、例３、例４、例５で説明したように、以下の式（９２）のような関係となる場合もある。
【１２０５】
【数９２】
2012144206.tif 000101
【１２０６】
上記の関係を用いて、受信装置は、復調（検波）を行う（送信装置が送信したビットの推定を行う）ことになる（実施の形態１等で説明した場合と同様に実施すればよいことになる）。
【１２０７】
なお、例１〜例６では、パワー変更部を送信装置に追加する構成を示したが、マッピングの段階において、パワー変更を行ってもよい。
【１２０８】
また、例１、例２、例３で説明したように、特に、式（８９）に示したように図３、図４のマッピング部３０６Bが、ｕ×ｓ２（ｔ）を出力する場合もあり、パワー変更部を省略してもよい。この場合、マッピング後の信号ｓ１（ｔ）およびマッピング後の信号ｕ×ｓ２（ｔ）に対し、プリコーディング後の変調信号に対し、規則的に位相を変更する方法を適用していることになる。
【１２０９】
そして、例１、例２、例３で説明したように、特に、式（９０）に示したように図３、図４のマッピング部３０６Ａが、ｕ×ｓ１（ｔ）を出力する場合もあり、パワー変更部を省略してもよい。この場合、マッピング後の信号ｕ×ｓ１（ｔ）およびマッピング後の信号ｓ２（ｔ）に対し、プリコーディング後の変調信号に対し、規則的に位相を変更する方法を適用していることになる。
【１２１０】
また、例４、例５、例６の場合、特に、式（９１）に示したように図３、図４のマッピング部３０６Ａが、ｖ×ｓ１（ｔ）、マッピング部３０６Ｂが、ｕ×ｓ２（ｔ）を出力する場合もあり、いずれもパワー変更部を省略してもよい。この場合、マッピング後の信号ｖ×ｓ１（ｔ）およびマッピング後の信号ｕ×ｓ２（ｔ）に対し、プリコーディング後の変調信号に対し、規則的に位相を変更する方法を適用していることになる。
【１２１１】
そして、例４、例５、例６の場合、特に、式（９２）に示したように図３、図４のマッピング部３０６Ａが、ｕ×ｓ１（ｔ）、マッピング部３０６Ｂが、ｖ×ｓ２（ｔ）を出力する場合もあり、いずれもパワー変更部を省略してもよい。この場合、マッピング後の信号ｕ×ｓ１（ｔ）およびマッピング後の信号ｖ×ｓ２（ｔ）に対し、プリコーディング後の変調信号に対し、規則的に位相を変更する方法を適用していることになる。
【１２１２】
なお、式（８９）〜（９２）に示すＦは、時間ｔに用いたプリコーディング行列であり、ｙ（ｔ）は位相変更値ある。受信装置は、上述で示した、ｒ１（ｔ）、ｒ２（ｔ）とｓ１（ｔ）、ｓ２（ｔ）の関係を利用して、復調（検波）を行うことになる（実施の形態１等で説明した場合と同様に実施すればよいことになる）。ただし、上述で示した式には、雑音成分、周波数オフセット、チャネル推定誤差等の歪み成分は、式にあらわされておらず、これらを含んだ形で、復調（検波）が行われることになる。なお、送信装置がパワー変更を行うために使用するｕ、ｖの値については、送信装置が、これらに関する情報を送信するか、または、使用する送信モード（送信方法、変調方式、誤り訂正方式等）の情報を送信し、受信装置は、その情報を得ることで、送信装置が用いたｕ、ｖの値を知ることができ、これにより、上述で示した関係式を導き、復調（検波）を行うことになる。
【１２１３】
本実施の形態では、時間軸方向にプリコーディング後の変調信号に対し、位相変更値を切り替える場合を例として説明したが、他の実施の形態の説明と同様に、ＯＦＤＭ方式のようなマルチキャリア伝送を用いている場合、周波数軸方向にプリコーディング後の変調信号に対し、位相変更値を切り替える場合についても、同様に実施することができる。このとき、本実施の形態で用いているｔをｆ（周波数（（サブ）キャリア））に置き換えることになる。
【１２１４】
よって、時間軸方向にプリコーディング後の変調信号に対し、位相変更値を切り替える場合、ｚ１（ｔ）、ｚ２（ｔ）において、同一時間のｚ１（ｔ）、ｚ２（ｔ）は、異なるアンテナから、同一周波数を用いて送信されることになる。そして、周波数軸方向にプリコーディング後の変調信号に対し、位相変更値を切り替える場合、ｚ１（ｆ）、ｚ２（ｆ）において、同一周波数（同一サブキャリア）のｚ１（ｆ）、ｚ２（ｆ）は、異なるアンテナから、同一時間を用いて送信されることになる。
【１２１５】
また、時間―周波数軸方向で、プリコーディング後の変調信号に対し、位相変更方法を切り替える場合についても他の実施の形態で述べたように同様に実施することが可能である。なお、本実施の形態におけるプリコーディング後の変調信号に対し、位相変更方法を切り替える方法は、本明細書で説明したプリコーディング後の変調信号に対し、位相変更方法を切り替える方法に限定されるものではない。
【１２１６】
また、２ストリームのベースバンド信号ｓ１（ｉ）、ｓ２（ｉ）（ただし、ｉは、（時間、または、周波数（キャリア）の）順番をあらわす）に対し、規則的な位相変更およびプリコーディングを行い（順番はどちらが先であってもよい）生成された、両者の信号処理後のベースバンド信号ｚ１（ｉ）、ｚ２（ｉ）において、両者の信号処理後のベースバンド信号ｚ１（ｉ）の同相Ｉ成分をＩ1（ｉ）、直交成分をＱ1（ｉ）とし、両者の信号処理後のベースバンド信号ｚ２（ｉ）の同相Ｉ成分をＩ2（ｉ）、直交成分をＱ2（ｉ）とする。このとき、ベースバンド成分の入れ替えを行い、
・入れ替え後のベースバンド信号ｒ１（ｉ）の同相成分をＩ1（ｉ）、直交成分をＱ2（ｉ）、入れ替え後のベースバンド信号ｒ２（ｉ）の同相成分をＩ2（ｉ）、直交成分をＱ1（ｉ）
とし、入れ替え後のベースバンド信号ｒ１（ｉ）に相当する変調信号を送信アンテナ１、入れ替え後のベースバンド信号ｒ２（ｉ）に相当する変調信号を送信アンテナ２から、同一時刻に同一周波数を用いて送信する、というように、入れ替え後のベースバンド信号ｒ１（ｉ）に相当する変調信号と入れ替え後のベースバンド信号ｒ２（ｉ）を異なるアンテナから、同一時刻に同一周波数を用いて送信するとしてもよい。また、
・入れ替え後のベースバンド信号ｒ１（ｉ）の同相成分をＩ1（ｉ）、直交成分をI2（ｉ）、入れ替え後のベースバンド信号ｒ２（ｉ）の同相成分をＱ1（ｉ）、直交成分をＱ2（ｉ）
・入れ替え後のベースバンド信号ｒ１（ｉ）の同相成分をＩ2（ｉ）、直交成分をI1（ｉ）、入れ替え後のベースバンド信号ｒ２（ｉ）の同相成分をＱ1（ｉ）、直交成分をＱ2（ｉ）
・入れ替え後のベースバンド信号ｒ１（ｉ）の同相成分をＩ1（ｉ）、直交成分をI2（ｉ）、入れ替え後のベースバンド信号ｒ２（ｉ）の同相成分をＱ2（ｉ）、直交成分をＱ1（ｉ）
・入れ替え後のベースバンド信号ｒ１（ｉ）の同相成分をＩ2（ｉ）、直交成分をI1（ｉ）、入れ替え後のベースバンド信号ｒ２（ｉ）の同相成分をＱ2（ｉ）、直交成分をＱ1（ｉ）
・入れ替え後のベースバンド信号ｒ１（ｉ）の同相成分をＩ1（ｉ）、直交成分をＱ2（ｉ）、入れ替え後のベースバンド信号ｒ２（ｉ）の同相成分をＱ1（ｉ）、直交成分をＩ2（ｉ）
・入れ替え後のベースバンド信号ｒ１（ｉ）の同相成分をＱ2（ｉ）、直交成分をＩ1（ｉ）、入れ替え後のベースバンド信号ｒ２（ｉ）の同相成分をＩ2（ｉ）、直交成分をＱ1（ｉ）
・入れ替え後のベースバンド信号ｒ１（ｉ）の同相成分をＱ2（ｉ）、直交成分をＩ1（ｉ）、入れ替え後のベースバンド信号ｒ２（ｉ）の同相成分をＱ1（ｉ）、直交成分をＩ2（ｉ）
・入れ替え後のベースバンド信号ｒ２（ｉ）の同相成分をＩ1（ｉ）、直交成分をI2（ｉ）、入れ替え後のベースバンド信号ｒ１（ｉ）の同相成分をＱ1（ｉ）、直交成分をＱ2（ｉ）
・入れ替え後のベースバンド信号ｒ２（ｉ）の同相成分をＩ2（ｉ）、直交成分をI1（ｉ）、入れ替え後のベースバンド信号ｒ１（ｉ）の同相成分をＱ1（ｉ）、直交成分をＱ2（ｉ）
・入れ替え後のベースバンド信号ｒ２（ｉ）の同相成分をＩ1（ｉ）、直交成分をI2（ｉ）、入れ替え後のベースバンド信号ｒ１（ｉ）の同相成分をＱ2（ｉ）、直交成分をＱ1（ｉ）
・入れ替え後のベースバンド信号ｒ２（ｉ）の同相成分をＩ2（ｉ）、直交成分をI1（ｉ）、入れ替え後のベースバンド信号ｒ１（ｉ）の同相成分をＱ2（ｉ）、直交成分をＱ1（ｉ）
・入れ替え後のベースバンド信号ｒ２（ｉ）の同相成分をＩ1（ｉ）、直交成分をＱ2（ｉ）、入れ替え後のベースバンド信号ｒ１（ｉ）の同相成分をＩ2（ｉ）、直交成分をＱ1（ｉ）
・入れ替え後のベースバンド信号ｒ２（ｉ）の同相成分をＩ1（ｉ）、直交成分をＱ2（ｉ）、入れ替え後のベースバンド信号ｒ１（ｉ）の同相成分をＱ1（ｉ）、直交成分をＩ2（ｉ）
・入れ替え後のベースバンド信号ｒ２（ｉ）の同相成分をＱ2（ｉ）、直交成分をＩ1（ｉ）、入れ替え後のベースバンド信号ｒ１（ｉ）の同相成分をＩ2（ｉ）、直交成分をＱ1（ｉ）
・入れ替え後のベースバンド信号ｒ２（ｉ）の同相成分をＱ2（ｉ）、直交成分をＩ1（ｉ）、入れ替え後のベースバンド信号ｒ１（ｉ）の同相成分をＱ1（ｉ）、直交成分をＩ2（ｉ）
としてもよい。また、上述では、２ストリームの信号に対し両者の信号処理を行い、両者の信号処理後の信号の同相成分と直交成分の入れ替えについて説明したが、これに限ったものではなく、２ストリームより多い信号に対し両者の信号処理後を行い、両者の信号処理後の信号の同相成分と直交成分の入れ替えを行うことも可能である。
【１２１７】
加えて、以下のような信号の入れ替えを行ってもよい。例えば、
・入れ替え後のベースバンド信号ｒ１（ｉ）の同相成分をI2（ｉ）、直交成分をＱ2（ｉ）、入れ替え後のベースバンド信号ｒ２（ｉ）の同相成分をI1（ｉ）、直交成分をＱ1（ｉ）
なお、この入れ替えについては、図５５の構成により、実現することができる。
また、上記の例では、同一時刻（同一周波数（（サブ）キャリア））のベースバンド信号の入れ替えを説明しているが、同一時刻のベースバンド信号の入れ替えでなくてもよい。例として、以下のように記述することができる
・入れ替え後のベースバンド信号ｒ１（ｉ）の同相成分をＩ1（ｉ＋ｖ）、直交成分をＱ2（ｉ＋ｗ）、入れ替え後のベースバンド信号ｒ２（ｉ）の同相成分をＩ2（ｉ＋ｗ）、直交成分をＱ1（ｉ＋ｖ）
・入れ替え後のベースバンド信号ｒ１（ｉ）の同相成分をＩ1（ｉ＋ｖ）、直交成分をI2（ｉ＋ｗ）、入れ替え後のベースバンド信号ｒ２（ｉ）の同相成分をＱ1（ｉ＋ｖ）、直交成分をＱ2（ｉ＋ｗ）
・入れ替え後のベースバンド信号ｒ１（ｉ）の同相成分をＩ2（ｉ＋ｗ）、直交成分をI1（ｉ＋ｖ）、入れ替え後のベースバンド信号ｒ２（ｉ）の同相成分をＱ1（ｉ＋ｖ）、直交成分をＱ2（ｉ＋ｗ）
・入れ替え後のベースバンド信号ｒ１（ｉ）の同相成分をＩ1（ｉ＋ｖ）、直交成分をI2（ｉ＋ｗ）、入れ替え後のベースバンド信号ｒ２（ｉ）の同相成分をＱ2（ｉ＋ｗ）、直交成分をＱ1（ｉ＋ｖ）
・入れ替え後のベースバンド信号ｒ１（ｉ）の同相成分をＩ2（ｉ＋ｗ）、直交成分をI1（ｉ＋ｖ）、入れ替え後のベースバンド信号ｒ２（ｉ）の同相成分をＱ2（ｉ＋ｗ）、直交成分をＱ1（ｉ＋ｖ）
・入れ替え後のベースバンド信号ｒ１（ｉ）の同相成分をＩ1（ｉ＋ｖ）、直交成分をＱ2（ｉ＋ｗ）、入れ替え後のベースバンド信号ｒ２（ｉ）の同相成分をＱ1（ｉ＋ｖ）、直交成分をＩ2（ｉ＋ｗ）
・入れ替え後のベースバンド信号ｒ１（ｉ）の同相成分をＱ2（ｉ＋ｗ）、直交成分をＩ1（ｉ＋ｖ）、入れ替え後のベースバンド信号ｒ２（ｉ）の同相成分をＩ2（ｉ＋ｗ）、直交成分をＱ1（ｉ＋ｖ）
・入れ替え後のベースバンド信号ｒ１（ｉ）の同相成分をＱ2（ｉ＋ｗ）、直交成分をＩ1（ｉ＋ｖ）、入れ替え後のベースバンド信号ｒ２（ｉ）の同相成分をＱ1（ｉ＋ｖ）、直交成分をＩ2（ｉ＋ｗ）
・入れ替え後のベースバンド信号ｒ２（ｉ）の同相成分をＩ1（ｉ＋ｖ）、直交成分をI2（ｉ＋ｗ）、入れ替え後のベースバンド信号ｒ１（ｉ）の同相成分をＱ1（ｉ＋ｖ）、直交成分をＱ2（ｉ＋ｗ）
・入れ替え後のベースバンド信号ｒ２（ｉ）の同相成分をＩ2（ｉ＋ｗ）、直交成分をI1（ｉ＋ｖ）、入れ替え後のベースバンド信号ｒ１（ｉ）の同相成分をＱ1（ｉ＋ｖ）、直交成分をＱ2（ｉ＋ｗ）
・入れ替え後のベースバンド信号ｒ２（ｉ）の同相成分をＩ1（ｉ＋ｖ）、直交成分をI2（ｉ＋ｗ）、入れ替え後のベースバンド信号ｒ１（ｉ）の同相成分をＱ2（ｉ＋ｗ）、直交成分をＱ1（ｉ＋ｖ）
・入れ替え後のベースバンド信号ｒ２（ｉ）の同相成分をＩ2（ｉ＋ｗ）、直交成分をI1（ｉ＋ｖ）、入れ替え後のベースバンド信号ｒ１（ｉ）の同相成分をＱ2（ｉ＋ｗ）、直交成分をＱ1（ｉ＋ｖ）
・入れ替え後のベースバンド信号ｒ２（ｉ）の同相成分をＩ1（ｉ＋ｖ）、直交成分をＱ2（ｉ＋ｗ）、入れ替え後のベースバンド信号ｒ１（ｉ）の同相成分をＩ2（ｉ＋ｗ）、直交成分をＱ1（ｉ＋ｖ）
・入れ替え後のベースバンド信号ｒ２（ｉ）の同相成分をＩ1（ｉ＋ｖ）、直交成分をＱ2（ｉ＋ｗ）、入れ替え後のベースバンド信号ｒ１（ｉ）の同相成分をＱ1（ｉ＋ｖ）、直交成分をＩ2（ｉ＋ｗ）
・入れ替え後のベースバンド信号ｒ２（ｉ）の同相成分をＱ2（ｉ＋ｗ）、直交成分をＩ1（ｉ＋ｖ）、入れ替え後のベースバンド信号ｒ１（ｉ）の同相成分をＩ2（ｉ＋ｗ）、直交成分をＱ1（ｉ＋ｖ）
・入れ替え後のベースバンド信号ｒ２（ｉ）の同相成分をＱ2（ｉ＋ｗ）、直交成分をＩ1（ｉ＋ｖ）、入れ替え後のベースバンド信号ｒ１（ｉ）の同相成分をＱ1（ｉ＋ｖ）、直交成分をＩ2（ｉ＋ｗ）
加えて、以下のような信号の入れ替えを行ってもよい。例えば、
・入れ替え後のベースバンド信号ｒ1（ｉ）の同相成分をI2（ｉ＋ｗ）、直交成分をＱ2（ｉ＋ｗ）、入れ替え後のベースバンド信号ｒ2（ｉ）の同相成分をI1（ｉ＋ｖ）、直交成分をＱ1（ｉ＋ｖ）
なお、これについても、図５５の構成により、実現することができる。
【１２１８】
図５５は、上記の記載を説明するためのベースバンド信号入れ替え部５５０２を示す図である。図面１に示すように、両者の信号処理後のベースバンド信号ｚ１（ｉ）５５０１＿１、ｚ２（ｉ）５５０１＿２において、両者の信号処理後のベースバンド信号ｚ１（ｉ）５５０１＿１の同相Ｉ成分をＩ1（ｉ）、直交成分をＱ1（ｉ）とし、両者の信号処理後のベースバンド信号ｚ２（ｉ）５５０１＿２の同相Ｉ成分をＩ2（ｉ）、直交成分をＱ2（ｉ）とする。そして、入れ替え後のベースバンド信号ｒ１（ｉ）５５０３＿１の同相成分をＩr1（ｉ）、直交成分をＱr1（ｉ）、入れ替え後のベースバンド信号ｒ２（ｉ）５５０３＿２の同相成分をＩr2（ｉ）、直交成分をＱr2（ｉ）とすると、入れ替え後のベースバンド信号ｒ１（ｉ）５５０３＿１の同相成分Ｉr1（ｉ）、直交成分Ｑr1（ｉ）、入れ替え後のベースバンド信号ｒ２（ｉ）５５０３＿２の同相成分Ｉr2（ｉ）、直交成分をＱr2（ｉ）は上述で説明したいずれかであらわされるものとする。なお、この例では、同一時刻（同一周波数（（サブ）キャリア））の両者の信号処理後のベースバンド信号の入れ替えについて説明したが、上述のように、異なる時刻（異なる周波数（（サブ）キャリア））の両者の信号処理後のベースバンド信号の入れ替えであってもよい。
また、上述の入れ替えは、規則的に入れ替え方法を切り替えてもよい。
例えば、
時間０において、
入れ替え後のベースバンド信号ｒ１（０）の同相成分をI1（０）、直交成分をＱ1（０）、入れ替え後のベースバンド信号ｒ２（０）の同相成分をI2（０）、直交成分をＱ2（０）
時間１において、
入れ替え後のベースバンド信号ｒ１（１）の同相成分をI2（１）、直交成分をＱ2（１）、入れ替え後のベースバンド信号ｒ２（１）の同相成分をI1（１）、直交成分をＱ1（１）
・・・
としてもよい、つまり、
時間２ｋのとき（ｋは整数）
入れ替え後のベースバンド信号ｒ１（２ｋ）の同相成分をI1（２ｋ）、直交成分をＱ1（２ｋ）、入れ替え後のベースバンド信号ｒ２（２ｋ）の同相成分をI2（２ｋ）、直交成分をＱ2（２ｋ）
とし、
時間２ｋ＋１のとき（ｋは整数）
入れ替え後のベースバンド信号ｒ１（２ｋ＋１）の同相成分をI2（２ｋ＋１）、直交成分をＱ2（２ｋ＋１）、入れ替え後のベースバンド信号ｒ２（２ｋ＋１）の同相成分をI1（２ｋ＋１）、直交成分をＱ1（２ｋ＋１）
としてもよい。
また、
時間２ｋのとき（ｋは整数）
入れ替え後のベースバンド信号ｒ１（２ｋ）の同相成分をI2（２ｋ）、直交成分をＱ2（２ｋ）、入れ替え後のベースバンド信号ｒ２（２ｋ）の同相成分をI1（２ｋ）、直交成分をＱ1（２ｋ）
とし、
時間２ｋ＋１のとき（ｋは整数）
入れ替え後のベースバンド信号ｒ１（２ｋ＋１）の同相成分をI1（２ｋ＋１）、直交成分をＱ1（２ｋ＋１）、入れ替え後のベースバンド信号ｒ２（２ｋ＋１）の同相成分をI2（２ｋ＋１）、直交成分をＱ2（２ｋ＋１）
としてもよい。
【１２１９】
同様に、周波数軸方向で切り替えてもよい。つまり、
周波数（（サブ）キャリア）２ｋのとき（ｋは整数）
入れ替え後のベースバンド信号ｒ１（２ｋ）の同相成分をI1（２ｋ）、直交成分をＱ1（２ｋ）、入れ替え後のベースバンド信号ｒ２（２ｋ）の同相成分をI2（２ｋ）、直交成分をＱ2（２ｋ）
とし、
周波数（（サブ）キャリア）２ｋ＋１のとき（ｋは整数）
入れ替え後のベースバンド信号ｒ１（２ｋ＋１）の同相成分をI2（２ｋ＋１）、直交成分をＱ2（２ｋ＋１）、入れ替え後のベースバンド信号ｒ２（２ｋ＋１）の同相成分をI1（２ｋ＋１）、直交成分をＱ1（２ｋ＋１）
としてもよい。
また、
周波数（（サブ）キャリア）２ｋのとき（ｋは整数）
入れ替え後のベースバンド信号ｒ１（２ｋ）の同相成分をI2（２ｋ）、直交成分をＱ2（２ｋ）、入れ替え後のベースバンド信号ｒ２（２ｋ）の同相成分をI1（２ｋ）、直交成分をＱ1（２ｋ）
とし、
周波数（（サブ）キャリア）２ｋ＋１のとき（ｋは整数）
入れ替え後のベースバンド信号ｒ１（２ｋ＋１）の同相成分をI1（２ｋ＋１）、直交成分をＱ1（２ｋ＋１）、入れ替え後のベースバンド信号ｒ２（２ｋ＋１）の同相成分をI2（２ｋ＋１）、直交成分をＱ2（２ｋ＋１）
としてもよい。
（cyclic Q delayについて）
本明細書の中で記載したCyclic Q Delayの適用について述べている。非特許文献１０において、Cyclic Q Delay（サイクリックQディレイ）の概要が記載されている。以下では、Cyclic Q Delayを用いたときのｓ１，ｓ２の生成方法の具体的な例について説明する。
【１２２０】
図１０２は、変調方式が１６ＱＡＭのときの同相Ｉ―直交Ｑ平面における信号点の配置の一例を示している。入力ビットをｂ０、ｂ１、ｂ２、ｂ３としたとき、ｂ０  ｂ１  ｂ２  ｂ３は００００から１１１１の値のいずれかとなり、例えば、ｂ０  ｂ１  ｂ２  ｂ３が００００であらわされるとき、図１０２の信号点１０２０１を選択し、信号点１０２０１に基づく同相成分の値をベースバンド信号の同相成分とし、信号点１０２０１に基づく直交成分の値をベースバンド信号の直交成分とする。ｂ０  ｂ１  ｂ２  ｂ３が他の値であるときも同様にして、ベースバンド信号の同相成分と直交成分を生成する。
【１２２１】
図１０３は、サイクリックQディレイを適用したときの（バイナリー）データから変調信号ｓ１（ｔ）（ｔ：時間）（または、ｓ１（ｆ）、ｆ：周波数）およびｓ２（ｔ）（ｔ：時間）（または、ｓ２（ｆ）、ｆ：周波数）を生成するための信号生成部の構成の一例を示している。
【１２２２】
マッピング部１０３０２は、データ１０３０１、および、制御信号１０３０６を入力とし、制御信号１０３０６に基づく変調方式、例えば、変調方式として１６ＱＡＭが選択されている場合、図１０２の規則にしたがって、マッピングを行い、マッピング後のベースバンド信号の同相成分１０３０３＿Ａおよび直交成分１０３０３＿Ｂを出力する。なお、変調方式は１６ＱＡＭに限ったものではなく、他の変調方式の場合も同様に実施することができる。
【１２２３】
このとき、図１０２におけるｂ０、ｂ１、ｂ２、ｂ３に対応する時点１のデータをｂ０１、ｂ１１、ｂ２１、ｂ３１であらわすものとする。マッピング部１０３０２は、時点１のデータをｂ０１、ｂ１１、ｂ２１、ｂ３１に基づき、時点１のベースバンド信号の同相成分Ｉ１および直交成分Ｑ１を出力する。同様に、マッピング部１０３０２は、時点２のべースバンド信号の同相成分Ｉ２および直交成分Ｑ２、・・・を出力する。
【１２２４】
記憶および信号入れ替え部１０３０４は、ベースバンド信号の同相成分１０３０３＿Ａおよび直交成分１０３０３＿Ｂ、制御信号１０３０６を入力とし、制御信号１０３０６に基づき、ベースバンド信号の同相成分１０３０３＿Ａおよび直交成分１０３０３＿Ｂを記憶、信号の組み替えを行い、変調信号ｓ１（ｔ）（１０３０５＿Ａ）および変調信号ｓ２（ｔ）（１０３０５＿Ｂ）を出力する。なお、変調信号ｓ１（ｔ）、ｓ２（ｔ）の生成方法については、以下で詳細に説明を行う。
【１２２５】
明細書で記載したように、変調信号ｓ１（ｔ）、ｓ２（ｔ）に対し、プリコーディングおよび位相変更を施すことになる。このとき、本明細書で示したように、いずれかの段階で、位相変更、パワー変更、信号入れ替え等の信号処理を施してもよい。そして、変調信号ｓ１（ｔ）、ｓ２（ｔ）に対し、プリコーディングおよび位相変更を行うことにより得られた変調信号ｒ１（ｔ）およびｒ２（ｔ）は、同一（共通）時間に、同一周波数帯域を用いて送信される。
【１２２６】
なお、上述では、時間軸ｔで説明したが、ＯＦＤＭ等のマルチキャリア伝送方式を用いたときは、ｓ１（ｔ）、ｓ２（ｔ）をｓ１（ｆ）、ｓ２（ｆ）（ｆ：（サブ）キャリア）と考えることができる。このとき、変調信号ｓ１（ｆ）、ｓ２（ｆ）に対し、規則的にプリコーディング行列を切り替えるプリコーディング方法を適用することで得られた変調信号ｒ１（ｆ）およびｒ２（ｆ）は、同一（共通）時間に送信される（当然、ｒ１（ｆ）、ｒ２（ｆ）は同一周波数帯域の信号である。）。また、本明細書で示したように、ｓ１（ｔ）、ｓ２（ｔ）をｓ１（ｔ，ｆ）、ｓ２（ｔ，ｆ）と考えることもできる。
【１２２７】
次に、変調信号ｓ１（ｔ）、ｓ２（ｔ）の生成方法について説明する。図１０４は、サイクリックQディレイを用いたときの、ｓ１（ｔ）、ｓ２（ｔ）の生成方法の第１の例である。
【１２２８】
図１０４（ａ）は、図１０３のマッピング部１０３０２で得られた、ベースバンド信号の同相成分および直交成分を示している。図１０４（ａ）に示されているように、また、図１０３のマッピング部１０３０２の説明を行ったように、時点１のベースバンド信号の同相成分Ｉ１および直交成分Ｑ１、時点２のべースバンド信号の同相成分Ｉ２および直交成分Ｑ２、時点３のべースバンド信号の同相成分Ｉ３および直交成分Ｑ３、・・・の順に、マッピング部１０３０２はベースバンド信号の同相成分および直交成分を出力する。
【１２２９】
図１０４（ｂ）は、図１０３の記憶および信号入れ替え部１０３０４において、信号入れ替えを行ったときのベースバンド信号の同相成分と直交成分のセットの例を示している。図１０４（ｂ）では、時点１と時点２、時点３と時点４、時点５と時点６、つまり、時点２ｉ＋１と時点２ｉ＋２（ｉは０以上の整数）をセットとし、セット内、例えば、時点１と時点２において、ベースバンド信号の直交成分の入れ替えを行っている。
【１２３０】
したがって、ベースバンド信号の同相成分は信号の入れ替えを行っていないため、時点１のベースバンド信号の同相成分はＩ１、時点２のベースバンド信号の同相成分はＩ２、時点３のベースバンド信号の同相成分はＩ３、・・・となっている。
【１２３１】
そして、ベースバンド信号の直交成分はセット内内で信号の入れ替えを行っているので、時点１のベースバンド信号の直交成分はＱ２、時点２のベースバンド信号の直交成分はＱ１、時点３のベースバンド信号の直交成分はＱ４、時点４のベースバンド信号の直交成分はＱ３、・・・となる。
【１２３２】
図１０４（ｃ）は、プリコーディングおよび位相変更を施す方法を適用する際、プリコーディング前の変調信号ｓ１（ｔ）、ｓ２（ｔ）の構成の一例を示している。例えば、図１０４（ｃ）に示すように、図１０４（ｂ）のように生成したベースバンド信号を交互に、ｓ１（ｔ）、ｓ２（ｔ）に割り当てる。したがって、ｓ１（ｔ）の第１スロットは（Ｉ１，Ｑ２）、ｓ２（ｔ）の第１スロットは（Ｉ２，Ｑ１）となる。ｓ１（ｔ）の第２スロットは（Ｉ３，Ｑ４）、ｓ２（ｔ）の第２スロットは（Ｉ４，Ｑ３）、・・・となる。
【１２３３】
なお、図１０４は、時間軸方向を例に説明しているが、周波数軸方向であっても同様に実施することができる（上述で説明したとおりである）。このとき、ｓ１（ｆ）、ｓ２（ｆ）と記述することになる。
【１２３４】
そして、第Ｎスロットのｓ１（ｔ）と第Ｎスロットのｓ２（ｔ）に対し、プリコーディングおよび位相変更が行われ、第Ｎスロットのプリコーディング・位相変更後の信号ｒ１（ｔ）、ｒ２（ｔ）を得るになる。この点については、本明細書の中で説明したとおりである。
【１２３５】
図１０５は、図１０４の第Ｎスロットのｓ１（ｔ）、ｓ２（ｔ）を得るための、図１０３とは異なる構成方法を示している。マッピング部１０５０２は、データ１０５０１、制御信号１０５０４を入力とし、制御信号１０５０４に基づく変調方式に基づく、例えば、図１０４の入れ替えを考慮したマッピングを行い、マッピング後の信号（ベースバンド信号の同相成分および直交成分）を生成し、マッピング後の信号から変調信号ｓ１（ｔ）（１０５０３＿Ａ）および変調信号ｓ２（ｔ）（１０５０３＿Ｂ）を生成し、出力する。なお、変調信号ｓ１（ｔ）（１０５０３＿Ａ）は、図１０３の変調信号１０３０５＿Ａと同一であり、また、変調信号ｓ２（ｔ）（１０５０３＿Ｂ）は、図１０３の変調信号１０３０５＿Ｂと同一であり、図１０４（ｃ）に示したとおりである。したがって、変調信号ｓ１（ｔ）（１０５０３＿Ａ）の第１スロットは（Ｉ１，Ｑ２）、変調信号ｓ２（ｔ）（１０５０３＿Ｂ）の第１スロットは（Ｉ２，Ｑ１）となり、変調信号ｓ１（ｔ）（１０５０３＿Ａ）の第２スロットは（Ｉ３，Ｑ４）、変調信号ｓ２（ｔ）（１０５０３＿Ｂ）の第２スロットは（Ｉ４，Ｑ３）、・・・となる。
【１２３６】
補足のために、図１０５のマッピング部１０５０２における、変調信号ｓ１（ｔ）（１０５０３＿Ａ）の第１スロット（Ｉ１，Ｑ２）、変調信号ｓ２（ｔ）（１０５０３＿Ｂ）の第１スロット（Ｉ２，Ｑ１）の生成方法について説明する。
【１２３７】
図１０５において、１０５０１はデータとなるが、時点１におけるデータをｂ０１、ｂ１１、ｂ２１、ｂ３１、時点２のデータをｂ０２、ｂ１２、ｂ２２、ｂ３２とする。図１０５のマッピング部１０５０２は、ｂ０１、ｂ１１、ｂ２１、ｂ３１およびｂ０２、ｂ１２、ｂ２２、ｂ３２から、上記で説明したＩ１、Ｑ１、Ｉ２、Ｑ２を生成する。そして、図１０５のマッピング部１０５０２は、Ｉ１、Ｑ１、Ｉ２、Ｑ２から変調信号ｓ１（ｔ）、ｓ２（ｔ）を生成することができる。
【１２３８】
図１０６は、図１０４の第Ｎスロットのｓ１（ｔ）、ｓ２（ｔ）を得るための、図１０３、図１０５とは異なる構成方法を示している。マッピング部１０６０１＿Ａは、データ１０５０１、制御信号１０５０４を入力とし、制御信号１０５０４に基づく変調方式に基づく、例えば、図１０４の入れ替えを考慮したマッピングを行い、マッピング後の信号（ベースバンド信号の同相成分および直交成分）を生成し、マッピング後の信号から変調信号ｓ１（ｔ）（１０５０３＿Ａ）を生成し、出力する。マッピング部１０６０１＿Ｂは、データ１０５０１、制御信号１０５０４を入力とし、制御信号１０５０４に基づく変調方式に基づく、例えば、図１０４の入れ替えを考慮したマッピングを行い、マッピング後の信号（ベースバンド信号の同相成分および直交成分）を生成し、マッピング後の信号から変調信号ｓ２（ｔ）（１０５０３＿Ｂ）を生成し、出力する。
【１２３９】
なお、マッピング部１０６０１＿Ａの入力であるデータ１０５０１とマッピング部１０６０１＿Ｂの入力であるデータ１０５０１は、当然、同一のデータである。また、変調信号ｓ１（ｔ）（１０５０３＿Ａ）は、図１０３の変調信号１０３０５＿Ａと同一であり、また、変調信号ｓ２（ｔ）（１０５０３＿Ｂ）は、図１０３の変調信号１０３０５＿Ｂと同一であり、図１０４（ｃ）に示したとおりである。
【１２４０】
したがって、変調信号ｓ１（ｔ）（１０５０３＿Ａ）の第１スロットは（Ｉ１，Ｑ２）、変調信号ｓ２（ｔ）（１０５０３＿Ｂ）の第１スロットは（Ｉ２，Ｑ１）となり、変調信号ｓ１（ｔ）（１０５０３＿Ａ）の第２スロットは（Ｉ３，Ｑ４）、変調信号ｓ２（ｔ）（１０５０３＿Ｂ）の第２スロットは（Ｉ４，Ｑ３）、・・・となる。
【１２４１】
補足のために、図１０６のマッピング部１０６０１＿Ａにおける、変調信号ｓ１（ｔ）（１０５０３＿Ａ）の第１スロット（Ｉ１，Ｑ２）の生成方法について説明する。図１０６において、１０５０１はデータとなるが、時点１におけるデータをｂ０１、ｂ１１、ｂ２１、ｂ３１、時点２のデータをｂ０２、ｂ１２、ｂ２２、ｂ３２とする。図１０６のマッピング部１０６０１＿Ａは、ｂ０１、ｂ１１、ｂ２１、ｂ３１およびｂ０２、ｂ１２、ｂ２２、ｂ３２から、上記で説明したＩ１、Ｑ２を生成する。そして、図１０６のマッピング部１０６０１＿Ａは、Ｉ１、Ｑ２から変調信号ｓ１（ｔ）を生成することができる。
【１２４２】
図１０６のマッピング部１０６０１＿Ｂにおける、変調信号ｓ２（ｔ）（１０５０３＿Ｂ）の第１スロット（Ｉ２，Ｑ１）の生成方法について説明する。図１０６において、１０５０１はデータとなるが、時点１におけるデータをｂ０１、ｂ１１、ｂ２１、ｂ３１、時点２のデータをｂ０２、ｂ１２、ｂ２２、ｂ３２とする。図１０６のマッピング部１０６０１＿Ｂは、ｂ０１、ｂ１１、ｂ２１、ｂ３１およびｂ０２、ｂ１２、ｂ２２、ｂ３２から、上記で説明したＩ２、Ｑ１を生成する。そして、図１０６のマッピング部１０６０１＿Ｂは、Ｉ２、Ｑ１からｓ２（ｔ）を生成することができる。
【１２４３】
次に、サイクリックQディレイを用いたときのｓ１（ｔ）、ｓ２（ｔ）の生成方法の図１０４とは異なる、第２の例を図１０７に示す。なお、図１０７において、図１０４と同一のもの（ベースバンド信号の同相成分および直交成分）については、同一の記号を付している。
【１２４４】
図１０７（ａ）は、図１０３のマッピング部１０３０２で得られた、ベースバンド信号の同相成分および直交成分を示している。図１０７（ａ）は、図１０４（ａ）と同一であるので、説明は省略する。
【１２４５】
図１０７（ｂ）は、信号入れ替えを行う前のｓ１（ｔ）、ｓ２（ｔ）のベースバンド信号の同相成分および直交成分の構成を示しており、図１０７（ｂ）では、時点２ｉ＋１のベースバンド信号はｓ１（ｔ）に割り当てられ、時点２ｉ＋２のベースバンド信号はｓ２（ｔ）に割り当てられている（ｉは０以上の整数）。
【１２４６】
図１０７（ｃ）は、図１０３の記憶および信号入れ替え部１０３０４において、信号入れ替えを行ったときのベースバンド信号の同相成分と直交成分のセットの例を示している。図１０７（ｃ）の特徴（図１０４と異なる点）は、ｓ１（ｔ）内で信号入れ替え、および、ｓ２（ｔ）内で信号入れ替えを行っている点である。
【１２４７】
したがって、図１０７（ｃ）では、図１０７（ｂ）に対し、ｓ１（ｔ）において、Ｑ１とＱ３の入れ替えを行っており、Ｑ５とＱ７の入れ替えを行っており、以降同様の入れ替えを行う。また、図１０７（ｃ）では、図１０７（ｂ）に対し、ｓ２（ｔ）において、Ｑ２とＱ４の入れ替えを行っており、Ｑ６とＱ８の入れ替えを行っており、以降同様の入れ替えを行う。
【１２４８】
よって、ｓ１（ｔ）の第１スロットのベースバンド信号の同相成分はＩ１、直交成分はＱ３となり、ｓ２（ｔ）の第１スロットのベースバンド信号の同相成分はＩ２、直交成分はＱ４となる。また、ｓ１（ｔ）の第２スロットのベースバンド信号の同相成分はＩ３、直交成分はＱ１となり、ｓ２（ｔ）の第２スロットのベースバンド信号の同相成分はＩ４、直交成分はＱ２となる。第３、第４スロットは図１０７（ｃ）のようにあらわされることになり、以降のスロットも同様となる。
【１２４９】
そして、第Ｎスロットのｓ１（ｔ）と第Ｎスロットのｓ２（ｔ）に対し、プリコーディングおよび位相変更が行われ、第Ｎスロットのプリコーディング・位相変更後の信号ｒ１（ｔ）、ｒ２（ｔ）を得るになる。この点については、本明細書の中で説明したとおりである。
【１２５０】
図１０８は、図１０７の第Ｎスロットのｓ１（ｔ）、ｓ２（ｔ）を得るための、図１０３とは異なる構成方法を示している。マッピング部１０５０２は、データ１０５０１、制御信号１０５０４を入力とし、制御信号１０５０４に基づく変調方式に基づく、例えば、図１０７の入れ替えを考慮したマッピングを行い、マッピング後の信号（ベースバンド信号の同相成分および直交成分）を生成し、マッピング後の信号から変調信号ｓ１（ｔ）（１０５０３＿Ａ）および変調信号ｓ２（ｔ）（１０５０３＿Ｂ）を生成し、出力する。なお、変調信号ｓ１（ｔ）（１０５０３＿Ａ）は、図１０３の変調信号１０３０５＿Ａと同一であり、また、変調信号ｓ２（ｔ）（１０５０３＿Ｂ）は、図１０３の変調信号１０３０５＿Ｂと同一であり、図１０７（ｃ）に示したとおりである。したがって、変調信号ｓ１（ｔ）（１０５０３＿Ａ）の第１スロットは（Ｉ１，Ｑ３）、変調信号ｓ２（ｔ）（１０５０３＿Ｂ）の第１スロットは（Ｉ２，Ｑ４）となり、変調信号ｓ１（ｔ）（１０５０３＿Ａ）の第２スロットは（Ｉ３，Ｑ１）、変調信号ｓ２（ｔ）（１０５０３＿Ｂ）の第２スロットは（Ｉ４，Ｑ２）、・・・となる。
【１２５１】
補足のために、図１０８のマッピング部１０５０２における、変調信号ｓ１（ｔ）（１０５０３＿Ａ）の第１スロットは（Ｉ１，Ｑ３）、変調信号ｓ２（ｔ）（１０５０３＿Ｂ）の第１スロットは（Ｉ２，Ｑ４）、変調信号ｓ１（ｔ）（１０５０３＿Ａ）の第２スロットは（Ｉ３，Ｑ１）、変調信号ｓ２（ｔ）（１０５０３＿Ｂ）の第１スロットは（Ｉ４，Ｑ２）、の生成方法について説明する。
【１２５２】
図１０８において、１０５０１はデータとなるが、時点１におけるデータをｂ０１、ｂ１１、ｂ２１、ｂ３１、時点２のデータをｂ０２、ｂ１２、ｂ２２、ｂ３２、時点３のデータをｂ０３、ｂ１３、ｂ２３、ｂ３３、時点４のデータをｂ０４、ｂ１４、ｂ２４、ｂ３４とする。図１０８のマッピング部１０５０２は、ｂ０１、ｂ１１、ｂ２１、ｂ３１およびｂ０２、ｂ１２、ｂ２２、ｂ３２およびｂ０３、ｂ１３、ｂ２３、ｂ３３およびｂ０４、ｂ１４、ｂ２４、ｂ３４から、上記で説明したＩ１、Ｑ１、Ｉ２、Ｑ２、Ｉ３、Ｑ３、Ｉ４、Ｑ４を生成する。そして、図１０８のマッピング部１０５０２は、Ｉ１、Ｑ１、Ｉ２、Ｑ２、Ｉ３、Ｑ３、Ｉ４、Ｑ４から変調信号ｓ１（ｔ）、ｓ２（ｔ）を生成することができる。
【１２５３】
図１０９は、図１０７の第Ｎスロットのｓ１（ｔ）、ｓ２（ｔ）を得るための、図１０３、図１０８とは異なる構成方法を示している。分配部１０９０１は、データ１０５０１、制御信号１０５０４を入力とし、制御信号１０５０４に基づき、データを分配し、第１データ１０９０２＿Ａおよび第２データ１０９０２＿Ｂを出力する。マッピング部１０６０１＿Ａは、第１データ１０９０２＿Ａ、制御信号１０５０４を入力とし、制御信号１０５０４に基づく変調方式に基づく、例えば、図１０７の入れ替えを考慮したマッピングを行い、マッピング後の信号（ベースバンド信号の同相成分および直交成分）を生成し、マッピング後の信号から変調信号ｓ１（ｔ）（１０５０３＿Ａ）を生成し、出力する。マッピング部１０６０１＿Ｂは、第２データ１０９０２＿Ｂ、制御信号１０５０４を入力とし、制御信号１０５０４に基づく変調方式に基づく、例えば、図１０７の入れ替えを考慮したマッピングを行い、マッピング後の信号（ベースバンド信号の同相成分および直交成分）を生成し、マッピング後の信号から変調信号ｓ２（ｔ）（１０５０３＿Ｂ）を生成し、出力する。
【１２５４】
変調信号ｓ１（ｔ）（１０５０３＿Ａ）の第１スロットは（Ｉ１，Ｑ３）、変調信号ｓ２（ｔ）（１０５０３＿Ｂ）の第１スロットは（Ｉ２，Ｑ４）となり、変調信号ｓ１（ｔ）（１０５０３＿Ａ）の第２スロットは（Ｉ３，Ｑ１）、変調信号ｓ２（ｔ）（１０５０３＿Ｂ）の第２スロットは（Ｉ４，Ｑ２）、・・・となる。
【１２５５】
補足のために、図１０９のマッピング部１０６０１＿Ａにおける、変調信号ｓ１（ｔ）（１０５０３＿Ａ）の第１スロット（Ｉ１，Ｑ３）、第２スロット（Ｉ３，Ｑ１）の生成方法について説明する。図１０９において、１０５０１はデータとなるが、時点１におけるデータをｂ０１、ｂ１１、ｂ２１、ｂ３１、時点２のデータをｂ０２、ｂ１２、ｂ２２、ｂ３２、時点３のデータをｂ０３、ｂ１３、ｂ２３、ｂ３３、時点４のデータをｂ０４、ｂ１４、ｂ２４、ｂ３４とする。分配部１０９０１は、時点１におけるデータをｂ０１、ｂ１１、ｂ２１、ｂ３１および時点３のデータをｂ０３、ｂ１３、ｂ２３、ｂ３３を第１データ１０９０２＿Ａとして出力し、時点２のデータをｂ０２、ｂ１２、ｂ２２、ｂ３２および時点４のデータをｂ０４、ｂ１４、ｂ２４、ｂ３４を第２データ８０２＿Ｂとして出力する。図１０９のマッピング部１０６０１＿Ａは、ｂ０１、ｂ１１、ｂ２１、ｂ３１およびｂ０３、ｂ１３、ｂ２３、ｂ３３から、第１スロットは（Ｉ１，Ｑ３）、第２スロット（Ｉ３，Ｑ１）を生成することになる。第３スロット以降も同様の操作が行われる。
【１２５６】
図１０９のマッピング部１０６０１＿Ｂにおける、変調信号ｓ２（ｔ）（１０５０３＿Ｂ）の第１スロット（Ｉ２，Ｑ４）、第２スロット（Ｉ４，Ｑ２）の生成方法について説明する。図１０９のマッピング部１０６０１＿Ｂは、時点２のデータをｂ０２、ｂ１２、ｂ２２、ｂ３２および時点４のデータをｂ０４、ｂ１４、ｂ２４、ｂ３４から、第１スロットは（Ｉ２，Ｑ４）、第２スロット（Ｉ４，Ｑ２）を生成することになる。第３スロット以降も同様の操作が行われる。
【１２５７】
以上、２つのサイクリックQディレイの方法について説明したが、図１０４のように、スロット内で信号入れ替えを行った場合、受信装置の復調（検波）部において、候補信号点の数を抑えることができるので、演算規模（回路規模）を少なくすることができる、という利点がある。一方、図１０７のように、ｓ１（ｔ）の信号内、ｓ２（ｔ）の信号内で信号入れ替えを行った場合、受信装置の復調（検波）部において、候補信号点の数が多くなるが、時間ダイバーシチゲイン（周波数軸上で入れ替えを行った場合、周波数ダイバーシチゲイン）を得ることができ、データの受信品質がさらに向上する可能性があるという利点がある。
【１２５８】
なお、上述の説明では、変調方式を１６ＱＡＭとしたときを例に説明しているが、これに限ったものではなく、ＱＰＳＫ、８ＱＡＭ、３２ＱＡＭ、６４ＱＡＭ、１２８ＱＡＭ、２５６ＱＡＭ等の変調方式の場合についても同様に実施することができる。
【１２５９】
また、サイクリックQディレイの方法は、上述の２つの方法に限ったものではない。例えば、上述の２つの例では、いずれも、ベースバンド信号の直交成分について入れ替えを行っているが、同相成分を入れ替えてもよい。また、２つの時点で入れ替えを行っている（例えば、時点１と時点２でベースバンド信号の直交成分を入れ替える）を行っているが、複数の時点で、ベースバンド信号の同相成分または（「および」であってもよい）直交成分の信号入れ替えを行ってもよい。したがって、図１０４（ａ）のようにベースバンド信号の同相成分と直交成分を発生させ、サイクリックＱディレイを行った場合、「時点ｉのサイクリックＱディレイ後のベースバンド信号の同相成分はＩｉ、時点ｉのサイクリックＱディレイ後のベースバンド信号の直交成分はＱｊ（ｉ≠ｊ）とあらわせるシンボルが存在する」、または、「時点ｉのサイクリックＱディレイ後のベースバンド信号の同相成分はＩｊ、時点ｉのサイクリックＱディレイ後のベースバンド信号の直交成分はＱｉ（ｉ≠ｊ）とあらわせるシンボルが存在する」、または、「時点ｉのサイクリックＱディレイ後のベースバンド信号の同相成分はＩｊ、時点ｉのサイクリックＱディレイ後のベースバンド信号の直交成分はＱｋ（ｉ≠ｊ、ｉ≠ｋ、ｊ≠ｋ）とあらわせるシンボルが存在する」、ことになる。
【１２６０】
そして、上述で述べたサイクリックＱディレイを施すことにより得られた変調信号ｓ１（ｔ）（または、ｓ１（ｆ）、または、ｓ１（ｔ、ｆ））、変調信号ｓ２（ｔ）（または、ｓ２（ｆ）、または、ｓ２（ｔ、ｆ））に対し、プリコーディングおよび位相変更を施すことになる。（ただし、本明細書で示したように、いずれかの段階で、位相変更、パワー変更、信号入れ替え等の信号処理を施してもよい。）このとき、サイクリックＱディレイを施すことにより得られた変調信号に対して適用するプリコーディングおよび位相変更を施す方法として、本明細書で説明したすべてのプリコーディングおよび位相変更を施す方法を適用することが可能である。
【産業上の利用可能性】
【１２６１】
本発明は、複数のアンテナからそれぞれ異なる変調信号を送信する無線システムに広く適用でき、例えばＯＦＤＭ−ＭＩＭＯ通信システムに適用して好適である。また、複数の送信箇所を持つ有線通信システム（例えば、ＰＬＣ（Ｐｏｗｅｒ  Ｌｉｎｅ  Ｃｏｍｍｕｎｉｃａｔｉｏｎ）システム、光通信システム、ＤＳＬ（Ｄｉｇｉｔａｌ  Ｓｕｂｓｃｒｉｂｅｒ  Ｌｉｎｅ：デジタル加入者線）システム）において、ＭＩＭＯ伝送を行う場合についても適用することができ、このとき、複数の送信箇所を用いて、本発明で説明したような複数の変調信号を送信することになる。また、変調信号は、複数の送信箇所から送信されてもよい。
【符号の説明】
【１２６２】
３０２Ａ，３０２Ｂ  符号化器
３０４Ａ，３０４Ｂ  インタリーバ
３０６Ａ，３０６Ｂ  マッピング部
３１４  信号処理方法情報生成部
３０８Ａ，３０８Ｂ  重み付け合成部
３１０Ａ，３１０Ｂ  無線部
３１２Ａ，３１２Ｂ  アンテナ
３１７Ａ，３１７Ｂ  位相変更部
４０２  符号化器
４０４  分配部
５０４＃１，５０４＃２  送信アンテナ
５０５＃１，５０５＃２  受信アンテナ
６００  重み付け合成部
７０１＿Ｘ，７０１＿Ｙ  アンテナ
７０３＿Ｘ，７０３＿Ｙ  無線部
７０５＿１  チャネル変動推定部
７０５＿２  チャネル変動推定部
７０７＿１  チャネル変動推定部
７０７＿２  チャネル変動推定部
７０９  制御情報復号部
７１１  信号処理部
８０３  ＩＮＮＥＲ  ＭＩＭＯ検波部
８０５Ａ，８０５Ｂ  対数尤度算出部
８０７Ａ，８０７Ｂ  デインタリーバ
８０９Ａ，８０９Ｂ  対数尤度比算出部
８１１Ａ，８１１Ｂ  Ｓｏｆｔ−ｉｎ／ｓｏｆｔ−ｏｕｔデコーダ
８１３Ａ，８１３Ｂ  インタリーバ
８１５  記憶部
８１９  係数生成部
９０１  Ｓｏｆｔ−ｉｎ／ｓｏｆｔ−ｏｕｔデコーダ
９０３  分配部
１２０１Ａ，１２０１Ｂ  ＯＦＤＭ方式関連処理部
１３０２Ａ，１３０２Ａ  シリアルパラレル変換部
１３０４Ａ，１３０４Ｂ  並び換え部
１３０６Ａ，１３０６Ｂ  逆高速フーリエ変換部
１３０８Ａ，１３０８Ｂ  無線部
【図１】
2012144206.tif 000102
【図２】
2012144206.tif 000103
【図３】
2012144206.tif 000104
【図４】
2012144206.tif 000105
【図５】
2012144206.tif 000106
【図６】
2012144206.tif 000107
【図７】
2012144206.tif 000108
【図８】
2012144206.tif 000109
【図９】
2012144206.tif 000110
【図１０】
2012144206.tif 000111
【図１１】
2012144206.tif 000112
【図１２】
2012144206.tif 000113
【図１３】
2012144206.tif 000114
【図１４】
2012144206.tif 000115
【図１５】
2012144206.tif 000116
【図１６】
2012144206.tif 000117
【図１７】
2012144206.tif 000118
【図１８】
2012144206.tif 000119
【図１９】
2012144206.tif 000120
【図２０】
2012144206.tif 000121
【図２１】
2012144206.tif 000122
【図２２】
2012144206.tif 000123
【図２３】
2012144206.tif 000124
【図２４】
2012144206.tif 000125
【図２５】
2012144206.tif 000126
【図２６】
2012144206.tif 000127
【図２７】
2012144206.tif 000128
【図２８】
2012144206.tif 000129
【図２９】
2012144206.tif 000130
【図３０】
2012144206.tif 000131
【図３１】
2012144206.tif 000132
【図３２】
2012144206.tif 000133
【図３３】
2012144206.tif 000134
【図３４】
2012144206.tif 000135
【図３５】
2012144206.tif 000136
【図３６】
2012144206.tif 000137
【図３７】
2012144206.tif 000138
【図３８】
2012144206.tif 000139
【図３９】
2012144206.tif 000140
【図４０】
2012144206.tif 000141
【図４１】
2012144206.tif 000142
【図４２】
2012144206.tif 000143
【図４３】
2012144206.tif 000144
【図４４】
2012144206.tif 000145
【図４５】
2012144206.tif 000146
【図４６】
2012144206.tif 000147
【図４７】
2012144206.tif 000148
【図４８】
2012144206.tif 000149
【図４９】
2012144206.tif 000150
【図５０】
2012144206.tif 000151
【図５１】
2012144206.tif 000152
【図５２】
2012144206.tif 000153
【図５３】
2012144206.tif 000154
【図５４】
2012144206.tif 000155
【図５５】
2012144206.tif 000156
【図５６】
2012144206.tif 000157
【図５７】
2012144206.tif 000158
【図５８】
2012144206.tif 000159
【図５９】
2012144206.tif 000160
【図６０】
2012144206.tif 000161
【図６１】
2012144206.tif 000162
【図６２】
2012144206.tif 000163
【図６３】
2012144206.tif 000164
【図６４】
2012144206.tif 000165
【図６５】
2012144206.tif 000166
【図６６】
2012144206.tif 000167
【図６７】
2012144206.tif 000168
【図６８】
2012144206.tif 000169
【図６９】
2012144206.tif 000170
【図７０】
2012144206.tif 000171
【図７１】
2012144206.tif 000172
【図７２】
2012144206.tif 000173
【図７３】
2012144206.tif 000174
【図７４】
2012144206.tif 000175
【図７５】
2012144206.tif 000176
【図７６】
2012144206.tif 000177
【図７７】
2012144206.tif 000178
【図７８】
2012144206.tif 000179
【図７９】
2012144206.tif 000180
【図８０】
2012144206.tif 000181
【図８１】
2012144206.tif 000182
【図８２】
2012144206.tif 000183
【図８３】
2012144206.tif 000184
【図８４】
2012144206.tif 000185
【図８５】
2012144206.tif 000186
【図８６】
2012144206.tif 000187
【図８７】
2012144206.tif 000188
【図８８】
2012144206.tif 000189
【図８９】
2012144206.tif 000190
【図９０】
2012144206.tif 000191
【図９１】
2012144206.tif 000192
【図９２】
2012144206.tif 000193
【図９３】
2012144206.tif 000194
【図９４】
2012144206.tif 000195
【図９５】
2012144206.tif 000196
【図９６】
2012144206.tif 000197
【図９７】
2012144206.tif 000198
【図９８】
2012144206.tif 000199
【図９９】
2012144206.tif 000200
【図１００】
2012144206.tif 000201
【図１０１】
2012144206.tif 000202
【図１０２】
2012144206.tif 000203
【図１０３】
2012144206.tif 000204
【図１０４】
2012144206.tif 000205
【図１０５】
2012144206.tif 000206
【図１０６】
2012144206.tif 000207
【図１０７】
2012144206.tif 000208
【図１０８】
2012144206.tif 000209
【図１０９】
2012144206.tif 000210
【手続補正書】
【提出日】平成25年10月4日(2013.10.4)
【手続補正１】
【補正対象書類名】特許請求の範囲
【補正対象項目名】全文
【補正方法】変更
【補正の内容】
【特許請求の範囲】
【請求項１】
送信方法であって、
第１の変調信号ｓ１と第２の変調信号ｓ２とに対してプリコーディングを適用して第１のプリコーディングされた信号z'1と第２のプリコーディングされた信号z'2とを生成し、前記第１の変調信号ｓ１は変調多値数がａの第１の変調方式を用いて変調されており、ここでａは整数であり、前記第２の変調信号ｓ２は変調多値数がｂの第２の変調方式を用いて変調されており、ここでｂはａ＜ｂを満たす整数であり、
前記第１のプリコーディングされた信号z'1と前記第２のプリコーディングされた信号z'２との少なくともいずれか一方に位相変更を適用し、第1の送信信号ｚ１と第2の送信信号ｚ２とを生成し、
前記第１の送信信号ｚ１と前記第２の送信信号ｚ２を、それぞれ第１のアンテナ及び第２のアンテナから同一の周波数で同時に送信し、
前記プリコーディングは、以下のプリコーディング行列によりなされ、
【数１】
2012144206.tif 000211
ここでαは０であり、
前記位相変更における位相変更量は規則的に変化し、
前記第１の送信信号ｚ１と前記第２の送信信号ｚ２とには、さらに重み係数ｕaとｕbを用いたパワー変更が施されており、前記第１の変調信号ｓ１に基づく信号には重み係数ｕaが乗算されており、前記第２の変調信号ｓ２に基づく信号には重み係数ｕbが乗算されており、重み係数ｕaと重み係数ｕbとはｕa＜ｕbの条件を満たす
ことを特徴とする送信方法。
【請求項２】
送信装置であって、
第１の変調信号ｓ１と第２の変調信号ｓ２とに対してプリコーディングを適用して第１のプリコーディングされた信号z'1と第２のプリコーディングされた信号z'２とを生成する重み付け部と、
前記第１のプリコーディングされた信号z'1と前記第２のプリコーディングされた信号z'２との少なくともいずれか一方に位相変更を適用し、第１の送信信号ｚ１と第２の送信信号とを生成する位相変更部と、
前記第１の送信信号ｚ１と前記第２の送信信号ｚ２を、それぞれ第１のアンテナ及び第２のアンテナから同一の周波数で同時に送信する送信部とを備え、
前記第1の変調信号ｓ１は変調多値数がａの第1の変調方式を用いて変調されており、ここでａは整数であり、前記第2の変調信号ｓ２は変調多値数がｂの第2の変調方式を用いて変調されており、ここでｂはａ＜ｂを満たす整数であり、
前記プリコーディングは、以下のプリコーディング行列によりなされ、
【数２】
2012144206.tif 000212
ここでαは０であり、
前記位相変更部は、前記位相変更における位相変更量を規則的に変更し、
前記第１の送信信号ｚ１と前記第２の送信信号ｚ２とには、さらに重み係数ｕaとｕbを用いたパワー変更が施されており、前記第１の変調信号ｓ１に基づく信号には重み係数ｕaが乗算されており、前記第２の変調信号ｓ２に基づく信号には重み係数ｕbが乗算されており、重み係数ｕaと重み係数ｕbとはｕa＜ｕbの条件を満たす
ことを特徴とする送信装置。
【請求項３】
受信方法であって、
受信信号を取得し、前記受信信号はそれぞれ同一の周波数で同時に第１のアンテナ及び第２のアンテナから送信された第１の送信信号と第２の送信信号を受信して得られ、前記第１の送信信号及び前記第２の送信信号は所定の生成処理を用いて生成されており、
取得した前記受信信号に対して、前記所定の生成処理に応じた復調処理を施して受信データを得る処理を含み、
前記所定の生成処理は、
第１の変調信号ｓ１と第２の変調信号ｓ２とに対してプリコーディングを適用して第１のプリコーディングされた信号z'1と第２のプリコーディングされた信号z'2とを生成する処理と、
前記第１のプリコーディングされた信号z'1と前記第２のプリコーディングされた信号z'2との少なくともいずれか一方に位相変更を適用し、第１の送信信号ｚ１と第２の送信信号とを生成する処理とを含み、
前記第１の変調信号ｓ１は変調多値数がａの第１の変調方式を用いて変調されており、ここでａは整数であり、前記第２の変調信号ｓ２は変調多値数がｂの第２の変調方式を用いて変調されており、ここでｂはａ＜ｂを満たす整数であり、
前記プリコーディングは、以下のプリコーディング行列によりなされ、
【数３】
2012144206.tif 000213
ここでαは０であり、
前記位相変更における位相変更量は規則的に変化し、
前記第1の送信信号ｚ１と前記第2の送信信号ｚ２とには、さらに重み係数ｕaとｕbを用いたパワー変更が施されており、前記第１の変調信号ｓ１に基づく信号には重み係数ｕaが乗算されており、前記第２の変調信号ｓ２に基づく信号には重み係数ｕbが乗算されており、重み係数ｕaと重み係数ｕbとはｕa＜ｕbの条件を満たす
ことを特徴とする受信方法。
【請求項４】
受信装置であって、
受信信号を取得する取得部と、前記受信信号はそれぞれ同一の周波数で同時に第１のアンテナ及び第２のアンテナから送信された第１の送信信号と第２の送信信号を受信して得られ、前記第１の送信信号及び前記第２の送信信号は所定の生成処理を用いて生成されており、
取得した前記受信信号に対して、前記所定の生成処理に応じた復調処理を施して受信データを得る復調部とを備え、
g  前記所定の生成処理は、
第１の変調信号ｓ１と第２の変調信号ｓ２とに対してプリコーディングを適用して第１のプリコーディングされた信号z'1と第２のプリコーディングされた信号z'2とを生成する処理と、
前記第１のプリコーディングされた信号z'1と前記第２のプリコーディングされた信号z'2との少なくともいずれか一方に位相変更を適用し、第１の送信信号ｚ１と第２の送信信号とを生成する処理とを含み、
前記第１の変調信号ｓ１は変調多値数がａの第１の変調方式を用いて変調されており、ここでａは整数であり、前記第２の変調信号ｓ２は変調多値数がｂの第２の変調方式を用いて変調されており、ここでｂはａ＜ｂを満たす整数であり、
前記プリコーディングは、以下のプリコーディング行列によりなされ、
【数４】
2012144206.tif 000214
ここでαは０であり、
前記位相変更における位相変更量は規則的に変化し、
前記第1の送信信号ｚ１と前記第2の送信信号ｚ２とには、さらに重み係数ｕaとｕbを用いたパワー変更が施されており、前記第１の変調信号ｓ１に基づく信号には重み係数ｕaが乗算されており、前記第２の変調信号ｓ２に基づく信号には重み係数ｕbが乗算されており、重み係数ｕaと重み係数ｕbとはｕa＜ｕbの条件を満たす
ことを特徴とする受信装置。
【国際調査報告】
2012144206.tif 000215
2012144206.tif 000216
2012144206.tif 000217
2012144206.tif 000218